(57)【要約】 【課題】従来のロボットは、全自動ロボットが無く、放射線処理など、危険作業には、向かないロボットしか無く、電気切れで止まってしまう欠点ばかりのロボットだけで有った。【解決手段】人間の持ち得ている機能を、機械式にして、集合した無給式の超小型全自動発電ロボットの未来型ロボットに成り、危険な仕事を、従事する事によって、データー全自動インプットによって、ロボット知能の全自動進化によって、ロボットと人の共有社会を目指した著作権原本集合の人型ロボットの著作権原本。【選択図】図1
2012210703.tif 000002
【特許請求の範囲】
【請求項１】
本先知的所有財産の先発明は、半永久連続作動発電機の無害無給油連続作動発電機を積載した多機能インプット全自動ロボット。
【請求項２】
本先知的所有財産の先発明は、磁極切り換え型のインバータ制御連続作動出来るレールモーターを積載した多機能インプット全自動ロボット。
【請求項３】
本先知的所有財産の先発明は、軽水素入り圧電素子磁石体内蔵の高出力コイル板構造の2連決以上モーターを積載した多機能インプット全自動ロボット。
【請求項４】
本先知的所有財産の先発明は、圧電素子4電子磁気分割装置を積載内蔵した電気中の電気抵抗を電気中から取り除く装置を積載した多機能インプット全自動ロボット。
コメント
2008年9月4日PM18時58分51秒塚崎ビバストアーへ洗剤を買いに向かう美馬牛カンキチ。
2008年9月4日PM19時15分59秒大型の蛾の大量発生によって、街路塔は、普段と違う姿を見せていた美馬牛市街地カンキチ。
【請求項５】
本先知的所有財産の先発明は、2連結以上高出力モータースクリュー装置を内蔵または積載した多機能インプット全自動ロボット。
【請求項６】
本先知的所有財産の先発明は2連結以上高出力モータープロペラ装置を積載した多機能インプット全自動ロボット。         
【請求項７】
本先知的所有財産の先発明は、180度のロボット発電機傾きに対して発電機が、水平維持出来る円球水平移動型の無害無給発電機の水発電機または沸騰水制御発電機を積載した多機能インプット全自動ロボット。
【請求項８】
本先知的所有財産の先発明は、衛生時計内蔵型の表裏両面卵型空洞MDのロボット被写体確認する為のデーターを集録した表裏両面卵型空洞MD装置を積載した多機能インプット全自動ロボット。
【請求項９】
本先知的所有財産の先発明は、衛生時計内蔵型の表裏両面卵型空洞MDチャンバーロボット情報装置を積載した多機能インプット全自動ロボット。
【請求項１０】
本先知的所有財産の先発明は、磁極切り換え型のインバータ制御連続作動出来るレールモーターと、軽水素入り圧電素子磁石体を内蔵した高出力モーターに軽水素入りの圧電素子磁石体を内蔵した高出力ダイナモを連結した高出力制御のWモーターダイナモを積載した多機能インプット全自動ロボット。  
【請求項１１】
本先知的所有財産の先発明の表裏両面卵型空洞MDチャンバーは、ロボットの右手親指に内蔵されて入るスキャナ装置によって書物の文字及び絵を電波入力出来る装置を右手親指に内蔵積載した多機能インプット全自動ロボット。
【請求項１２】
本先知的所有財産の先発明の表裏両面卵型空洞MDチャンバーは、ロボットの右手人差し指に内蔵して有る、金属デジタル温度感知計によって温度データーを電波入力出来る装置を右手人差し指に内蔵積載した多機能インプット全自動ロボット。
【請求項１３】
本先知的所有財産の先発明の表裏両面卵型空洞MDチャンバーは、ロボットの右手中指に内蔵して有る炭素合成液体マグネシウムセンサーを穴空き金属指または超小型電動仕切り弁に炭素合成液体マグネシウムセンサーによって、水物質を確認認識したデーターを電波入力出来る装置を右手中指に内蔵積載した多機能インプット全自動ロボット。
【請求項１４】
本先知的所有財産の先発明の表裏両面卵型空洞MDチャンバーは、ロボットの右手薬指に内蔵して有るアンモニアを感知する為のプラスチックフッ素コーテイング粒状物質を内蔵したロボット穴空き金属指または超小型電動仕切り弁にアンモニア気化物質を感知する為のアンモニアセンサーを保護する為のプラスチックフッ素コーテイング粒状物質を内蔵させたロボット指アンモニアセンサー装置を右手薬指に内蔵積載した多機能インプット全自動ロボット。
【請求項１５】
本先知的所有財産の先発明の表裏両面卵型空洞MDチャンバーは、ロボットの右手小指に内蔵して有る都市ガスを感知する為のプラスチックフッ素コーテイグ粒状物質を内蔵したロボット穴空き金属指または超小型電動仕切り弁に都市ガスを感知する為の都市ガスセンサーを保護する為のプラスチックフッ素コーテイグ粒状物質を内蔵させたロボット指都市ガスセンサー装置を右手小指に内蔵積載した多機能インプット全自動ロボット。
【請求項１６】
本先知的所有財産の先発明の表裏両面卵型空洞MDチャンバーは、ロボットの左手親指に内蔵して有る電気を感知する為の穴空き銅版の中に活性炭入りフッ素粒子状物質を内蔵した穴空き銅板親指形の電気感知体を内蔵又は超小型電動仕切り弁に内蔵させたロボット電気センサー装置を左手親指に内蔵積載した多機能インプット全自動ロボット
【請求項１７】
本先知的所有財産の先発明の表裏両面卵型空洞MDチャンバーはロボットの左手人差し指にアルコールセンサー装置を左手人差し指に内蔵積載した多機能インプット全自動ロボット。
【請求項１８】
本先知的所有財産の先発明の表裏両面卵型空洞MDチャンバーはロボットの左手中指に内蔵して有る放射能センサーを左手中指に内蔵積載した多機能インプット全自動ロボット。
【請求項１９】
本先知的所有財産の先発明の表裏両面卵型空洞MDチャンバーはロボットの左手薬指に内蔵して有る排気ガスセンサーを左手薬指に内蔵積載した多機能インプット全自動ロボット。
【請求項２０】
本先知的所有財産の先発明の表裏両面卵型空洞MDチャンバーは、ロボットの左手小指に内蔵して有る圧力センサーを左手小指に内蔵積載した多機能インプット全自動ロボット。
【請求項２１】
本先知的所有財産の先発明は、人型ロボットの足の指に2連結以上高出力水中ポンプを複数の電動仕切り弁の中に内蔵した、水中では、水中ロボットウオータージエット走行可能な電動仕切り弁の中に2連結以上モーターを内蔵積載した多機能インプット全自動ロボット。
【請求項２２】
本先知的所有財産の先発明は、人型ロボットの手足4箇所と背中に水中2連結以上ダイナモモータースクリュー装置を内蔵または積載した多機能インプット全自動ロボット。
【請求項２３】
本先知的所有財産の先発明は、人型ロボットの頭の上に主プロペラ装置を備え水中スクリューモーターを推進プロペラとして二つ役兼ねた空中を自在に飛行出来る装置を積載した多機能インプット全自動ロボット。
【請求項２４】
本先知的所有財産の先発明は、人型ロボットに超小型冷却冷風クーラー装置を積載した人型の多機能インプット全自動ロボット。
【請求項２５】
本先知的所有財産の先発明は人型ロボットに超小型温風のニクロム線を二重構造穴空き金属の中に内蔵させた人型のヒーター構造を積載した多機能インプット全自動ロボット。
【請求項２６】
本先知的所有財産の先発明は、人型ロボットに超小型のゴミ取りパック付きの超小型の真空装置を備える事によって、海水または川または湖の水を真空装置処理して飲料水として、人型ロボットに取り外し可能な水タンクを積載した海水などを真水に瞬間処理出来る超小型真空装置真水処理機能を備え積載した多機能インプット全自動ロボット。
【請求項２７】
本先知的所有財産の先発明は、人型ロボットに超小型コンプレッサーを内蔵して人型ロボットの指から空気活性炭フィルターを通した空気を放出出来る装置を積載した多機能インプット全自動ロボット。
【請求項２８】
本先知的所有財産の先発明は、人型ロボットに電動仕切り弁携帯食料庫を備えた構造を積載した多機能インプット全自動ロボット。
【請求項２９】
本先知的所有財産の先発明は、人型ロボットに電動仕切り弁倉庫は、乾燥材を電動仕切り弁の壁を穴空き2重構造にした中に乾燥剤などを入れた構造にしたロボット貯蓄庫に非常薬収納庫を備え積載した多機能インプット全自動ロボット。
【請求項３０】
本先知的所有財産の先発明の表裏両面卵型空洞MDチャンバーは、衛生道路地図にビルまたは家の構造立体地図情報を表裏両面卵型空洞MDチャンバーにデーター集録した衛生ロボット地図を積載した多機能インプット全自動ロボット。
【請求項３１】
本先知的所有財産の先発明の表裏両面卵型空洞MDチャンバーは、複数の山岳ヘリコプター電波中継送受信装置と携帯電波中継固定位置鉄塔と無線電波中継固定位置鉄塔の二つの固定位置によって、全自動人型ロボットのもう一つのロボット位置即ち、ロボット無線電波三角点電波位置地図によって、人型多機能全自動ロボットのあらゆる上空の空位置と地上の建物内部位置を含めた道路位置と水中の海上海中位置が、ロボット地図経緯度位置確認認識出来る電気地図位置センサー装置を内蔵積載した多機能インプット全自動ロボット。
【請求項３２】
本先知的所有財産の先発明の表裏両面卵型空洞MDチャンバーは、ロボットのあらゆる装置によって、全自動走行した道程を経緯度地図の立体地図のロボット実際進行路として磁気書き込みする事によって、戻る場合、来た道程のデーターチェックを加えた全自動陸海空走行が、ロボット地図磁気書き込みチェック走行出来るロボット地図磁気書き込み装置を積載した多機能インプット全自動ロボット。
【請求項３３】
本先知的所有財産の先発明の表裏両面卵型空洞MDチャンバーは、ロボットのテレポーテイション物体被写体形状確認認識する為のあらゆる陸海空の被写体物体形状データーを形状角度別情報ストックした表裏両面卵型空洞MDチャンバーロボットアンテナライトカメラのテレポーテイション被写体形状データーを被写体形状角度振り分けしてデーターストック集録した装置を積載した多機能インプット全自動ロボット。
【請求項３４】
本先知的所有財産の先発明の人型ロボットのソーラーパネルは、太陽光急速発電を可能にする為に黒色の炭素と軽水素とシリコンを合成した、太陽光熱吸収発電を炭素シリコンパネル以上に高めた軽水素内蔵のブラック炭素シリコンソーラーパネルを積載した多機能インプット全自動ロボット。           
【請求項３５】
本先知的所有財産の先発明のロボットモーターは、磁極切り換え及び磁極接合可能なインバータ制御可能な先発明及び先発明原本証明書付きのレールモーターによって、超微妙モーター全自動カメラ被写体洞察作動認知の音声微調整出来る軽水素内蔵圧電素子磁石体レールモーターを積載した多機能インプット全自動ロボット。
【請求項３６】
本先知的所有財産の先発明のロボットの目の役目をするロボット目構造は、瞼は、電動レールモーターの二つの仕切り弁瞼構造を積載した多機能インプット全自動ロボット。
【請求項３７】
本先知的所有財産の先発明のロボットの目の役目をするロボット目構造の白目部分は、軽水素内蔵白色ダイオードをロボット目の白目部分構造としてロボットに積載した多機能インプット全自動ロボット。
【請求項３８】
本先知的所有財産の先発明のロボットの目の役目をするロボット目構造の網膜及び黒瞳部分は超小型の半分から上は魚眼レンズそして半分から下は、とつレンズの合わせ一つ削りのレンズをロボットの目の構造としてロボットに積載した多機能インプット全自動ロボット。
【請求項３９】
本先知的所有財産の先発明のロボットの目の役目をするロボット目構造の睫部分は、馬の尻尾の毛をロボットの睫構造としてロボットに積載した多機能インプット全自動ロボット。
コメント
2008年9月4日PM23時57分20秒取り敢えず、未来の子供達が、何らかの事情で困った場合、人の能力では、どうしても補え無い部分を、2008年9月に困った時に使用出来るロボットの原型を後に、ロボット著作権者に、著作権デザイン料を支払って緊急使用の為のロボットとして少し全自動インプットロボットを書いて置く事を現在決めましたが、絶対に戦争の道具だけは、止めていただきたく此処に文書説明として書き添えた理由なのを本当に理解していただける事を節に祈る事とします。美馬牛カンキチ。
コメント
2008年9月5日PM20時9分51秒旭川失業手当の手続きを済ませ、春に間違えて携帯を水に落とした為、低料金携帯と、交換して来る自転車の旭川往復35年以上前と変わらない行きは良い良い帰りはこわいの言葉通りで有る。美馬牛カンキチ風呂入って夕食済ませて再び書き始める。
【請求項４０】
本先知的所有財産の先発明の磁極切り換え型及び磁極接合制御出来るインバータ装置作動のレールモーターを積載した省電気消費の新型真空装置によって、海水及び湖などの水を真空装置の瞬間気化ろ過する事によって、ロボット真空装置瞬間ろ過飲料水を提供出来る真空装置を積載した多機能インプット全自動ロボット。
【請求項４１】
本先知的所有財産の先発明の磁極切り換え型及び磁極接合制御出来るインバータ装置作動のレールモーターロボット手アタッチメントの取り付け方法は、ネジ型ピンストッパー方式構造のロボット手アタッチメントを積載した多機能インプット全自動ロボット。
コメント
2008年9月6日真夜中PM24時16分20秒明日の朝のカレーと朝食の段取りを終えて眠る事とする美馬牛カンキチ。
2008年9月6日AM10時42分58秒美馬牛水天宮秋祭で有るようで有る、すっかり忘れていたが、大雪山は、白雲の中、東より風竜たちは、雲を天高くつれ去る。夏を思い出させる日差しも幾分差し、秋の虫たちの声は、夏を勤しむように、庭先の旅人達は木陰で、夏の日の恋のお話しでもしているよううで有り、川の水もの竜は大地の地竜と融合の一時を過ごし陽竜は再生を願う大地の性たちに繁栄をもたらし再びの誓いの約束と共に再び繰り返される再生の時を時間の神と共に大地は大地へそしてしばし時は、木々の恵みを待つ時間へ向かう。美馬牛市街地カンキチ。
【請求項４２】
本先知的所有財産の先発明のロボット補助カメラは、赤外線使用の温度カメラの温度認識確認温度データーロボット圧電素子ICチップ音声によって、人に物体及び人の温度データーを音声で連絡出来るシステムを積載した多機能インプット全自動ロボット。
【請求項４３】
本先知的所有財産の先発明のロボット電波センサーは、ロボットが、前に進む歳に物体に当たらないないように電波発信装置と電波キャッチ体を取り付けた電波物体位置確認認識装置のロボット電波センサーを積載した多機能インプット全自動ロボット。
【請求項４４】
本先知的所有財産の先発明のロボットカラー色ライトライン装置は、ロボットのアンテナライトカメラのカメラレンズ焦点距離を設定する為の色付きの細いライトの光りをロボット本体からカラー色ライトライン距離を設定距離として、磁極切り換え磁極接合可能なインバータ制御可能なレールモーター付きのカラー色ライトライン装置を積載した多機能インプット全自動ロボット。
【請求項４５】
本先知的所有財産の先発明のロボット補助ライトは、夜に人を探したりする場合、ロボットアンテナライトカメラの周囲を明るくする必要性から補助ライトをロボットの人型の額に電動仕切り弁内蔵型の補助ライトを積載した多機能インプット全自動ロボット。
コメント
2008年9月6日PM18時25分28秒昨日の疲労の性か少し眠くなり眠って休憩を取って再び書き始める美馬牛カンキチ。
【請求項４６】
本先知的所有財産の先発明のロボットアンテナ金属マイク耳装置は、水中でも音を捕らえる事の出来るアンテナ金属マイク構造装置を積載した多機能インプット全自動ロボット。
【請求項４７】
本知的所有財産の先発明のロボットアンテナ金属ライトマイク耳装置は、電動仕切り弁の中にライト装置を備えた構造で有り、水中の音も捕らえる事の出来る超小型金属マイクを備え人の声を圧電素子磁石体ICチップによって、音声判別して、圧電素子磁石体ICチップの組み立て音声又は、音声ICチップチャンバーテープ音声などを他の技術活用をする事で、ロボット音声機能システム構造とし更に積載した多機能インプット全自動ロボット。
【請求項４８】
本先知的所有財産の先発明のロボットW電動仕切り弁スピーカー音声ロボット口構造は、人の発声する音声に従って口の大きさをレールモーター制御方法で口の開きを、発声する音声に従って、表現出来るW電動仕切り弁のロボット口構造を積載した多機能インプット全自動ロボット。
【請求項４９】
本先知的所有財産の先発明のロボットは、携帯波インターネットデーターをロボット圧電素子磁石体ICチップ組み立て音声で、データー情報回答出来る装置を積載した多機能インプット全自動ロボット。
【請求項５０】
本先知的所有財産の先発明のロボットは、ラジオ放送の音声電波データーをロボット圧電素子磁石体ICチップ組み立て音声で、ラジオ音声データー情報をロボット音声として発声出来る圧電素子作り音声システムを積載した多機能インプット全自動ロボット。
【請求項５１】
本先知的所有財産の先発明のロボットは、テレビ放送の音声電波データーをロボット圧電素子磁石体ICチップ組み立て音声で、テレビ音声データー情報をロボット音声として発声出来る圧電素子作り音声システムを積載した多機能インプット全自動ロボット。
【請求項５２】
本先知的所有財産の先発明のロボットの手の指は、磁極切り換えと磁極接合のインバータ制御出来るレールモーターロボット指間接構造はワイヤを使用しないで、短い鋼鉄ピンを複数使用してレールモーター同志を繋げて複数の棒状のレールモーターを積載した多機能インプット全自動ロボット。
【請求項５３】
本先知的所有財産の先発明のロボットの手の甲及びモーターカバーに人口ダイヤカバーを取り付けた上にシリコンゴムを被せた構造のロボット外皮構造を積載した多機能インプット全自動ロボット。
【請求項５４】
本先知的所有財産の先発明のロボットは、放射能を液体シリコンに合成内蔵したクリスタルガラス筒装置を金属スコープに設置内蔵した装置を積載した多機能インプット全自動ロボット。
【請求項５５】
本先知的所有財産の先発明のロボットの首の十字レールモーター及びロボットの胴の十字レールモーター及びロボットの足の付け根の十字レールモーター及びロボットの肘部分の十字レールモーターは前後左右が、同時に作動出来る磁極切り換え及び磁極接合のインバータ制御可能なレールモーターを積載した多機能インプット全自動ロボット。
【請求項５６】
本先知的所有財産の先発明のロボットは、8点走行車輪ロボットゴム足構造を積載した多機能全インプット自動ロボット。
【請求項５７】
本先知的所有財産の先発明のロボットは、人が遭難した場合の為の非常食を貯蓄出来る電動仕切り弁構造の非常携帯食料を貯蓄する構造装置と非常携帯食料の量を超小型ロボットライトカメラ確認出来る装置を積載した多機能インプット全自動ロボット。
【請求項５８】
本先知的所有財産の先発明のロボットは、両サイド及び後部確認の為の電動仕切り弁内蔵型のアンテナライトカメラ装置を積載した多機能インプット全自動ロボット。
【請求項５９】
本先知的所有財産の先発明のロボットは、モータープロペラをゆっくり回転させただけで更に高く飛行出来る装置として、半永久作動出来るモータープロペラ装置と二つの超小型ダブルヘリューム気球を積載したリモコン型の多機能ロボット。
【請求項６０】
本先知的所有財産の先発明のロボットは、ダイナモ端子交換までの半永久作動発電可能な、2連振り子型機械式発電機を積載した山岳ヘリコプターの多機能インプット全自動ロボット。                      
【請求項６１】
本先知的所有財産の先発明のロボットは超小型2連振り子型自動充電池を積載した超小型Wヘリュウーム気球を積載したリモコン型の多機能ロボット。
コメント
2008年9月6日PM23時9分55秒少し眠いので早めに眠る美馬牛カンキチ。 
2008年9月7日AM9時56分15秒美馬牛水天宮本祭り曇りどうやら一日曇りの天気の様子美馬牛カンキチ。
【請求項６２】
本先知的所有財産の先発明の山岳ヘリコプターロボットは、万が一海上に落下した場合沈まずに済むようにエアーチューブ構造を2重構造にして、外側が、パンクしても、内側のチューブによって、海上に浮いておれる二重エアーチューブ構造にした装置を積載した山岳ヘリコプター多機能インプットリモコン全自動ロボット。
【請求項６３】
本先知的所有財産の先発明の山岳ヘリコプターロボットは二台の山岳ヘリコプターと人工衛星の衛生GPS三角点電波位置と地上の無線鉄塔又は、海底のソナー固定位置からソナー波を、上空にソナー波を無線波に切り換えて飛ばす事によって、上空の山岳ヘリコプターロボット三角点電波位置によって、得る事が出来る二つの上空位置によって、上空のインプット固定位置に連続電気モータープロペラ飛行出来る装置を積載した山岳ヘリコプター多機能インプットリモコン全自動ロボット。
【請求項６４】
本先知的所有財産の先発明の山岳ヘリコプターロボットは、360度撮影可能な上下左右全てが確認出来る複数のアンテナライトカメラの物体及び動物及び人及びロボットの形状確認認識が、全自動連絡出来るカメラ装置を積載した山岳ヘリコプター多機能インプットリモコン全自動ロボット。
【請求項６５】
本先知的所有財産の先発明の山岳ヘリコプターロボットは、複数の携帯波をインプット空中同位置中継出来る装置を積載した山岳ヘリコプター多機能インプットリモコン全自動ロボット。
【請求項６６】
本先知的所有財産の先発明のロボットカメラの光度確認認識センサーは、ダイオードに軽水素を内蔵して合成する事によって、ダイオードの光り認識確認反応スピードを早める為に電気充電反応の早い軽水素をダイオードに内蔵させた軽水素内蔵ダイオードパネルを積載した多機能インプット全自動ロボット。
【請求項６７】
本先知的所有財産の先発明のロボットそれぞれに積載されるアンテナ全自動連絡可能な磁波計測装置を積載した多機能インプット全自動ロボット。
【請求項６８】
本先知的所有財産の先発明のロボットそれぞれに積載されるアンテナ全自動連絡可能な磁波計測装置は、電気反応の早い軽水素を内蔵した磁波計測装置を積載した多機能インプット全自動ロボット。
【請求項６９】
本先知的所有財産の先発明の水中無線リモコンロボット及び水中インプット全自動ロボットのカメラ映像または無線リモコン電波を、複数のソナー波電波に変える事の出来る無線波を複数ソナー波に変える事の無線波複数ソナー波変換装置を積載した多機能インプット全自動ロボット。
【請求項７０】
本先知的所有財産の先発明の水中無線リモコンロボット及び水中インプット全自動ロボットの水中カメラ映像通信する為に海上の無線波及び携帯波及び衛生波を水中ロボットにデーターとして届ける為に無線波及び携帯波及び衛生波をキャッチする電波受信体装置は、上下の固定位置を持続する為の上下スクリュー2連結以上モーターを合計8個とサイドの位置固定をする為のサイドスクリュー2連結以上モーターを合計8個の磁極切り換えインバータ微調整出来る十字レールモータースクリュー装置と2連振り子型自動電池を積載した多機能インプット全自動ロボット。
【請求項７１】
本先知的所有財産の先発明の水中無線リモコンロボット及び水中インプット全自動ロボットの水中カメラ映像通信する為に海上の浮遊電波キャッチ体を同位置に衛生波無線GPS同位置確認認識する為に、人工衛星位置と山岳ヘリコプターの二つの定まった位置に対して海上の波によって、移動する電波キャッチ体に超小型経緯度が細かく確認出来る海上海底地図を積載した衛生波三角点位置受信と無線波三角点位置受信可能な海上連続電波キャッチ浮游出来て、全自動で海上の同位置へ全自動モータースクリュー調整出来る海上の電波同位置全自動帰還装置を付属積載した多機能インプット全自動ロボット。
【請求項７２】
本先知的所有財産の先発明の水中無線リモコンロボット及び水中インプット全自動ロボットの水中カメラ映像通信する為に海上の浮游電波キャッチ体を連続モータースクリュー作動させる為に、2連振り子型自動充電池を内蔵した海上段数ソナー装置を付属積載した多機能インプット全自動ロボット。
【請求項７３】
本先知的所有財産の先発明の水中無線リモコンロボット及び水中インプット全自動ロボットの水中カメラ映像通信する為に海上の浮游電波キャッチ体を連続モータースクリュー作動させる為に2連振り子型自動充電池の使用電気量を減らす装置として、圧電素子4電子磁気分割装置を積載した多機能インプット全自動ロボット。
コメント
2008年9月7日PM昼12時16分27秒昼食の残りカレーを食べて夕食のご飯を用意して再び書き始める美馬牛カンキチで有り、白雲の中から薄日が差し込む美馬牛市街地。
【請求項７４】
本先知的所有財産の先発明の水中無線リモコンロボット及び水中インプット全自動ロボットの水中カメラ映像通信する為に海上の浮游電波キャッチ体を連続モータースクリュー作動させる2連振り子型自動充電池の使用電気量を減らす装置を積載した装置に電波切り替えスイッチ型のアンテナライトカメラを積載した、海上段数ソナー装置を積載した多機能インプット全自動ロボット。
【請求項７５】
本先知的所有財産の先発明の海上段数ソナー装置は、上空の山岳ヘリコプター装置は、地上の無線波及び携帯波を、複数のインプット定位置連続飛行出来る山岳ヘリコプターを設置使用する事で、海上の段数ソナー装置に携帯電波又は無線電波を送受信出来る海上段数ソナー装置を積載した多機能インプット全自動ロボット。
【請求項７６】
本先知的所有財産の先発明の海上段数ソナー装置を複数用意する事で、一台の段数ソナー装置の海上地図同位置をセットする事によって、複数の段数ソナー装置は、全て水中で、縦方向に並んで、上空の衛生波GPS位置と上空の山岳ヘリコプター同位置の無線波三角点電波位置を海上の段数ソナー装置が電波キャッチする事で、複数の水中の深さ設定して有る段数ソナー装置へ海上の衛生海上GPS位置と同じ水中位置を設定全自動作動する事によって海上の段数ソナー及び上空の山岳ヘリコプターへ電波送受信して、水中ロボットのアンテナライトカメラ情報を送受信出来る海上段数ソナー及び複数の段数ソナー装置を積載した多機能インプット全自動ロボット。
【請求項７７】
本先知的所有財産の先発明の海上段数ソナー装置は、海底壱メートル以内の定位置段数ソナー装置は、水中ロボットの水中ソナー波データーを縦の方向のソナー電波を横の方向のソナー電波に切り換える事の出来る90度ソナー波屈折送受信装置を積載した多機能インプット全自動ロボット。
コメント
2008年9月7日PM13時9分40秒小休止する美馬牛カンキチ。 
2008年9月7日PM14時7分17秒古い領主書を少し整理してコーラを呑のみ再び書き始める美馬牛水天宮祭そして子供達そして紅白の祝い餅そして、心棒強く降らない雨もまたその時を語り手再びの再生への時間を夢見るかのように再び秋へ向けて再生の種蒔きが始まる時美馬牛カンキチ。
【請求項７８】
本先知的所有財産の先発明の水中ロボットは、海底固定複数ソナー送受信装置の複数ソナー波または海上の段数ソナー波キヤッチ体へ無線波及び携帯波を送りソナー波変換した電波をキャッチ出来るソナー波キャッチ体ボデーイー装置を積載した多機能インプット全自動ロボット。
【請求項７９】
本先知的所有財産の先発明の水中ロボットへ海底から海底固定位置ソナー波を送信出来る全体完全防水構造の半永久全自動発電可能な無害無給油連続無休憩発電機を積載した海底水中ロボット地図位置を確定する為の2台の固定海底位置を決める為の完全防水に守られている電波送受信スイッチ機能の取り付けられている海底地図ソナー波送受信装置を補助積載した多機能インプット全自動ロボット。
【請求項８０】
本先知的所有財産の先発明の海底固定複数ソナー波送受信装置は、十字モータースクリュー装置を4台積載した水中ロボット位置を確定する海底固定複数ソナー波送受信装置の2連結以上モーター構造積載した海底固定複数ソナー波送受信装置。
コメント
2008年9月7日PM15時4分22秒少し小休止をする美馬牛カンキチ。
2008年9月7日PM20時13分18秒再び書き始める美馬牛カンキチ。
【請求項８１】
本先知的所有財産の先発明のロボットの情報収集の為のロボット携帯波インターネット情報収集は、一度送られてきた文字データーを文字圧電素子ICチップロボット音声発声としてデーターロボット音声処理出来る装置を積載した多機能インプット全自動ロボット。
【請求項８２】
本先知的所有財産の先発明のロボットの情報収集の為のロボット携帯波インターネット情報収集は、一度送られて来た携帯波映像を拠り奇麗に写す為に合成ネオン充電池素子体ICチップを内蔵積載した多機能インプット全自動ロボット。
【請求項８３】
本先知的所有財産の先発明のロボットの情報収集の為のロボット画像パネル装置は、電動仕切り弁に内蔵したロボット映像パネル装置を積載した多機能インプット全自動ロボット。
【請求項８４】
本先知的私有財産の先発明のロボットのホイスト装置の内の電気モーターだけで作動出来る磁極切り換え及び磁極接合のインバータ微調整制御まで出来る棒状レールモーターを内蔵したレールモーターホイストを積載した多機能インプット全自動ロボット。
【請求項８５】
本先知的所有財産の先発明のロボットのホイスト装置の内のエアーホイストにレールモーターを取り付ける事で、エアー操作では難しい微調整を磁極切り換え及び磁極接合のインバータ制御連続作動出来るレールモーターエアーホイストを積載した多機能インプット全自動ロボット。
【請求項８６】
本先知的所有財産の先発明のロボットのホイスト装置の内の油圧ホイストの欠点として反応の遅い点をレールモーターを取り付ける事で、世界最速の油圧ホイストロボット装置として作動出来る装置を積載した多機能インプット全自動ロボット。
【請求項８７】
本先知的所有財産の先発明のロボットタイヤモーター装置のモーターは、磁極切り換え及び磁極接合制御出来るインバータレールモーターを積載した多機能インプット全自動ロボット。
【請求項８８】
本先知的所有財産の先発明のロボットは、金属スコープ確認認識機能とカラー色確認認識機能と文字及び絵文字の大地を下にした人が見る状態に於いての絵文字形状確認などのロボット物体確認動作に至ってまでのロボット動作データーを物体形状事によって物体形状の取り扱い使用のロボット動作データーを表裏両面卵型空洞MDのロボットデーターチヤンバー装置に積載した多機能インプット全自動ロボット。
【請求項８９】
本先知的所有財産の先発明のロボットは、行っては絶対ダメな行為を記録してあるアルミニュームテープなどに鉄心で書き込んだ他の書き換え不可能なロボット安全データーシステム装置を積載した多機能インプット全自動ロボット。
【請求項９０】
本先知的所有財産の先発明のロボットは、4足で歩く為に、4足ロボットに水平角度計測装置を水平に歩く為の磁極切り換えの磁極接合可能なインバータレールモーター4足それぞれの全自動自動調整可能な水平4足走行レールモーター走行パターンを、表裏両面卵型空洞MD装置に記憶又はアルミニュームCDに記憶した装置を積載した多機能インプット全自動ロボット。  
【請求項９１】
本先知的所有財産の先発明の4足ロボットは寝たり飛んだり撥ねたりする4足ロボット動作パターンを表裏両面卵型空洞MD装置に記憶またはアルミニュームCDに記憶した装置を積載した多機能インプット全自動ロボット。
【請求項９２】
本先知的所有財産の先発明の4足ロボットは、アクビとクシャミと物を運ぶ動作パターンを表裏両面卵型空洞MD装置に記憶またはアルミニュームCDに記憶した装置を積載した多機能インプット全自動ロボット。
【請求項９３】
本先知的所有財産の先発明の4足ロボットは、非常音声回路として、緊急の場合だけ働く4足ロボット人の声圧電素子ICチップ音声またはテープ音声によって、緊急事態を連絡出来る被写体形状アンテナライトカメラ緊急連絡装置を積載した多機能インプット全自動ロボット。
【請求項９４】
本先知的所有財産の先発明の4足ロボットは、体の色を変える事の出来る複数画像モーターパネル構造を積載した多機能インプット全自動ロボット。
【請求項９５】
本先知的所有財産の先発明の4足ロボットは、体の色を変える事の出来るレールモーターパネルと、反転した場合人口の4足動物の毛が内蔵してあり自然体4足外皮と画像パネル色の複数パターンで4足走行出来るシステムを積載した多機能インプット全自動ロボット。
【請求項９６】
本先知的所有財産の先発明の4足ロボットは磁波計測を含む気象データー全てを24時間連続して電波通達出来るシステムを積載した多機能インプット全自動ロボット。
【請求項９７】
本先知的所有財産の先発明の4足ロボットは、4つの電動仕切り弁内蔵2連結以上モータースクリュー装置を内蔵した水中をモータースクリュー走行出来る完全防水を積載した多機能インプット全自動ロボット。
【請求項９８】
本先知的所有財産の先発明の4足ロボットは、主プロペラと2連結以上スクリユーモーター
バランス調整して空を飛ぶ事の出来る飛行装置を積載した多機能インプット全自動ロボット。
【請求項９９】
本先知的所有財産の先発明の4足ロボットの主プロペラ装置は、棒状の磁極切り換え及び磁極接合可能なインバータ制御レールモーターによって、主プロペラを格納する事が可能になり、飛行可能状態にレールモーターによって、全自動出来る装置を積載したインプット全自動ロボット。
【請求項１００】
本先知的所有財産の先発明のロボットは、自然観測リース用に作られいる為、他の改造盗難防止の為、ロボット位置連絡装置が積載した多機能インプット全自動ロボット。
【発明の詳細な説明】
【技術分野】
【０００１】
本先知的所有財産の先発明及び先考案は、一般社会に対する自然観測と緊急救助の目的だけに構造を考案発明した多機能インプット全自動ロボットに関する説明。
【背景技術】
【０００２】
従来のロボットは、マンガ及び雑誌及びテレビ放映では、無線リモコンロボット及び音声読み込みロボット及び原子力ロボット及びエンジンロボット及びバッテリーロボットが、主体で有り、本先知的所有財産の主動力は、半永久連続作動可能な4種類の無害無給油連続作動発電機を使用しているのが事実で有り、モーターに関しても、先知的所有財産原本説明でも解る通り、本田技研自動車工業より、1年以上も前に先考案先発明していた事実を説明出来る北海道道庁郵便物受理書による2001年5月7日が先考案先発明の原本になり2001年5月10日が、北海道道庁郵便物受理書日にあたり本田技研の一年後の特許提出日までは、更なるレールモーターの北海道道庁郵便物受理確認の原本所持の為、ロボットに於いての制御モーターの先発明主張と共に、今まで公開されたロボットモーターとは、異なる全自動微調整及びリモコン微調整可能なロボットモーター駆動装置説明とし以下図1から図16まで、従来のリモコンロボットと相違点及び異なる点を簡略して説明する。
(例えば、特許文献、1参照。)。(例えば、特許文献2、参照。)。(例えば、特許文献、3参照。)。
(例えば、特許文献、4参照。)。
【０００３】
以下図1から図2に於いて、(1)は人型ロボットで有り、人が当たってもケガをしない為にシリコンゴムで保護されたロボット外皮構造のロボットで有り、(3)は世界初導入の半永久全自動作動のダイナモ端子が摩耗してなくなるまで、連続作動可能な無害無給油連続作動発電機の電気エネルギーによって、連続作動可能な(4)の世界で最も電気消費の少ないインバータ制御作動しか作動出来ないレールモーター及び(5)のW制御連結レールモーターは、レールモーターと通常モーターのコイル板を刳り貫いた所に軽水素入り圧電素子磁石体の板装置を取り付けたコイル板構造にによって駆動出来る(1)及び(2)の水陸空多機能人型ロボットの動力とモーター説明で有り、軽水素入り圧電素子磁石体内蔵の高出力超薄型ダイナモ連結のロボットモーターも、全自動ロボットに欠かせない今まで無いロボットモーターの説明。(例えば、特許文献、1参照。)。(例えば、特許文献、2参照。)。(例えば、特許文献、3参照。)。(例えば、特許文献、4参照。)。
コメント
2008年9月7日PM23時52分45秒本日ここまでとして、眠る事とする美馬牛カンキチおそらくこのロボットの先知的所有財産書きに対しては、思いでとして残りそうそんな気がするニヤン毛変わりに注意お休み。良い夢を再び美馬牛カンキチ。
2008年9月8日AM8時18分27秒昨夜は夜霧もう秋の足音の前なりて白雲の太陽隠れし大雪山の風もまた風、川面の水はまた大地の地竜と再びの日を待つ美馬牛カンキチ(9)の4行めから再び書き始める。静けさの旅人もまた恋を語り手、古き良き共もまた訪れし再び繁栄の夢を木に託し、木は再びの繁栄のときの日まで慈しみ八つの竜たちの魂の融合を、地風水陽火木草雷に託し時を待つ美馬牛カンキチ木白子書。
【０００４】
そして、(6)の世界初及び公開史上初の2連結以上電動仕切り弁内蔵スクリューモーターで有り、(7)の世界初及び公開史上初の表裏両面MDロボット全自動データーストック装置で有り、(8)の世界初及び公開史上初の電動モーター仕切り弁内蔵ロボットライトカメラで有り、(9)は世界初及び公開市場初のロボット完全防水のアンテナ金属マイク耳装置で有り、(10)は世界初及び公開市場初のロボット完全防水のアンテナ金属ライトマイク耳装置で有り、(11)は世界初及び公開史上初のロボット煙センサー装置で有り、(12)は世界初及び公開史上初のロボットW電動モーター仕切り弁金属スピーカー口装置で有り、(13)は世界初及び公開史上初のロボット固形窒素パネル固形フロンクーラ装置で有り、(14)は世界初及び公開史上初のロボット金属内蔵ニクロム線ヒーター装置で有り、(15)は、世界初及び公開史上初のロボット磁極切り換えインバータ制御レールモーター装置使用の真空装置水ろ過装置で有り、(16)は、世界初及び公開史上初の電動仕切り弁内蔵のロボット補助ライト1で有り、(17)は、世界初及び公開史上初の電動仕切り弁内蔵のロボット電波センサーで有り、(18)は、世界初及び公開史上初の電動仕切り弁内蔵のロボットカラー色ライトライン装置で有り、(19)は世界初及び公開史初のスクリューボルトナット型の人型ロボットアタッチメント手で有り、(20)は世界初及び公開史上初のロボット人口ダイヤ手の甲圧電素子合成シリコンゴム表皮装置で有り、(21)は世界初及び公開史上初の人型ロボット衛星時計積載で有り、(22)は世界初及び公開史上初の人型ロボットデーターストック表裏両面卵型空洞MD装置で有り、(23)は世界初及び公開史上初の人型ロボット地図書き込み圧電素子磁気内蔵表裏両面MD装置で有り、(24)は世界初及び公開史上初の電動仕切り弁内蔵ロボットカメラ目装置で有り、(25)は世界初及び公開史上初の白シリコンソーラーパネルロボット目装置で有り、(26)は世界初及び公開史上初の電動仕切り弁内蔵ロボット円形ダイオードリングライト目装置で有り、(27)は世界初及び公開史上初のロボット携帯鉄塔山岳ヘリコプター三角点電波位置GPS地図で有り、(28)は世界初及び公開史上初のロボット山岳ヘリコプター三角点電波位置地図で有り、(29)は世界初及び公開史上初のロボット圧電素子磁気地図書き込み装置で有り、(30)は世界初及び公開史上初の電動仕切り弁内蔵のロボット補助カメラ1で有り、(31)は世界初及び公開史上初のロボットテレポーテイション被写体データー装置で有り、(32)は世界初及び公開史上初のロボット縄型レールモーター指装置で有り、(33)は世界初及び公開史上初のロボットサイド電動仕切り弁内蔵アンテナライトカメラ装置で有り、(34)は世界初及び公開史上初のロボット後部電動仕切り弁内蔵アンテナライトカメラ装置で有り、(35)の世界初及び公開史上初のロボット軽水素内蔵ブラック炭素シリコンソーラーパネル装置で有り、図1及び図2に基ずいたロボットは人型に近付けた他に無い全自動インプット型の人型ロボット説明で有る。(例えば、特許文献1参照。)。(例えば、特許文献2参照。)。(例えば、特許文献、3参照。)。(例えば、特許文献、4参照。)。
【０００５】
図3から図4に於いて、(36)は世界初及び公開史上初のロボット装置の超小型歯車磁極切り換えインバータ制御レールモーター使用の電動エアーフイルター付きコンプレッサーで有り、(37)は世界初及び公開史上初の真空機能を備えた携帯食料庫で有り、(38)は世界初及び公開史上初の温水及び冷水変換出来るロボット取り出し可能な飲料水タンクで有り、(39)は世界初及び公開史上初の磁極切り換えインバータ制御作動しか作動しないレールモーター人口ダイヤモーターカバー装置で有り、これら装置は、人型ロボットの構造の一部分になり、次に掲げるロボットは、撮影用ロボット説明で有り、(40)は世界初及び公開史上初の8点走行車輪ロボットゴム足装置で有り、(41)は世界初及び公開史上初の電動仕切り弁内蔵の車輪ロボットライト装置で有り、(42)は世界初及び公開史上初の電動仕切り弁内蔵の車輪ロボットカメラ装置で有り、(43)は世界初及び公開史上初の衛生アンテナで有り、山岳ヘリコプターと人口衛生の三角点位置によって、正確な地図に基ずいたロボット衛星アンテナ地図で有り、(44)は世界初及び公開史上初の電動仕切り弁内蔵の金属センサーで有り、(45)は世界初及び公開史上初の電動仕切り弁内蔵の放射線内蔵クリスタルガラスパネル使用の金属スコープ装置で有り、(46)は世界初及び公開史上初の圧電素子内蔵無線波アンテナ装置で有り、(47)は世界初及び公開史上初の圧電素子内蔵ラジオアンテナ装置で有り、(48)は世界初及び公開史上初の圧電素子内蔵テレビアンテナ装置で有(49,50,)は世界初及び公開史上初のレンズ半分から上が魚眼レンズで有り、レンズ半分から下がとつレンズ構造の一つ削り合わせレンズ装置で有り、(51)は世界初及び公開史上初の電動仕切り弁内蔵のロボット補助ライト2で有り、(52)は世界初及び公開史上初の磁極切り換え磁極接合のインバータ制御レールモーター電動仕切り弁装置で有り、(53)は世界初及び公開史上初の磁極切り換え磁極接合のインバータ制御レールモーターのロボット十字レールモーター微調整制御駆動装置で有り、人型ロボットの間接部分のスムーズムな動きが出来る装置で有り、(32)のロボット縄型レールモーター装置を更に取り付ける事で、人の動きに一番近いモーター制御を目的とした無害無給油連続作動発電機を主体とした人型ロボット説明で有る。
(例えば、特許文献、1参照。)。(例えば、特許文献、2参照。)。(例えば、特許文献、3参照。)。(例えば、特許文献、4参照。)。
【０００６】
図5から図6に於いて、(54)は世界初及び公開史上初のロボット電動仕切り弁内蔵の非常薬収納庫で有り、(55)は世界初及び公開史上初の山岳ヘリコプターロボットプロペラ装置で有り、(56)は世界初及び公開史上初の山岳ヘリコプターロボット後部プロペラ装置で有り、(57)は世界初及び公開史上初の山岳ヘリコプターロボットの3重構造エアーチューブで有り、(58)は世界初及び公開史上初の山岳ヘリコプターロボット下方アンテナライトカメラ装置で有り、(59)は世界初及び公開史上初の山岳ヘリコプターロボットの足型携帯波アンテナ装置で有り、(60)は世界初及び公開史上初のロボットの2連振り子型機械式発電機装置で有り、(61)は世界初及び公開史上初の山岳ヘリコプターロボット360度水平線アンテナカメラ装置で有り、(62)は世界初及び公開史上初の山岳ヘリコプターロボット360度水平線アンテナライト装置で有り、(63)は世界初及び公開史上初の山岳ヘリコプターロボットの上空アンテナライトカメラ装置で有り、(64)は世界初及び公開史上初の山岳ヘリコプターロボットの軽水素入り圧電素子内蔵コイル板装置の2連結以上モーターで有り、(65)は世界初及び公開史上初の山岳ヘリコプターロボット電波送受信W地図装置で有り、(66)は世界初及び公開史上初の山岳ヘリコプターロボットのテレポーテイション被写体データー装置で有り、(67)は、おそらく世界初及び公開史上初の超小型Wヘリューム気球装置で有り、(68)は世界初及び公開史上初の超小型2連振り子型自動充電池で有り、(69)は世界初及び公開史上初のアンテナライトカメラ装置で有り、(70)はプロペラモーター軸で有り、(71)位置確認とつレンズで有り、(72)は位置確認大レンズで有り、(126)は世界初及び公開史上初の圧電素子合成シリコンロボット外皮で有り、機械構造だけの山岳ヘリコプターロボットは、二種類の飛行地図を積載する事で、他の上空地図位置及び地上地図位置及び海底の地図位置それぞれを確定出来る二つの固定位置から求める三角点電波位置地図装置などで、世界中何処でも位置確認出来る事を可能にした山岳ヘリコプターロボット説明で有る。(例えば、特許文献1参照。)。(例えば、特許文献3参照。)。(例えば、特許文献4参照。)。 
【０００７】
図7から図8に於いて、(73)は世界初及び公開史上初の軽水素内蔵圧電素子コイル高出力板装置で有り、(74)は磁極切り換え型のインバータ制御装置で有り、(75)は世界初及び公開史上初の光り被写体色軽水素内蔵ダイオードパネルセンサーで有り、(76)はロボットカメラおおレンズで有り、(77)はロボットカメラとつレンズで有り、(78)は世界初及び公開史上初の軽水素入りダイオードパネルで有り(79)は、おそらく世界初及び公開史上初の軽水素入り磁波計測装置で有り、(80)は世界初及び公開史上初の段数ソナー電波送受信装置で有り、(81)は世界初及び公開史上初の複数衛生波送受信装置で有り、(82)は世界初及び公開史上初の水中ロボット無線ソナー波送受信装置で有り、(83)は世界初及び公開史上初の自動充電池1で有り、(84)は世界初及び公開史上初の自動充電池2で有り、(85)は世界初及び公開史上初の段数ソナー十字モータースクリュー装置は水中ロボットが、複数の上空位置固定山岳ヘリコプターロボット(山岳ヘリコプター)などによって無線波及び携帯波を中継して、水中ロボットに作業指示する為の無線波などの水中ロボットインプット電波指示と複数の(80)の段数ソナー電波送受信装置の水中に於ける(80)の段数ソナー電波送受信装置の縦の直線配列によって、より正確な複数ソナー波をキャッチして水中ロボット連絡する為の装置。
(例えば、特許文献1参照。)。(例えば、特許文献2参照。)。(例えば、特許文献3参照。)。(例えば、特許文献4参照。)。
【０００８】
図9から図10於いて、(86)は世界初及び公開史上初の軽水素入りN型シリコンソーラーパネル装置で有り、(87)は世界初及び公開史上初の完全防水の海底固定型水中ロボット位置連絡海底位置GPS装置で有り、(88)は海底固定型水中ロボット位置連絡海底位置GPS装置の吊り金具装置で有り、(89)は海底固定複数ソナー波送受信電波発射装置で有り、(90)は世界初及び公開史上初の水発電機で有り、(91)は、おそらく世界初及び公開史上初の複数ソナー電波及び無線波及び携帯波及び衛生波の送受信回路に取り付けられる乱れた電波を正常の電波に元の形に電波修復する為の圧電素子IC回路チップ装置で有り、(92)はおそらく世界初及び公開史上初の合成ネオン充電池素子体IC回路チップなどを水中ロボット及び(87)の海底固定型水中ロボット位置連絡海底位置GPS装置などに内蔵する装置で有り、水中ロボットの正確なインプット電波連絡に欠かせない装置略説明で有る。(例えば、特許文献1参照。)。(例えば、特許文献2参照。)。(例えば、特許文献3参照。)。(例えば、特許文献4参照。)。
コメント
2008年9月8日PM17時31分40秒夕食の段取りを始める為少し小休止する美馬牛カンキチ。
2008年9月8日PM18時29分23秒夕食の野菜炒めを食べて片付けを終え再び書き始める美馬牛カンキチ
【０００９】
図11に於いて、(93)は人の声ロボットマイク確認認識圧電素子チップ音声確認認識装置で有り、(94)はおそらく世界初及び公開史上初の人の声認識圧電素子音声チップ判別音声発声位置確認装置で有り、(95)は音声処理データー情報装置で有り、(96)は圧電素子チップ入力音声データー処理装置で有り、(97)はロボット金属スピーカー圧電素子チップ音声発声装置で有り、ロボットの持ち主の音声圧電素子磁気ICチップ音声確認認識に於いてロボット持ち主の顔の輪郭及び目及び鼻及び睫及び口のテレポーテイション顔輪郭形状確認認識装置に於いてロボット音声発声出来る個別の圧電素子磁気IC音声チップ確認のみだけに、通常会話するシステムになっているロボットの説明で有る。(例えば、特許文献2参照。)。
【００１０】
図12に於いて、(98)はロボット指感知センサーで有り、(99)はロボット指センサーデーター圧電素子磁気入力で有り、(100)はロボット指センサーデーター文字磁気変換で有り、(101)は文字データー圧電素子チップデーター入力で有り、(102)は圧電素子チップ音声変換で有り、(103)はロボットスピーカー圧電素子音声チップ発生で有り、ロボット電動仕切り弁ライトカメラ目装置で、物体を(75)は光り被写体色の軽水素内蔵ダイオードパネルセンサー付きのカメラセンサーによって、物体の色を確認して更に、(31)のテレポーテイション被写体データー装置による被写体形状確認認識による(103)のロボットスピーカー圧電素子音声チップ発生によるロボット指感知センサーの物質形状データーのロボット圧電素子ICチップ音声解説に至る(98)はロボット指感知センサー作動行為略説明。(例えば、特許文献2参照。)。
【００１１】
図13に於いて、(104)は世界初及び公開史上初の油圧レールモーターホイストで有り、油圧ホイスト構造に棒状レールモーターを取り付けた油圧とモーターの融合合体装置で有り、(105)は世界初及び公開史上初の磁極切り替え及び磁極接合可能なインバータ制御レールモーターホイストは、複数の軽水素入り複数の圧電素子棒状磁石体配列二組との磁極切り替えインバータ制御作動する装置で有り、(106)は油圧送り官で有り、(107)は油圧戻り官で有り、(108)電磁石ホイスト制御装置で有り、油圧ホイストの送りを速める装置で有り、(109)は、複数絶縁体装置で有り、(110)は複数軽水素入り圧電素子電磁石装置で有り、ホイスト側のレールモーターは、コイル無しレールモーターを使用した構造で有る。(例えば、特許文献1参照。)。(例えば、特許文献2参照。)。
【００１２】
図14に於いて、(111)は世界初及び公開史上初のロボット音声発声電動仕切り弁内蔵金属スピーカー装置で有り、(112)は世界初及び公開史上初のロボット四角形電動仕切り弁装置で有り、(113)は世界初及び公開史上初のロボット円形電動仕切り弁装置で有り、(114)はロボット介護用使用シーツで有り、(115)はプラスチック金属シーツ縁装置で有り、(116)はシーツ遮断プラスチック装置で有り、人型ロボットの介護をスムーズムに行う為の装置で有り、(32)のロボット縄型レールモーター指装置と通常レールモーター関節装置を組み合わせた介護専用ロボットは、軽量ロボットが必要視されるのは、安全の面からも間違い無い答えと信じる著作権者の略説明で有る。(例えば、特許文献1参照。)。(例えば、特許文献2参照。)。(例えば、特許文献3参照。)。(例えば、特許文献4参照。)。
【００１３】
図15から図16に於いて、(117)は世界初及び公開史上初のブラック炭素軽水素内蔵シリコンソーラーパネル装置で有り、(118)はロボットアンテナライトカメラで有り、必要に応じてライトだけ全自動スイッチ切り換え出来るライトとアンテナカメラの電波送受信装置のスイッチ装置が別々にする事で、赤外線カメラ又は温度カメラの被写体反応によって、ライトスイッチなどが全自動で入る為の別のスイッチ回路が内蔵されて入る(118)はロボットアンテナライトカメラ説明で有り、(119)はロボットとしては、おそらく世界初及び公開史上初のロボット気象データー収録装置は、磁気データー収録装置と(22)表裏両面卵型空洞MD装置は、CD録音可能になり、(120)はおそらく世界初及び公開史上初のロボット表裏両面卵型空洞MDチャンバー情報装置で有り、(121)はおそらく世界初及び公開史上初のロボット4足軽水素内蔵アンテナ磁波計測装置で有り、磁波データーを瞬時に磁波データー集計センターへ24時間大勢で地震予知への道筋の第一歩を歩む事とになる。
更に、(122)は携帯波アンテナ装置で有り、(123)は、世界初及び公開史上初の風力方向計測電動仕切り弁収納型装置で有り、(124)は世界初及び公開史上初の電動仕切り弁雨量計で有り、(125)は、世界初及び公開史上初のロボット電動仕切り弁内蔵金属スピーカー装置で有り、これら気象観測装置は、犬型ロボットなどに積載予定を組んで入る気象観測装置略説明で有る。(例えば、特許文献1参照。)。(例えば、特許文献2参照。)。(例えば、特許文献3参照。)。(例えば、特許文献4参照。)。
【先行技術文献】
【特許文献】
【００１４】
【特許文献１】特開2006ー254697号公報コメント2008年9月9日真夜中PM24時4分27秒漸く背景技術を終えて、朝から再び始める為に少し眠る事なる美馬牛カンキチ。2008年9月9日AM9時50朝食終え再び書き始める美馬牛市街地久しぶりの晴れ間朝からすっきり晴れ間ただし大雪山は白雲の中まだ夏の気分を漂わす美馬牛市街地。
【発明の概要】
【発明が解決しようとする課題】
【００１５】
以上述べた従来のロボットは、充電池及びバッテリーを電源としたリモコン式の物が殆どで有り、充電池切れ及びバッテリー電源切れに、直ぐに陥り本来のロボット作業の途中で長いバッテリー充電などをしなければ、又は長い電気コードを使用しなければ、ロボット作業は出来なかった。
【００１６】
本先知的所有財産の先発明及び先考案は、このような従来の構成が有していた問題を解決しようとするもので有り、ロボット作業のバッテリー切れによる電源切れを無くし空及び陸及び水中へ全自動インプット無給油無休憩全自動作動を実現したロボット作業を目的とするもので有る。
【課題を解決するための手段】
【００１７】
そして、本先知的所有財産の先発明及び先考案は、上記目的を達成する為に特開2006ー254697号公報の磁極切り換えインバータ制御のレールモーターの北海道道庁先発明原本受理書2001年の5月22日受理書日で有り、原本先発明日2001年5月18日のレールモーター先発明優先日主張によって、更に全レールモーター制御無害無給油連続作動発電機などによって今まで不可能とされて来たロボットのスムーズムな動きの縄型ロボット実現及び、今まで無給油連続作動が不可能で有ったのを、磁極切り換えインバータレールモーターの沸騰水電気モーター制御を可能にする事によって、急速充電技術の圧電素子4電子磁気分割装置の技術を明白に分かりやすくする事で、世界最速充電技術が可能になり、今まで危険で困難な仕事も楽に行う事を出来る用にしたロボット無害無給油全自動インプット作動可能にし更に圧電素子ICチップ回路の人の声及び人の輪郭確認認識判断によって、インプット記録されている人にだけロボット作動回路を開くシステムを組んでいるロボットシステム簡略紹介。
コメント
2008年9月9日AM11時42分32秒昼が近いので少し小休止をする美馬牛カンキチ大雪山もくっきり本当の秋晴れ布団でも干して頑張ろう。
2008年9月9日昼PM12時23分31秒コーラを呑のみ再び頑張る美馬牛カンキチ。
【００１８】
また、第2の課題解決手段は、無害無給油連続作動発電機として、特開2006ー254697号公報の全レールモーター制御無害無給油発電機と2連振り子型機械式発電機と特開2003ー328925号公報の水発電機と機械式発電機更に、お金が無くて未公開の北海道道庁実在の圧縮水素水陽電子陰電子スパーク発電機などの無害無給油発電機の軽量化の為に、ジュラルミン金属または、近年日本の東北の他社で開発したマグネシウムとアルミニュームの調合合成による本当に軽い金属などを使用した発電機。
更に、これら発電機に使用される超小型水中ポンプカバーはプラスチックにして、真空装置なども、プラスチックを多く使用する事によって、超軽量化を進める事として、機械式発電機のカバーなどをプラスチックにしたり、コンプレッサー歯車などを穴空き歯車に変えたり、例えば、水中ポンプのカバーを無数の穴空きに変えたり、機械式発電機カバーを穴空きに変えたり、水発電機などの発電機に対しても穴空きで済む場所は、軽量化の為に穴空きにして、ロボットの軽量化を進める事によって、一般家庭でも、使用出来る超軽量ロボットの開発に取り組む事となる。
その為、ロボットの構造つまり、発電機カバー及びモーターカバー及び他のシステム装置カバーは、穴空き超軽量金属にしてからシリコンゴムを被せる構造にする事で、家庭内に入るロボットは、超軽量化になる。
更に、進化したロボット軽量化は、発電機の空いているスペースなどに、他のロボットシステムを取り付けた構造にするロボット軽量化構造は、ロボット情報装置の外付け方式にする事で、更なる軽量化技術として進んで行く事となる。
【００１９】
また、第3の課題解決手段として、磁極切り換えインバータ制御のレールモーター装置を磁極切り換えと磁極接合まで出来るインバータ制御のレールモーター作動させる為に、円形形状レールモーターの内側は、軽水素入りの圧電素子磁石体を16個金属絶縁体で保護した作動面だけ、圧電素子磁極切り換え出来るレールモーター回転体構造として、更に外周円形圧電素子磁石体16個は、固定レールモーターカバーの圧電素子磁石体16個すべての一つ一つの磁極切り換えの為に16個のインバータ装置が必要になり、内側の16個の圧電素子磁石体の回転体接合させる為に、新にプラスとマイナスの電気配線を32本の電気スイッチ回路配線を取り付ける事で、磁極切り換えインバータ作動と磁極接合のレールモータースイッチ回路接合によって、モーターブレーキを確かな世界で初めてのキチンと停止して固定しておれるレールモータースイッチ回路磁極接合によって、キッチリ停止出来るモーターブレーキ技術を可能にしたレールモーター装置。
【００２０】
また、第4の課題解決手段として、軽水素入り圧電素子磁石体コイル板の高出力モーターコイル板は、通常の鋼鉄コイル板は、ただの鉄で有り、コイルを巻く事によって磁石化して行く内コイルのモーターコイル板の従来の内コイル板構造特性で有り、内コイル板モーターの電気消費を削減と内コイル事態のモーターの軽量化の為に、最初から内コイル鋼鉄板を最初から磁石体にして置く考え型で有り、更に鉄より軽い圧電素子磁石体にする事で、更なる内コイルモーターの軽量化を図り、軽水素内蔵圧電素子磁石体の説明に対しては、軽水素特有の熱発電効果の有る物質を圧電素子磁石体物質と融合合成する事で、圧電素子の効果をコイルを巻いた鋼鉄コイル板の中に軽水素入り圧電素子磁石体を内蔵させる事で、最初から磁石体の軽水素入り圧電素子磁石体にコイルを巻いて電気を通す事で、少ない電気で、内モーターコイルのコイル板を磁石化した事になり、超軽量の内コイルモーターになり、更にモーターカバーを穴空きにして、空いた穴をプラスチックなどで、塞いだ超軽量モーター構造説明とした超軽量及び超高出力連続作動出来るロボット内コイル板モーターの構造説明で有る。
【００２１】
また、第5の課題解決手段として、圧電素子4電子磁気分割装置の特開2004ー304992号公報は、電気中の電気抵抗を電磁石の原理つまり、電気は磁気化する考えを基本として、超圧縮電子とも言える圧電素子効果の圧電素子磁石体に電気を通して、通した電気が、圧電素子磁石体と融合磁石体電気になった電気の内の圧電素子磁石体の一番磁石力の強い電気だけを使用して、圧電素子磁石力の弱い熱抵抗電気の集まる圧電素子中間陽電子磁石体電気と圧電素子中間陰電子磁石体電気それぞれにプラスマイナス配線を取り付け、再びリサイクル電気として再利用する電気の圧電素子磁気分割システムによる電気磁石体性質の分割方法を6本のプラスとマイナス配線で行う事によって、電気抵抗の少ない電気だけ使用する圧電素子磁気4分割システム活用によって、多機能ロボットの電気消費を世界で一番少なくする事を確立するだけでなく、世界最速急速充電技術の確立まで、成し遂げる事で、無害無給油連続作動発電機技術を確かな技術として、確立する事の出来た圧電素子4電子磁気分割装置説明とする。
更に、不足な圧電素子4電子磁気分割説明に関しては、特開2004ー304992号公報の手続き補正文章では、分かりやすく解説して有るため、良く読んで理解して戴きたい。
コメント
2008年9月9日PM14時10分51秒から少し遅い昼食休憩とし雲は無くなり、大雪山も久々にくっ
きり見え少し気合を入れて頑張る美馬牛カンキチで有った。
2008年9月9日PM14時42分55秒郵便局の通帳を一つにする美馬牛カンキチ。
2008年9月9日PM19時2分41秒美瑛電気店に入ってくるコーラなどを買って来て再び書き始める。
【００２２】
また、第6の課題解決手段として、2連結以上高出力モータースクリュー装置は、特開2004ー304993号公報の複数コイル連結モーターに対して高出力モーターに変える為には、コイル板の鋼鉄部分の中央部を切り抜き、切り抜いた所へ軽水素入りの圧電素子磁石体を入れてステンレス等で、被せる事によって最初から圧電素子磁石体が入って入るコイル鋼鉄板構造にする事で有り、次に最初から圧電素子磁石体にして置く事と圧電素子磁石体素子に、電気反応の早い軽水素を内蔵する事で、圧電素子の能力を高める事で、圧電素子磁石体入りのコイル板にコイルを巻いて電気を通した場合、最初から電磁石の為、コイル板に電気を流す量が、少なくて済む為、少ない電気でコイル板を作動させる事が出来て、全て鋼鉄板より、圧電素子磁石体に変える事で、超軽量モーターの実現を図った2連結以上高出力モータースクリュー装置。
【００２３】
また、第7の課題解決手段として、2連結以上モータープロペラ装置は、特開2004ー304993号公報の複数コイル連結モーターに対して高出力モーターに変える為にはコイル板の鋼鉄部分の中央部分を切り抜き、切り抜いた所へ軽水素入りの圧電素子磁石体を入れてステンレス等で、被せる事によって最初から圧電素子磁石体が入って入るコイル鋼鉄板構造にする事で有り、次に最初から圧電素子磁石体にして置く事と圧電素子磁石体素子に電気反応の早い軽水素を内蔵する事で、圧電素子の能力を高める事で、圧電素子磁石体入りのコイル板にコイルを巻いて電気を通した場合、最初から電磁石の為、コイル板に電気を流す量が少なくて済む為、少ない電気でコイル板を作動させる事が出来て全て鋼鉄板より圧電素子磁石体に変える事で、超軽量モーターの実現を図った2連結以上高出力モータープロペラ装置。
【００２４】
また、第8の課題解決手段として、無害無給油発電機の水発電機は、180度ロボットが転んだ場合などに、内蔵されて入る無害無給油発電機が、180度傾いた場合でも、無害無給油連続発電機が、水平維持して行く為には、水平維持バランス水平センサー反応出来るIC電気スイッチ回路によって、人型ロボットに内蔵して有る磁極切り換え磁極接合可能なインバータ装置内蔵のレールモーターを十字方向の上下の傾きに対して二つのレールモーターを使用して、更に十字方向の左右の傾きに対して二つのレールモーターの水平制御によって、2連振り子型機械式発電機なども、何時でも水平に保たれる人型ロボット水平維持構造説明になる。
追加説明として、水発電機に関してだけ別途追加説明を加える。電動仕切り弁の追加を真空装置の吸い込み口に一つと、水中ポンプ室の発電残水取り入れ口に電動仕切り弁一つを取り付けて、非常事態水位センサーを電動仕切り弁に内蔵して取り付けて置く事で、逆さまになった場合でも発電出来る構造として、真空装置貯水室を水位センサーより上を電動仕切り弁で区切り水中ロボットが、設定範囲を越えて傾いた場合、水平維持センサー反応とロボット地図書き込みの方位位置磁極センサー反応とカメラテレポーテイションロボット風景ロボットカメラ位置確認認識装置による、ロボット自身の現在の自分の形状データー把握に於いて、本先知的所有財産の人型ロボットは、予知予測データーを自分で先に磁気スーパーコンピューター携帯波書き込み及びロボット自身の動作予知予測データーを情報装置に携帯波連絡して、から先予測計測してから行動するのが、この全自動ロボットの特徴な為、落とし穴などに落ちる場合は、水平状態を保って落ちるが、一旦落ちてからの動作又は、狭い地下に行く場合などは、人と同じ動作にしかならない事も、解っていただけたい。
つまり、逆さまになって、地下を階段で降りれなら例え全自動ロボットでも、その行動は取らないで、人と同じ階段を使用して降りる行動を取るのも、このロボットの特徴になる。
すなわち、水平状態ではって走行は可能で有り、これを越えた水中の深い位置へ行く場合は、水中ロボットの重み作動か水中ロボットの非常傾き回路を使用する場合腰を折って進む形などの深い位置へ潜る水中ロボットの全自動無害無給油発電機を維持して水中を進む水中ロボット水中動作形状を海底地図に基づいて、最初からインプットして置く必要性を、最初から説明して置く事で、水中ロボットの水中事故を最初から防ぐ為の説明で有る。
【００２５】
また、第9の課題解決手段は、衛生時計内蔵の表裏両面卵型空洞MDのロボットテレポーテイションの被写体確認装置は、被写体形状を読み込む為には、一度ロボット画像を内蔵されている画像装置に写した被写体データーを軽水素入りダイオードパネル装置で、形状の読み直しまたは、被写体形状デジタル信号判別する為、まず第位置に色の位置を縦のラインと横のラインを細かくして縦ラインと横ラインの接点での色のデジタルデーター記録方法と物体の形の形状を縦のラインと横のラインを細かくしたデーターの接点を形状デジタルデーター信号としたのを、被写体データー読み込み分類別に分けて表裏両面卵型空洞MD装置に入力して有るデーターを一度磁気センサーに通して判別する為、表裏両面卵型空洞MDのCD部分に圧電素子磁気体を入れて、分類別のデーターを一度入れたのを磁気デジタル物体形状認識確認認知全自動作動センサーによって、全自動確認する為の装置で有り、スーパーコンピューターをロボットデジタル波物体形状認識確認認知全自動作動センサーの働きの為の複数の地上の物体形状データーを予め容易して置く必要性と予め、山岳ロボットなどに積載されて入るロボットアンテナライトカメラによって、ロボット物体形状位置地図を予め作って置かなければ、全自動ロボットの速やかな行動は、現在説明した磁気デジタル波またはノーマル波読み込み以外方法は無く、テレポーテイション物体確認認識の確認認識精度を高める為には、複数のスーパーコンピューターが、必要視される。
【００２６】
また、第10の課題解決手段は、軽水素入り圧電素子内蔵の高出力ダイナモ装置の必要性として、本先発明の無害無給油連続作動発電機に積載されて入る2連振り子型機械式発電機に積載するダイナモの発電出力を、高出力ダイナモ発電に変える為に、又は二連結以上モーターを使用する場合、少しでも発電する電気を多く確保する為、超薄型の軽水素入り圧電素子内蔵の超薄型ダイナモを取り付けた2連結以上モーターの必要性は、言うまでも無く、高速回転可能なモーターだから出来たダイナモモーター連結同軸作動を可能にした技術説明だと言える。
高出力ダイナモ説明は、ダイナモが、発電した電気打撃を軽水素の電気反応の早い圧電素子磁石体が、ダイナモ電気打撃を受けて軽水素入り圧電素子磁石体電気打撃発電する事で、二つの発電した電気エネルギーが、同じ大きさの一つのダイナモが、発電する電気量を越えるのは、言うまでも無く、今後あらゆるダイナモ使用箇所のダイナモは、軽水素入り圧電素子内蔵ダイナモの発電構造説明と発電が、どのようにして発電量アップなのかの二つの説明によって、軽水素入り圧電素子磁石体入りダイナモ説明とする。
【００２７】
また、第11の課題解決手段は、ロボット指スキャナ装置説明として、今回は右手親指の先は超小型電動仕切り弁構造の軽水素入り圧電素子磁石体の光り反射を読み込む装置で有り、電動仕切り弁が開いた時点でスキャナ装置が、電磁石反発作動で飛び出す構造スキャナ作業終了後、スキャナ装置を電磁石吸引装置か超小型レールモーターによって出し入れするなどを行うスキャナ本体ロボット指スキャナ装置説明で有る。
別途コード内蔵型のロボットスキャナの方法もロボットスキャナと同じ説明になり、ロボットスキャナデーターは、表裏両面卵型空洞MD装置にスキャナ光り反射情報をダイオードセンサーによって光りの当たる位置それぞれを読み込みだ電気信号をCD記録するか圧電素子磁気体記録出来るロボットスキャナデーター記録説明で有る。
【００２８】
また、第12の課題解決手段は、ロボット指デジタルセンサー温度計装置説明は、ロボットの指先に超小型電動仕切り弁を内蔵させて、クリスタルガラスに水銀温度計電気センサーによって、電気温度データーをデジタル信号化した温度データーをロボット表裏両面卵型空洞MD装置にデジタル及びノーマル信号入力出来る装置説明。
【００２９】
また、第13の課題解決手段は、ロボット指センサーの水センサー説明は、ロボットの指先に電動仕切り弁を取り付け中に超小型の超ミクロニクロム線を内蔵させ、アルミニュウーム穴空きパネルの内側に炭素合成液体マグネシウムを内蔵させた水の微妙発電を計測する水確認認識センサーの説明で有り、発電した電気量をデジタル信号に変えてロボットの表裏両面卵型空洞MD装置にデーターを入力し、比較するので有るが、水1OOパーセントなのかの計測によって、水の安全性を確かめる方法のロボット指の水センサー説明とする。
【００３０】
また、第14の課題解決手段として、ロボット指センサーのアンモニアセンサー説明として、通常のアンモニアセンサーを使用するか、アンモニアの酸性度を検知する為のロボットの指先にリトマス紙を電動仕切り弁で挟み込んで検知する装置で有り、ロボットカメラ確認又はロボットアンテナライトカメラ携帯波アンテナライトカメラデーター送信して結果確認する、ロボットのアンテナライトカメラデーター認識確認装置の有り方の一つになり、リトマス紙は、別の所に電動仕切り弁内蔵になっており、使用されたリトマス紙のストック室は、電動仕切り弁内蔵室としてロボットに設けられている装置説明で有る。
コメント
2008年9月9日PM23時40分38秒少し眠くなったので眠る美馬牛カンキチ。
2008年9月10日AM11時20分49秒大雪山くっきり日差しは少し強め、豊作豊年だが良く似合う年美馬牛カンキチ少し頑張って始める。
【００３１】
また、第15の課題解決手段として、ロボットの指の都市ガスセンサーは、ロボットの指先に電動仕切り弁構造とし、超小型ガスセンサーまたは、ガス吸引装置を取り付けて、ロボットの腕の部分に都市ガス感知センサーを取り付けて、都市ガス反応が出た場合、都市ガス反応電気スイッチが作動して、ロボット音声回路のロボットセンサースイッチ回路データー反応電気信号読み取りシステムによって、都市ガスの有無をロボット音声によって、連絡出来る装置で有り、酸素濃度計測装置の超小型装置をロボットの腕にまたは、他の場所に内蔵する事で、都市ガス濃度感知可能になり、アンモニア濃度感知などが可能になる。
【００３２】
また、第16の課題解決手段としてロボットの指先に超小型電動仕切り弁構造として絶縁体構造を施したロボット指先に銅板電気誘導体を取り付け、ボルトとアンペアの超小型電気計測センサー装置をロボット腕に内蔵して電気感知スイッチ回路の電気反応感知を、ロボット音声回路へ電気信号を送って電気の有無を全自動でロボット圧電素子組み立て音声によって音声連絡出来るロボット指センサー確認ロボット音声全自動連絡システム説明で有る。
【００３３】
また、第17の課題解決手段として、ロボットの指先に超小型電動仕切り弁構造として超小型エアーレールモーター吸引装置をロボットの腕に内蔵して、アルコールガスを吸引してアルコール濃度を計測する装置を内蔵して、アルコール濃度に応じた電気信号反応スイッチ複数回路を設定したロボットアルコール濃度複数スイッチ回路によって、ロボット音声回路へロボットアルコール濃度複数スイッチ回路それぞれが、ロボット音声回路に■がっている為、ロボットは、アルコール濃度に応じて設定ロボット音声回答回路の磁気音声データーをロボット圧電素子音声組み立て技術によってロボット金属スピーカー音声発声になる。
【００３４】
また、第18の課題解決手段として、ロボットの指先に超小型電動仕切り弁構造として超小型エアーレールモーター吸引装置をロボットの腕の中に内蔵して放射能混じりの空気を吸引して、放射能ダイオード温度カメラとして連続作動させて、放射能ダイオード温度カメラ映像軽水素入りダイオード光り反応スイッチ回路によって、空気中の放射能の有無をロボット空気中の放射能有無計測装置放射能軽水素入りダイオード温度カメラセンサー放射能有無ダイオード光り電気感知スイッチ回路によって、放射能の有無を光り温度電気感知確認認識して、ロボット放射能有無認識スイッチ回路へ電気連絡したデーターを電気信号に変えて、ロボット圧電素子データー音声全自動組み立てによって放射能の有無または、軽水素入りダイオードの放射能感知温度光の電気量の複数スイッチ回路の設定に応じたロボット放射能濃度計測音声になる。  
【００３５】
また、第19の課題解決手段として、ロボットの指先に超小型電動仕切り弁構造として超小型エアーレールモーター吸引装置をロボットの腕の中に内蔵して排気ガス混じりの空気を吸引して排気ガスの量を酸素濃度センサーとして、超小型軽水素タンクを使用して、炭素合成液体マグネシウム固形物質内に軽水素配管を通して超微量軽水素官放出の超小型レールモーター電動仕切り弁軽水素圧力変換器を用いた圧力電気信号スイッチ回路電動仕切り弁装置によって、極微量の軽水素を炭素合成液体マグネシウムに内蔵させて、排気ガスの空気量を軽水素内蔵炭素合成液体マグネシウムセンサーの発電電気量計測によって、排気ガスの空気濃度を計測する事によって、排気ガス濃度センサーとした装置説明で有る。
別途説明
アンモニア濃度計測装置及び都市ガス濃度計測装置及びアルコール濃度計測装置及び一酸化炭素濃度計測装置及び二酸化炭素濃度計測装置及び硫化物質濃度計測装置などの酸素濃度の軽水素の炭素合成液体マグネシウム合成の空気中酸素量を軽水素と炭素合成液体マグネシウムの発電量で、計測する装置で有り、利点は軽水素タンクの場合、水素タンクと異なり多少の振動でも爆発しない利点が有る。その為、燃料電池の水素タンクは、軽水素タンクなどが、安全上理想な軽水素タンクが、可能になり、今後圧縮軽水素タンクなどの開発及び重水素を含まない発電方法の試験が、必要視される時代とも言える。
【００３６】
また、第20の課題解決手段として、ロボットの圧力指センサーは、超小型の電磁誘導発電装置をロボットの指先に取り付ける事で、ロボットシリコンゴム圧によって、電磁誘導発電装置内に注入して有る電気の通る液体プラスチック及び電気の通る液体シリコンを通して電磁誘導発電装置の電気発電量で、ロボットシリコンゴム押し圧の衝撃度をロボット電磁誘導発電装置の電気発電量計測装置の電気量スイッチ複数回路の電気信号連絡スイッチ回路によって、ロボットシリコンゴムが受けたロボットシリコンゴム押し圧の表現をロボット言葉化する為にロボット電磁誘導発電電気圧の圧力変換器の電気信号の強弱によって、ロボットロボットシリコンゴム押し圧力によって、ロボット言葉発生に対して、ロボットシリコンゴム圧力部分回路によって、ロボットが受けた衝撃を磁気回路または、ロボット表裏両面卵型MD装置のデーター情報ボックスから、ロボット言葉を瞬時に引き出せる用に回路セットして置く事で、ロボットが、転んだりした場合のロボット言葉表現など、人に近いロボット言葉表現方法を容易して置く事が、ロボットシリコンゴムの衝撃言葉説明で有る。
追加説明。
ロボットのシリコンゴムの足底にスプリングと電磁誘導発電装置とロボットのモーターサイドに例えばスプリングを取り付けたモーター装置は、ロボットの軽量化に伴ったロボットの足腰のロボットモータースプリング反動全自動制御によって、バネの効いた人に近い弾みの有る人型ロボットの走りも可能になると思えるが、ロボットの足底のスプリング電磁誘導装置は、かなり注意して設計しなければならないと言える説明で有る。
【００３７】
また、第21の課題解決手段として、水中モータースクリュー以外の2連結以上水中ポンプモーター使用のウオータージェット装置を使用して超高速ウオータージェット水中ロボット走行装置の場合は、他ではおそらく真似の出来ない2連結以上モーターに更に新しい技術として、モーターコイル板の中央部分を刳り貫き、刳り貫いた場所に軽水素入りの圧電素子磁石体をモーターコイル板に内蔵して超薄型のステンレスなどを被せる構造にする事によって、コイル板自身が、最初から磁石体な為、軽水素入り圧電素子磁石体内蔵のコイル板は、少ない電気でも、磁気力の強いコイル板になる為、コイル連続作動スピードは、必然としてモーターコイル板のスピードアップになる事実確認になると思われます。
従って、軽水素は電気反応が早い物質の為、軽水素入り圧電素子磁石体は、早い電気スピードで、電気磁極化する事が、軽水素の物質の特性からの説明によって理解して戴きたい。
その為、軽水素入り圧電素子磁石体内蔵の2連結以上モーターを取り付けた水中ロボットのウオータージェット装置は、通常コイル水中ポンプのウオータージェット能力を遥かに越える抱けで無く、ウオータージェット付きの水中ポンプスクリュー装置によって、更なる高速の水中ロボット走行を不可能から、可能にして行きたいのが、超高速ウオータージェット水中ポンプスクリュー装置説明になる。
更に電動仕切り弁付きの超高速水中ロボットの走行装置説明とする。
ウルトラ水中ロボットのウオータージェット装置は、2段以上水中ポンプ吸い込み口付きの吐き出し口を二つ以上水中ポンプウオータージェットの超高速水中走行が、望める水中ロボットウオータージェット説明で有る。
コメント
2008年9月10日PM17時16分58秒小休止に入る美馬牛カンキチ大雪山くっきり、北の空は、弱冠薄曇り、カレーの材料を買って来る。
2008年9月10日PM18時52分48秒カレーを食べて再び書き始める美馬牛カンキチ。
【００３８】
また、第22の課題解決手段として、人型水中ロボットの手足に超高速2連結以上高出力軽水素入り圧電素子板内蔵ダイナモモーターは、モーターコイル板だけで無く、ダイナモ装置の中心部を刳り貫き、刳り貫いた場所に軽水素入り圧電素子磁石体を内蔵する事で、ダイナモの発電した電気打撃で、電気反応の早い軽水素を使用して、圧電素子の電気打撃発電力のパワーアップを求めた軽水素入りの圧電素子磁石体内蔵ダイナモ装置構造は、ダイナモ装置を円形状に中心部から、真っ二つに切って中心部分を刳り貫き、軽水素入り圧電素子磁石体を内蔵出来る構造にしてから、二つの円形ダイナモをボルトで固定出来る構造にして、2箇所から4箇所の軽水素入り圧電素子磁石体を内蔵してから、ダイナモ装置蓋を被せボルトナット止めした高出力ダイナモ装置で有り、水中ロボットの場合薄型の軽水素入り圧電素子内蔵ダイナモ装置を使用する予定で有る。従って水中ロボットは、他のロボットの大きさから比べると総合重量も、家庭内で、使用される超軽量人型ロボットに比べるとかなり総重量が、重たくなる事になり、背中には別の水中モータースクリュー装置もしくは、水中モータースクリュー装置のウオータージェット装置内蔵の2連結以上モータースクリュー装置で有り、モータースクリューは、大きさが決まってしまうのは構造デザインから決定になる。
【００３９】
また、第23の課題解決手段として、人型ロボットの水陸空兼用ロボットは、足底は、電動仕切り弁構造になり、水中スクリュー内蔵型の水中ポンプ一体型のウオータージェット水中走行も可能な水中ロボットは、別に水中ロボットの横にウオータージェットの海水及び水の排出口が、取り付けられており、他のゴムホースを取り付けて水中ポンプとして使用出来る構造とした水中ロボットで有る。
更に、地上を倒れないで、ロボット自身の水平走行全自動水平レールモーターモーター調整装置として、水中ロボットの両足に水平全自動レールモーターロボットバランス修正装置として、水平装置として、アルミニューム鉄球を内蔵した筒装置を十字方向バランスと斜めに二か所x印しのバランス鉄球装置を4本ロボットの腰に内蔵して、鉄球それぞれが水平位置になるように走行するのが、理想設定で有り、4本の鉄球の位置を計測する為に、弱電波を筒の両端の2箇所から弱電波を鉄球に向けて発射して、跳ね返った鉄球電波の位置によって、ロボットの傾きを4本のロボット傾斜を計測する為の装置の電波スピード位置によって鉄球位置を全自動把握する事で、ロボットの傾きを全自動把握して、ロボットの傾きを全自動修正する為に、水中ロボットの片足の足底4箇所にレールモーターロボット傾き修正装置を取り付ける事で、陸を走って歩いても次の設置地点で、バランス修正するロボットの為、転ばずに走って走行可能になる。
次に、空を飛ぶロボット構造説明では、主プロペラ装置をロボットの頭の上に取り付け、今回は、電動仕切り弁内蔵スクリュー装置を推進装置の二つの役割を果たす為、上空へは、スピード良く上がっても、推進に対しては、電動仕切り弁水中スクリュープロペラを二つの役割として使用した場合の説明では、余りスピード良く飛行推進出来ないが、水中ロボットの両足横に一つずつのプロペラ装置を取り付ける構造この場合、超薄型のインバータ制御のレールモーター使用になり、ロボットの手は前に伸ばした状態のバランス飛行が、望ましいのだが、全自動ロボットの場合は、飛行ロボットスタイルなど、最初から全てインプットしなければ全自動飛行は出来ない説明になるため、注意しなければならない。
【００４０】
また、第24の課題解決手段として、超軽量人型ロボットの家庭介護ロボットは、超小型冷却冷風クーラー装置は、電動仕切り弁構造の固形窒素内蔵の超薄型レールモーター送風装置の超小型の固形炭素合成の固形フロン冷却装置とエアーを吸収する装置の場合エアーを吸収するロボット壁空間パネルは、全て固形フロンパネル装置を張り付け型として、広い場所を冷やす場合には、人型ロボット内に冷却空気官を多く取り入れて二重冷却官として冷やす空気の面積を増やさなければ、一度に冷やす事が、無理になるため、人型ロボット冷却パーツの交換型とした、人型ロボットが望ましい。
追加説明として、圧電素子4電子磁気分割装置の使用によって、電気熱を少しでも、モーターに欠けない用にするなどの対策は、ロボット構造上必ず必要になるから注意しなければならない。
【００４１】
また、第25の課題解決手段として、超軽量人型ロボットの家庭介護ロボットは、超小型のニクロム線内蔵の穴空きニクロム線内蔵の銅板パネルの止め金は、鉄で有り陶器を被せた構造になっており、強制インバータ制御レールモーター送風によって、暖房熱を送るだけで無く、超小型のニクロム線内蔵の穴空きニクロム線内蔵銅板パネル部屋は、二重構造になっており、吸引される外気は、二重構造の壁もしくは部屋を通って来る為、ロボット自体からの発火は、ロボット本体熱センサーとロボット温度計測全自動カメラによって、ヒーター温度全自動調整も同時に行う事の出来る人型全自動インプットロボットのヒーター説明で有り、例えば、広い部屋などを暖める場合、人型ロボットの両腕二つのヒーター装置として、更に暖房したい場合は、特別の4本の手の特別注文のロボットヒーターシステムによって、広い部屋の暖房を人型ロボットが行えるシステム説明になる。
【００４２】
また、第26の課題解決手段として、登山または、海へ一緒に緊急護衛人型ロボットとして、同行する全自動インプットロボット説明の緊急飲料水を至急するロボットの構造説明として、ロボットの指に超小型の水中磁極切り換えでしか作動出来ないインバータ制御レールモーターポンプ装置によって、ロボットの腕又は足などの貯水タンク部分に一度貯水した水を磁極切り換え型のインバータ制御レールモーター真空装置作動によって、真空装置瞬間濾過してから、飲料水を得る方式の場合、飲料水を少し残して置かなければ、真空装置で、気化した気化水を一回一回冷やしたりして常温気化水を真水に瞬間に変える一番早い方法として、少し水の有る水中に瞬間気化した気化水を戻す方法が、一番早い塩水などを真水に変える方法で有る。
更に、エアーフイルターとして、レールモーター作動の遠心分離機付きの活性炭フィルター
装置によって、海水匂いまたは、川水の匂いなどを取る構造にしたい、更に一度暖めて沸騰させて殺菌したり、冬山の救助ロボットとして、雪をお湯に瞬間短時間に変えたり出来る装置によって、遭難者救助の手助けを出来るロボットの構造の一つの飲料水確保としての説明とする。
【００４３】
また、第27の課題解決手段として、人型ロボットの緊急酸素吸入装置として、超小型のコンプレッサーは、圧電素子4電子磁気分割電気使用の超小型レールモーターエアー吸引圧縮装置に対して、電動仕切り弁エアー吸入装置の活性炭入り遠心分離機内蔵のエアーフイルター付きの超小型のコンプレッサーエアー吸引圧縮装置のエアー送風は、エアースピードも調整出来る構造として、エアーバイパス官として、電動仕切り弁切り換え構造のコンプレッサーエアー送風官をロボットの指構造に取り付け急患の酸素吸入には、ハンケチなどをロボットの指に巻いて、酸素送り出来る人型ロボット装置。
【００４４】
また、第28の課題解決手段として人型ロボットは、レールモーター使用構造の電動仕切り弁内蔵人型ロボット食糧庫装置説明として、緊急携帯用食料をいつでも携帯して入る災害時、いつでも出向く事の出来るインプット人型ロボット説明で有る。
【００４５】
また、第29の課題解決手段として人型ロボットは、電動仕切り弁内蔵の食糧庫のカビ防止の為に人型ロボットの食糧庫の壁に乾燥剤などを入れて置く網型パネル取り付け型のフッ素コーテイグなどの、殺菌パネル構造とした食料庫の壁構造説明で有る。
【００４６】
また、第3Oの課題解決手段として、人型ロボットの衛生GPSを使用た全自動地図読み込み型のロボット衛星GPS地図説明で有る。
従って、ロボットの衛生位置確認として、人口衛生固定位置と山岳ヘリコプターロボット固定上空位置と全自動移動する人型ロボット位置は、道路地図に、歩道地図を書き込んだ地図及びビルまたは個人の家の空きスペースを書き込んだ地図及びビル内の地図を書き込んだ地図及び個人宅のスペース間とり空間を説明した地図が、最低必要になり、経緯度のラインを道路地図及びビルの空きスペース及び個人宅の空きスペースが、把握出来るまで、経緯度線を増やさなければならない作業を終え、更に経緯度の通過地点及び通過経路を予め全てロボット表裏両面卵型空洞MDチャンバーに記録するか、ロボット地図として、全てのロボットが進む経路図をロボット情報装置にインプット記録して置かなければ、ロボットは自分で目的地または、指定された場所を把握出来ない事になる為、細かな経緯度地図の作成及びロボット地図管理には、お金がかかる仕事だとも言える説明は、自動車GPS情報の数千倍以上なのかもしれない、尚且つ全世界のロボット地図情報を作って管理するまでの情報量管理としては、数億倍を越えるロボット地図データー量の作成になるのも、言うまでも無い。
更に、世界各国の物体の形状情報を立体角度からの情報をロボット情報装置にインプットしなければならない作業も、全世界全ての物体形状データー作成を行わなければならない。更に、山岳ロボットのアンテナライトカメラの実写データーなども、全自動ロボットの情報管理には、絶対必要なデーター説明で有る。     
尚且つ更に、その日の事前の気象データーなども予め気象予測事前データーなども必ず必要視される理由では、台風などで、ロボットが飛ばされたりする危険回避などの方法も全自動ロボットの事前行動プログラムの作成なども、全自動ロボットの全自動チェック項目の重要課題にもなる。           
最終的に、ロボットアンテナライトカメラの全自動物体及び人及び動物及びロボット全自動認識確認及び物体形状認知及び人形状認知及び動物形状認知及びロボット形状認知で有る。
更に、音の認知に対してロボットカメラのロボット温度カメラ全自動認知及び、ロボット人の声認知が、出来ない場合は、不法侵入罪になる為、人の声かけに対してのロボット音声説明も、必ず必要視されるのも、言うまでも無い。
災害現場で、全自動作業になる場合は、作業手順のインプット、現場写真のインプットから基づく災害進行状況の全自動ロボットシュミレイション作成など、一番災害救助にふさわしい救助方法を探し出して、ロボット一人行動で無く、人と連携した災害復旧作業は、ロボット無線なども、必要視され、データー管理の膨大な量を上手に手順良く進めるのが、全自動ロボットを最大限活用する場合の注意点説明になる。
【００４７】
また、第31の課題解決手段として、人型ロボットの衛生GPSロボット位置地図とは、別の山岳ヘリコプターロボット固定上空位置三角点無線位置地図を2台使用するか、山岳ヘリコプターロボット位置地図と携帯波電波送信可能な固定位置鉄塔地図などの固定した2箇所の地図を活用した、ロボット無線三角点電波位置地図は、衛生GPS地図と同じ表裏両面卵型空洞MD地図を使用するが、人型全自動ロボットの位置のミリを越えた正確さが有れば今後未来の全自動ロボット時代の道が開けるので有って、ロボット地図情報量は、更に上空に至っては、上空から見た正確なロボット位置地図だけでなく、ロボット高度位置の水平線から見た飛行している実際のロボットの高度位置を横から見た細かな経緯度地図も必要視され、山岳ロボットの実写アンテナライトカメラ実写地図も必要視され、時間設定上空事前予測地図なども、上空をロボットが飛行する場合、人を優先しなければならない理由上この様な地図も実際に必要になって来る。
更に、海底地図に於いての説明で有るが、上空から見た平面上の海底地図が、細かい経緯度線が、書き込まれた海底地図と水平線上に一番深い海底まで、分かる横から見た経緯度線の細かな地図が、必要視される。
更に、海底ケーブル位置の書き込まれた地図及び沈没線などの位置が解る地図及び金属スコープ実写地図の必要性及び金属センサースコープ地図の必要性及びガス地域などの地図及び海底温度地図及び、他の水中ロボットに拠る水中生態分布の生態実写地図及び実写の複数山岳ヘリコプターロボットの海上のアンテナライト温度カメラ実写地図及び海上のアンテナライト金属スコープ温度カメラの実写データー地図が、必要視されるのも、実際に他の災害の救援に向かう場合、海上のあらゆるデーターを把握しなければ、全自動ロボットを安全にインプット全自動海難事故救援が、出来なくなる結果を招かない用にする為には、水中の固定位置地図装置として、海底固定型水中ロボット位置連絡海底位置GPS装置などが、全世界の海底に予め複数台設置していなければ、水中ロボットもしくは、飛行ロボットが、インプット全自動飛行及び水中移動出来ない事になる為、海上又は海中には、全世界の海に段数ソナー電波送受信装置が、絶対に複数台必要視されるのは、海底からと上空から飛行機及び飛行ロボットの位置確認と船の位置確認と水中ロボットの位置確認を上空の複数台の山岳ロボットと海底の固定型水中ロボット位置連絡海底位置GPS装置の三角点海底位置地図によって、海上の船及び水中ロボットの位置を複数台の無線波三角点電波海上段数ソナー位置地図などによって、海上に浮いている水中ロボット及び船及び飛行ロボットのダブル位置によって、正確な位置を地上から確認する事によって、人型全自動ロボットの安全な救助を行う為の水中ロボットと飛行ロボットの位置確認装置の文書説明になる。
【００４８】
また、第32の課題解決手段として、人型ロボットの二つのロボット地図の他にロボット地図に対して、特に衛生派などが届かないビルの中または、地底に於いて、ロボット地図に基づくカメラ実写映像地図の必要性とは、平面上に描く地図は、邪魔な物体または最大限に注意しなければならない人及び車いすなどは、ロボット地図だけでは、全自動不可能な為、新たに、実写映像地図に基づく物体の形状確認または、インターネット事前携帯波確認認識が必要になり、平面地図磁気書き込み方法も、実際に有るが、実写映像に対しての物体の形状をデーター実写情報として、人型ロボットの実際の走行歩いた場所の地図書き込みは、車及び重機及び飛行機及び船などとは、異なる考え方として、人込みの中をくぐる用に進まなければならないのが、人型ロボット実写地図書き込みになる、理由として、テレポーテイションカメラの人及び物体及び動物及びロボットの形状データー確認に対しては、必ず実写映像が必要になる為、テレポーテイションの物体形状確認認識及び物体温度形状確認認識及び人形状及び人の形状確認認識及び人の形状温度確認認識及び、動物の形状確認認識及び動物の温度形状確認認識及び他のロボットの形状確認認識及びロボットの温度形状確認認識データーの実写で無ければ、絶対に無理な人型ロボットのアンテナライトカメラと携帯波電波で送られて来るノーマル波及びデジタル波のテレポーテイションデーター形状を実写確認でなければ、実際に人型全自動ロボットの実際の全自動走行する為の説明の中の一つで有る。
2008年9月11日真夜中PM24時1分31秒少し疲れたので眠る美馬牛カンキチ。
2008年9月11日AM9時18分42秒大雪山もくっきり、晴れ少し頑張る美馬牛カンキチ。
【００４９】
また、第33の課題解決手段は、人型ロボットカメラの被写体形状確認及び認識及び認知作動の説明で有る。
従って、人型ロボットが、物体及び人及び動物及びロボットを区別する為には、人型ロボットのカメラが写す、物体形状及び人の形状及び動物の形状及びロボットを区別する為の形状をカメラが写して捕らえる軽水素入りダイオードの被写体色区別に対してのロボットカメラ光の被写体の色分け技術と予め被写体形状のデジタル信号記録の被写体及びノーマル信号記録の被写体信号記録に対して同じ被写体形状をデジタル信号及びノーマル信号で全自動選ぶ人型ロボットのカメラ被写体認識技術及び被写体確認技術及び被写体認知技術までの説明に於いて、実写データーとして、車及びバイク及び自転車などの物体が無い実写風景データーと人と動物とロボットが居ない実写風景データーを基本テレポーテイションデーターに対してロボットが写し出した物体形状写真データー人及び形状写真データー及び動物形状写真データー及びロボット形状写真データーに対しての軽水素入りダイオードのロボットカメラの被写体光を写し出す為に光り認知する為の軽水素入りのダイオードパネル技術に対しての説明であり、従ってロボットカメラ被写体は、軽水素の電気反応の早い物質をダイオードに入れる事で、ロボットカメラ被写体の光り電気変換スピードを早めた世界最初の技術を使用して、物体及び動物人の居ない風景実写を基本として、ロボットカメラが写す被写体だけを分けたデーターを被写体形状のノーマル信号及びデジタル信号比較及び区別によって、被写体を区別及び確認及び認識及び認知する為のデーターをロボット表裏両面卵型空洞MDチャンバー情報装置としていつでも瞬時に取り出せる収録方法技術の技術説明で有る。
【００５０】
また、第34の課題解決手段は、人型ロボットのブラック軽水素内蔵の炭素シリコンソーラーパネル説明で有る。従って、ソーラーパネルの太陽光を最大限吸収する為に、ブルー色のN型シリコンを炭素入りのシリコン合成として、更に炭素シリコンの電気変換のスピードを早める為に軽水素を炭素シリコンに合成した技術によって、更に炭素シリコンが、電気変換するスピードを早めた、軽水素内蔵の炭素合成シリコン素子の説明である。
【００５１】
また、第35の課題解決手段は、人型ロボットに使用される磁極切り換えインバータ制御のレールモーターは、磁極接合出来る構造にする為に新に磁極接合の為の複数スイッチ回路を設けた磁極切り換え及び磁極接合可能なインバータ制御可能なレールモーター装置で有る。従って、新しいレールモーターを使用したテレポーテイション技術をインプットした全自動ズーム作動のロボットカメラ装置で有り、ロボット口のレールモーター制御を更に微調整可能にしたレールモーター装置。
【００５２】
また、第36の課題解決手段は、人型ロボットに使用されるロボットの瞼の役割をする二つのレールモーターをロボット瞼電動仕切り弁構造の上下に超小型レールモーターを取り付けた構造の人型ロボットの上下二つのレールモーターで作動する電動仕切り弁構造の説明で有り、ロボット目構造システムは、緊急時では、瞼を開いた状態になり、会話システムでは、ロボット瞼を開いたり綴じたりする機能を取り入れた人型ロボットの目の瞼構造と機能説明で有る。
【００５３】
また、第37の課題解決手段は、人型ロボットに使用されるロボットの目の白目部分の役目をする人型ロボットの目の構造説明で有る。     
従ってロボット目の白目部分は、N型シリコンダイオードの色を白色にしたペンキ色素とN型シリコンダイオードとを混合合成させた白色シリコンダイオード物質パネルをロボットの白目部分として、太陽光発電を良くする為に軽水素を更に合成した白色の軽水素内蔵のN型シリコンダイオードパネルのロボットの白目部分の装置説明とする。
【００５４】
また、第38の課題解決手段は、人型ロボットの目の構造に対して超小型ロボットカメラに対しての部分説明として、通常のカメラレンズを半分から上を魚眼レンズにして、半分から下をとつれんずした構造の一つ削りで作り上げた半分から上は魚眼レンズ半分から下はとつレンズの合わせレンズ方式のカメラで有り、この場合のロボットカメラレンズの特色は、半分から上は、通常より広く少し歪んだ形に魚眼レンズ風に写り半分から下は、通常通りの画像になる。
従って、半分から上の画像をデジタル信号画像組み立て直し処理技術は、半分から上の画像を正常画像まで、魚眼レンズの被写体正常距離まで引き伸ばして補正する技術を使用して、上は広い画像で有り、下は通常の画像に写すロボットカメラレンズの新しいレンズ説明で有る。
【００５５】
また、第39の課題解決手段は、人型ロボットの目の構造の睫構造説明で有り、人型ロボットを拠り人に近付ける為に馬の尻尾の毛か軽水素入り炭素シリコンダイオードを使用した超小型のソーラーパネル構造のロボットの睫(まつげ)構造説明とする。
【００５６】
また、第40の課題解決手段は、人型ロボットのロボット腕及びロボット足に取り付けられて居る電動仕切り弁構造の中にニクロム線内蔵の金属パネルを設置する事とで、海または山で、遭難した場合の食料が無くなった場合の対策として、魚または野菜を煮る機能をロボットに設置した非常手段のロボット構造説明で有る。
【００５７】
また、第41の課題解決手段は、人型ロボットの手のアタッチメント交換方法に対して、人型ロボットのレールモーター手装置の繋げる部分構造として、ナットボルト方式の横から細い鋼鉄ボルトをねじ込んで、ロボット手のねじ込み装置を固定する方法または、ピンで止める方法のロボット手のアタッチメント交換方法で有る。
メント
2008年9月11日(木)昼PM12時30分45秒から、カレーを食べ雲一つ無い美馬牛市街地で有り、大雪山もくっきり見えそよ風吹く北の大地どうやら秋晴れの一日になりそうで有る美馬牛市街地カンキチで有る。
【００５８】
また、第42の課題解決手段は、人型ロボットの補助カメラ説明として、テレポーテイション技術は、昼間は、色の識別が、はっきりするが、夜になると特に暗がりでは、色の識別が難しくなるばかりか被写体形状の識別も、段々と悪くなるその為、暗がりでも、色の識別可能な赤外線の放射能温度カメラによって、暗がりのでも、識別可能な技術を取り入れる事で、夜の全自動カメラ被写体確認及び被写体認識及び被写体認知確認まで、行う事の出来るようにした赤外線の放射線シリコンパネル内蔵装置使用の放射線軽水素入りダイオード被写体温度確認カメラ装置説明をする。
従って、補助カメラに赤外線放射装置と放射線カメラの超微量の放射線をシリコンに混合内蔵した放射線物質をクリスタルガラスの筒パネルに入れて封印つまり、超微量の放射線を外に出さなくて済む放射線パネル装置を使用したカメラ装置に軽水素入りダイオードパネル装置に放射線を通したカメラレンズの光りを軽水素いりダイオードパネルに通す事で、人などの体の体温色を画像装置で、示す事の出来る放射線漏れの無い温度を計測出来るカメラ装置説明で有る。     
【００５９】
また、第43の課題解決手段は、人型ロボットに電波センサーと跳ね返った電波を受信する電波受信体を設置して、電波センサー受信反応に伴ってロボットカメラが、瞬時作動して被写体カメラ焦点距離の全自動確認及び全自動被写体認識及び全自動被写体温度カメラ形状認識及び全自動被写体確認及び認識及び認知して、避けて通ったり、ロボット音声で、断って通ったり、危険状態を認識した場合、相手を先に通したりするロボット音声ICデータースイッチ回路の中のロボットアンテナライトカメラの被写体認識に伴うロボットカメラ被写体カメラ焦点距離の安全距離設定に基ずくロボットの全自動譲り動作回路などが、ロボットカメラ被写体距離確認の上で、全自動ロボットカメラ焦点距離判断出来るロボットカメラ焦点の安全距離データーとロボット被写体カメラ焦点距離のロボット譲り動作作動データー回路などを、表裏両面卵型空洞MD装置にロボット全自動操作データーを保存入力設置する事で、人型ロボットが、安全に自分で判断して全自動で判断して作動出来る人型ロボット動作の説明で有る。
【００６０】
また、第44の課題解決手段は、人型ロボットのカラー色ライトライン装置の役割説明を始める。
従って人型ロボットのカラー色ライトライン装置は、電動仕切り弁の中に内蔵した望遠鏡を逆さまにした構造のおおレンズにカラー色ライトの色ガラスまたはクリスタル色ガラス又は、複数カラー色切り換えが出来るレールモーター装置を取り付けた複数カラー色レールモーター装置の色ガラス部分にライト光を照射する事によって、望遠鏡を逆さまにした構造のとつレンズからカラー色のライトの幅の一定した光りを連続して放つ事の出来る装置説明で有る。
更に、ロボットカメラは、被写体にカラー色ライトライン装置の光りが当たったロボットカメラ被写体カメラ焦点距離を、暗がりでも、確認出来る為、更にロボット電波センサーによって、被写体距離が保てる為、暗がりでも、ロボットライト無しでも、ロボットカメラ被写体距離確認が、ロボット温度カメラなどで、正確に計れる為、暗がりでも、物体または人または動物またはロボットなどに、当たらないで、全自動走行出来るロボットカメラ確認及び認識及び認知及びのロボットのカラーライトライン装置説明になる。
【００６１】
また、第45の課題解決手段は、人型ロボットの電動仕切り弁内蔵の補助ライトは、ロボットの額部分などに、または胴体部分などに、レールモーター電動仕切り弁構造の電動仕切り弁の内側に内蔵したライト装置の説明になり、昼間など、明るい時は、人型ロボットの瞳の白目部分の軽水素内蔵白シリコンダイオードパネルの光り照度確認によって、緊急ライト補助ライトの電動仕切り弁は、閉じたままの状態を維持するが、ロボットの周囲が暗がりになると、ロボットのライトシステムが、ロボットの光り照度反応に全自動作動して、今まで閉まっていた電動仕切り弁の補助ライト装置を、全て電動仕切り弁を開いた状態にして、ライト点灯までを全自動で行う事の出来るロボット照度全自動確認認識システムで有り、回りが、明るくなると全自動で、ロボット補助ライトを切り、電動仕切り弁を全自動で閉じるロボット補助ライトシステムの装置説明で有る。     
【００６２】
また、第46の課題解決手段は、人型ロボットのアンテナ金属ロボット耳装置は、水中でも水が入っても大丈夫な完全防水型の超小型金属マイクを設置した人型ロボットの耳装置で有り、地上では、携帯波送受信を行い水中では全自動電波切り換えで、水中ソナー波切り換えを人型ロボットがロボット地図位置確認及び認識及び認知回路のスイッチセンサーIC回路によって、全自動に携帯波から水中ソナー波切り換え出来る人型ロボットの電波送受信装置電波全自動切り換え装置説明で有る。
コメント
2008年9月11日PM14時20分21秒少し小休止する美馬牛カンキチ。
2008年9月11日PM14時50分24秒銀行には、金が入っておりコーラ休憩を行ってから再び書き始める。
【００６３】
また、第47の課題解決手段は、人型ロボットのアンテナライト金属ロボット耳装置は、特に人の声を予め軽水素入り圧電素子磁石体チップによって、アイウエオからンの人の音声を一人分の音声データー全てを予めロボットの持ち主または扱う人の音声を軽水素入り圧電素子ICチップなどに録音して置く事で、人型ロボットの耳マイク装置で、常時マイク録音した場合または、他の人の声と混合しない用にロボットを扱う人には、予め人型ロボットがロボットの使用人確認認識出来る用にする為に、ロボットを使用する人の位置認識確認が必要になるその為、ロボットを扱う人特別の電波位置発信機が超小型自動充電池式のが、必要になり、人型ロボットには、携帯電波の音声連絡または文字連絡によって、インプット連絡可能になる装置を積載した人型ロボットの人の音声を判断する為の人の位置発信電波の必要性の説明で有る。
更に、人型ロボットを取り扱う人の人相つまり、顔の形状及び髪の形及び髪の色及び顔の耳の形及び耳の位置及び睫の色及び睫の位置及び目の色及び目の位置及び鼻の形及び鼻の位置及び口の形及び口の位置に基づく肌の色の確認及び認識及び認知によってロボットのカメラの目はロボットに声掛ける人の音声区別する事によって、圧電素子磁気チップの人の声音色データーチェックと顔の輪郭などの判断と人の位置確認電波位置の3種類の人を区別して判断する方法の外に他の技術の目の網膜判断と手の指紋判断と手相判断は、緊急時に使用する人確認の為のデーターチェック使用方法になり、人の声判断はロボットカメラによって、口の閉じ開きの確認チェックデーターなども追加して、人込みの中、交じり合う人の声音声を聞き分けるロボット人の声聞き分け技術説明で有る。
更に、人型ロボットが人の声を区別し易くする為に、軽水素内蔵圧電素子音声チップには、ロボットの持ち主の声を予めデーターを録音して置く必要性が、はっきりして来る。
従って、ロボットの耳で聞いた音声を人込みの中でロボットの耳が録音しても、人の音色を素早く聞き分ける事は、ロボット耳のマイク磁気録音技術の限界でも有り、その中のロボットの持ち主だけの声だけを区別する技術は、理論説明付いても、かなり遅くなる理由から、人型ロボットの非常事態発生回路などでは、ロボットの持ち主に携帯電話を全自動で掛けるシステムによって、用件を人の声携帯電話音声判断及び携帯電話文字連絡によって、人型ロボットは、用件を聞き次第全自動作動するシステムで有る。
次にインプットして置く事によって他の人の音声圧電素子ICチップ音声読み込みデーター録音も可能な為、買い物などの用足しも人型ロボットは可能になる。
コメント 
2008年9月11日PM15時55分55秒布団を取り込み、風呂を沸かして少し休憩の後再び書き始める美馬牛カンキチ。
2008年9月11日PM16時44分31秒風呂に入りスキットした所で再び書き始める秋晴れ大雪山くっきり、明日も晴れ少し頑張って行こう美馬牛カンキチ。
【００６４】
また、第48の課題解決手段として、人型ロボットのW電動仕切り弁スピーカー音声ロボット口構造は、第一に二つの超小型磁極切り換えインバータ制御のレールモーターを使用して、完全防水の人型ロボット口金属スピーカー構造になるのだが、あくまで人に近付けた人型ロボット作りと問いかけられると、人型ロボットの唇構造は、複数の超小型レールモーターを使用した縄型レールモーター装置構造の人型ロボット音声発声に伴う人と同じ唇の動きが必要になるため、予め人型ロボットの唇の動きを縄型モーターロボットの装置の動きをロボット音声の唇の動きの全自動制御出来る人型ロボットの唇の動き音声圧電素子IC回路の全自動縄型レールモーター反応によって、人間に近い唇の動きを人型ロボットが出来る人型ロボット圧電素子IC音声発声チップロボット音声回路の人型ロボットの唇の動き全自動作動説明とする。
【００６５】
また、第49の課題解決手段として、人型ロボットの表裏両面卵型空洞MDチャンバーロボット情報装置だけでは、ロボットデーターの収録が不可能になる為、人型ロボット専門の人型ロボットデーター情報装置か人型ロボット専門のスーパーコンピューターを設置しなければならない。
その為、この場合、人型ロボットに携帯波を使用して送られて来た電波情報を、人型ロボット軽水素内蔵の圧電素子チップ音声発声回路によって、人型ロボット軽水素内蔵の圧電素子チップ組み立てのロボットスピーカー音声発声までになる説明とする。
【００６６】
また、第50の課題解決手段として、人型ロボットは、人型ロボットに内蔵されて要るラジオ機能によって、ラジオ音声データー電波を人型ロボットの音声圧電素子人型ロボットラジオ情報データーを、ロボット圧電素子音声チップ発声装置のロボット音声金属スピーカー作り音声変換説明になる。                             
コメント
2008年9月11日PM18時48分16秒トウモロコシを食べて再び書き始める美馬牛カンキチ。
【００６７】
また、第51の課題解決手段として、人型ロボットは、人型ロボットに内蔵されて要るアンテナ水中カメラ携帯波データーを電動仕切り弁内蔵の磁気ストックデーター装置に水中画像及び水中音声を収録出来るロボット軽水素内蔵圧電素子磁気磁石体携帯波データー収録装置の説明。
【００６８】
また、第52の課題解決手段として、人型ロボットの手の指の作動装置説明として、人型ロボットの間接部分として、3つから4つの円形レールモーター方式の外に棒状超小型レールモーター装置に鋼鉄ピンで両隣を固定した縄型磁極切り換えのインバータ制御作動のレールモーター装置によって、配線は、そとづけでシリコンゴムを被せた構造の、人型ロボットの手の指装置説明で有る。
【００６９】
また、第53の課題解決手段として、人型ロボットの手の甲及びモーターカバーに人口ダイヤカバーを取り付けた上にシリコンゴムを被せた構造の人型ロボットのシステム保護装置説明である。
【００７０】
また、第54の課題解決手段として、人型ロボットのカメラ装置の放射線温度カメラ装置の放射線を、飛散させないようにする為の装置説明で有る。
従って、放射線を透明の液体シリコン液に放射線合成した物質を、クリスタルガラスの筒装置に内蔵した放射線入りの液体シリコンのクリスタルガラスパネル装置で有り、簡単に表現する為に、放射線シリコンクリスタルガラスパネル装置で有り、一回の放射線カメラの放射線使用量しか、放射線を必要としない放射線シリコンクリスタルガラスパネル装置説明で有る。
【００７１】
また、第55の課題解決手段として、人型ロボットが上下左右の動きを一度に自在に行う為の装置説明を始める。
従って、電気消費の一番少ない磁極切り換えインバータ制御のレールモーターを十字型の一体方式で取り付けた上下左右を一度に作動できる磁極切り換え型のインバータ制御作動のレールモーター装置を取り付ける事によって、超微妙なモーターロボットの動きを可能に出来るのが、磁極切り換えインバータ制御のレールモーター装置で有り、2連決以上モーターでも、此れだけ電気消費を押さえたモーター制御事態が無理だが、連結する事によって力強いダブル制御モーターならば可能になるモーター技術で有る。
【００７２】
また、第56の課題解決手段として、8点走行車輪ロボットは、無害無給油連続作動の発電機を使用した磁極切り替えインバータ制御連続作動型のレールモーター走行可能な予め走行する場所をロボット地図にインプット地図書き込みした場所だけをインプット全自動走行する事が出来るインプット地図書き込みロボットで有り、携帯電話などからでも、ボタン地図書き込み可能な8点走行車輪ロボットで有る。
【００７３】
また、第57の課題解決手段として、人型ロボットは磁極切り換えのインバータ制御作動のレールモーター内蔵の電動仕切り弁を設置した非常食を貯蓄して非常食の量を計測する為のアンテナライトカメラとデジタル計り装置を積載した人型ロボット。
【００７４】
また、第58の課題解決手段として、人型ロボットの後部確認装置説明を始める。
従って、後部確認装置として、磁極切り換えインバータ制御作動出来る超小型レールモーター電動仕切り弁装置の中にアンテナライトカメラを両足首に一つずつのアンテナライトカメラ設置と人型ロボットの膝の後ろ部分にアンテナライトカメラを一つずつ二つ設置して人型ロボットの腰の後ろにアンテナライトカメラを一つずつ二つ設置して、更に人型ロボットの型のあたりの後ろ部分にアンテナライトカメラを一つずつ二つ設置して、更にロボットの頭部分の後にアンテナライトカメラを一つずつ二つ設置して最後に人型ロボット頭の上にアンテナライトカメラを一つずつ二つ設置して、人型ロボットの後部と頭上の確認を行って人優先の人型ロボットの全自動作動を試みる。                             
【００７５】
また、第59の課題解決手段として、プロペラ回転が穏やかでも空を飛んで撮影出来る携帯リモコン撮影ロボット説明で有る。
従って、超小型のヘリューム気球をダブル使用して二つの超小型ヘリュームの間に軽量プロペラを取り付けモーターには、磁極切り換え型のインバータ制御作動出来る軽量レールモーターを後部プロペラにも使用して、更に超小型アンテナライトカメラを積載したカメラデーターを送受信出来るモータープロペラ内蔵の超小型ダブルヘリューム気球リモコン観測装置。
【００７６】
また、第60の課題解決手段として、山岳ヘリコプターロボットは、携帯電話画面の山岳ヘリコプターロボットW地図位置携帯電話ボタンスイッチインプット作動可能なインプット全自動作動可能な山岳ヘリコプターロボットは、ダイナモ端子交換まで、連続作動可能な上空のインプット設定位置に連続飛行出来る装置の電源は、2連振り子型機械式発電機を積載した多機能インプット全自動ロボット説明。
【００７７】
また、第61の課題解決手段として、超小型ダブルヘリューム気球装置は、超小型2連振り子型自動充電池を積載したリモコン型の多機能撮影ロボット。
【００７８】
また、第62の課題解決手段として、山岳ヘリコプターロボットは万が一海上に落下した場合沈まない対策を施した説明を始める。
従って、山岳ヘリコプターの4つの足の上に取り付けられている2重から3重構造のエアーチューブを取り付ける事で、万が一海上に墜落した場合一度にパンクしない構造にした山岳ヘリコプターロボットの浮遊装置説明で有る。
【００７９】
また、第63の課題解決手段として、山岳ヘリコプターの携帯電話画像画面ボタンインプットの上空位置設定全自動インプット飛行装置説明を始める。
従って、山岳ヘリコプターは、携帯電話画面画像装置の山岳ヘリコプターインプット飛行モードの欄の設定飛行高度と設定経緯度線と飛行機管制塔の報告などボタン設定だけで、携帯電話を通じて山岳ヘリコプターの全自動飛行高度設定スイッチ回路と飛行経緯度線設定スイッチ回路へ携帯電話のボタン設定だけ飛行高度位置と飛行経緯度位置をボタンインプットした後、スイッチを押すと山岳ヘリコプターは、全自動で設定決められた飛行高度位置及び、飛行経緯度位置の場所まで、全自動飛行して設定同位置飛行を繰り返して、空の乗り物及び海上の乗り物及び水中の乗り物等の地図位置確定の為の電波距離連絡出来る装置で有る。
更に、山岳ヘリコプターが、設定位置まで、全自動飛行出来る固定位置は、人口衛生の固定位置及び飛行機管制塔の固定位置及び携帯電話のアンテナ鉄塔装置及び無線鉄塔装置及び自動車などの移動するための乗り物に、移動式の置き型の携帯波送受信中継装置または無線波送受信中継装置を置き型の2ケ所目の固定位置それぞれ、5通りの二か所固定位置設定によって、まず一台目の山岳ヘリコプターを飛ばして固定してから、実際に使用する山岳ヘリコプターロボットを人口衛生の固定位置と既に固定上空位置に同位置飛行している山岳ヘリコプターロボットの二か所目の固定位置決定によって、実際に使用する山岳ヘリコプターロボットの携帯電話などかのアンテナライトカメラ積載の山岳ヘリコプターロボット上空映像または、既に海底などに待機してある水中ロボットの映像などを、携帯電話で楽しむ事が、出来る山岳ヘリコプターロボットの設定飛行の行い方の説明とする。
【００８０】
また、第64の課題解決手段として、山岳ヘリコプターロボットは、前後上下左右の360度すべて撮影可能な複数アンテナライトカメラを山岳ヘリコプターに設置し赤外線放射線内蔵シリコンクリスタルガラスパネル内蔵のカメラによって飛行物体温度24時間測定及び大地温度24時間測定及び海底温度24時間測定この他、金属スコープカメラは、埋まって入る移籍または、金属を調べる事の出来るカメラなどの積載も有り得るなど、他の気象観測機械を積載など、使用用途は、かなり有ると言える山岳ヘリコプターロボット装置。
【００８１】
また、第65の課題解決手段として、山岳ヘリコプターは携帯電話の携帯波インプット山岳ヘリコプター上空位置を設定する為に使用する飛行機表裏両面卵型空洞MD衛生GPS位置地図装置と飛行機表裏両面卵型空洞MD無線波三角点電波GPS位置地図の二つの地図を積載した山岳ヘリコプターロボット装置。
【００８２】
また、第66の課題解決手段として、ロボットアンテナカメラ装置の光度確認認識センサーの軽水素を内蔵した超小型軽水素ダイオードパネルの説明を始める。
従って、軽水素は電気反応の早い物質で有り、水素ニッケル充電池は、15分から20分程で、充電完了物質を熱抵抗集合体すなわちプルトニュームを取り除くと更に充電スピードが上がる物質は、プルトニュームの性質知識が少し有れば理解出来る知識の内の電気反応の早い軽水素を使用してダイオードに内蔵する事で、光り電気感知を更にスピードを上げた光り電気感知センサー説明になる。
コメント
2008年9月11日PM23時53分48秒本日此処までで止めて眠る事とする美馬牛カンキチ。
2008年9月12日AM8時32分13秒残りカレー食べて、大雪山見れど薄雲かかれど、にわか雨の育ち行く旅人もまた旅の夢を見るなりて美馬牛カンキチ。
2008年9月12日PM13時7分57秒少し疲れたので眠って起きるビバホーム塚崎さんへコーラを買って来て飲む美馬牛カンキチ。
【００８３】
また、第67の課題解決手段として、人型ロボットに積載されて入る磁波計測装置の説明を始める。
従って、地震予知データーを作る為に、未来は、あらゆる動く物体に磁波計測装置を取り付ける事によって瞬時に、マグマ移動データーを知る事によって、素早い地震対応が、求められるからで有る。
更に、磁波計測装置は、電気反応の早い軽水素を内蔵または合成した磁波キャッチ体説明であり、現在磁波キャッチ体の中を知り得る資料が内為、ここまでで有るが、磁波の計測装置としては、磁気キャッチ体または大型の電磁誘導キャッチ体装置と考えられるその為、電磁誘導装置ならば、軽水素入りの圧電素子磁石に永久鋼鉄磁石又は鋼鉄を被せるなどをした高出力磁石にコイルを巻いた装置で有り、この場合は、平たくしたコイル板磁石構造になる。そして、磁波キャッチ体に於いて、圧電素子磁石体キャッチ体のみならば、軽水素入り圧電素子磁石体にしか、現在先著作権者が、考える知識としては、此のような実例にしかならない。
【００８４】
また、第68の課題解決手段として、インプット水中ロボットの海底地図内蔵の位置を方位磁石行動のスピード計算に基ずく計算になる地図位置の出し方も、有るが、この場合固定している被写体位置の地図経緯度位置地図のマイクロミリまで既に計測済みの位置データーを人口衛生電波以外から、つまりインターネット地図位置データーをもし、ロボットが行った場合、超小型電波キャッチ体の送信装置などを、インターネット地図データー記録位置に設定するなどを、行って、ロボット位置を、固定してから、インターネット地図などでチェックする地図の有り方、または、ロボットが、進む距離を、ロボット走行インプットデーターから割り出す、だいたいのロボット位置の出し方なども、実際には実在しているのは、言うまでも無い。
従って、海上の水中ロボットの位置を山岳ヘリコプター無しの人口衛生電波だけでは、誤差が大きくなるのは、言うまでも無い。
その為、水中ロボットが、正確な位置を求める為には、空では、人口衛生と最低もう一台の固定位置の役割をする山岳ヘリコプターなどの、電波中継位置が、必要視されるその為、空には安い金額で済む山岳ヘリコプターなどの、電波中継基地が、必要視されるのも言うまで無い。
山岳ヘリコプターの欠点は、ダイナモ端子の減りを止められない事で有る。
従って、空からの映像及び音声データーの送受信する為の無線波及び携帯波の中継出来る海上に浮遊出来る装置が必要になる。
次に、海上の同位置に全自動モータースクリュー作動移動衛生波及び無線波によって全自動帰還出来る二つの固定海上海底地図位置装置が必要になる。
次に、超小型の連続電気供給出来る装置説明として、自動電池などの超小型連続発電装置ここでは、おそらく2連振り子型自動充電池の発電電気量を必要されるのは、4つの浮上安定モータースクリューの消費電気量が必要になる。
次に、強い波でも、すぐに戻れる2連結以上モーターを8つ使用した強い波でも、全自動水中モーター作動させて海上海底地図の上空の人口衛生と山岳ヘリコプターの二つの固定した位置から求める海上の水面を、浮遊して入る海上段数ソナーの設定海上海底地図の同位置全自動地図設定位置認識及び確認及び認知の全自動モータースイッチ制御帰還システムになる。
次に、海上の段数ソナーは、水中ロボットへ海上の無線波及び携帯波を水中ソナー波変換しなければ水中ロボットへ送受信出来ない事になる。
次に、一本の電波では、海上の波で動き回る為、上空では、山岳ヘリコプターなどは、既にインプットしてある海上段数ソナーの設定海上海底地図位置は、確認及び認識及び認知しているが、台風などで、海が荒れた場合一本の電波では、送受信困難な為、山岳ヘリコプターロボットに送られて来た電波を複数にして、海上の段数ソナー向けて送受信しなければならない。
更に、山岳ヘリコプターから送受信受けた海上段数ソナーは、電気消費量が、最大使用になる、更に発電池を大きくする対策も、有るが、垂直にソナー波を送る装置を海上の段数ソナーに設置する作業になる。
次に、水中ロボットに複数電波をソナー波変換した電波を水中で一度中継しなければ、水中ロボットへは、水中ソナー波は、届ける事が出来ない為、複数の海上に浮遊して入る段数ソナーを、必要台数海の海底地図の深さに応じて容易しなければ、ならない。
そして、海上で、揺れ動く海上段数ソナー装置が、複数の無線波及び携帯波及び海上の位置を決める衛生電波で有るが無線波及び携帯波の変わりの役目を携帯波及び無線波が、行ってしまうのも、同じ答えしか出ない理由からで有る。
更に、水中の段数ソナーは、海上の動き回る段数ソナーから、ソナー電波をキャッチしなければ、ならない為、海上海底地図が、同じく内蔵されているばかりか、海上の段数ソナーは、複数の無線波及び携帯波を複数の水中ソナー波変換出来る送受信装置も、備えなければならない。
そして、此処までの、欠点は海上の動き回る海上海底段数ソナーの波の戻り時間の計算から次の海上に浮遊する海上海底段数ソナーの位置を事前予測した電波データーを海中の段数ソナーに送る事で、揺れ動く水中段数ソナーの送受信キャッチ度を上げる事が出来る。
最後に、海底に近い位置又は、水中ロボットが、作業する位置すなわち、インプットして有る
水中ロボットの作業半径内へ、海上の段数ソナーから垂直に送られる水中複数ソナー波を水中の段数ソナー装置によって、複数の垂直水中ソナー波を屈折させて送る装置を、段数ソナーに設置しなければならない。
これら、複数の段数ソナー装置によって、確かに海上から、無線波及び携帯波を水中複数ソナー波にして、水中ロボットにデーターを送受信出来るが、荒れ狂う海によって、正確度が悪くなるそのため、新しい対策を次ぎに説明をする。
従って、365日全世界の海のアンテナライトカメラ情報を送る場合、凍り付く海及び荒れ狂う海でも、海底のアンテナライトカメラデーターを365日送らなければ、海の生物の完全保護までには、至らない為、どうしても確立しなければならない技術で有る。
その為、全世界の海の海底に固定した海底位置を設置しなければならない。
従って、無害無給油の連続作動発電機に、海底地図を積載し更に水中ソナーの送受信可能な装置と海底深度位置が、水中電波位置で、確認及び認識及び認知出来る海底地図位置内蔵の水中ソナー無線全自動移動可能な水中モータースクリュー装置を備えた海底固定式の海底地図を上空の山岳ヘリコプターへ海上の複数段数ソナーを使用してまたは、複数の海底固定位置のソナー波送受信する事によって、海底の固定位置が決定する。
此れら、複数の海底地図固定位置全自動設定装置によって、水中ロボットのデーターを水中を水中ソナー波で、水中段数ソナーを通じて地上まで、海底の水中データーを送る事が出来る。
最後に、船及び飛行機の海底地図及び海上地図及び上空地図を、海底から複数ソナー波を海上の段数ソナー波送受信装置に送る事によって、飛行機及び船の位置を決める事が出来る装置説明にもなる。
コメント
2008年9月12日PM15時21分12秒残り1000字余り、別のフロッピー欄へ進む為、此処までとする美馬牛カンキチ。
【００８５】
また、第69の課題解決手段として、水中ロボットのアンテナライトカメラデーター及び海底潮流データー及び海底物質データー及び海底気象データーを地上に送る為の段数ソナーのモーター構造説明を始める。   
従って、海上段数ソナーの電源は、超コンパクトの2連振り子型自動充電池を積載する事で、連続発電電気を確保した上で説明を始める。
そして、2連結以上モーターの超軽量は、プラスチック及びジュラルミン及びアルミニュームまたは、アルミニュームとマグネシウム合金は、他の会社のおそらくまだ新しい特許範囲などの金属などの軽量材使用を予定とする。
次ぎに、配線の軽量化は、同筒に超電導物質を入れた、軽量超電導配線を使用予定。
次ぎに、水中モータースクリュー装置のモーターカバーを穴空きにして、プラスチックなどで、保護する水中モーターの軽量方法技術を使用予定。
次ぎに3重から4重のエアーチューブを使用した補助浮力を付ける為の装置使用予定。
次ぎに海上段数ソナーの電気消費を抑える為の圧電素子4電子磁気分割装置の設置によって省電気消費を目的とした圧電素子4電子磁気分割装置の使用。
これら、技術を得て超小型の2連結以上モーター使用に対して、2連結以上モーターコイル板
の中を刳り貫き、刳り貫いた場所に、軽水素入りの圧電素子磁石体を入れて超小型ステンレス板を被せる事で、コイルを巻く前から、既に磁石体のコイル板とした新しい技術を使用する。
更に、コイル板に内蔵する軽水素入りの圧電素子板は、軽水素を使用する為、軽水素の特徴は電気反応が早い為、モーター熱すら圧電素子磁石体融合する事も可能になる。
その為、軽水素入りの圧電素子コイル板にコイルを巻いて電気を通す事によって、コイルが発生してもたらすコイル熱も、圧電素子磁石体に内蔵して有る軽水素は、熱圧電素子電気融合して、コイル板の鋼鉄板の磁石力を更に高める効果をもたらす電気事実が発生する。
従って、少ない電気でも、2連結以上モーターの超高速回転が望める。
更に、磁極切り換え型のインバータ制御作動可能なレールモーターを接続する事で、超微妙な動きを合計8個の2連結以上に求めた場合、スクリューモーターブレーキを使用駆使するしか無いのは、波の力を消すエネルギーまで、必要なのを理解していただきたい。
更に海上段数ソナーは、海上の浮遊地点から波の抵抗を受けない地点まで、潜って作動する場合海上に超小型の浮輪に、電波受信体を取り付けたアンテナ装置方法も、台風などの大荒れの海上の電波受信対策として考えられる。
この他、2連振り子型機械式発電機を使用した海上段数ソナーは、波の力に負けないだけの電気エネルギーを供給出来た場合、連続する緊急作業の場合呑み使用したいと考えている。
コメント
2008年9月12日PM16時59分20秒少し小休止する美馬牛カンキチ。夕食の材料の買い入れに佐藤源八商店と塚崎ビバホームへ行く 
2008年9月12日PM18時45分13秒ストック材料の無駄を省く為、再びカレーに決める全部で800円くらいかかる美馬牛カンキチ。
【００８６】
また、第70の課題解決手段として、人型水中ロボット及び水中全自動機械などに、データーインプットする為に地上から、無線波及び携帯波連絡する為に複数の山岳ヘリコプターロボットの電波中継上空同位置全自動インプット飛行装置を経て、海上の段数ソナーへ山岳ヘリコプターロボットから複数電波送受信する装置で有る。
そして、海上段数ソナーへ複数電波を送るので有るが、通常の段数ソナーは、アンテナライトカメラ無しだが、水中ロボットが、全自動インプット作業して入る間地上では、海の中の他の情報を得る為に、段数ソナーの上下及び左右及び前後にアンテナライトカメラを取り付ける事によって、退屈な時間を海の中の実際の実際映像で過ごす事が出来る用に海上段数ソナー及び海中段数ソナー及び海底段数ソナーにアンテナライトカメラを上下左右前後に取り付けた装置説明で有る。
【００８７】
また、第71の課題解決手段として、人型水中ロボットと水中機械ロボットの水中ソナー波キャッチ体説明を始める。
従って、圧電素子磁石体を、アルミニュームなどの水中ロボットボデーに張り付ける事で、更に水中ソナーの受信体金属を貼るか、水中ソナー穴空き金属を貼るかだが、実際水中スピーカーと水中マイクの関係上説明ならば、水中マイクを水中ロボットに取り付けるならば、水中スピーカーを超平たく作る為に、電磁石構造を軽水素入り圧電素子磁石体入りの超薄型電磁石にした水中マイク構造になり、水中ソナー波キャッチ体の高感度水中平板マイクは、おそらく鉄と銅の合金の超薄型スピーカー板のはずで有り、その為錆止めの電気メッキのソナー波キャッチ体の試験次第だが、銅及びニクロムメッキによって、ソナーキャッチ体が、損なわれない用にしたい。
確かにアルミニームと銅の合金に対しては銅の量を増やしアルミニュームの量を減らす従って銅と鉄の合金に超微量のアルミニュームつまり錆び止め程度のアルミニュームか銀を交ぜた合金で有り、答えは鉄と銅の合金に錆び止めとして、超微量の銀を入れた水中マイクの板部分の装置説明とする。
緊急電動仕切り弁保護内蔵水中ソナーキャッチ体説明として、銅と鉄の合金の超薄型平板に超微量の銀をサビ止め用に交ぜた超薄型水中保護マイクの補助説明である。
【００８８】
また、第72の課題解決手段として、人型水中ロボットは、海上からの段数ソナー波を経て海底地図位置の確定と海底深度位置を確認及び認識及び認知出来る人型水中ロボットで有り、海が、台風などで、大シケの場合、台風の風の影響の少ない台風の上まで、山岳ヘリコプターロボットを、上げる為に、超複数のプロペラ数として、8ケのモータープロペラを取り付けた山岳ヘリコプターロボットなどが、必要視されるのは、台風の風の影響の少ない地点では、酸素不足の為、通常のプロペラヘリコプターでは、上って行けない為、丈夫な金属に水発電機を積載した、山岳ヘリコプターの気象観測用のロボットによって、海上まで、超感度望遠の金属スコープカメラまたは、超感度望遠温度カメラなどを積載した、海上の段数ソナー及び水中ロボットを確認した場合など、また携帯波連絡無線波連絡は、台風などの海には、絶対出動する事態が、有ってはならないので有るが、水上を飛ぶ用に進む水発電機積載の水中にも潜れる複数2連結以上モータースクリュー積載した超高速の水中ロボット補助推進装置などを使用して、台風の海上をもし、遭難者を救う場合、完全防水の自動電池付きの電波発信機付き、の浮き袋など、遭難者の位置を、台風の遥か上空から探す事が出来る装置を人が装着した場合、人型水中ロボットで救助出来る可能性は、高くなるが、何も付けていなくて温度カメラ捜索なども、確かに方法が有っても、救助に時間をかけたく無い事実を理解していただけたい。
更に、水中ロボットが水中操作などを行う場合、全世界の海底に予め水中ロボットの、積載して入る海底地図に対して位置認識及び確認及び認知水中ロボット内蔵海底地図作動する為には、水中ロボットが、作動する範囲内に、海底固定型水中ロボット位置連絡海底位置GPS位置装置が、最低で2台必要になり、水中ロボットの補助推進装置自体が、電波総受信キャッチ体で有り、アンテナライトカメラが、複数設置されており、超小型のインプット全自動帰還スイッチ回路付きの段数ソナー装置を複数台、人型水中ロボット推進補助装置に積載しなければならない事になる。
【００８９】
また、第73の課題解決手段として、人型ロボットの携帯波インターネット人型ロボット専用のロボット情報装置の説明に入る。
従って、人型ロボットの海底アンテナロボットカメラの物体形状確認及び形状認識及び形状認知更に海底のアンテナロボットカメラの動物形状確認及び形状認識及び形状認知更に人型ロボットの海底アンテナロボットカメラのロボット形状確認及び形状認識及び形状認知に対しての人型ロボットへ確認のためのノーマル信号データー及びデジタル信号データーを、予め作成して置く事が、スピード良いロボットアンテナライトカメラ判断で有り、陸の全世界のテレポーテイション物体及び人及び動物及びロボットデーターを予め容易しなければ、ならないこの他上空のロボットアンテナライトカメラのテレポーテイションカメラ確認の為の物体及び人及び動物及びロボットの被写体形状確認の為のデーター作りが、膨大な量になる。
更に、物体と物体の接合の音この他、物体と物体の衝突の音の人型ロボットの耳マイクの情報収集として、音専門の音の周波数センサーとして、音を一度周波数に変えて、携帯波のロボットインターネット情報装置音の周波数データー検知によるロボットデーター収録装置になる。
更に、人型ロボットのロボット専用の情報装置または、人型ロボット専門のスーパーコンピューターからの人型ロボットの軽水素内蔵の圧電素子磁気体ICチップ音声全自動のロボット軽水素内蔵の圧電素子1Cチップスイッチ回路の全自動組み立てロボット音声によって、本先知的所有財産の人型全自動ロボットのロボットデーターをロボット金属スピーカーのロボット軽水素内蔵の圧電素子音声ICスイッチ回路は、他の技術のBM社とナショナル社の技術を使用しなければならないのも事実で有り、勝手に作れ無い事実説明で有る。
別途説明。
更に、人型ロボットの音声確認に対してはロボットアンテナライトカメラのテレポーテイション技術の活用すなわち、ロボットアンテナライト軽水素入りダイオード光り電子反応カメラによって、より細かな人の顔の表皮細胞確認及び認識まで、行える人型ロボットカメラの補助カメラシステムになる。
更に、人の身長の人型ロボットアンテナライトカメラの人の形状確認の中の身長確認などが、出来るシステムになっている。
更に、体重データーの記録確認及び、人の歯の並びなどの確認などが、人を見分ける人型ロボット技術の中にデーター詮索欄の中の一コマになる。
【００９０】
また、第74の課題解決手段として、人型ロボットの携帯電話の画像パネルは、人型ロボットの腕などに、電動仕切り弁内蔵のテレビ波抜きの携帯波映像及び災害連絡無線波映像などの携帯電話映像波回路に合成ネオン充電池素子合成ICチップ映像回路を設置内蔵及び軽水素内蔵合成の圧電素子磁石体ICチップ音声回路及び映像回路及び軽水素内蔵合成ダイオードICチップ回路及び軽水素入り発光ダイオード映像光度調整回路及び軽水素入りダイオード音声回路及び通常ゲルマニュームラジオ回路は、軽水素または圧電素子などが、一切使用されていない磁波の強い場所では、直ぐにラジオ波などが乱れる為、乱れたゲルマニュームラジオ波の乱れを自動検知する為のゲルマニュームラジオ波の波の検知計を超小型化したラジオ波の上下の波の検知出来る検波回路装置では、断層式のダイオード検波装置のダイオードを軽水素内蔵のダイオード装置とした、断層式の軽水素内蔵のダイオード検波装置説明とする。
従って、磁波の強い場所は、断層式の軽水素内蔵のダイオード検波装置回路に於いてゲルマニュームラジオの断層式の軽水素内蔵のダイオード検波装置スイッチ回路の電気センサー回路にロボット音声発声スイッチ回路が、取り付けられて入る為、ロボット音声発声の磁波の乱れを知らせる事の出来るロボット磁波ロボット音声発声システム説明で有る。
【００９１】
また、第75の課題解決手段として、人型ロボットの磁極切り換え及び磁極接合のインバータ制御作動出来るレールモーター電気ホイスト装置は、ロボットの腕または足または胴体またはロボットの首などを伸ばして使用する装置に使われる磁極切り換え及び磁極接合のインバータ制御装置に磁極接合スイッチ回路を別に設けて連動組み立てスイッチ操作出来るようにした人型ロボットのレールモーターホイスト装置作動略説明で有る。
【００９２】
また、第76の課題解決手段として、ロボットの油圧ホイスト装置に棒状レールモーターを取り付けた人の手でも曲がり元の形に戻る鋼板官を内蔵した高圧ホースを使用した磁極切り換え磁極接合及びインバータ制御作動出来るレールモーター作動油圧補助スイッチ回路を取り付けたロボットの高速油圧作動装置説明及び高速エアーホイストスイッチ作動装置同一説明で有る。
【００９３】
また、第77の課題解決手段として、ロボットタイヤモーター説明を始める。
従って、ロボットタイヤモーターは、電気消費を抑えた磁極切り換えの、磁極接合出来るインバータ制御作動出来るレールモーター装置の電気回路配線に圧電素子4電子磁気分割装置配線を取り付けた、電気消費を少なくする装置を取り付けたロボットタイヤモーター装置説明で有る。
【００９４】
また、第78の課題解決手段として、人型ロボットのアンテナライトカメラの軽水素内蔵ダイオードパネル装置による物体の色確認及び色認識及び色認知ロボットシステム及びロボット補助アンテナライトカメラの金属スコープカメラに内蔵してある放射線液体シリコン合成内蔵のクリスタルガラスパネル装置によって、放射能飛散防止装置を設置した堅い物質だけを写す事の出来るカメラ装置によって、物体の堅さを計測出来るロボットカメラ装置とロボットアンテナライトカメラのテレポーテイション物体形状確認及び認識及び認知回路及び人の形状確認及び温度認識及び人の顔の目鼻口耳睫人相電子カメラ確認及び動物の形状確認及びロボットの形状確認システム及び物体及び人及びロボット及び動物の重量の目視測定を行う事によって、再チェック携帯波ロボットアンテナライトカメラの人の目の実際の確認チェックシステムによって、人の指示を仰ぐロボット再チェックシステムスイッチ回路機能が内蔵積載したロボットアンテナライトカメラスイッチ回路説明で有る。
コメント
2008年9月13日真夜中PM24時8分17秒眠いのでここまでとして眠る美馬牛カンキチ。
2008年9月13日AM8時33分35秒から白雲の大雪山の朝から始まる昨日は、曇りの一日朝晴れなので、今日も温度は上がりそう秋の大根白菜三つ葉など、これからだが、ロボットが、人の情報の変わりの時代をもし、呼ぶものならば、良き時代に有りと再びの思い大雪山にアイヌの思いまた太陽の神と水面の神と大地の雷の神再び三つの神が、大地の時の神と共に癒しの神を連れし大地におりゆるなりて時を見るなりて新たな神再びなりて大地は大地川面の水は、水風は、風再生の時を待つなりて、まだ夏の日の美馬牛市街地。
【００９５】
また、第79の課題解決手段として、人型ロボットの無線波及び携帯波及び衛生波のインターネットウイルス防止対策の説明。
従って、現在パソコン及びスーパーコンピューターのインターネットウイルスは、コンピューターの全自動書き込みシステムなどに入り込んでインターネット回線を使用して他の者が書き込む事をウイルスと言っているので有る。
従って、銅とアルミニュームの合金テープ及びアルミニュームのカード板及びアルミニュームのCD板に鉄心などで、ロボットが行って行けない行為または、ロボットの地図位置データー及びロボットの被写体データー及びロボットの使用人の個人データー及び他には見せる事が出来ないデーターを、光りデスク金属板記録によって、保護する方法か表裏両面卵方空洞MDの録音録画出来ないつまり、録画配線録音配線を持たないロボットデーター回路の方式説明で有る。
【００９６】
また、第80の課題解決手段として、4足ロボットの4足全自動走行システム回路の説明をする。従って、ロボット犬及びロボット猫及びロボット獅子及びロボット馬及びロボット牛などの全自動走行に伴う4足バランス走行を可能にする装置は、4足ロボットが、歩く状態または走る状態に於いても、何時でも水平に歩ける状態を確保する為に4足ロボットの水平状態を何時でも確認出来る水平確認装置とてして、アルミニューム球またはプラスチック球を入れた筒に対して水平位置で固定したアルミニューム球の筒の両端から遅い弱電波を飛ばして、弱電波が飛ばして跳ね返りのマイクロ時間を4足ロボットの水平位置の設定をする。
この場合上下左右の水平バランスを計測する二つのアルミニューム入りのアルミニューム球入りの十字筒装置と二つの斜めの十字クロスバラスアルミニューム球入りのバランス計測装置が、必要になる。     
更に、4足ロボットの四つの足全ては、磁極切り替えインバータ制御の水中2連結以上モータースクリュー内蔵の電動仕切り弁付きの4足ロボットの足構造で有る。
次に、4足ロボットが、歩く場合の水平バランス計が、上り坂下り坂でも、水平調整する為に、世界全ての地図に対して、傾斜角度が計測出来る初めての全自動計測システムで有り、地図上の地図上の目的地点位置の経緯度の細かな山岳ヘリコプターロボット地図位置計算と出発地点の地図上の細かな山岳ヘリコプターロボット経緯度地図位置計算によって、傾斜角度が、全自動計算されて、4足ロボットの水平維持装置が、全自動設定出来るシステムで有る。更に、4足ロボットは、4足で停止して入る時だけが、4足バランス説明になるだけで、有って4足ロボット走行プログラム設定は、歩く時にほんの一瞬2足になる4足ロボット形状プログラムミング及び一瞬3足になる4足ロボットプログラムミング及び4足ロボットが、急に急ぐ場合の2足同時に駆けて走行する4足ロボットの2足同時走行のプログラミングをバランス良く活用する、4足ロボットの最大能力の1足バランスの方向変換が、1足のモーターバランス間隔制御出来ない限り、4足ロボットの方向スピード変換走行は、出来ない事になる。    従って、高速作動の4足ロボットプログラミングは、設置した時に受ける4足それぞれのレールモーターホイストのスクリューの反対側に取り付けられている圧電素子4足ロボットレールモーター衝撃圧力センサーは、デジタル重量計設置が必要になる。
理由説明。        
4足ロボットが、高速プログラミング通り走る為には、4足ロボットが、1足に係る重心重力計算と2足に係る重心と重力計算は、圧電素子レールモーターホイスト打撃圧電素子発電とデジタル重量計によって、方向転換の別のレールモーターによる傾きの磁極切り換え及び磁極接合並びにインバータ制御するレールモーターのほんの僅かな微調整によって、4足ロボット高速走行変換及び転換出来る4足ロボットの高速走行プログラミング表裏両面卵型空洞MD説明で有る。
【００９７】
また、第81の課題解決手段として、4足ロボットの別のプログラミング行動説明を始める。
従って、4足ロボットは、持ち主の人の言葉だけ理解する用に、持ち主の4足ロボットアンテナライトカメラの人の身長のカメラ焦点距離形状の人の身長確認及び、4足ロボットのアンテナライト望遠電子カメラの人の人相記憶システムでは、目及び鼻及び口及び耳及び睫及び髪形及び髪の色及び睫の長さ及びホクロ及び顔の沁み及びホクロの位置を4足ロボットが、書き換え出来ないデーターとして収録している為に誰が話して入るのか、唇の動きを4足ロボットが、アンテナライトカメラが確認して、話して入る人の言葉の発信基を人の言葉を瞬時に音の方向センサー間隔として、電動仕切り弁内蔵高感度マイクをロボットの前後左右上下に二つずつ電波センサーの取り付けた数だけ付けなければ、音の強弱に対して音の発信源位置が、瞬時に確定出来ない為、此のようなロボットの音発信源確認動作及び認識動作及び認知動作出来ない事になる説明で有る。
更に、4足ロボットは、持ち主の顔の動作理解のプロクラミング及び4足ロボット持ち主のしぐさ理解のプログラミングがされている別の4足ロボットプログラミング説明で有る。
従って、主人が少し休むかと言えば4足ロボットは、休むスタイルを、磁極切り換え磁極接合インバータ制御作動出来るレールモーター制御プログラムミング動作スイッチ回路制御作動によって、動物と同じしぐさで休む事が出来る。
4足ロボットしぐさ説明。
従って、4足ロボットが跳ねる為の装置として、4足ロボットの電動仕切り弁構造そして、レールモーターホイスト内蔵の2連結以上モータースクリュー装置そして、重量バランス確認及び認識及び認知センサー装置の圧電素子打撃発電電気量確認装置とデジタル重量計装置が、ここまで取り付く計算になる。
更に、4足ロボットが、飛んだり跳ねたりする為には、別のレールモーターホイストを瞬間に伸ばしたり縮めたり出来る強力スプリングバネ補助駆動レールモーターホイスト装置を4足それぞれ、設置しなければ、跳びはねたりする事は出来ない。                        
更に、強力スプリングバネ補助駆動レールモーター装置は、強力スプリグホイストを縮める為に別の超小型強力中コイル歯車作動モーターを2つ~4つ用意しなければ、強力スプリグホイストを瞬時に連続して縮める事は出来ない。    
その為、超小型中コイル式のモーターの中コイルは、軽水素入りの圧電素子磁石体入りのモーター使用と銅管に、超電導物質を入れた超電導配線を使用するモーター構造になる。
更に、強力スプリング の面に、超小型コンプレッサーの圧縮酸素を噴射する装置に対して平均に酸素圧力が掛かる用に複数穴空きエアー排出口も取り付ける。
別途説明。
超小型コンプレッサーは、4足ロボットの泥落とし及び水切り及びほこりを自分の手足で、取り除く装置で有り、超小型アンテナライトカメラ確認認識で、飛ばして奇麗にするコンプレッサーが取り付けられており、4足ロボットの口装置の電動仕切り弁で布を挟んで拭くまでしか出来ない4足ロボットの、跳んだり跳ねたりする動作が出来る構造説明で有る。
【００９８】
また、第82の課題解決手段として、4足ロボットのアクビ動作とクシャミ動作と物を運ぶ動作しぐさの構造説明を始める。
従って、4足ロボットのアクビの動作表現を入れる場合は、4足ロボット全体が縄型複数レールモーターを使用して作らなければならない。
此の他、4足ロボット口のダブル電動仕切り弁構造使用のロボット構造及びアクビ動作を全レールモーターアクビ動作スイッチ制御回路を内蔵しなければならない事実と4足ロボットのクシャミは、4足ロボットの放射線内蔵液体シリコン合成内蔵のクリスタルガラスパネル装置使用と軽水素入りダイオード温度確認パネル装置の二つの新しい装置付きの4足ロボット電子望遠カメラ装置によって、外気温度と人の24時間監視温度結果から、風邪をひかないように4足ロボット動作しぐさで、人に注意を促す装置説明。
更に、本先知的所有財産の4足ロボットの最大特技は、4足ロボットのおなかにレールモーター収納蓋パネルが設置して有り、4足ロボットの補助水平確認及び認識及び認知装置によって、2足走行が可能になり、4足ロボットの前二つの手の内側に滑り止め透明シリコンゴムによって、ジュースまたは新聞などを掴んで、腹の上のテーブルに物を乗せる事が出来て2足で運ぶ事が出来る4足ロボットの別のプログラミング動作スイッチレールモーター回路説明で有る。
此の場合、4足ロボットのアンテナライトカメラのテレポーテイションカメラの物体形状及び人の形状及び動物の形状及びロボットの形状及び物体などの形状確認及び形状認識及び形状認知出来る4足ロボットのアンテナライトカメラのテレポーテイションシステム積載によってカメラ認識及び確認及び認知連続動作可能にしたロボットテレポーテイション装置。
【００９９】
また、第83の課題解決手段として、4足ロボットの緊急非常回路説明を始める。
従って、4足ロボットに助け及び救助を求めた場合、まず、第一に警察及び消防署に相手の顔姿及び音声を、携帯波の電話映像回路に電波接続して、緊急事態の連絡をして、警察署及び消防署の音声を4足ロボットの金属スピーカーから携帯波音声スイッチ回路を全自動の4足ロボットアンテナライトカメラ人の形状確認及び認識及び認知システムと人の非常音声と確認及び非常音声認識及び非常音声認知の人の声の軽水素入り圧電素子チップのロボットマイク音声確認及び認識及び認知する為の人が救助を求めた場合の人の救助言葉の認識軽水素入り圧電素子ロボットスピーカー音声ICスイッチ回路チップ積載によって、緊急の人の言葉を判断する為の別の軽水素入り圧電素子ロボットスピーカー音声ICスイッチ回路チップによって可能にした、緊急携帯波電話の4足ロボット非常音声回路システムで有る。
従って、夜は緊急連絡し終えた後、現場確認と現場連絡を行う。
更に、緊急事態の状態に応じて全ての電動仕切り弁内蔵ライトシステムが、開いて全てのアンテナライトカメラ作動と全てのライトシステムが、作動する4足ロボットシステムで有る。別途説明。
更に、水発電機などを積載した場合、水発電機に積載して入る2連振り子機械式発電機以外の水発電機4足ロボット電気消費システムプログラムのスイッチセンサー回路緊急人の言葉軽水素入り圧電素子ICスイッチ回路チップによって、水発電機回路に電気が流れて増幅発電するシステム説明になる。                   
【０１００】
また、第84の課題解決手段として、4足ロボットの外皮色を複数の超小型薄型の磁極切り換えの磁極接合のインバータ制御連続作動出来る微調整回転位置制御認識出来る別のスイッチ回路を備えたレールモーター装置に、複数の超小型表が画像パネル装置で、複数の超小型裏が人口毛皮装置の4足ロボット装置は、体の色を画像パネル映像電波位置設定認識色で、複数特立パネルの一つ画像再生装置の映像を組立て別々に組み立てた映像を送って一つの映像にする装置説明で有る。
【０１０１】
また、第85の課題解決手段として、4足ロボットの磁波計測装置説明を始める。
従って、4足ロボットの気象観測装置の中の磁波計測装置は、軽水素内蔵圧電素子磁石体の磁波検知装置を予定している。                                                    
4足ロボットの腹に複数穴空き金属の中に軽水素入りの圧電素子磁石体を内蔵させた独立の電波磁波計測装置で有る。                          
別途説明。
磁波計測装置が、ゲルマニュームラジオなどの電波受信体の検波回路を応用使用した構造で有り、此処の説明では、AMラジオ波の飛び方と飛ぶ方向及びAMラジオ波の乱れ型及び乱れる位置の計測スイッチ回路を別に作る必要が有り、此の場合読む方は気が付いていただけると思いますが、磁波の強い場所にラジオ放送を聞いて入る場合、ラジオ電波に雑音が、入ってラジオ局設定が、不可能になる事が有るのに気が付くと思いますが、実は磁波の発生が、地上付近近くなると、此のような磁波現象が、起こってラジオ波を乱す事が、事実で有り、その為、ゲルマニュームラジオ検波回路装置を使用した装置説明で有るが、地震計測の為のAMラジオ信号波のみを次に地震が予測される地点に置き型のAMラジオ地震磁場波の計測専門の電波を飛ばして地震計測呑みの磁波計測装置として使用する方法が、考えられる。
従って、AMゲルマニュームラジオ検波回路のイヤホン回路(スピーカー回路)に別のダイオード断層AMラジオ波のダイオード受信検波センサー装置に全自動携帯波データー送信装置を取り付けた磁波データー計測装置で有り、此の装置を取り付ける事で、磁波の強弱の装置が有る場所の磁波発生が解り、磁波が強くなる事で、ラジオ装置に電波磁波誘導現象が発生する。
従って、全国の磁波データーが、乗用車などに、積載されて入る磁波計測装置の磁波の検波センサーによって、磁波発生緊急連絡と磁波発生場所と磁波発生年月日時間送信記録出来る磁波計測送信は、車GPS地図の別の磁波発生場所を車及び自動車などの、全自動位置確認及び認識及び認知によって、磁波の強い場所の緊急連絡場所として、衛生GPS磁波データー中継位置の電波送受信番号が、自動車の地図位置別に磁波データー中継所を設けて磁波専門にデーター集計する事によって、磁場の発生後の大きな近くの地震地域の確定の事前の地震注意速報が、取り敢えず可能になる。地震の大きさの計測に対しては磁波の強さなどのデーター集計から基づく地震の大きさの予測速報が、データー集計後に大体の地震規模などの事前予測可能になる。
上記説明から、磁波計測は、複数の車及びバイク及び船飛行機及びトラクター及びロボットの磁波計測装置によって、事前の地震予測が事前予測出来る磁波を計測したデーターを集めて判断する事で、地震の事前予測可能になる説明とする。
コメント
2008年9月13日PM15時6分38秒大雪山も、白雲なりて、風は少し有るが、暖かいまだ夏そして、美馬牛カンキチ少し小休止する。 
2008年9月13日PM15時49分21秒ヒバホームへ散歩バッタは、夜の寒さに少し行動範囲がにぶりカボチャの葉は弱い霜で終わり、散歩がてら隣の友人は、どうやら縄張り争いにで、名誉の負傷少し同情心に基づき負けるが勝ちそして価値だと言って来たが、良く自分の親戚などでは、2O年以上居候した話だとか、あまり食欲が良くて2倍になった話を聞くが皆元気で、暮らす事を願う美馬牛カンキチで有る。   
2008年9月13日PM17時14分22秒から17行目から再び書き始める美馬牛カンキチ。
【０１０２】
また、第86の課題解決手段として、4足ロボットの内蔵プロペラ装置説明始める。      
従って、4足ロボットは、無害無給油の連続した発電機の電気エネルギーによって、モーター作動する4足ロボットで有る。
そして、4足ロボットは、水中の海底地図を内蔵して、道路地図及び歩道地図及び農道地図及び林道地図及び私道地図及び公園地図及び動物数世帯主地図及び土地所有主説明地図などが全て書き込まれた地図の他、上空から見た地上と海上の経緯度の細かい衛生位置GPSの山岳ロボット位置確認出来る地図と水平距離から見た横からの飛行高度計経緯度書き込みの高度位置が解る地図を積載しており、電波高度計によって4足ロボットの高度経緯度地点を決定する。
従って主プロペラを4足ロボットの背中部分に磁極切り替え型の磁極接合インバータ制御作動出来るレールモーター装置の2連結以上モータープロペラ装置の送り出しレールモーター装置によって、更に電動仕切り弁2連結以上モータープロペラのストッパー装置によって、プロペラモーター固定する事が出来る4足ロボットの主プロペラ装置説明で有る。
そして、2連結以上モーターの内コイル板は、高出力モーターコイル板にする為に、コイル板の内側を、刳り貫いて、削り取った場所に軽水素入りの圧電素子磁石体を入れたコイル板構造に超薄型のステンレス板を貼り付けたコイル板構造にコイルを巻く事で、最初から磁石体のコイル板にコイルを巻く為、少ない電気で電磁石コイル板になる。
軽水素内臓の圧電素子磁石体は、電気反応の早い軽水素を使用している為、軽水素入りの圧電素子磁石体は、電気反応が早くなる。
更に、軽水素の説明としては、水素ニッケル充電池の充電完了がが、15分から20分で済む事実は、水素ニッケル充電池を実際に使用した人は、充電事実説明から理解いただけた上で、水素は、重水素つまり、プルトニューム入り水素になり、軽水素は、プルトニュームを取り除いた水素説明になる。
次にプルトニュームは、熱エネルギー集合体の為、充電スピードを遅くしている物質のウランが入って入るからと言えるウランは、240度位まで、温度を上げなければ核融合分裂しない、すなわち電気充電する場合、軽水素の場合Pのリンだけのはずで有り、電気抵抗は、あまり感じられず充電完了の物質になる。理由は、重水素のプルトニュームは、240度近くの温度まで、上がらなければ、ウランの核融合分裂が無く、恐らく通常温度で、純度100のウランに100度維持の電気の照射を、しても、ウランとニッケルの電気充電より、軽水素のPとニッケルの電気充電に対して軽水素のPすなわちリンの方が、遥かに電気充電が、早くなる結果をおそらく誰もが見る事になる。
すなわち、軽水素が、電気熱のまま吸収つまり、Pのリンの電気吸収充電スピードが通常の水素より、早い理由は、ウラン自体は、240度まで、温度が上がらない限り核融合燃焼しない。
所が水素自体は、通常のライターの火で、燃焼してしまう事実結果を見る。
従って、重水素を取り除いた軽水素は、電気充電スピードが早い電気反応の早い物質説明になる。
従って、軽水素内臓の圧電素子磁石体は、電気反応がなおさら早くなり、軽水素入り圧電素子磁石体コイル板構造体は、少ない電気で、コイル板の磁極板になり、鋼鉄板部分から軽量の軽水素入り圧電素子に変えた為、内コイル板は、超軽量で、少ない電気量で超高速回転する内コイルの2連結以上レールモーターのモーター超高速軽量回転理由説明になる。
後部プロペラの代変えは、4足ロボットの後部電動仕切り弁内蔵スクリューモーター装置へ他の電動仕切り弁構造からエアーを2連結以上モーター吸引プロペラ装置で、吸い込んだエアーを吸引して、4足ロボットの後部電動仕切り弁内臓スクリューモーター装置からエアーを吐き出して空を飛ぶ装置で有り、4足ロボットの前の手の二つのスクリユー装置と後ろの二つのスクリュー装置は、エアーバイパス官を取り付けて、バランスを取る為の装置で有り、上空の気象観測も、観測可能な4足飛行装置付きロボット。
【０１０３】
また、第87の課題解決手段として、4足ロボットは、水中ソナー波キャッチボデイーに、前の手の中に電動仕切り弁内蔵の構造のウオータージエット放水装置を両足に取り付けサイドバランサー調整水中遊泳するため後部の二本の足に取り付けられて入るウオータージェットポンプで、バラスを主体とした水中走行推進装置で有る。
更に、4足ロボットの後部に4ケ所の電動レールモーター仕切り弁装置に内蔵した2連結以上モータースクリュー装置。
【０１０４】
また、第88の課題解決手段として、4足ロボットの風力方向計測装置は、電動仕切り弁装置に内蔵してある装置で有り、超小型計測装置の風力プロペラは、短くしてダイナモは、通常ダイナモでも良いと考える。
場合によっては、軽水素入り圧電素子磁石体内蔵のダイナモ装置を使用した風速計測装置も有る。
方向計は、風力計に超小型なのが付いて入る装置で有り、レールモーターホイスト装置が伸びて風力風速計になる装置構造説明。
【０１０５】
また、第89の課題解決手段は、4足ロボットの気象観測用のブラック軽水素内蔵の炭素シリコンソーラーパネルは、少ない太陽光線でも、発電可能な太陽光計測装置の構造説明を始める。
従って、太陽光の熱吸収発電効果の最大限の黒色の炭素合成シリコンに電気反応の早い軽水素を内蔵させた、ソーラーパネル太陽光計測装置は、少ない時間でも、急速発電可能な太陽光発電装置パネル。
【０１０６】
また、第90の課題解決手段は、4足ロボットの煙センサーは、煙を感知した場合、ロボットカメラ確認及び火元認識及び火元認知連絡出来る4足ロボット煙センサー装置説明で有る。
【０１０７】
また、第91の課題解決手段は、4足ロボットの電動仕切り弁内蔵の超小型水位センサー水位記録位置携帯波連絡装置説明を始める。
電動仕切り弁内蔵の雨量計装置は、雨量測定が、終わると、バイパス官を通じてロボットの体を洗う洗浄水として使用出来る雨量計装置は網付きの雨量計装置で有り、雨量を計測する装置は、複数の電波発進装置と複数の電波キャッチ体の付いた丸浮き装置入りの水位センサー装置で有り、水量の量によって浮きが、電波遮断して全自動で水位量を全自動連絡出来る装置で有り、アンテナライトカメラ内蔵の雨量計装置説明は、少ない量の雨量測定観測を目的とした全自動雨量アンテナライトカメラ雨量アンテナカメラデーター携帯波連絡装置で有る。
そして、更に少量の雨量を計測する為に、高感度雨及び氷計測高感度スピーカーマイク装置を積載内蔵させた、雨量計測装置の雨量取り入れ口に高感度スピーカーマイク内蔵の雨及び氷の計測装置説明で有る。
【０１０８】
また、第92の課題解決手段は、4足ロボットの持ち主の家から活動出来る範囲内の建物及び看板文字をロボット電子望遠カメラ内蔵の軽水素入りダイオードパネルによって、文字看板の文字形状を望遠電子カメラ形状軽水素入りダイオード確認及び認識更にインターネットロボットデーター収録装置場所固定位置と人口衛生固定位置の二つの固定位置と、4足ロボット位置を電波速度距離確認で結ぶ4足ロボットGPS地図の位置確認及び認識に対して、4足ロボットの望遠電子アンテナライトカメラの文字データー軽水素ダイオーパネル読み込みによって、文字看板位置をロボットデーターインターネット確認装置によって、4足ロボット位置を確定して、目的地を衛生GPSもしくは山岳ヘリコプターロボットの無線波位置三角点電波位置地図の固定位置2ケ所設定確定して、4足ロボット位置を計算する方法などの二種類の4足ロボット地図位置設定及び確認及び二つの地図認知技術によって、4足ロボットの地図上の位置が確定される。
従って、4足ロボットの地図書き込みとして、軽水素入り圧電素子磁気書き込み技術として二つの4足ロボット地図位置確認及び細かな地図位置認知によって、予め4足ロボット用に作られて入る磁気書き込み用の磁気地図データーをロボットデーターセンターからの携帯波インターネットデーター送受信によっての4足地図書き込み用地図送信技術か4足ロボット表裏両面卵型空洞MDのCDの中心部に薄く圧電素子磁石体を内蔵させた地図書き込み用の磁気装置か、超小型の圧電素子磁石体カードの電動仕切り弁内蔵型にした4足ロボットの道路ラインと住所書き込み呑みの簡単な地図に4足ロボットの足取りを磁気書き込みの為の軽水素入り圧電素子磁石体の磁気書き込み装置説明で有る。
先知的所有財産の名称説明
無害無給油連続作動発電機と磁極切り換えインバータ制御レールモーターと衛生道路ロボッ
ト地図と無線波三角点電波位置地図とロボット電波センサーとロボットカラーライト色ライトライン装置とカメラ焦点距離位置軽水素ダイオードパネル光度被写体距離確認認識装置とカメラ被写体形状認識確認報告ロボット圧電素子磁石体ICチップ音声発声システムと各電波ソナー波変換装置とロボット金属マイク耳と、ロボット金属スピーカー音声発声装置とロボット指10センサーとロボット補助周囲確認山岳ヘリコプターアンテナライトカメラロボット状況連絡装置などによって、全自動インプット作動出来るロボットアンテナライトカメラ被写体確認認識及び被写体状況ロボット確認認識ロボット音声発声及び、ロボッ
ト携帯波インターネット情報の人の声音声読み取り、文字変換し情報処理して、ロボット音声発声処理出来る多機能ロボットの簡略化した文書説明。
先知的所有財産発明の経緯
先知的所有財産発明の経緯とは、特許法第一条では、発明考案の保護を、特許法で謳い発明の利用を図る事と書きながらの特許187条では、特許表示義務まで至ってないそればかりか、特許法の特許庁職員言い分は、先発明より後の発明に対して他の人間が発明の特許提出を、先発明者の特許提出を、特許庁にした場合、先発明横領が、特許法で、認められる。金の無い弱者に対しては、金と暇がなければ、特許提出など、いつになるかは解りませんなの言い方にも聞こえてくる特許庁の平等な人権になっていない、特許提出と特許認定と特開公開表示義務つまり先知的所有財産権の公開義務を、行わない特許庁のため、誰がいつ何処でどの様に発明したのかも、解らない状態のまま、弱者に先知的所有財産発明考案日の個人調査つまり、弱者に金を遣わすだけの特許法しか書かない、エリート大学出の考え方を、公開のテレビ局などで、個人それぞれから、話を聞く時代が実際に来てしまった事。
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させるのテレビ発言で墫野和夫が、先知的所有財産の内の発明と考案の略図及び文章を、北海道知事に郵便手紙確認保管してもらう。この事は信用の有る民主党本部共産党及び朝日テレビなどにも、現在の子供達に借金苦を、味合わせないために、行った事である。
先知的所有財産公開提出の意図
特許法第79条(先使用による通常実施権)とは
特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をしとまず特許法に書かれているが、特許出願作品に対して特許庁が、出願と同時に審査請求つまり、同一特許作品を、いち早く特許庁は、職権義務公開しなければならないと言える。理由として、発明考案つまり、知的財産とは、先発明及び先考案及び先知的所有財産者が、同一の後発明又は後考案又は後知的財産によって先発明及び先考案及び先知的所有財産を、超えた同一発明の利益は、横領としか考えられない。
理由として、言い換えれば特許切れ又は著作権切れの先知的所有財産物に対して同じものを、作っても現在の法律では、違法とは、書いてないが、同一先知的財産権期限切れ商品を、複数の者が作った場合、国の財政経営に対してインフレとデフレを、同時に二つ作る事となり、知的所有財産権期限切れの商品を、国が作って国民全員に平等に配布しない限り所得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンとポストを、国が国営の会社として作るべきである。
先発明及び先考案及び先知的所有財産の郵便物送付目的意図   2008年5月1日21時3分自宅 美馬牛 
知的所有財産とは、発明及び考案及び植物の新品種、意匠、著作権物その他の人間の創造的活動により生み出されるもの(発見又は解明かされた自然の法則又は現象であって産業上の利用可能性があるものを、含む。)。商標、商号その他事業活動にもち入れられる商品又は役務を表示するもの及び営業秘密その他の事業活動に有用な技術上又は営業上の情報を言う。確かに上記に述べたのが知的財産であるが、先発明日及び先考案日又は先意匠又は先著作権などの、日付が明白でなければ、現在の子供達に、国会議員が、国と地方の全額借金返済させる事を、国会議員が、テレビカメラの前で、言った事は、事実であった。この事実に対して墫野和夫が、先発明及び先考案及び先意匠の事実を、郵便封筒日付消印永遠保存によって現在の子供達及びこれから、生まれてくる子供達を、救う事が、出来ると考えたからである。
先知的所有財産の個人先発明財産証明の現行2008年の法律と先発明と先考案保護に一番近い特許法の法律文書解釈
現在の特許庁職員の職務として、特許法第一条は、完全に発明の保護と考案の保護が、書かれている事実であっても、特許法39条(先願)同一の発明について異なった日に二つ以上の特許出願が、あった時は、最先の特許出願人のみが、その発明について特許を受ける事が、出来る。  
上記の特許法第39条(先願)に対して検証して見ます。
同一の発明について異なった日に二つ以上の特許出願が、あった時は最先の特許出願人のみが特許を、受ける事が出来る。この場合特許提出が、異なった日であるから、先提出が、特許認定なのは、正しい。だが、同一発明の場合、先に発明していた事が、明らかに証明一例では、既に公開していて、他の者に先特許提出された事で、先発明の先知的所有財産の先発明権利を、失うとするならば、この世の中は、金があれば、後発明でも、貧乏人より、先に特許提出した者が、先知的財産言うなれば先発明の権利を、後発明が、奪う事となれば、莫大な先知的所有財産の横領又は奪う行為を、許す特許法になってしまうのが、残念である。
先知的所有財産の個人先発明財産証明の現行2008年の法律と先発明と先考案保護に一番近い特許法の法律文書
【発明の効果】
【０１０９】
上述したように本先知的所有財産の先発明及び先考案使用の多機能全自動ロボットは、二つのロボット地図を山岳ヘリコプターロボットの固定位置と人口衛生の固定位置を使用した多機能全自動ロボットは、無害無給油連続作動発電機と高出力2連結以上モーターと磁極切り換え型及び磁極接合型及びインバータ制御可能なレールモーターを使用し水中観測及び空と陸の観測機器を積載した4足型多機能全自動インプットロボットを提供出来る。
【０１１０】
また、地震災害及び火事災害現場及び海上の遭難者救助高い山での遭難者救助及び有毒ガス現場などでの人命救助及び水中事故の災害復旧作業などに、今まで救助不可能とされて来た悪天候でも、強い強風の影響の少ない最上階上空飛行の山岳ヘリコプターの位置早い電波位置発進超小型自動電池装置積載の救助服を着た場合に限りのどんな悪天候でも、水中及び大荒れの山でも、救出出来る多機能全自動インプットロボットによって、今まで不可能とされて来た人命救助を可能にする効果を発揮するもので有る。
【図面の簡単な説明】
【０１１１】
【図１】全自動インプット人型ロボットの正面全体説明図。
【図２】全自動インプット水陸空人型ロボットの正面全体説明図。
【図３】全自動インプット8点走行車輪型ロボットの全体説明図。
【図４】全自動インプット人型ロボットの横と後ろの下半身部の説明図。
【図５】全自動インプット山岳ヘリコプターの全体構造説明図。
【図６】全自動及びリモコンの超小型ダブルヘリューム気球説明と人型ロボットの腕の全体説明図。
【図７】全自動インプット人型ロボットの手の部分の全体説明図。
【図８】全自動インプット段数ソナー装置の全体説明図。
【図９】全自動インプット型の海底固定型水中ロボット位置連絡海底位置GPS装置全体図。
【図１０】全自動インプットロボットの映像回路装置説明図。
【図１１】全自動インプットロボットの軽水素入り圧電素子ICチップ音声発声装置説明図。
【図１２】全自動インプットロボットの指感知センサーとロボットスピーカー音声発声までの流れを説明した図。
【図１３】全自動インプットロボットのエアー及び油圧レールモーターホイストの説明図。
【図１４】全自動インプットロボット電動仕切り弁装置の四角形型円形型の全体説明図及びロボット介護シーツ説明全体図。
【図１５】全自動インプットロボットの4足ロボットの全体説明図。
【図１６】全自動インプットロボットの4足ロボットの上面説明図。コメント2008年9月14日PM16時14分27秒図17からの分の図番号書きをしばらく手書きで始める。2008年9月15日PM14時14分13秒漸く図面番号書き終え再び書き始める。美馬牛カンキチ。コメント2008年9月15日PM16時53分2秒大雪山晴れの中クッキリ一日漸く図17の説明から始まる美馬牛カンキチ。
【図１７】2001年5月10日北海道道庁広報広聴第3ー37号の墫野和夫の先知的所有財産の先発明原本及び先考案原本及び後書きの先発明原本後書き及び先考案原本の後書きの郵便物受理書図。
【図１８】2001年5月2日の水発電機のニクロム線使用の原本途中図。
【図１９】2OO1年5月おそらく2日の水発電機使用原本説明図。
【図２０】2001年4月30日の後書き原本で有り、2001年2月中旬頃に北海道の借金返済の為、先考案した永久電池使用の発電池を使用した全自動掃除機の原本後書き説明図。
【図２１】2001年4月30日の後書き原本で有り、2001年2月中旬頃に北海道の借金返済の為、先考案した永久電池使用の発電地を使用した全自動ニヤンワンゲームの将棋及びチェス及び碁及びトランプカードの後書き原本説明図。
【図２２】2001年5月1の2連結以上モーター特開2004ー304993号公報の先発明を証明する為の2連結以上モーターの5つコイル連結のモーター原本説明図。
【図２３】2001年5月3日の永久電池を使用した他の財産の位置確認を使用した位置認識送信装置で、有りこの当時ナビケイシヨン電波受信して事故防止を考えて有った著作権考案。
【図２４】2001年5月5日の海底の土砂または財宝を処理する機械の説明証明図。
【図２５】2001年5月5日の水中ロボットの構造説明文書図。
【図２６】2001年5月5日のこの当時の永久電池付きの海底地震計及び海底温度計内蔵のドリルロボットナットの説明図。
【図２７】2001年5月5日のカメラ付き携帯波電波小型中継基地の永久電池付きのリモコンヘリコプターの先考案文書説明原本図。
【図２８】2001年5月5日の後書きの永久電池内蔵の電波発振装置付きの鉄道の忘れ物を無くす為に先考案した著作権原本図で有り後の自動電池などに変わって行く為の先考案原本文書図。
【図２９】2001年5月6日最初の頃の人型介護ロボットの物体確認及び認識技術に於いて、電波発振器を取り付けた移動式の全自動食器洗い機で有り、電波センサー使用と天井地図電波位置連絡装置付き室内地図認識確認の人型介護ロボットの当時の簡素なロボットの原本文書図。コメント2008年9月15日PM18時12分29秒小休止する美馬牛カンキチ。2008年9月15日PM19時2分11秒夕食のサバの味噌煮の官詰めの食事を終え再び書き始める美馬牛カンキチ。
【図３０】2001年5月7日の当時原子力廃棄物処理に対しての永久発電機使用のアンテナカニ型天井地図位置確認認識の電波センサー使用の無線ロボットの文章図。
【図３１】2001年5月7日当時の原子力廃棄物処理に当たって当時は、アンテナライトカメラ連絡ロボットカメラ装置文書説明図。
【図３２】2001年5月7日当時の原子力廃棄物官の全自動ロボット処理とリモコン処理の考え方に基ずいて、原子力廃棄物を入れて置く錆びないアルミニューム合金官を使用した原子力廃棄物処理ロボット。
【図３３】2001年5月7日後書きの現在のレールモーターの基本となる板磁石モーターで有り、2001年2月頃の夜PM19時頃のテレビのトンネル火災事故を受けて消火栓をボタンでレールモーター板磁石の磁極切り換え作動の磁極接合ストップ作動出来るイバータ制御レールモーター装置の消火栓移動場所などの設置場所を説明した文書図。
【図３４】2001年5月7日北海道道庁広報広聴3ー39号の墫野和夫の先知的所有財産の先発明の原本及び先考案の原本及び後書きの先発明原本と後書きの先考案原本の郵便物受理書図。
【図３５】2001年5月22日北海道道庁広報広聴3ー54号の墫野和夫の先知的所有財産の先発明原本道庁証明及び先考案原本道庁証明及び後書きの先発明原本及び先考案原本の北海道道庁郵便物受理書図。
【図３６】2001年5月15日当時北海道の借金返済の為、コマーシヤル専門のデーター作りロボットの半分リモコンのロボット自体が地図位置確認及び認識出来るこの当時は永久電池つまり、現在の自動電池内蔵のロボットによって、自然保護観点重要視ロボット。
【図３７】2001年5月16日の携帯電話またはロボットなどのインプットなどの一例を書いた説明文書図。
【図３８】2001年5月17日の永久電池を大きくした永久大型電池つまり、現在の2連振り子型機械式発電機の有り方文書説明図。
【図３９】2001年5月18日二回目の板磁石モーターの原本説明図で有り、磁極切り換えインバータ制御作動しか作動出来ない全て電磁石の二つの円形図で有り、作動させる為には、電磁石接合面の磁極切り換え作動のインバータ制御作動でしか作動しないレールモーター装置説明の原本図。
【図４０】2001年5月20日海の海難事故の救助の為の衛生海底地図GPS位置確認認識の水中ロボットで有り、大型永久電池積載のつまり、現在の機械式発電機積載及び永久発電機つまり、現在の水発電機積載の水中ロボットで有り、救助される人は、永久電池内蔵の衛生位置確認出来るチョッキ型浮き袋の衛生波位置確認によって、水中ロボットが人を救助する簡単な文書説明図。
【図４１】2001年6月2日二回目の永久発電機の簡単なシステム説明文書図。
【図４２】2001年6月8日この頃既に、永久電池と永久発電機が、見通しが付いた為電池税カードと電気税カードを視野に入れた話を北海道知事を通して大学に話す予定をしていた頃の事実説明文書図。
【図４３】2001年6月16日~17日の飛行機専門のモーターコイル中抜きの失敗作品の説明図で有るが後に軽水素入り圧電素子磁石体のコイル板中抜き部分に入れて再び、超薄型ステンレス板を軽水素入り圧電素子板磁石体の穴埋めした後に被せる構造とした、軽量コイル板の高出力中コイル軽水素入り圧電素子磁石体の超軽量高出力コイル板モーター説明は、2002年9月に圧電素子磁石体入り後に軽水素圧電素子磁石体入りの超軽量高出力モーターの複数の先発明及び先考案を経て現在の超軽量高出力中コイル板モーター説明になる発明経緯の文章説明図。
【図４４】2001年7月4日のナビゲイションロボットのシステム文章説明図。
【図４５】2001年7月4日の2001年2月中旬のニヤンワン全自動掃除機の液晶テレビにスキャナ装置を更に付け加えた構造のニヤンワン全自動掃除機のテレビ装置部分の改良説明。
【図４６】2001年8月17日後書きの2001年2月から3月上旬に掛けて先考案して有った半分の上が魚眼レンズで有り、半分から下がとつレンズの一つ削りのカメラレンズで有り、魚眼カメラレンズの画像組たて直し及び引き伸ばし補正などによって、より多くのカメラ視野の広い情報を一瞬にして得る理由にふさわしいロボット周囲確認の為のロボットカメラの必要性説明。
【図４７】2001年8月17日の後書きこの頃の全自動ロボットの電子カメラ読み取りのテレポーテイション及び電波センサー(音波センサー)の電波の反射受信によって、ロボット組み立て用ボルトナット位置を全自動確認して、電気製品及び車などの全自動組み立て技術説明とする。
【図４８】2001年8月19日のロボット地図書き込みの別の地図書き込み説明で有り、ロボットの電子カメラ読み取り確認及び認識装置及び認知装置のテレポーテイションなどの技術によって、ロボットの全自動走行を確定的にしていた文書説明で有り、2OO1年5月中旬頃からの全自動ロボット設定予定と共にカメラテレポーテイション技術と共に新たなロボット救助によって、人の救助出来る事を願っての文書説明で有る。
【図４９】2001年8月19日この当時多くなって来た事故に対してレンズライトによって、より遠くまで、ライトの光りを飛ばす事の出来る2001年7月末の昼頃に考案して有ったレンズライト装置。
【図５０】2001年8月27日北海道道庁広報広聴第3ー187号の墫野和夫の先知的所有財産の先発明原本説明と先考案原本説明で有り、後書きの先発明後書き原本説明と後書きの先考案後書き原本の北海道庁郵便物受理書図。
【図５１】2001年8月29日北海道道庁広報広聴第3ー192号の墫野和夫の先知的所有財産の先発明原本説明と先考案原本説明で有り、後書きの先発明後書き原本説明と後書きの先考案後書き原本の北海道庁郵便物受理書図。
【図５２】2001年7月19日のニャンワン全自動掃除機の別の地図読み込みシステムの2001年2月中旬頃の後書き掃除機説明図。
【図５３】2001年7月19日のニャンワン全自動掃除機の2001年2月中旬頃の天井電波発射型のニャンワン全自動掃除機天井電波位置設定の室内地図内蔵の全自動ニャンワン掃除機説明文書図。
【図５４】2001年7月22日の後書き三回目の板磁石モーターつまり現在のレールモーターの構造説明図。
【図５５】2001年7月22日の二枚目の後書き三回目の板磁石モーターつまり現在のレールモーターの構造説明図。
【図５６】2001年7月24日の情報装置の有り方文書説明図。
【図５７】2001年7月24日の情報装置の有り方二枚目の文書説明図。コメント 2008年9月15日PM23時52分37秒本日ここまでとして眠る美馬牛カンキチ。2008年9月16日AM9時9分37秒白雲の大雪山朝の晴れやかな朝なり手朝食終え再び書き始める。美馬牛カンキチ。
【図５８】2001年8月28年後書きの耳掛け型のアンテナ自動電池内蔵の脈拍数及び体温測定を兼ねたアンテナイヤホン装置の文書説明後書き原本図。
【図５９】2001年6月29日この頃新しいカメラの合成写真で、バブル崩壊後の北海道庁財政を立て直すべき新商品として、デジタルカメラに好きな人及び好きな動物及び好きな風景に自分の写真をデジタル記憶した写真被写体形状データーとして、同一他の風景写真の中にあたかも実際に居たかのように取り込んだ写真に出来る装置。
【図６０】2002年2月21日北海道道庁広報広聴第3ー368号の墫野和夫の先知的所有財産の先発明原本及び先考案原本及び後書きの先発明の後書き原本及び先考案の後書き原本北海道道庁郵便物受理書。
【図６１】2002年1月11日新しいニャンワン全自動掃除機の前腕部分を超小型モーター改良して、新聞などを挟んで持って来るようにテレポーテイション被写体確認及び認識して、運ぶ事が、出来る全自動掃除機を一部分ロボット改造した全自動掃除機装置。
【図６２】2002年2月5日介護人型ロボットの金属センサー金属探知ロボット指確認及びテレポーテイシヨン物体形状確認及び物体形状認識及び物体形状認知システムによって物体の形及び物体の識別と物体の金属の種類確認及び区別確認及び物体形状の更なる電波センサーロボット電子カメラの物体凹凸設定及び確認の認知によって、更にロボットのモーター作動位置データー認識によって、物体の大きさなどの再チェック確認する事で、全自動介護ロボット作りをこの頃考えていた文書説明図。
【図６３】2002年1月16日ロボットの目の部分を魚眼レンズととつレンズを使用した一つ削りロボットカメラレンズ説明文書図。
【図６４】2002年1月19日ロボット動力の機械式発電機の何回目かになる作動構造簡略文書説明図紙シュレッター地図内蔵のボタン位置インプットモーターロボットの文書略説明図。
【図６５】2002年1月19日改良型のニャンワン全自動掃除機で有り、赤外線電子カメラ装置取り付け装置のゴミ確認センサー装置の確認及び認識装置で有る。
【図６６】2001年10月10日この頃から日付の他に時間をいれた発明考案の著作権物とした頃の後書き2001年8月頃のロボット原本図。   コメント 2008年9月16日(火)AM11時38分29秒から再び書き始める美馬牛カンキチ北海道知事に先知的所有財産の郵便物として国と地方の全額借金返済活動の続きとして出して来る。
【図６７】2002年3月22日北海道道庁広報広聴第3ー410号の墫野和夫の先知的所有財産の先発明原本の先考案原本及び後書きの先発明の後書きの原本及び先考案の後書きの原本の北海道庁郵便物受理書図の先発明証明原本図。
【図６８】2002年3月7日のロボットのへの字になる縄型レールモーターホイスト使用によって、クッションロボット足制御の文書説明図。
【図６９】2002年3月7日のロボット重心全自動調整の電磁石調整スプリング装置と重量計算出来る磁極切り換えの磁極接合のインバータ制御出来るレールモーターホイストを積載したロボット足の人型ロボットバランス装置説明の為のロボット部品の略説明図。
【図７０】2002年3月8日の人型ロボットなどの2連結以上モーター使用と2連結以上モータースクリュー装置積載必要性の為のチェック図。
【図７１】2002年3月16日の前後を同時に撮影出来るカメラデザインの著作権原本図。
【図７２】2002年3月17日の盗難防止の為のニャンワン全自動掃除機の魚眼とつレンズの合わせレンズの文書説明図。
【図７３】2002年3月17日のテレビ人形ロボットの盗難防止連絡装置の後書きの複数カメラの著作権原本図。
【図７４】2002年3月19日のアンテナモーターカメラすなわち磁極切り換え及び磁極接合のインバータ制御出来るアンテナロボットモーターアンテナカメラの文書説明図。
【図７５】2002年3月19日の水中ロボットのアンテナモーターライトのライト設置位置の説明原本図。
【図７６】2002年3月19日の小型船などに取り付けたリモコン式のアンテナライトカメラ付きの水中アタッチメントロボット装置の構造説明図。
【図７７】2002年3月19日の人型ロボットの金属センサー付きのアタッチメント交換の人型ロボット略図。
【図７８】2002年3月19日のニャンワン全自動掃除機にゲーム機能を持たせた全自動掃除機の著作権文書図。
【図７９】2002年3月19日のトラクターのロボットアタッチメントの構造説明図。
【図８０】2002年3月20日の人型ロボットの4本手装置の著作権略説明図。
【図８１】2002年3月27日北海道道庁広報広聴第3ー412号の墫野和夫の先知的所有財産の先発明原本文章図及び先考案原本文章図及び後書きの先考案後書き原本図及び後書きの先発明原本の北海道道庁郵便物受理書図。
【図８２】2002年3月20日の人型ロボットの後書きの電波センサーの両足位置と後書きのロボット電話全自動連絡装置説明文書図。
【図８３】2002年3月23日のリモコン消化ロボットの携帯リモコン消化ロボットの著作権説明図。
【図８４】2002年3月23日の人型観光案内ロボットのシステム構造説明の箇条書き説明と水中ロボット合体の箇条書き説明文章図。
【図８５】2002年3月22日のおもちゃロボットの超小型のICおもちゃロボットの音声記録装置に伴う超小型電波センサー等によるおもちゃロボット音声発声装置の簡単文書図。
【図８６】2002年3月22日のこの当時はまだ、リモコン式の機械式発電機積載のロボット草刈り機著作権説明図。
【図８７】2002年3月22日の人がリモコン装置の文字ロボット無線波連絡及び携帯電話機能の携帯電話文字書き込み通信によるロボットが、携帯電話の文字認識及び文字選択してロボットが感情を付けた言葉を選んでロボットスピーカーから発生する装置の著作権説明図。
【図８８】2002年3月22日の人型ロボットのアンテナライトカメラによって、ガスセンサーのカラー色の検知ランプを人型ロボットのダイオード識別確認及び認識及び認知センサーによって、携帯波連絡出来る装置の先説明の為の著作権説明。
【図８９】2002年3月22日のロボットアンテナ望遠カメラのカメラ映像写真のインプットテレポーテイション選択自動スキャナ装置及びロボット補助カメラ設置及び山岳ヘリコプターロボットカメラなどの半分リモコン衛生GPS地図内蔵ロボットの説明図。
【図９０】2002年3月22日の電圧電力の電磁誘導センサーのロボット電磁誘導スイッチ回路のロボット音声スイッチ回路接続のロボット磁気IC音声装置の一体化スイッチ回路の略説明図。
【図９１】2002年3月22日のロボット磁気ICチップの内蔵言葉に対してロボットテレポーテイションロボットカメラ被写体形状確認に対して被写体の大きさによって判断するロボットカメラの被写体形状の大きさをロボット被写体形状のデジタルデーター比較によって、年齢を判断して、テレポーテイション被写体形状スイッチ回路によって、ロボットICチップ音声回路に繋げて判断するスイッチ回路システム装置の略説明で有り、ロボットが、人の脈拍の計測を、実施し全自動計測して携帯波連絡出来るロボット情報著作権説明図。
【図９２】2002年3月22日のロボットアンテナライト電子カメラのバーコードの全自動読み込みによって、登録バーコード全自動データー詮索によって、持ち物の所有権説明出来るシステムで有り、他のロボットセンサースイッチ磁気IC回路作動のロボット音声スイッチデーターICチップスイッチ回路のロボット音声の著作権説明図。
【図９３】2002年3月22日のロボットのインターネットデーター全自動詮索スイッチ回路とロボットの各それぞれのセンサー反応感知電気回路のロボット音声データースイッチ回路に連動されているロボットセンサー言葉が、ロボットセンサー装置反応によってロボットが、全自動で、話す仕組みを簡単に説明した文章説明図。
【図９４】2002年3月22日の人型ロボット一体型の山岳ロボットは、衛生GPS位置ロボット地図を内蔵させてアンテナライトカメラを積載して、物体確認認識装置の電波センサー送受信装置積載によって、物体の場所を避けて飛行機地図に従って、人型ロボットに距離を保って追尾全自動走行または飛行して、音の初震源などを全自動確認して、山岳ロボットデーターとして、人型ロボットへデーターを全自動で送る人型ロボットのシステムの簡単な説明文章図。
【図９５】2002年3月22日の人型ロボットの各ロボットセンサー電気スイッチ回路に連動したロボット音声スイッチIC回路チップのロボット音声言葉の略説明文書図の続き説明図。
【図９６】2002年3月22日の人型ロボットの活動範囲のロボット言葉データー地図またはロボットデーター登録によって、ロボットカメラテレポーテイション被写体形状確認の他ロボットアンテナライトカメラの被写体距離確認によって物体の長さ大きさのロボットカメラ焦点距離計測及び被写体形状範囲によって、物体及び人及び動物の大きさ及び長さなどをダイオード光り電気検知スイッチ回路のデータースイッチ詮索回路によって全自動で、ロボット磁気ICチップ音声回路の音声ロ ボット音声発声になるのだが、全てロボットデーターのスイッチ回路の詮索呼び出し技術になり、スーパーコンピューターなどが、この頃でも、本来は必要視されたのは、情報量全てにロボット音声言葉の速やかな回答のロボット音声発声技術は、この頃でも、ロボットを作る者の夢に近いロボットデーター音声発声の世界最速技術が、求められていた頃の著作権文章説明図。
【図９７】2002年3月22日の人型ロボットのセンサー別のロボット言葉の続き説明文書図。
【図９８】2002年3月22日の人型ロボットのロボットセンサースイッチ回路別のロボットスイッチ回路別のロボット言葉の続き説明文章図。
【図９９】2002年3月24日の人型ロボットのロボットセンサー別のロボットスイッチセンサー回路のロボット言葉の続き説明文章図。
【図１００】2002年3月22日の人型ロボットの衛生GPS位置ロボット地図及び山岳ロボットのアンテナライトカメラ及びロボット山岳ヘリコプターの電波センサーの送受信装置によって空中の被写体距離を全自動把握して、人型ロボットの位置をいつでも把握しながらインプットした作業が終了し終えたら全自動インプット山岳ヘリコプター機能は、全自動帰還スイッチ地図回路に移って全自動作動する山岳ロボットシステムで有る。
【図１０１】2002年3月22日の人型ロボットの自己学習記録全自動システムのロボット地図書き込みの簡単な著作権説明の為のロボット説明図。
【図１０２】2002年3月22日の人型ロボットの音声読み取り人型ロボットアンテナライトカメラの人の被写体形状に伴うロボットカメラ被写体の人認識回路及び人の音声耳マイク録音音声及び被写体の動く姿のジエスチャー人被写体形状動画の全自動読み取り回路の設置に伴う人のジエスチャー動作組み立て動作判別被写体スイッチ回路データーの設置に伴う動画のロボットアンテナライトカメラの被写体動画の動作認識及び被写体動作確認及び被写体動作認知間での、ロボット磁気ICス イッチ回路チップ音声発生の略説明文書図。
【図１０３】2002年3月22日の人型ロボットのロボット設定動作全自動修復装置は、ロボットの各センサーを多くする事で、全自動操作などに対応したロボット動作記憶修復全自動回路の作動させる為に複数ロボット各センサーが、複数必要になってくる説明文書図。
【図１０４】2002年3月23日のロボットおもちゃの複数カセットテープ言葉の著作権説明図とロボット装置の積載箇条書き説明文章図。
【図１０５】2002年3月23日の人型水中ロボットの電動全自動収納型の水中ーモーター説明文章図。
【図１０６】2002年3月23日の人型ロボットに内蔵されている温度センサーと湿度センサーによって、人型ロボットが言葉を全自動で、温度湿度に応じた言葉を選んでロボットスピーカー音声発声に至る説明文章図。
【図１０７】2002年8月7日の北海道道庁広報広聴第3ー136号の墫野和夫の先知的所有財産の先発明の原本図及び先考案図または後書きの先発明後書き原本説明図及び先考案後書きの後書き原本に基づく北海道庁郵便物受理証明書。
【図１０８】2002年7月25日のロボットの磁気音声及び映像データー収録再生ロボット装置の呼び名がボックスツースとなっており、著作権上の先著作権の先著作権優先権に対して、同一著作権の確認に対しても、この頃は、全日本の企業は、知的所有財産番号の公開及び説明を拒んだ為、個人で調べるのに多額の金がかかる事に気が付くが、ご存じの通り日本の特許法は、商品に対して知的所有財産の番号公開義務と公開義務違反の罰則がないばかりか、罰金の支払い義務も、特許法に明記していない弱者に無駄金を使わして特許提出をあきらめさせている事実たが、他の者の解釈回答は無いが、事実上大変な特許法で有る事実説明。
【図１０９】2002年7月30日の後書き2OO1年2月中旬の先発明を後書き説明として書いてあるニャンワン全自動掃除機のゴミ捨て装置部分の後書き文書説明図。
【図１１０】2002年8月1日圧電素子の電子集合体の中学の頃の友達とのいたずらで、知つてて良かった圧電素子磁石体の電子ライター石の特性そして、水素の中学の時の先生の教え更に聞き馴れないテレビの科学用語などの一致点そして、別の財産すなわちこの世に無い財産で無ければ、絶対に国及び地方の全額借金返済が出来なかった事実に対して今だはっきりしない日本の先発明保護を今度こそ聞かねば納得行かないと再び考える美馬牛カンキチただこの日に圧電素子内蔵の鋼鉄板の先考案及び圧電素子を入れたダイナモの先考案としているが、本当に全世界で、圧電素子入りダイナモが、高出力ダイナモで有るかは日本の特許庁の無料の海外の先行調査技術の日本語公開と全世界に無料提出を願う美馬牛カンキチは、特許認定の利益から特許料金支払い制度の世界統一を考え戴きたい全国の知事へのメッセージ文章説明で有る。
【図１１１】2002年8月1日の教育学習の為の透明発電機などの、公開上見受けられる電気製品に対して、自然学習出来る為の著作権の特許自然学習方法の説明図。
【図１１２】2002年8月1日の細いワイヤ内蔵のロープ説明だが、ただ細いワイヤ入りロープの言葉書きでも、財産説明だとも言いたい美馬牛市街地墫野和夫の説明で有り、商品を作った所の特許税金を考えていただいてもらいたくあくまでも先発明が、確認認定出来る事実に対して全世界の先発明優先権と無料の特許提出を考えて戴きたい美馬牛カンキチペンネームの墫野和夫の先知的所有財産権保護を無料の特許提出と無料の審査請求権を弱者立場から願う文書説明図。
【図１１３】2002年8月1日のモーター内部の電磁石などに圧電素子磁石体を使用して、電気の通る超電導体を被せる事を考えても見た作品の文章説明図。
【図１１４】2002年8月5日の両面2連のMDツースの構造説明図。
【図１１５】2002年8月14日の北海道道庁広報広聴第3ー140号の墫野和夫の先発明原本と先考案原本の受理説明と後書きの先発明後書き原本と先考案後書き原本の北海道道庁郵便物先知的所有財産受理説明書図。
【図１１６】2002年8月21日の別の駆動装置だが、2連振り子型機械式発電機などの連続作動無害無給油発電機が、実際に存在しているから、他の装置をどの用にも動く用に書けば全て新しい財産にしかならない文書説明図。
【図１１７】2002年8月22日の書き損じの文書説明図。
【図１１８】2002年8月24日のリモコン式または地図内蔵のインプットアンテナライトカメラ搭載の電波センサーの送受信装置付きの火災に対してのロボットの有り方説明。
【図１１９】2002年8月27日の北海道道庁広報広聴第3ー147号の墫野和夫の先知的所有財産の先発明の原本証明及び先考案の原本日付証明に対しての先発明財産権の主張及び後書きの先発明後書き原本先考案後書き原本の北海道庁郵便物受理書図。
【図１２０】2002年8月24日の衛生GPSナビゲイション地図の個人宅などの出入り口データー作りなど、MD表裏両面地図などの必要性の説明図。
【図１２１】2002年8月24日のアルミテープなどを巻いた熱対応ホース文章説明図。
【図１２２】2002年8月24日の書き損じを書く説明の文書説明図。 水蒸気送風にしかならない説明図。
【図１２３】2002年8月25日の舗装カッターリモコン装置の三段階カッターの超高速大型カッター機のリモコンロボット水発電機積載説明図。
【図１２４】2002年8月25日のロボット家電の構造説明とロボット家電に使用される圧電素子磁石体の効力の試験実施の必要性を書いて有った原本図。
【図１２５】2002年8月25日人型ロボットのアタッチメント交換用ロボットシステムの著作権説明で有る。
【図１２６】2002年8月29日のMD2連ボックスのMD以外は、全て磁気記録装置にして有るロボットの磁気タッチ読み込み部分を備えた装置の説明文書図。
【図１２７】2002年8月25日のソラーパネルセンサーの後書き説明と天井電磁石ローラーの設置による人型ロボットなどの進む位置をリモコン設定したりする場合地図無し回路別人型介護作業ロボット作業地図説明。
【図１２８】2002年8月25日の人型ロボットを金属で作った場合の超小型コンプレッサーなどを内蔵して人型ロボットの全自動エアー調整を計った人型ロボットの人災防止システムの概要説明。
【図１２９】2002年8月30日のロボット家電のスキャナ装置の設置とロボット家電とは、出来上がった料理を運搬するロボットで有る文書説明。
【図１３０】2002年8月30日の後書きの携帯電話家電スイッチのオンオフの略説明文書図。
【図１３１】2002年9月1日衝撃を吸収する複数ロボットの金網システムの文書説明図。
【図１３２】2002年9月19日圧電素子4電子磁気分割の装置説明図。
【図１３３】2002年9月4日の北海道道庁広報広聴第3ー155号の墫野和夫の先知的所有財産の先発明原本説明と先考案原本説明と後書きの先発明原本説明と後書きの先考案原本の北海道庁郵便物受理説明書図。
【図１３４】2002年9月12日の圧電素子4電子磁気分割の基本となった圧電素子3電磁気分割説明と大型機械式発電機の構造部品略説明図。
【図１３５】2002年9月14日の多目的カードおよび超小型MDツースのアルミニューム絶縁体カバーを取り付けた場合の磁石装置を付けた場合の装置説明図。
【図１３６】2002年9月16日の音エネルギーと他の光りエネルギーなどを、融合増幅発電装置を積載内蔵させた自動電池及び自動充電池で有るが、軽水素内蔵のブラック炭素シリコンなどの発電した電気配線を、圧電素子4電子磁気分割装置を使用して充電更に電波を通す事で、電磁誘導発電可能なのもラジオ電波コイルキャッチ体に電波が通ると同時に軽水素入り圧電素子磁石体入りの鋼鉄磁石体(予め高出力磁石体のコイルを巻いて太陽電池電気などを通しておく事が必要で有り、ラジオ電波受信体の電磁誘導発電体になると思われる文書説明図。
【図１３７】2002年9月16日超小型の位置記憶地図が、内蔵して有り転がす事によって、圧電素子発電または振り子型発電などで圧電素子4電子磁気分割装置を使った急速充電を行った上での全自動重心移動レールモーター装置などで、重心移動で基の位置へ帰って来る全自動ボール説明文書図。
【図１３８】2002年9月16日レンズ炭素シリコンソーラーパネルを引っ込めて内蔵させた少し重めのゴムボールロボット。
【図１３９】2002年9月18日人形ロボットなどの著作権説明とレールモーター複数接合作動方法を活用した縄型ロボットの説明が、良いと思われる。今後使われるかもしれない軽量セラミック説明と木などの燃えかすと粘土合成の軽量セラミック文章説明図。
【図１４０】2002年9月18日高出力圧電素子磁石体入りのモーターコイル板の文書説明後に軽水素入りの圧電素子が登場は、まだ後になる文書説明図。
【図１４１】2002年9月18日の棒状レールモーターを使用した別の圧電素子の発電方法で有り、レンズソーラー補助パネル発電と圧電素子4電子磁気分割装置を使用した急速発電池で有る。
【図１４２】2002年9月19日のまだ圧電素子3電子分割の中間電子部分をまだ、圧電素子中間陽電子磁石体と圧電素子中間陰電子磁石体に後に分ける事となる文章説明図。
【図１４３】2002年9月19日この当時鋼鉄などの摩耗を防げないのかで、電磁石反発歯車軸を考えて見たが、使用用途として、建設機械の走行歯車装置と原子力などの歯車の高速化に使用予定理由油の抵抗を無くして、穴空きミッションにして送風冷却する方法などが考えられる。追加として、軽水素入りシリコンダイオードカバー熱発電が考えられる。
【図１４４】2002年9月19日の後書きのレールモーター歯車装置は、自動電池の振り子作動調整モーターに使用される大事な歯車を付けただけの薄型のモーター歯車装置で有る。
【図１４５】2002年9月26日の北海道道庁広報広聴第3ー183号の墫野和夫の先知的所有財産の先発明原本説明及び先考案原本説明及び後書きの先発明後書き原本及び先考案後書き原本の北海道道庁郵便物受理書図。
【図１４６】2002年9月23日ロボットとレーザーの使用用途説明文書説明図。
【図１４７】2002年9月24日(デジタル)ジグサグバーコードの使用用途説明図。
【図１４８】2002年9月24日此の頃充電池が、どうしても一つ必要になりガス電池開発を考えたが、日本の国の方針が、開発を拒む国の為、断念する事になる文書説明図。
【図１４９】2002年9月24日情報を多く入れる事の出来る装置開発で、取り敢えず一番簡単でやりやすかった一度に多くの情報を入れる装置のテープ編の説明文章図。
【図１５０】2002年9月25日コンピューターを買って来て電子頭脳ロボットを作っる事となるレールモーター使用と圧電素子4電子磁気分割装置を使用して、表裏両面MD装置を使用したスーパーコンピユーターに近い情報装置に於いて複数のMDそれぞれが、連続作動して情報の出し入れ及び情報の選択呼び出しが出来る装置の文章説明図。
【図１５１】2002年9月25日ロボット腕型四角形型電動仕切り弁内蔵の画像装置は、4方向の画像パネル装置が、ロボット腕パネル画像装置説明文章図。
【図１５２】2002年10月9日の北海道道庁広報広聴第3ー193号の墫野和夫の先発明原本説明及び先考案原本説明及び後書きの先発明後書き原本及び先考案後書き原本北海道道庁郵便物受理書図。
【図１５３】2002年9月27日の空き缶潰しロボットなどの、街の美化ロボットの位置部分を紹介したロボット文章説明図。
【図１５４】2002年9月27日のジュータンセンサーなどは、スプリング電気スイッチで有り、超薄型ソーラーパネルIC回路貼り付け型携帯装置の文書説明図。
【図１５５】2002年9月27日のロボット複数カラー色ライト自動電池内蔵の超小型レールモーターインプット方式の手相指紋網膜認識ロックのロボットインプット別装置説明。
【図１５６】2002年9月27日の圧電素子4電子磁気分割装置を使用したステンレスデジタル温度計説明文章図。
【図１５７】2002年9月27日のレールモーター縄型装置を使用した縄型ロボット装置。
【図１５８】2002年9月27日のレールモーター使用の縄型ロボットの電動仕切り弁スキャナ装置説明で有る。
【図１５９】2002年9月27日の収録集積大型回路ボックス積載ロボットは、最終的には、高速電波を使用した高速データー処理のロボット著作権概略構想著作権ロボット後書き説明文書図。
【図１６０】2002年9月27日の携帯電話の装置説明で有り、ロボット情報装置の部品説明でも有る文書説明図。
【図１６１】2002年9月27日の携帯電話の装置説明で有り、ロボット情報装置の部品説明でも有る文書説明図。
【図１６２】2002年9月27日のデジタルの装置説明で有り、ロボット情報装置の部品説明でも有る文章説明図。
【図１６３】2002年9月27日のビデオ装置の説明で有り、ロボット情報装置の部品説明でも有る文章説明図。
【図１６４】2002年9月27日の電気製品システムで有り、人型ロボットの手足に超小型にした電気製品アタッチメントロボット説明図。
【図１６５】2002年9月27日の電気製品システムで有り、人型ロボットの手足に超小型にした電気製品アタッチメントロボット説明図。コメント2008年9月16日(火)PM23時52分55秒本日此処までで眠る事とする美馬牛カンキチ。2008年9月17日(水)AM10時29分58秒再び書き始める大雪山雲の中、朝から晴れないでも旅人たちの語らいと共に再びまた大雪山を眺める。
【図１６６】2002年9月27日の縄型ロボット最初の頃の角度調整縄型装置に対して角度が余り曲がらない縄型レールモーターに対してスクリューモーターなどを使用した角度調整装置は縄型レールモーターと異なって、良く曲がる構造になっている。家庭用の炭ガラス熱処理材は、遠心分離機と電動式仕切り弁と排水弁を取り付けた水の濾過装置補助説明文書図。
【図１６７】2002年9月28日のロボットの手足に超小型の電子レンジを電動仕切り弁構造にして、ロボットアタッチメント交換出来る装置にしたロボット超小型電動仕切り弁構造のロボット専用電子レンジ装置。
【図１６８】2002年9月28日の圧電素子磁石体内蔵の高出力ダイナモ3回目ぐらいの後書き原本説明図。
【図１６９】2002年9月29日当時形態電話に使用予定で有った絵文字をロボットの気象データー全自動判断絵文字装置説明文章図。コメント2008年9月17日PM13時34分11秒風呂に入り食事を済ませ選択をして、電気代を郵便局で払って、再び書き始める美馬牛カンキチ。
【図１７０】2002年9月29日後書きの名称を完全に山岳ヘリコプターとして、空中の全自動連続固定セッテイングインプット同位置飛行の出来る空中電波中継装置の全体説明で有り、ハイビジョン電波をそして後のデジタル放送時代へ向かう。
【図１７１】2002年9月29日の空気清浄器説明と山岳ヘリコプター装置の小型電波中継局及びハイビジョン中継などの此の頃衛生ハイビジョンを安く放送する為の考え型で有った。
【図１７２】2002年9月30日の空気清浄器説明と山岳ヘリコプターの非常パラシュート文書説明図。
【図１７３】2002年9月30日の通常磁気書き込みと圧電素子磁気書き込みの二種類用意するが、現在無試験の為、どちらが良いのか公開上はっきりしていない現状説明文章図。
【図１７４】2002年9月30日のデジタルカメラのアンテナライトカメラ自動電池式とデジタルカメラカード及び人口指紋キー(他人の財産)バーコードキー及びネームプレートキーの文書説明図。
【図１７５】2002年9月30日の表裏両面MD装置の新しいタイプで有り、三菱特許の磁気の複数層装置の特許に対して特許使用料金を三菱に支払って国と地方の全額借金返済の話を国にもう少し特許切れになれば、新しく発生する著作権に対して特許切れ財産使用に対しての料金説明に対して国の意志を明確に表示しなければならない事を知事などに明言したい。
【図１７６】2002年10月2日の北海道道庁広報広聴第3ー188号の墫野和夫の先知的所有財産の先発明原本日付証明及び先考案の原本日付証明及び後書きの先発明後書き原本及び先考案後書き原本の北海道庁郵便物受理書図。
【図１７７】2002年10月30日の北海道道庁広報広聴第3ー244号の墫野和夫の先知的所有財産の先発明原本日付証明及び先考案の原本日付証明及び後書きの先発明後書き原本及び先考案後書き原本の北海道庁郵便物受理書図。
【図１７８】2002年10月1日の小型風車設置に対しての略説明として、海岸の風の巻き込み流れ方に対しての現状の風の流れ方などの把握によって、海上の波及び風特に竜巻観測などのデーター作りなどに役立てる理由と小型風車の羽は、少し小さくして台風などでは壊れない構造にする文書説明図。
【図１７９】2002年10月1日の小さな川などの、アンテナライトカメラの全自動観測携帯波連絡装置の説明と水を浄化しながら発電する、水発電機装置で有り、真空装置を別に付ける考え方が有る文書説明図。
【図１８０】2002年10月1日の電熱線カメラの説明文書図。
【図１８１】2002年10月1日のソーラーパネルにタイマー及び時間の太陽の日の出方向をレールモーター設定設置したソーラーパネル発電装置説明図。
【図１８２】2002年10月2日の磁波計測装置の説明に中って、ゲルマニュームラジオなどのラジオ波が、磁波の影響を一番多く受けやすい為、AMラジオ波の乱れを磁波の計測装置に置き換えた磁波計測装置によって、磁波の発生に伴う地震発生が、近い事を裏づける事実説明の資料にする考えの文章説明図。
【図１８３】2002年10月2日の人型ロボットの補助山岳ヘリコプターロボットアンテナライトカメラによって、人型ロボットの補助の目の役目をする為の山岳ロボットのアンテナライトカメラが、複数必要な理由説明文書図。
【図１８４】2002年10月2日の磁気断層録画再生装置ボックスの特許切れを待って新しい著作権デザインに基ずくデザイン特許などの商品明記が無いため、携帯電話などの、デザイン切れに伴う新しいデザインの有効性に伴うデザイン特許などの商品明記義務の重要性を新しい事業を起こし安くする為の工夫策の文書説明図。
【図１８５】2002年10月2日のDVDを一切作らなかった理由は、DVDは傷が付きやすく現在のDVDは、圧電そし電子磁気分割装置など、一切使用されていない為、電気抵抗が溜まり安く通常モーター使用の場合と磁極切り換えのインバータレールモーターの場合は、通常モーターとは、電気消費が少なくモーター熱が発生しづらく光りデスクの読み込みに対して熱抵抗の阻害とDVDなどの傷によるDVDの光りデスクの読み取り不良を無くす目的が、磁極切り換えインバータ制御モーターの使用と圧電素子4電子磁気分割装置の設置による熱抵抗と熱溜まり取り除きによって、更に、軽水素内蔵ダイオード映像装置の使用と軽水素内蔵の発光ダイオードの光り光度調整の電気反応の早い装置使用によって、映像を更に、充電池素子入りのネオンICチップによって、表裏両面卵型空洞MDによって、映像の奇麗なスムーズムに連続録画のCD録画再生出来るMD装置として今後発表して行きたい文章説明図。
【図１８６】2002年10月2日のアンテナ送受信携帯波可能なデジタルカメラ装置の文書説明図。
【図１８７】2002年10月2日のネオンに充電池素子を合成したICチップ回路装置説明図。
【図１８８】2002年10月2日の北海道民間衛生デジタル放送などの説明紹介文書図。
【図１８９】2002年10月2日の文書記録の説明文書図。
【図１９０】2002年10月2日のビデオテープの両面テープと現在でも、有機ELの特許提出と海外アメリカ及びイギリスの国の審査請求書が、日本の特許庁では、日本語で見られない先発明情報公開を事実上日本の特許庁で拒んでいる事実の文書説明。
【図１９１】2002年10月3日の他人の特許使用に対してのロボット高感度スピーカーロボットの頭の上設置などの著作権先優先権使用に対しての書き損じ説明文章図。
【図１９２】2002年10月3日のロボット音声読み込みのロボット軽水素入り圧電素子ICチップロボット音声金属スピーカー発生の仕組みを文書説明した図。
【図１９３】2002年10月3日のバーコードの計上のアンテナライト電子カメラ確認などの文書説明図。
【図１９４】2002年10月3日のコピー機の文書記録補正修正システムの文書説明図。
【図１９５】2002年10月4日のロボット液晶テレビの文章説明図。
【図１９６】2002年10月4日の手持ちビデオとデジルタカメラの文書説明図。
【図１９７】2002年10月4日の圧電素子4電子磁気分割装置にダイオード及び発光ダオードを被せたテレビ映像ICチップ回路装置の文章説明図。
【図１９８】2002年10月4日の人型ロボットの他人の特許のテレビを見る限りの特許所有権者の知る限りの文書チェック書き説明図。
【図１９９】2002年10月4日の表裏両面MDツースの人型ロボット設置と他のロボットなどの文書説明図。
【図２００】2002年10月5日の冷却窒素回路の文章説明図。
【図２０１】2002年10月5日の土木現場の山岳ヘリコプターのインプットアンテナライトカメラの文章説明図。
【図２０２】2002年10月5日の放送機器の圧電素子4電子磁気分割装置の放送装置回路設置と放送映像回路にネオン充電池素子合成のICチップ回路の使用によって、奇麗な映像を見る事が出来る為の放送局映像説明文書図。コメント2008年9月17日PM19時10分54秒夕食のキヤベツの油炒めを食べて明日の朝の段取りを終えて再び書き始める美馬牛カンキチ。
【図２０３】2002年10月5日のロボットなどの設定に対して携帯電話の文字携帯波セット音声によって、ロボットの音声発声と人の言葉を始めから音声波長認識及び確認装置を圧電素子IC回路チップによって、人の言葉の録音に対しての人の言葉の文字変換する作業に於いて人の言葉の音声波紋を軽水素入り圧電素子ICチップ認識によって、携帯電話からの人の声音声インプット文字ボタンインプットの此の頃考えていた事を文章説明図面。
【図２０４】2002年10月6日の発光ダイオード充電池合成などの文書説明で有り後に軽水素入り発光ダイオード充電素子へ変化及び軽水素入りネオン充電池素子までの電気反応が早い軽水素物質をダイオードの画像素子物質合成とネオン充電池画像素子物質の合成技術まで、後に書き足す2005年頃まで、後に原本説明になる新しい画像素子の説明文書図。
【図２０５】2002年10月6日の超電導配線の著作権説明文書図。
【図２０６】2002年10月21日の北海道道庁広報広聴第3ー217号の墫野和夫の先知的所有財産の先発明原本日付証明書及び先考案原本日付証明及び後書き先発明後書き原本及び先考案後書き原本の北海道庁郵便物受理書図。
【図２０７】2002年10月7日の圧電素子磁気体を金属枠で囲った装置ICチップ回路等によって、金属センサーの電波送受信装置の説明だが、ロボット等が、何処で作られロボットの構造金属探査装置等に用いるロボット製造月日国等の基盤装置説明文書図。
【図２０８】2002年10月8日の固形窒素を被せたそれぞれの回路説明文書図。
【図２０９】2002年10月8日の固形窒素を被せたそれぞれの回路の続き説明文書図。
【図２１０】2002年10月8日の圧電素子を使用した後書き何度目かの圧電素子音声ICチップ回路説明と圧電素子映像ICチップ回路の文章説明図。
【図２１１】2002年10月12日のロボットなどのアンテナの送受信体の物質の説明文章図。コメント2008年9月17日PM20時17分50秒図面の番号入れ図212から再び段取りする美馬牛カンキチ。2008年9月17日PM21時38分50秒再び書き始める美馬牛カンキチ。
【図２１２】2002年10月9日の固形窒素入りの回路説明図。
【図２１３】2002年10月9日の固形窒素冷却材とは別の固形フロンの構造説明及び冷蔵庫及びクーラーに使用する冷却材いりプラッスチックパネル図。
【図２１４】2002年10月9日のロボット冷却デジタル回路使用のロボット小型クーラーなどの説明で有り、電動四角形仕切り弁使用になる。
【図２１５】2002年10月10日の動物の耳ロボットアンテナ軽水素入り圧電素子とネオン充電池素子合成調整の金属ロボットアンテナ等の文書説明図。
【図２１６】2002年10月11日の更に冷やしに掛けた炭素固形フロンの中のドライアイス入りだが、ヘリュームが高そうなどで、敬遠した事実は、安値のフロン冷却ガスを固形炭素フロンガス装置として使用したのが現状説明で有る。ヘリュームは、テレビなどの情報では、アメリカなどで、少しだけ天然ガス精製時に作り出される冷却物質として現状の事実報道されている。
【図２１７】2002年10月11日の固形フロンの他の機械の使用積載説明図。
【図２１８】2002年10月11日の圧電素子磁気体を使用した音声映像の入力再生に対して合成ネオン充電池素子ICチップ回路使用のレーザーテレビ回路素子説明文書図。
【図２１９】2002年10月12日の複数アンテナの携帯アンテナなどの説明文章図。
【図２２０】2002年10月12日のインターネットテレビと携帯電話内蔵テレビ。
【図２２１】2002年10月15日の自動車テレポーテイションの人及び動物及び物体形状確認及び認識及び認知に対して補助の電波センサーと跳ね返った電波受信体を取り付けた装置で有り、ロボット電波センサー使用の2001年5月中旬頃のロボット電波センサーとロボット衛生GPS位置地図使用とロボットアンテナライトカメラ使用の半分リモコンのCDロボットシステム機能内蔵の全自動の半分遠隔リモコン補助操作及びロボットインターネットのロボット補助作動情報収集装置の時ロボッ  トの走行全自動に使用したロボット電波センサーで有り電波センサーは、受信体として圧電素子シリコン合成ゴムなどの電波キャッチ体の追加装置として文章の追加説明文書図。  コメント2OO8年9月17日(水)PM23時47分58秒本日ここまでとする。眠る美馬牛カンキチ。 2008年9月18日(木)AM7時18分白雲の中で、朝も少し冷え冷えで書き始める美馬牛カンキチ。
【図２２２】2002年10月15日の圧電素子磁石体の映像音声読み取り書き込みの文書説明図。
【図２２３】2002年の電磁石反発調整スプリングホイストのロボットにも使用予定のホイスト説明文書図。
【図２２４】2002年10月14日の圧電素子磁気記録のデジタルカメラアンテナライト写真被写体のデジタル認知画像などを、ロボット専用インターネット携帯回路で呼び出したりする技術及びテレポーテイシヨンカメラ被写体形状確認及び認識及び認知技術の文書説明で有りカメラダイオートパネルの光りデジタル信号認知及びノーマル信号認知技術の文章説明図。
【図２２５】2002年10月14日のロボットテレポーテイシヨンアンテナライトカメラ技術に於いてのMDデーター録画録音のテレポーテイションアンテナライトカメラ技術の人及び動物及び物体及び写真のノーマル信号処理デジタル信号処理技術の文書説明図。
【図２２６】2002年10月14日のダイナモ交換ロボットなどのテレポーテイションロボット全自動部品交換ロボットの文書略説明と道路実写ビデオの物体形状のデジタル番号及びノーマル信号のデーターストックによって、物体ライン形状を指示しただけで、作り音声及び文字画像連絡する方法の文書説明図。
【図２２７】2002年10月14日のライトデザインで有り、ロボットデザインライトで、再び考えて見たいライトデザイン説明図。           コメント2008年9月18日昼PM12時29分58秒放射能廃棄物の放射能線分別装置の別の装置の原本書きをして、北海道道庁の知事充てに手紙3通出して来た今度こそロシアのチュリニブリ原子力所の放射能汚染水の放射能除去の見通し近くまで、行けそうな原本だけ書いて送った事実で有る。美馬牛カンキチ白雲の中再び続きを始める。2008年9月18日PM13時32分7秒図面の番号書きを終えて再び洗濯物を入れ白雲の晴れ間の中再び書き始める美馬牛市街地。
【図２２８】2002年10月15日の書き損じ2001年7月中旬頃の無線リモコン波及び携帯波及び衛生波を複数ソナー波変換出来る電波変換装置によって、更に海上の電波中継のソナー波変換の水中ソナー波連絡装置及び海底ソナー波屈折放射装置の文書後書き説明図。
【図２２９】2002年10月13日の特殊ガラスの文書説明図。
【図２３０】2002年10月13日の携帯2本アンテナ使用のインターネット絵文字使用などのロボット情報装置などの文章説明図。
【図２３１】2002年10月15日の圧電素子使用の自分の声波紋を圧電素子ICチップ配線回路使用の金属スピーカーロボット音声発声の圧電素子使用説明。
【図２３２】2002年10月16日圧電素子磁気使用の録画ボックス装置略説明図。
【図２３３】2002年10月16日のロボットプロテクター装置説明図。
【図２３４】2002年10月23日の北海道道庁広報広聴第3ー225号の墫野和夫の先知的所有財産の先発明原本説明書図及び先考案原本説明書図及び後書きの先発明後書き原本文書図及び後書きの先考案後書きの原本文章図の北海道道庁郵便物受理書図。
【図２３５】2002年10月17日の修理ロボットの必要性などの紹介文書図。
【図２３６】2002年10月17日の電磁石反発複数ギアーの文章説明図。
【図２３７】2002年10月18日の農業手伝いロボットの構造説明文書図。
【図２３８】2002年10月18日のネコ型及びイヌ型ロボット一枚目の構造説明文書図。
【図２３９】2002年10月18日のネコ型及びイヌ型ロボット二枚目の構造説明文書図。
【図２４０】2002年10月18日の熱対応ロボットの文章説明図。
【図２４１】2002年10月19日の置き型電話などのリサイクル物質の使用の必要性の文書説明図。
【図２４２】2002年10月19日の超小型スピーカーの種類別及び金属音別の複数音スピーカーなどの文書説明。
【図２４３】2002年10月20日のクーラー及び暖房ロボットの冷却物質説明図。
【図２４４】2002年10月22日の水浄化装置の構造説明文章図。
【図２４５】2002年10月26日の複数プロペラ羽根使用の電気ヘリコプター装置の説明文章図。
【図２４６】2002年10月23日の圧電素子ICチップ音声自分の声設定記録及び認識及び確認及び認知及び全自動作動は、他の音声認識読み込み装置の他の財産使用文書説明図。
【図２４７】2002年10月27日のトラクターGPSのテレポーテイションカメラの説明文章図。
【図２４８】2002年10月27日の山岳ヘリコプターを使用した電波中継と全自動の為の付属装置の略説名。
【図２４９】2002年10月27日の磁気書き込み装置の文書説明図。
【図２５０】2002年12月4日の北海道道庁広報広聴第3ー274号の墫野和夫の先知的所有財産の先発明原本日付証明と先考案原本日付証明と後書きの先発明後書き文書説明図と先考案後書き文書説明図の北海道庁郵便物受理書図。
【図２５１】2002年11月13日の山岳ヘリコプターのタッチパソコンとタッチ携帯説明文章図。
【図２５２】2002年11月27日のエアーの壁の説明文書図で有り、一例としてロボットが人間の言葉をマイク確認及び認識及び確認してロボットの電波連絡スイッチによって、全自動で、エアーの壁の公園エアーの壁説明文書図。
【図２５３】2002年11月24日のロボット磁気カードと暗号を特別入れた超小型カードの文章説明図。
【図２５４】2002年11月23日のまだ電動仕切り弁使用で無いクリスタルガラス板ライトのデザイン文書説明。
【図２５５】2OO2年11月8日の人型ロボットの文書説明図。
【図２５６】2002年12月9日の北海道道庁広報広聴第3ー283号の墫野和夫の先知的所有財産の先発明原本文章証明図及び先考案原本文章証明図と後書きの先発明後書き原本説明図及び先考案後書き原本説明図の北海道庁郵便物受理書図。
【図２５７】2002年12月1日の台風の雲の上まで、複数プロペラ装置積載の2連結以上モーター使用の角度調整の太陽光集光レンズによって、台風の雨雲などを弱める装置略説明図。
【図２５８】2002年12月5日の防犯キーの文章説明図。
【図２５９】2002年12月21日のスイッパーなどのローラーに対して電磁石反発ローラー使用の追加文章説明。
【図２６０】2003年1月29日の北海道道庁広報広聴第ー332号の墫野和夫の先知的所有財産の先発明原本証明図及び先考案原本証明図及び後書き先発明後書き原本文章図及び先考案後書き原本文章図の北海道庁郵便物受理書図。  コメント 2008年9月18日PM16時15分33秒まだ薄い白雲の大雪山眺め少し小休止する美馬牛カンキチ。2008年9月18日PM18時14分37秒夕食を食べ終え、朝食段取り終え再び書き始める美馬牛カンキチ。
【図２６１】2003年1月26日のウイルス防御の後書き一枚目の略説明図。
【図２６２】2003年1月26日のウイルス防御の後書き二枚目の略説明図。
【図２６３】2003年1月26日のウイルス防御の後書き三枚目の略説明図。
【図２６４】2003年1月26日のウイルス防御の後書き四枚目の略説明図。
【図２６５】2003年1月26日のウイルス防御の後書き五枚目の略説明図。
【図２６６】2003年1月26日のウイルス防御の後書き六枚目の略説明図。
【図２６７】2003年1月26日のウイルス防御の後書き七枚目の略説明図。
【図２６８】2003年1月31日のラインライト説明と重機機械のニクロム電熱線入り鉄板説明などの文章説明図。コメント2008年9月18日PM18時58分19秒残り500字ここまでとする美馬牛カンキチ。
【図２６９】2003年1月31日の赤外線センサーと電波センサーを組み合わせたダブルセンサー説明文章図。
【図２７０】2003年1月31日の赤外線放射ライトスイッチパネル追加デザイン説明複数色の回りの温度センサー反応によって、スイッチ色が一部変わる赤外線放射スイッチボタン説明図。
【図２７１】2003年1月31日のリモコン電動掃除機は、直進方向だけ進む掃除機で有り、物体に当たれば衝撃エアーチュウーブプラスチックスイッチ及び衝撃押しボタンスイッチ反応にによって、リモコン掃除機のモーター停止そして、リモコン連絡を受けて進路方向のリモコン波によるモーター進路変換して作業するリモコン掃除機構造説明図。
【図２７２】2003年1月31日の二つ折のレンズソーラーパネル置型発電アダプタ装置。
【図２７３】2003年2月1日のバーコードの赤外線カメラ読み込み装置と超小型電子カメラバーコード読み込みのバーコードの違う説明文章図。
【図２７４】2003年2月2日の救助ロボットなどの文章説明図。
【図２７５】2003年2月10日の北海道道庁広報広聴第3ー346号の墫野和夫の先知的所有財産の先発明原本日付証明書及び先考案原本日付証明書及び後書き先発明後書き原本文書図及び先考案後書き原本文書図の北海道庁郵便物受理書図。
【図２７６】2003年2月12日の北海道道庁広報広聴第3ー349号の墫野和夫の先知的所有財産の先発明原本日付証明書及び先考案原本日付証明書及び後書き先発明後書き原本文章図及び先考案後書き原本文書図の北海道庁郵便物受理書図。
【図２７７】2003年2月7日のソーラーパネルを使用したセブンイレブンなどの広告発電パネルに対しての後書きで有り、複数カラー色シリコンソーラーパネルの組み合わせ軽水素入り発電パネルに対して急速充電装置の圧電素子4電子磁気分割装置の使用充電及び軽水素ニッケル充電バッテリー装置設定のフルカラーソーラーパネルデザイン発電看板の文書説明図。
【図２７８】2003年2月19日の後書き2002年10月中旬から20日頃の原本無しの黒色炭素合成シリコン発明で有り、後の軽水素炭素シリコンソーラーパネルに進化して進む前の文書後書き説明図。
【図２７９】2003年2月25日の北海道道庁広報広聴第3ー364号の墫野和夫の先知的所有財産の先発明原本日付証明書及び先考案原本日付証明書及び後書き先発明後書き原本文章図及び先考案後書き原本文書図の北海道庁郵便物受理書図。
【図２８０】2003年2月22日の外のモーター付きリモコン回転ソーラーパネル発電などの文書説明図。
【図２８１】2003年2月25日のロボットアーム付き電気掃除機の運搬装置機能付ロボット家電の文書説明図。コメント2008年9月18日PM23時27分50秒本日ここまでとする美馬牛市街地カンキチ眠る。2008年9月19日AM8時56分34秒白雲の中朝は、ふと考えるもまた白雲の大雪山を眺めしまたつらしなり木を見るなりてまた辛し負と美瑛の街へ午後から向かう事考え史いつ我は木と共に我はいつから大雪山と共に、時計を眺め過ぎる時間の神の語らいを取り戻さないかぎり時に生きた時間我再び我魂一つになりて再び夢を探す旅なりて、少し便秘ぎみ秋天高く馬こえる秋そのものでも、もう少し頑張って再び書き始める美馬牛カンキチ。
【図２８２】2003年2月25日の電波センサーの電波発射装置をトリプルなどに、電波の波長を変えた三種類の電波を飛ばして、跳ね返った電波で、物体の確認をする複数電波同一箇所発射装置の文書説明で有り、家の中では、GPSと異なる家の室内地図を天井の別の異なった周波数電波で、ロボットの位置を地図電波発射方向確認装置と他の壁に取り付けられて入る電波受信又はロボットの複数発射装置の物体の距離認知によって、地図位置が、確定及び確認の再チェックなどで、室内を全自動作動出来るロボット後書き説明図。
【図２８３】2003年2月25日の反応の早いダイオードとして、充電池素子合成ダイオードの文章説明図及びロボットの電波送受信キャッチ型の温度計及び湿度計のロボットの電波温度及び湿度状態のデーター呼び出しによって、確認後温度湿度を人の言葉などを理解して全自動電波調整出来る装置の説明図。
【図２８４】2003年3月25日の北海道道庁広報広聴第3ー396号の墫野和夫の先知的所有財産の先発明原本年月日証明書及び先考案原本年月日証明書及び後書きの先発明後書き原本文書図及び後書き先考案原本文書図の北海道庁郵便物受理書図。
【図２８５】2003年3月3日の全自動人形人型ロボットをトラクターなどに、乗せて全自動作業をロボット地図つまり、ロボットの二つの地図によって、トラクターを全自動操作するシステムの文書説明図。
【図２８６】2003年3月3日のねこ型及びイヌ型ロボットに表裏両面MD装置にインプット情報つまり、将来のテレビまたはラジオ放送は、データー分別してデジタル音声分別などを放送局側で、最初からデーター放送の種類分けとして放送され、受信する側は、データー選択するだけで、全自動で辞書または百貨辞典テレビなどとして、見る事が出来るシステム。この他、大学インターネットと記録百科事典は、わかりやすく百科事典項目を映像紹介しているビデオで有り、家にいながら、旅をしながら勉強出来る画像データーシステム文章説明図。
【図２８７】2003年3月4日の圧電素子カードまたは圧電素子磁気カードの再チェックカードの説明文書と、ロボットの足を縮めて伸ばして立ち上がるシステム文書図。
【図２８８】2003年3月8日の真空装置の瞬間水きり及び赤外線消毒または温風電熱風及び蒸気風消毒後の真空装置瞬間水きりなど、ロボット家電の人の言葉確認認識に対しての泥棒避け対策の非常言葉設定など、ロボット操作説明文書図。
【図２８９】2003年3月28日の北海道道庁広報広聴第3ー402号の墫野和夫の先知的所有財産の先発明原本年月日証明書及び先考案原本年月日証明書及び後書きの先発明後書き原本文書説明及び後書きの先考案後書き原本文書説明の北海道庁郵便物受理書図。
【図２９０】2003年3月10日のロボット内蔵圧電素子磁気カードの絶縁体を使用した複数層の圧電素子磁石体カードのロボットカードの著作権説明文章図で有り、複数4連フロッピーなど、2連フロッピーなどの著作権説明図。
【図２９１】2003年3月10日のノーマル回路カメラの美しい画像作り説明で有り、電動仕切り弁内蔵炭素シリコンソーラーパネルの急速充電及び圧電素子4電子磁気分割装置の充電による急速充電出来るロボット文章説明図。
【図２９２】2003年3月10日の表裏MDのヒデオチャンバーの収録装置で有り、圧電素子4電子磁気分割装置使用と磁極切り換え型インバータ制御のレールモーター使用のビデオチャンバ装置は、後の軽水素入りダイオード回路使用及び軽水素入り発光ダイオード回路使用及び画像修正装置の軽水素入り圧電素子回路使用及び軽水素  内蔵のネオン充電池素子合成ICチップ回路などを使用したロボット情報装置などが、今後先発明の先知的所有財産確認後、特許切れ者及び特許者と話し合いの上作る事を計画視野に入れて有るロボット情報装置文章説明図。
【図２９３】2003年3月13日の超小型レールモーターの複数内蔵設置装置によって、一度に多くのフロッピーデーターを収録出来る装置の文章説明図。
【図２９４】2003年3月13のロボットカードのデザインを変える事によって、他の機種では使用出来ない文章説明図。
【図２９５】2003年3月13日の水中ロボットの油回収ロボットの説明文章図。
【図２９６】2003年3月14日のロボットの複数アタッチメント交換の略図説明図。
【図２９７】2003年3月14日のロボットのアタッチメント収納方法別の説明図。
【図２９８】2003年3月14日のロボットの中を調べる機械の説明だったが、おそらく金属スコープでは、同じく見えて、温度カメラが、多少温度別で写る事になる為、合わせ金属などの対策を行ったロボット金属説明図。
【図２９９】2003年3月17日の山岳ヘリコプタービデオカメラ説明説明図。
【図３００】2003年3月18日の水中ロボットライトのダブルナットカバー説明で有るが後に電動仕切りベンライトカバーに書き変わる文章説明図。コメント2008年9月19日AM11時43分57秒小沢建機から仕事が出て再びここで一度中断する美馬牛市街地墫野和夫。図800以上まで500枚以上の説明は後になる美馬牛市街地カンキチ。2011年11月10日pm19時23分漸く三年振りに、北海道知事宛ての国の全額借金返済と都道府県市町村区の全額借金返済の為の全自動インプットロボットの著作権文書図面の続きの説明を、書き始める千葉県の墫野和夫で有る。2003年3月18日のロボットライト等の、玉装置の振動によるライト玉の滑落防止を、計る為に、ライト玉全体を、ナット形状にして、ナット固定した後に、ライト玉配線を、繋ぐロボットライト玉の構造説明に成り、ロボットの扉の平板取手は、蝶番構造の、折れ曲がって合わさって一つに成って、格納するタイプに成り、磁石接合及び取手自体のカバーナットによって、保護する構造に成るこの他、取手のデザイン形状は、様々な形が、使用品の際、他社に無い形状の取手を、書くのが、不正競争防止法の観点から、結論づけられ、同一デザイン及び同一機能の販売に対しては、技術日本国の特許庁に特許番号公開の上に、特許権料金及び実用新案権料金及び意匠権及び著作権料金の契約を、交わした後に、販売に至るのが、経済界のルールに成り、同じ商品を、特許番号公開無で、販売する行為は、知的所有財産権の違法な行為に当たる理由に、脱税と知的所有財産権の違法介入の恐れと知的所有財産の横領などの案件が、多く発生する為に、特許番号の公開に成っているが、特許番号の公開義務にしない特許庁の理由には、弱者庶民が、多額のムダ金を、使って、知的所有財産の審査請求状況などを、初めて知る事が出来る、お金の使用無では、商品の先技術者の確認が出来ないのも、現状で有る。コメント2012年1月10日PM15時6分風邪の為休んだが、体調回復の為、書き始める千葉県の墫野和夫で有り、ロボット図面一部紛失の為、代替え図面を載せる事にする千葉県の墫野和夫で有る。
【図３０１】2008年春失業保険中に北海道庁知事宛てに提出した山岳ヘリコプターの図面。
【図３０２】2008年春失業保険中に北海道庁知事宛てに提出した山岳ヘリコプターの図面。
【図３０３】2008年7月10日朝早くから、細胞再生活性化装置の図面を、北海道知事に提出した時の図面。
【図３０４】2006年4月22日北海道庁の情報公開の場所にて、5000枚以上の北海道知事宛てに提出した図面を、北海道庁情報公開所にて郵便物の年月日の提出日を、証明してもらった時の証拠図。
【図３０５】2008年5月20日北海道知事宛てに提出した電気補助掃除機の原本図。
【図３０６】2008年末に特許番号の全商品の特願番号までの、情報公開の為の、知的所有財産の裁判書類で有り、知的裁判所の受付では、裁判書類の不適切の判断で、裁判が行われず、裁判書類の作成に関して、国の無料の、補助弁護士などの世話は、一切無かった、この場合、国の全額借金返済の為の、知的所有財産の番号全ての、商品明示と、特許庁及び経済産業省及び消費者省での公開義務と高額罰金の取決めの為の、裁判で有ったが、特許書きの著作権物の知的所有財産の文書書きを優先させた時の証拠図。
【図３０７】2008年春失業保険中に北海道庁知事宛てに提出した農業用地盤暖房パネルの原本図面。
【図３０８】2004年12月8日栃木県真岡市で書いた圧縮水素水陽電子陰電子スパーク発電機の原本図面。
【図３０９】2004年12月8日栃木県真岡市で書いた圧縮水素水陽電子陰電子スパーク発電機の原本図面。
【図３１０】2004年12月8日栃木県真岡市で書いた圧縮水素水陽電子陰電子スパーク発電機の原本図面。
【図３１１】2004年12月8日栃木県真岡市で書いた圧縮水素水陽電子陰電子スパーク発電機の原本図面。
【図３１２】2004年12月8日栃木県真岡市で書いた圧縮水素水陽電子陰電子スパーク発電機の原本図面。
【図３１３】2004年12月8日栃木県真岡市で書いた圧縮水素水陽電子陰電子スパーク発電機の原本図面。
【図３１４】2004年12月8日栃木県真岡市で書いた圧縮水素水陽電子陰電子スパーク発電機の原本図面。
【図３１５】2004年12月8日栃木県真岡市で書いた圧縮水素水陽電子陰電子スパーク発電機の原本図面。
【図３１６】2004年12月8日栃木県真岡市で書いた圧縮水素水陽電子陰電子スパーク発電機の原本図面。
【図３１７】2004年12月8日栃木県真岡市で書いた圧縮水素水陽電子陰電子スパーク発電機の原本図面。
【図３１８】2004年12月8日栃木県真岡市で書いた圧縮水素水陽電子陰電子スパーク発電機の原本図面。
【図３１９】2004年12月8日栃木県真岡市で書いた圧縮水素水陽電子陰電子スパーク発電機の原本図面。
【図３２０】2004年12月8日栃木県真岡市で書いた圧縮水素水陽電子陰電子スパーク発電機の原本図面。
【図３２１】2004年12月8日栃木県真岡市で書いた圧縮水素水陽電子陰電子スパーク発電機の原本図面。
【図３２２】2004年12月8日栃木県真岡市で書いた圧縮水素水陽電子陰電子スパーク発電機の原本図面。
【図３２３】2004年12月8日栃木県真岡市で書いた圧縮水素水陽電子陰電子スパーク発電機の原本図面。
【図３２４】2004年12月8日栃木県真岡市で書いた圧縮水素水陽電子陰電子スパーク発電機の原本図面。
【図３２５】2008年春失業保険中に北海道庁知事宛てに提出した農業用全自動走行電気モータートラクターの原本図面。
【図３２６】2008年春失業保険中に北海道庁知事宛てに提出した農業用全自動走行電気モータートラクターの原本図面。
【図３２７】2008年春失業保険中に北海道庁知事宛てに提出した農業用全自動走行電気モータートラクターの原本図面。
【図３２８】2011年8月21日から書き始めている高出力リニアーモーターカーの全部門図の原本。
【図３２９】2011年8月21日から書き始めている高出力リニアーモーターカーの全部門図の原本。
【図３３０】2011年8月21日から書き始めている高出力リニアーモーターカーの全部門図の原本。
【図３３１】2011年8月21日から書き始めている高出力リニアーモーターカーの全部門図の原本。
【図３３２】2011年8月21日から書き始めている高出力リニアーモーターカーの全部門図の原本。
【図３３３】2011年8月21日から書き始めている高出力リニアーモーターカーの全部門図の原本。
【図３３４】2011年8月21日から書き始めている高出力リニアーモーターカーの全部門図の原本。
【図３３５】2011年8月21日から書き始めている高出力リニアーモーターカーの全部門図の原本。
【図３３６】2011年8月21日から書き始めている高出力リニアーモーターカーの全部門図の原本。
【図３３７】2011年8月21日から書き始めている高出力リニアーモーターカーの全部門図の原本。
【図３３８】2011年8月21日から書き始めている高出力リニアーモーターカーの全部門図の原本。
【図３３９】2011年8月21日から書き始めている高出力リニアーモーターカーの全部門図の原本。
【図３４０】2011年8月21日から書き始めている高出力リニアーモーターカーの全部門図の原本。
【図３４１】2011年8月21日から書き始めている高出力リニアーモーターカーの全部門図の原本。
【図３４２】2011年8月21日から書き始めている高出力リニアーモーターカーの全部門図の原本。
【図３４３】2011年8月21日から書き始めている高出力リニアーモーターカーの全部門図の原本。
【図３４４】2011年8月21日から書き始めている高出力リニアーモーターカーの全部門図の原本。
【図３４５】2011年8月21日から書き始めている高出力リニアーモーターカーの全部門図の原本。
【図３４６】2011年8月21日から書き始めている高出力リニアーモーターカーの全部門図の原本。
【図３４７】2011年8月21日から書き始めている高出力リニアーモーターカーの全部門図の原本。
【図３４８】2011年8月21日から書き始めている高出力リニアーモーターカーの全部門図の原本を北海道知事宛てに著作権図面を送附した時の証拠図。
【図３４９】2008年11月16日に書いたウルトラスーパーコンピュータの原本図。
【図３５０】2008年6月23日に書いた多機能電気自動車の原本図。
【図３５１】2008年6月23日に書いた多機能電気自動車の原本図。
【図３５２】2008年6月23日に書いた多機能電気自動車の原本図。
【図３５３】2004年12月8日栃木県真岡市で書いた圧縮水素水陽電子陰電子スパーク発電機の原本図面。
【図３５４】実願2010ー005429号の手続き補正書の写し図。
【図３５５】実願2010ー005429号の手続き補正書の写し図。
【図３５６】2009年に一度書き上げたデーターの復活処理した高出力水発電機の原本図面
【図３５７】2009年に一度書き上げたデーターの復活処理した高出力水発電機の原本図面
【図３５８】2009年に一度書き上げたデーターの復活処理した高出力水発電機の原本図面
【図３５９】2009年に一度書き上げたデーターの復活処理した高出力水発電機の原本図面
【図３６０】2009年に一度書き上げたデーターの復活処理した高出力水発電機の原本図面
【図３６１】2009年に一度書き上げたデーターの復活処理した高出力水発電機の原本図面
【図３６２】2009年に一度書き上げたデーターの復活処理した高出力水発電機の原本図面
【図３６３】2009年に一度書き上げたデーターの復活処理した高出力水発電機の原本図面
【図３６４】2009年に一度書き上げたデーターの復活処理した高出力水発電機の原本図面
【図３６５】平成15年5月27日北海道知事に宛てた著作権文書図面の郵便物の受理証明証に成り、埼玉県で仕事をしていた場所から、何十通の封書の受理して有る整理番号付の北海道知事の郵便物受理証明書の一部で有る。
【図３６６】2003年5月5日の船の内側通路全体が、船の揺れと別に棒状ＤＣブラシレスインバータ制御レールモーターによって、船の室内の揺れを、全自動制御を、モーター制御するシステムの著作権に成り、ビル免震などは、ゴムを使用しており、自動車の揺れは、スプリングとホイストが、使用されて折り、列車等もスプリングとホイストとエアーチューブタイヤの揺れ制御に成り、モーター免震制御は、此の頃は、存在してなかった新技術に成り、全自動ロボットの船の操作を、考えなければ成らないのは、500キロ近くで、海上を、走行する事を、目的とした船に成り、ジェットエンジンと異なるエアー送風エンジンと2連結以上スクリューモーターの複数設置の船の最高速度は、人の操作だけでは、不可能な時代が、来ていたのも事実に成り、此の頃は、ライトカメラの被写体の写真記録データーの照合によって、船の洗車状況を、全自動で確認する事の出来る装置に成り、ブラシの物質構造などを、今後考えなければ成らない著作権で有るが、機械式発電機の電源によって、全自動ロボットは、既に始まっていた構想に成り、此の頃は、北海道知事の他、東京都朝日テレビ及び東京の共産党本部にも、同一の著作権を、送って国の全額借金返済と都道府県市町村区の全額借金返済を、考えてもらうしか方法と手段が、無かった事実には、とにかく著作権技術財産を、作る事と著作権財産の年月日証明に、追われる毎日で有ったのも、事実で有る。
【図３６７】2003年5月5日のカメラ装置の説明に成り、デジタルカメラは、日本の特許で有っても、他人の特許権に成り、他の者の著作権介入に成る為、ノーマルカメラの特許切れを、使用したカメラに超小型の携帯波連絡装置と自動充電池に非常事態発生時に、緊急ボタンを、押す事によって、犯罪の現場を、警視庁及びテレビ局に、緊急画像音声連絡出来るカメラに成り、山岳ヘリコプターと携帯電話システムの連携によって、山岳ヘリコプター内蔵のライトカメラに装置と物体の形状を、認識出来るテレポーテイションカメラ機能つまり、テレポーテイションの物体移動とは、カメラのテレポーテイションとは、カメラ被写体の瞬時の移動システムを、意味している装置に成り、犯罪者などを、山岳ヘリコプターによって、人の形状認識を、行った上で、全自動で犯罪者の全自動追跡と携帯電話のインプットカメラ追跡追尾を、可能にした人工衛星以外の新技術に成り、自動電池使用の為、昼夜関係なく追尾可能に成る新技術の著作権に成る。この他、山岳ヘリコプターに前後左右上下の複数カメラ使用積載によって、全自動の山岳ヘリコプターの周囲の確認が、瞬時に、携帯電話及び、パソコンによって、確認出来る装置に成る。この他、音の出ないモーターとして、ゴムカバーを、モーターに取り付ける事によって、モーター騒音を、無くす手段に成るが、縦空洞溝構造ゴム及び横空洞溝構造ゴム及び斜め空洞構造ゴムなどの複数の空間構造ゴムを、貼りあわせたモーターカバーゴムによって、モーター騒音を、無くす技術に成るが、モーターカバーにゴムを、付けた会社の存在が、恐らく無いのは、重く成ると言う理由だが、複数の空間ゴム貼りあわせ技術は、絶対に無い技術と言える。近年では、東芝電気の音のしない洗濯機が、十数年前に開発された技術が、テレビ公開に成った事が有る以外モーター騒音の処理技術に関しては、公開した技術の記憶知識が無いのも、現状で有る。これらを、説明した著作権文書図。コメント2011年11月10日pm21時1分眠いのでペンを置く千葉県の墫野和夫で有る。2011年11月13日am8時38分休日の為、朝から書き始める千葉県の墫野和夫で有る。
【図３６８】2003年5月5日の人型ロボットの持ち運び鞄に成り、自動充電池と液晶パネル付の鞄に成り、宣伝広告会社と契約する事によって、鞄液晶宣伝効果を、狙った作品に成り、携帯電話などから、鞄液晶に、データーを、転送を行ったり、データーの送受信機能を、持った液晶鞄装置。灰皿に、音声スピーカーと設定装置と携帯電話等の遠隔音声設定及び時間設定が、可能に成り、超小型ＭＤ音声によって、灰皿の音声メッセージ音が、流れる装置作品。この他、タッチボタン及びタッチ液晶によって、数字計算出来る液晶鞄装置及び灰皿装置。その他、タッチスイッチ及びタッチ液晶のタッチ数によって、数字を、選ぶ機能に、よって、ＭＤ音声の曲の選択肢が可能に成るシステム。灰皿ロボットは、宣伝用人型ロボットに成り、駅ホームなどの禁煙場所に設置するリース用の人型ロボットに成り、人型ロボットに握手を、すると火の用心等の、火の注意事項を、詳しく音声説明出来る装置に成り、ロボットカメラによって、相手の年齢を、推測実行し、煙草の喫煙柱注意事項の説明をするロボットに成る著作権図。
【図３６９】2003年5月5日の消化ロボットに対しての、人型ロボットとタイヤ走行型ロボットとヘリコプター式ロボットの動物のデザイン形状ロボットに成り、火の熱の温度感知センサーは、温度を、水銀温度計とカラーライト光の遮断装置によって、温度を全自動計測出来る装置に成り、この他、軽水素及び圧電素子磁石体粒子とシリコンを使った温度センサー回路なども有る。この他、デパート等の、全自動掃除機のデザイン形状として、動物のキャラクターデザイン形状ロボットに成り、水の沸騰水を、使った掃除機と赤外線沸騰器の赤外線沸騰水の全自動掃除機に成る。この他、デパートの荷物カートに、自分の車の停車位置を、カード入力及びボタン入力及び音声入力によって、デパートカート積載の室内ＧＰＳと野外ＧＰＳの二つの機能と超小型水発電機などとカートカメラライトによって、全自動で、お客さんの車の前まで、デパート荷物を、全自動で運んでくれる全自動カートシステム著作権図。
【図３７０】2003年5月5日の考案の、空き缶潰し全自動運搬用のロボットに成り、山岳ヘリコプターロボット及び携帯ナビ山岳ヘリコプターロボットは、人型ロボットとセットに成った全自動作動の人型ロボットシステムの一つに成り、自動電池及び自動充電池内蔵の携帯波送受信装置積載のモータープロペラヘリコプター装置に成り、衛星ＧＰＳ地図地上三角点位置把握が出来る山岳ヘリコプター装置によって、空き缶等を、拾って潰して、所定のゴミ回収の場所に、金属センサーと磁石空き缶センサーによって、所定の空き缶回収装置に空き缶を運ぶ事の出来る人型ロボットの空き缶回収ロボット装置。この他、人型ロボットは、全自動の地図書き込みシステムによって、ロボット自身の行動時間の場所の把握とＧＰＳ地図とロボットのテレポーテイションの人の形状と物体の形状を、認識したり、区別したり出来る全自動の人と物の区別を行う事の出来るロボットＣＣＤカメラ機能のダイオードＣＣＤ機能装置によって、人型ロボットが、全自動で、作業走行と作業帰還出来る説明に成る著作権図。この他、燃えづらくしたプラスチック説明として、固形窒素と固形炭素とプラスチックを、混合合成した燃えづらいプラスチックに成り、家電製品のパネル利用に考えられる著作権説明文書図。
【図３７１】2003年5月10日の考案の自動電池内蔵の赤外線殺菌放射装置に成り、赤外線温風装置に成り、赤外線と温度設定風によって、殺菌出来るシステムに成り、自動車の室内に取り付けられて入るカメラ装置のテレポーテイションカメラ機能によって、自動車の室内の人の有無を、テレポーテイションカメラの人の形状全自動確認及び認識装置によって、自動車の中の全自動殺菌を、行う事の出来る装置に成り、この他、建設機械のキャビン室内の全自動殺菌とトラクターキャビン室内の全自動殺菌と船休憩室の全自動殺菌システムに成る。この他、空気中のウイルスの全自動調査出来る人型ロボットに成り、空気吸引機と交換式のウイルス付着シートと超小型顕微鏡によって、ウイルス発見を、行う事の出来る装置に成り、電子顕微鏡内蔵の人型ロボットに成著作権文書図。
【図３７２】2003年5月10日土曜日考案の作品に成り、人型ロボットの空気ウイルス全自動検査ロボットに成り、温度センサーとソーラーパネルの光度センサーと衛星ＧＰＳ位置確認ロボットと衛星ＧＰＳ位置チェックロボットの簡単な概略説明著作権文書図。
【図３７３】2003年5月13日火曜日考案の地震予知データー集計の人型ロボットに成り、ロボット本体内に、ＧＰＳ地図内蔵と地震活断層地図内蔵とロボット全自動インターネット自然画像地図内蔵と海底地図内蔵と活断層地図積載の人型ロボット。この他、地震の震度係数と地震計の地下位置地震計を、活断層に取り付ける事で、正確な地震度数のデーター集計の基礎データーとしている点。地震計に、自動充電池及び自動電池と電波送受信装置によって、地震データーの高速送受信を、可能にする携帯波及び無線波及び衛星波の地震データーの送受信手段説明。その他、弱地震地帯の、連続の弱地震データーの集計と地震データー集計センターとの、インターネット地震データーの携帯波呼び出しシステム。地震データーの中の、季節地震データー及び過去地震データーの年月日記録と地震マグマ熱移動の地殻移動データーに基ずく地震予知の検出手段。季節と過去の地震記録と温度変化記録に基づく、マグマ熱移動による地震予知のデーター収集。季節の異常降雪と異常降雨の風の流れの年度別変化と近年の降雪と降雨の移動方向等と地震発生位置の照らし合わせによる地震発生予知の地殻熱移動と地震予知データーへの照らし合わせデーターの作成機関の設立。小型の磁波計測装置の山岳ヘリコプターの機械式発電機等積載の、全自動の磁場計測装置による地震予知システムの設立計画案。温度すなわち、活断層付近の地温と海水音による音のひずみとは、音波のひずみ及びラジオ波のひずみすなわち乱れの全自動計測に成る為、ラジオ波ひずみデーターの異なった毎日のラジオ波データーの相関関係のひずみ度すなわち、電波の磁波の影響の度合いを、表示出来る自動車積載等のラジオが必要視される説明に成る。この他、ヒューム管内を、全自動走行するヒューム管内地図内蔵ロボットとビニール管内を、通るビニール官内地図内蔵全自動走行ロボットとゴムクローラの二つを使用したロボットゴムクローラ4つのゴムクローラ式のヒューム管内撮影のライトカメラロボット。この他、全自動で、ワイヤを、巻き取るロボットは、カメラテレポーテイション技術の物体の地上高の高さのライトカメラの物体形状認識装置とワイヤを、巻き取るモーター回転数による物体の地上高の高さ位置を、二つの物体の高さの計測装置によって、吊り荷の高さの把握を出来る装置に成る。
【図３７４】2003年5月13日火曜日考案の、超圧縮の燃えない木材の電気製品パネル説明に成り、関東の燃えない木材を、使用した電気製品パネルは、商品価値は、有っても、値段を、安く出来ないのが欠点に成る。ゲームボックスの都道府県市町村区の駅ターミナル設置の携帯ＭＤツースの二つ折り携帯電話装置のゲームボックスに成り、近距離送受信装置によって、携帯電話に自然ゲーム風景などが携帯電話に送られ、アクシッョンＭＤツースによって相手役のアクションゲームに、携帯電話の本人画像及び動物画像を、携帯電話のゲーム内にねテレポーテイションのゲーム技術によって、携帯電話所有本人と自然画像動物などを、取り込んだアクションゲーム等が出来るゲームシステムの簡単な説明文章図。ロボット保険説明ロボットが、持ち運びする二つ折り液晶で、インターネット保険セールスなどを、行うシステムで有り、ゴミを、拾って、所定のゴミ箱に捨てると、本人使用の携帯電話登録番号と本人使用の電池時計の登録番号の全自動読み取りによって、ゴミ回収ポイントの数値によって、自動無料保険の入会手続きの説明などを、ロボットがするシステム。この他、ビル室内の電波の届かない場所へ、超小型の補助用の山岳ロボットロボットインターネット波の電波中継を、行う事の出来るロボットインターネット波の中継システムの説明文書図。
【図３７５】2003年5月13日火曜日考案のロボットの補助電源システムは、ロボット水発電機及びロボット機械式発電機が、故障時の場合の補助電源に液体水素超電導ニッケルバッテリーは、液体水素とニッケル電極棒の表面を、枡ブロック表面にする事で、充電率と充電スピードを、視野に入れた装置に成り、銅筒官コイル電気配線等の、電気配線と圧電素子4電子磁気分割装置を、積載したバッテリー装置成り、この当時の発電量は、現在の水発電機及び機械式発電機の総合発電量より、少ない事に成る。この他、電気自動車に、水発電機積載車と機械式発電機積載車を、完全に決めていた頃に成る。台風データー危険予知説明のロボット台風データー記録集計システムは、看板の揺れ状態と看板の設置状態を、ロボットライトカメラで、撮影記録して、画像の揺れ状態の計測と看板落下予知データーを、携帯電話に予め、危険報告のデーターの送受信を、可能にした人型ロボット装置。その他、物体の重さ及び硬さによる風エネルギーの及ぼす風による物体の衝撃衝突エネルギー値の全自動計測とビルと建物街並みの、それぞれの場所の風の風圧測定の風マップ地図の携帯電話の風地図の全自動連絡装置。コメント2011年11月13日am12時04分昼食の時間の為、休憩に入る千葉県の墫野和夫で有る。コメント2011年11月14日pm20時09分一時間程少し書く事にする千葉県の墫野和夫で有る。
【図３７６】2003年5月13日火曜日考案の地震に於ける現在の、活断層に於ける地震の亀裂状態を、把握する為に、活断層地図と活断層の状況を、何時でも監視出来るライトカメラと活断層を、上空から、監視出来る山岳ヘリコプター型ロボットによって、活断層上空の磁波計測による地震予知計算と活断層地下の地熱温度の計測等によって、ロボットインターネット(ロボット地震情報連絡システム将来的には、インターネットの名前が、変わる事は、テレビラジオ時代からインターネット時代の特許切れ時代に対して、他社のインターネットの名前を、使えない為で有る。その為、新しいロボットの情報の映像と音声の伝達装置の名前を、新しく考えなければ成らい説明文書図。コメント2011年11月18日pm15時41分秋の交流会を、抜け出て、再び書き始める千葉県の墫野和夫で有る。
【図３７７】2003年5月14日水曜日考案の、橋の高速施工の説明に成り、石とグラスファイバーを、混合合成したパネル及び、石とビニールプラスチックを、混合合成した石入りのビニールプラスチック板を、橋の両サイドで、超太ボルトで固定して、砂を敷くなどして、コンクリートの代わりに、鋼鉄板を、橋のコンクリート代わりにして、石入りのグラスファイバーパネルを、重ねてボルト止めしていた上に、砂を敷いた上にコンクリートを被せた後に、舗装を、行う事によって、コンクリート量を、減らして、橋の強度を、鋼鉄厚板によって、支える構造に成る。この他、高速道路の防音壁には、光と熱遮断の固形窒素入りグラスファイバーパネルが、効果的に成り、高速道路及び鉄橋のコンクリート枠には、固形窒素入りのグラスファイバーパネルに不凍液入りグラスファイバーパネルを、二重にする事によって、寒さ対策のパネルに成り、固形窒素及び、木材灰などを、グラスファイバーに混ぜる事によって、燃えずく冷えづらいパネルが使用出来る事に成る著作権考案説明文書図。その他、赤外線カメラを、使った空き缶回収ロボットは、暗がりでも、空き缶回収出来るロボット説明に成る著作権文書図。
【図３７８】2003年5月14日この当時の二重水道官は、殺菌用の沸騰水が、通る官の内側に水道官を、通すタイプの二重水道官は、ロボットの配管としても、使用出来る著作権技術の文書説明図。更に、通常の塩化プラスチック官に固形窒素層官の二重管に、冷却用水層官と通常の水官と窒素網風通り官の五重のエアー官などは、夏の冷房官として使用される事に成り、ロボットホイストの空洞に五重の薬剤保存庫構造のロボットの構造が、考えられる説明の文書説明図。
【図３７９】2003年5月15日木曜日考案の、一軒家の二階及び窓のを、山岳ヘリコプターロボットのカメラライトによる24時間の侵入者監視システムの他に、山岳ヘリコプターロボットに、電子タッチロック鍵方式と、外国語文字ロック鍵と自動電池レールモーターロック鍵などの、現在は、無い鍵を、使用している著作権鍵シリーズ。この他、人型ロボットの肩の部分の二か所に、超小型の山岳ヘリコプターロボットを、内蔵させた人型ロボットに成り、人型ロボットの足部分及び腕部分に、酸素タンクを、内蔵させた酸素救助ロボットには、水の瞬間の酸素と水素分離の、高出力遠心分離機によって、酸素を、作り出せるロボットも有る。その他、人型ロボットには、超小型の体温計センサーによって、被災地の人の体温を、計って液晶パネル伝達出来る救助人型ロボットなどが有り、人工呼吸の人型ロボットは、縄型全自動収納型の酸素送りパイプ設置型の人型ロボットによって、被災地の人の救助に対応する人型ロボット著作権概略説明図。そして、人型ロボットの人の足首及び手首の鋼銅合金ベルトのレールモーターセンサーによって、ベルトの締りの全自動認識高出力超小型モーター装置に成り、ベルトワイヤの高出力ＤＣブラシレスインパータ制御レールモーターによって、手首及び足首の安全手錠装置説明に成る。この他、酸素ボンベタイヤ走行型ロボットは、人の形状認識と動物の形状認識と物体の形状認識が出来るテレポーテイションのカメラの被写体全自動認識システムにらよって、コンプレッサー弱送風及び風吸引システムと水飲料水運搬ロボットは、ロボットマイク音声アルミニュームスピーカーに成り、縄型マイクと縄型カメラとレンズライトと温度センサーカメラによって人と動物の全自動確認を、行いながら人の救助を行う事の出来るロボット等の著作権デザイン技術説明文書図。
【図３８０】2003年5月15日木曜日考案の山岳ヘリコプターの超大型の山岳ヘリコプターロボットは、全自動で、川及び湖の水を掬って運搬する機械は、水発電機積載のレンズライト積載の超大型の山岳ヘリコプター型の全自動ロボットに成る。この他、10連結以上水中ポンプモーターによって、水を瞬時に組み上げる装置と超大型山岳ヘリコプターロボットは、インターネットカメラのインプットリモコン操作や液晶携帯電波カメラリモコン操作によって、水を、汲み上げの全自動確認出来る超大型山岳ヘリコプターロボットに成る。その他、山郷の火事の場合、消火栓が有る場合、電線の位置の、衛星ＧＰＳによって、電柱の位置と高さのの全自動データー認識によって、ライトカメラの他に、赤外線カメラの、物体形状ライン読み込みは、二台の赤外線カメラの異なった暗光の赤外線の違いによって、赤外線物体形状を、全自動認識出来る装置に成り、放水ホース及び放水モーターの赤外線ライン読み込みに対して、超小型反射板チップボルト及び超小型ソーラーパネル付高出力発電回路付き高出力ＬＥＤライト玉の位置確認よって、全自動で、山岳ロボットのアタッチメント付きロボットによって、全自動消化を、するシステムに成る。資金が有る場合は、据え付け型の消化システムが望ましい。その他、位置認識確認出来る物体形状全自動認識出来るテレポーテイションライトカメラ等科が有り、レントゲンカメラ及びレントゲン金属センサーカメラ及びサモー金属センサーカメラ及び、複数の超小型赤外線カメラによって、暗光の超微量の光を別々に検知して、動物と人の形状を、鮮明に出来るカメラ装置の他、超小型の赤外線カメラと超小型の紫外線カメラの複数紫外線カメラと超小型の赤外線カメラを複数の超小型の紫外線カメラと赤外線カメラを、交互に束にした、暗闇の物体の形状を、認識するカメラ説明に成り、ホースモーターに対しては、二金属以上金属確認センサーと金属形状確認の為の、レントゲンカメラによって、ホースとモーターの位置と消火栓の全自動取り付けを、行う事の出来る装置に成り、放射線内蔵パネルの異なったパネルとして、超小型のアルファー線内蔵透明プラスチックチップ球と超小型のガンマー線内蔵の透明鉛水液内蔵透明プラスチック球を、交互に積み重ねて二つの放射線の異なった画像によって、物体の形状認識出来る放射線カメラによって、物体の形状の全自動認識によって、全自動人型ロボットが、完全体に近い作品が、出来る事に成る。この他、煙センサー温度認識サモーカメラによって、火元の全自動確認認識出来るライトカメラに成り、火事発生の周囲の自動連絡携帯電話装置は、携帯電話のライトカメラによって、火元を撮影すると、危険範囲内の電話番号へ、全自動で、火元の場所の緊急連絡出来るシステムに成り、火元の温度の全自動認識と判別と火元の状態を、緊急用山岳ロボットによって、火元撮影を、カラーカメラによって携帯電話の送受信出来る火元チェックシステムの説明文書図。
【図３８１】2003年5月15日木曜日考案の10連結以上水中ポンプによって、水の汲み上げ及び、薬剤の汲み上げ及び石油の汲み上げ及び消防車の放水装置などの、あらゆる液体と固体粒子と気化物質のモーターポンプ移動装置に使用予定に成る。この他、山岳ヘリコプターの電磁石ロック式モーターワイヤロープは、モーター滑車をモーター制御によって、ワイヤを止める方式に成り、ＤＣブラシレスインバータ制御レールモーターの特徴に成る。この他、山岳ヘリコプターのリモコン装置と、ホースジョイント中型自動電池縄型リモコン式の電磁石ネジ型ロック式モーター装置。その他、山岳ロボットタイヤクローラーのスイッチ一つで、タイヤとクローラーが、切り替わる走行車に成り、縄型ロボットリモコン電源コードは、電気回路メンテナンスの電源コードに成り、電磁石ロック式モーター電源ジャックに成る。そして、水発電機消防車の2連結以上モーター使用の消防車構造の装置車。山岳ヘリコプター全自動レンズライト型リモコンカメラ装置は、低空飛行時は、補助装置に、電波センサーによって、物体をよけるに中っては、ライトカメラ及びサモーカメラ及びレントゲンカメラによって、物体の形状認識を、行って、物体を避ける事に中って、電波センサーを、補助装置にしている点に成る。ロボットの移動した地図を、全自動地図書き込み装置によって、ロボットの足取りと周囲の画像を、書き込む事の出来るロボット地図書き込み装置によって、ホースの運搬を、可能にしている装置に成る。この他、ホース運搬ロボットレール両サイドスクリューホイスト固定の階段移動リモコンロボットのクローラー方式のビル室内ＭＤカード地図のビル室内見取り図に従って、ビルの階段移動が、出来るロボットに成る。その他、強制煙吸引装置は、10連結以上エアー吸引モーターによって、煙を外部に排出出来る装置に成る。そして、山岳ヘリコプターワイヤ全自動巻き取りモーターリングのビル室内地図のＧＰＳ電波中継型のビル室内地図に成る。その他、強制エアー吸引装置は、鋼鉄線糸とアルミニューム糸を編みあわせた官にプラスチックアルミニユームゴムコーテングした強制煙の吸入官装置。この他、ビル室内地図積載の超小型山岳ヘリコプターロボットによって、小型酸素ボンベを、移動運搬する装置に成り、補助電波センサー装置と地図書き込み装置に超小型ＭＤ装置に成り、アルミニューム超小型ＭＤ装置などは、過熱対策用ＭＤ装置に成り、山岳ヘリコプターのガラス割りロボットは、火力バーナーと冷却ガスバナーによって、ガラスに振動を掛けながら割る装置に成り、回転ハンマーで、ワッタリ、ガラス切装置で割る手段が有るが、高速加熱と高速冷却ガスによって、ガラスを割る手段を用いる事に成る文書説明図。
【図３８２】2003年5月15日木曜日考案の、店展示品のバーコードの赤外線カメラに対して、カラー場コードのライトカメラのダイオードＣＣＤカメラスキャナは、カラーバーコードデーターの送受信機能付きアンテナ付のカラーバーコードカメラスキャナは、店内設置カメラに写し、設定の携帯電話に写し出す事が、可能な、商品のカラーバーコードカメラスキャン装置に成る。この他、商品に位置確認の為の、電波発信装置の、超小型タイプと衛星ＧＰＳ位置確認出来る超小型電波発信装置によって、商品の盗難を、少なくする為の著作権説明文書図。その他、超小型山岳ヘリコプターロボットの3連結モーターと自動電池電源積載と複数のライトカメラと複数のライトギアーカメラによって、カメラ角度調整を、試みる事に成るが、超軽量の穴あき歯車のステンレス板貼り付けのプラスチック歯車ミッションによって、カメラ角度調整が、出来る装置説明に成る著作権説明文書図。
【図３８３】2003年5月16日考案の絵模様ガラス説明に対して、ステンドガラスは、複数の色ガラスを、一枚の絵ガラスに貼りつけたのが、ステンドガラスに成り、工程時間を少なくする為に、複数の超薄ガラスに色ガラスの部分的ガラスまたは色ガラスを、貼り付けて再び超薄の透明ガラスを、貼りあわせたステンドガラスを、圧縮したのが、絵模様クリスタルガラスに成り、後の絵模様ソーラーパネル技術に発展する技術に成る。この他、テレポーテイションカメラによって、道路視界の、草木ゴミの全自動物体形状認識連絡装置は、テレポーテイションナビゲイションカメラの全自動カーナビゲイションカメラ風景の全自動撮影機能とカーナビゲイション文字連絡装置とカーナビゲイション音声連絡装置に成る。その他、バキューム水発電機積載の、全自動ロボットは、テレポーテイションカメラの人の全自動形状認識とバイクと自転車の全自動形状認識カメラ機能によって、全自動停止機能付きの道路全自動掃除車の音声全自動作業通達機能及び全自動地図書き込み機能は、衛星ＧＰＳ機能の確認になり、山岳ヘリコプターの複数の上空位置確認装置によって、レンズライトのＭＤツース地図書き込み装置によって、全自動作業を、可能にしている装置に成る。コメント2011年11月18日pm20時55分寝る時間なので、ペンを置く千葉県の墫野和夫で有る。コメント2011年11月19日am6時55分雨休の為、朝から書き始める千葉県の墫野和夫で有る。
【図３８４】2003年5月16日考案のテレポーテイションエラーに対して、人の個人の随時の秒と分刻みの体の体温と脈拍と呼吸回数と歩行数と運度量と血圧の体の状況を、随時カードに記録する自動電池内蔵の病院カードと投薬後の呼吸と心拍数と体温と血圧と運動量などの、人のデーターを、病院カードに随時記録する事によって、診察資料とする最新医療システムに成り、車の運転データーカード等の薬の影響観察データー記録を、残す事によって、最良の薬と食事の改善策を、探る為の個人個人に対応した医療システム説明文書図。この他、超小型の磁波計測装置等の、自動車等の動く機械全てに、設置する事によって、地震予知データーを、得る事によって、介護システムへ、事前の地震予知連絡を、可能にしているシステムに成る。
【図３８５】2003年5月17日土曜日考案の全自動ロボット猫システムの説明。ニャン猫は、通常四足ＤＣブラシレスインバータ制御レールモーター走行が、可能なロボットに成り、案内猫に変身した場合、二足走行に成るニャン猫ロボットシステム説明。この他、全ての機械とロボットに、超小型の磁波計測装置を、設置している為、地震災害予知及び崖崩れ災害予知及び川の増水災害予知及びマンホールのガス災害予知及び火災等の避難道路指示予知及び台風避難予知及び竜巻被害予知及び豪雪被害予知などの、事前の避難場所などの連絡を、人間言葉の人の音声チップの組み合わせによる音声データーの超小型ＭＤツースによって、ニャン猫ロボットの音声部分を、管理している。この他、ニャン猫ロボットは、衛星ＧＰＳの他、山岳ヘリコプターの複数上空定位置からの、ニャン猫ロボットの位置と道の誘導が、出来るニャン猫ロボットの全自動位置確認と全自動道の誘導が、道幅一センチ刻みの、衛星ＧＰＳ以上の正確な位置の割り出しを、可能にしている複数の位置計測波の送受信装置積載の位置割り出し機械積載の、山岳ヘリコプターの複数台設置に成る文書説明図。その他、ニャン猫ロボットのインターネット送受信機能は、ケーブルインターネットと異なるアンテナインターネットに成り、将来的には、ロボット専門の情報伝達システムネットワーク機関によって、ロボットの盗難保護と強制改造から、守る為の、ロボットインターネットシステム。その他、ニャン猫ロボットのテレビの場合は、山岳ヘリコプターのテレビ波中継ネットワークによって、個人個人が、テレビ局に成る登録制個人テレビ局システムに成り、家の室内に複数のカメラ設置と家の外部の複数のカメラ設置によって、個人の周囲のカメラを、連携させて、情報のやり取りが、出来て、医療介護の為の、最善策などが、話合う事の出来るシステムに成り、個人の音楽演奏などが、ニャン猫ロボットラジオ波によって、希望の音楽スタイル演奏も、聞けるシステムに成る。更に、小型の超細ワイヤを、格納した小型ワイヤ巻き取り救助用装置が、内蔵されているニャン猫ロボットシステムに成る。この他、ニャン猫ロボットの内側体内の収納スポットに万能ナイフが入って入る。その他、ニャン猫ロボットのひたいには、夜暗くなると、場合によって、超小型の複数のレンズライトが、電動仕切り弁を、介して収納型のレンズライト装置説明に成る。そして、ニャン猫ロボットカメラは、一つの猫の目カメラは、通常カメラと赤外線パネルカメラと紫外線パネルカメラとアルファー線内蔵パネルカメラとペーター線内蔵パネルカメラとガンマー線内蔵パネルカメラの6つの機能別々のカメラパネルのモーターカメラパネル切り替え型のニャン猫ロボットの片方の目構造と6つの機能別々の望遠カメラ機能付きのニャン猫ロボットの目に成る。           この他、ニャン猫ロボットの体内内蔵の表裏ＭＤツースは、インターネット情報以外に、ロボットデーター集計基地の24時間体制のデーター送受信装置は、世界で一番早いコンピューターによって、データーの送受信と新しく変わるデーターの入れ替えを、24時間体制で行って入るニャン猫ロボットに成る。そして、ニャン猫ロボットは、人の言葉を、理解して家電製品に内臓の携帯電波送受信装置とスイッチ装置とモーター及び電動仕切り弁等の携帯波送受信装置と携帯波送受信波によって、家電の遠隔スイッチをニャン猫ロボットに内蔵して有る携帯電話送受信装置によって、家電を、遠隔操作する事が可能に成る。この他、ニャン猫ロボットのロボットカメラ目の周りは、ブルーソーラー及びグリーンソーラーパネルに成って入る構造に成って入る。この他、ニャン猫ロボットは、朝昼夜時間に、食事時間や、薬の時間を、人間言葉で通達出来るニャン猫ロボットに成る。その他、ニャン猫ロボットは、四足走行でも、遅い場合、内蔵の補助四輪によって、高速モーター走行が、出来るニャン猫ロボットに成る。そして、ニャン猫ロボットが、全自動作動する為に、絶対に必要な人の形状確認と動物の形状確認と物体の掲示用確認とそれぞれの動作言葉などを、複数のスーパーコンピューターの超高速送受信システム装置によって、人と同じ知識データーと言語データーと作動データーを、瞬時にデーターを取り込める複数のロボットスーパーコンピューターのデーターを、キャッチ出来る構造のニャン猫ロボットの為、全自動作動が、可能に成る。この他、ニャン猫ロボットのカメラは、非常カメラとして、後部両サイドと上下に非常カメラが、電動仕切り弁の中に格納に成って入るタイプに成り、人の形状認識と動物の形状認識と動作確認出来るテレポーテイションカメラ機能に成り、自分の行動を、記憶出来るロボット地図書き込み全自動システムによって、知らない場所に行った場合でも、きちんと帰還出来る全自動帰還システムに成る。その他、背中と後ろに内蔵して有るプロペラによって、飛行出来る機能も備わっている。そして、ニャン猫ロボットカメラで、撮影した映像は、電波送受信装置によって、目的のパソコン及び携帯電話及びあらゆる家電製品及び他のロボット及びインターネット受信者などへ、目的に応じて、カメラデーターを、送る事が可能に成る。従って、全自動無休憩全自動作動に必要な電源は、超小型水発電機によって、電気エネルギーを、得る事が可能に成る。この他、ニャン猫ロボットの手足は、スプリングクッションバランサー電磁石のＤＣブラシレスインバータ制御レールモーターによって、制御可能に成り、4点の全自動のバラーサー全自動走行を、可能にしている装置に成る。
【図３８６】2003年5月17日土曜日考案のワンロボット犬は、4足走行と2足走行を、ＤＣブラシレスインバータ制御レールモーターのモーターバランス全自動調整によって、安定した走行を、可能にしている。この他、地震災害事前予知システム及び津波災害事前予知システム及び崖崩れの事前情報及び川の増水の事前情報及びマンホールの有毒ガス事前連絡システム及びテロの有毒ガス事前連絡システム及び火災現場の有毒ガス分布の避難経路事前指示及び緊急車両接近の事前連絡システム等の災害予知を、人間言葉で連絡出来る機能説明。この他、山岳ヘリコプターを、複数台使用して、空中定位置にて、位置情報電波を、送受信する事によって、ワンロボット犬は、衛星ＧＰＳ以上の正確な位置情報を、ワンロボット犬に電波連絡出来るシステムで有り、目的地へ誘導出来るシステムに成って入る。その他、ワンロボット犬は、水中に潜って作業出来る救助犬で有り、自動ボタンエアー浮き輪によって、緊急時は、浮上可能に成る。そして、ワンロボット犬は、インターネットにアンテナ式のインターネット波を、介して情報を、得て、ロボット情報取集センターの超スーパーコンピューターを使って、情報を、得る事の出来るワンロボット犬に成る。この他、ワンロボット犬は、衛星テレビ波を、山岳ヘリコプターが、受信したのを、特定の無線衛星波にしてから、ワンロボット犬に衛星テレビ波を、送るシステムに成り、携帯電話などの液晶画面に、衛星画像を送る事が出来るシステムに成る。その他、収納型の超小型山岳ロボットの携帯電話のインターネット中継装置に成り、自動電池積載型に成り、最新式では、発電量が、数段増えた、新2連振り子型自動充電池によって、更に、山岳ヘリコプターの機能増幅を、可能にした高出力システムも有る。そして、緊急小型酸素タンクを、ワンロボット犬の腹の横の電動仕切り弁収納庫に貯蔵タンクに緊急用の超小型酸素タンクを、内蔵させている装置。この他、ワンロボット犬は、レンズライトのライトに望遠鏡レンズを取り付けた装置を、ワンロボット犬の額部分に電動仕切り弁の中に、複数のレンズライトを、収納した装置に成り、ワンロボット犬の目の片方は、通常カメラと赤外線パネルカメラと紫外線パネルカメラとアルファー線内蔵パネルカメラとペーター線内蔵パネルカメラとガンマー線内蔵パネルカメラの6種類のモーターカメラパネル切り替え型のワンロボット犬に成り、もう片方のワンロボット犬の目は、望遠鏡に通常カメラと赤外線パネルカメラと紫外線パネルカメラとアルファー線内蔵パネルカメラとペーター線内蔵パネルカメラとガンマー線内蔵パネルカメラの6種類のモーターカメラパネル切り替え型のワンロボット犬の望遠鏡カメラのモーターパネルカメラの切り換え型の装置に成る。更に、ワンロボット犬の隠しカメラは、後部と左右と上下に超小型のカメラが有り、カメラ自体は、テレポーテイションカメラの被写体形状認識出来るカメラに成る。この他、ワンロボット犬は、行動した足取りを、地図に書き込むシステムのロボット地図書き込みシステムに、対して、ロボットの足取りを、地図の磁気による書き込みを、実施し、周りの風景画像を、取り込む事によって、帰還する時が、スムーズムに帰還出来るロボット地図書き込みの特徴の一つに成る。そして、ワンロボット犬の全自動作動のデーターは、表裏両面ＭＤツースは、表裏両面ＭＤの間に磁気カード一層取り付けた装置。コメント2011年11月20日am8時50分日曜日の為、朝から書き始める千葉県の墫野和夫。この他、ワンロボット犬には、衛星ＧＰＳの位置確認機能が、積載になっている為、位置番号の装置を、探し出す事が出来る。その他、ワンロボット犬の側面部の電動仕切り弁の収納庫には、非常飲料水が、収納に成って入る為、水中でも、水の入らない構造に成る。そして、ワンロボット犬は、川の水及び池の水及び海水を、ワンロボット犬内蔵積載の水発電機の真空装置の電動仕切り弁内蔵構造のバイパス管を、使って、川の水及び池の水及び海の水を、瞬間気化濾過させて、すぐに飲める飲料水を、瞬間に作り出す機能を、積載内蔵させた飲料水作成装置。この他、ワンロボット犬の手足に取り付けられて入る水中スクリュー装置は、逆回転させる事と真空装置を使って、川の水と池の水と海の水を、汲み上げて真水の飲料水に変える事の出来る装置。その他、ワンロボット犬の目カメラの周囲は、茶色のソーラーパネルと白色のソーラーパネルに成って入る事で、ワンロボット犬の目のカメラのカモフラージュを、行って入る。そして、ワンロボット犬の耳は、高性能マイクとあらゆる電波を、別々に分けて受信出来る超小型受信装置を積載内蔵したデーター収集が、出来る金属マイクで有り、錆び無いマイク構造に成って入る。この他、ワンロボット犬の、鼻は、煙センサーになっている為、煙の火元確認が出来る。その他、硝酸と塩酸の臭いとアンモニアの臭いを、嗅ぎ分ける事が出来るワンロボット犬の鼻構造で有る。そして、ワンロボット犬の手足は、エアーレールモーターホイストとスプリングエアーレールモーターホイストによって、加速走行を、合わせてジャンプ出来る機能を持ちえたワンロボット犬に成る。この他、ワンロボット犬の、口機能は、飛んで来る物を、ワンロボット犬の二つの異なったカメラの、物体の近ずいてくる遠近距離の物体距離間を、全自動計算して、ロボットＤＣブラシレスインバータ制御レールモーター口機能によって、物体を、キャッチ出来る機能を、備えたロボット口のモーター機能。その他、ワンロボット犬の尻尾の縄型モーターの中心部から、冷暖房風を、出す事の出来る機能に成り、超小型の冷暖房クーラー装置が、内臓に成って入る。そして、ワンロボット犬の、携帯電話波送受信装置によって、携帯電話受信スイッチ機能の付いている家電を遠隔操作出来る機能と他の携帯電話に、家の家電状況の全自動連絡も、出来る装置に成る。この他、ワンロボット犬は、全てのラジオ波を、キャッチして、情報を伝える事が出来る装置で有り、アンテナイヤホンで、人は聞く事が、出来るシステムに成る。その他、ワンロボット犬は、収納型ヘリコプター装置を、背中と後ろに内蔵したワンロボット犬で有る。そして、ワンロボット犬は、機械式発電機と水発電機積載の犬型ワンロボット犬で有る。この他、ワンロボット犬の手足は、ＤＣブラシレスインバータ制御レールモーターの電磁石反発クッションによって、モーター四点指示バランスを、取っているが、ちなみに、三点バランスも可能に成る。
【図３８７】2003年5月17日土曜日考案の全自動ロボットのＭＤ表裏ツースの5枚連続作動装置によって、ロボットのデーターを、一度に管理する機能に成り、ロボット配線は、超電導セラミック回路使用だか、セラミック配線は、東芝に成る為、木材灰などの、別の物質の炭素配線の合成炭素配線などによって、特許切れ財産の著作権財産介入を、なるべく避けなければ特許切れ著作権財産使用は、株式の株券無では、他人の財産の横領罪の為、避けなければ成らないのも事実に成る。ただし、東芝電気が、セラミック回路の特許権内に特許提出している事が、条件に成ると思われる。この他、ＭＤ表裏ツースのカバー構造として、セラミック板にアルミニューム板を、貼り付けたパネルに固形窒素パネルを貼り付けた三重の熱遮断の外熱防止パネルに成り、真空空間を、用いる事で、100度以上の熱対応が、出来るワンロボット犬に成る。その他、ロボットの固形窒素内蔵のアルミニューム羽及びレアーアース合金の固形窒素シート貼り付けのフアンの羽装置に成り、冷暖房クーラーの固形窒素羽等の、使用積載も有り、ロボットの腕部分に取り付けた装置も有る。取り外し可能に成り、アタッチメント式に成る。これら装置は、ロボットのデーターボックスの保護パネルとして、使用予定に成る。そして、 2003年5月17日土曜日考案のバイクナビゲイションは、バイク専門のＧＰＳナビゲイションシステムに成り、山岳ヘリコプターを使ったナビゲイションシステムも有る。
【図３８８】2003年5月17日考案の表裏両面ＭＤツースチヤンバーは、電動仕切り弁パネル内に内蔵になっいてるロボットの心臓部に成り、アルミニューム表裏チャンバー等の、書き込み出来ない熱対応のチャンバーも実在している。この他、山岳ヘリコプターの2連振り子型機械式発電機積載のインターネット無線波の上空中継と表裏両面ＣＤＭＤツースのチャンバー装置によって、複数の無線波の受信データー収録及び複数の気象データーなど及び上空の複数のカメラデーターを、全自動収録出来る機能を備えた山岳ヘリコプターのＣＤＭＤチャンパ装置に成る。その他、自動電池積載の、電気を電子に変えて、熱を発生させる電子官の電熱線利用方法の著作権。そして、看板に位置確認の超小型自動電池内蔵の電波番号登録の電波発射位置全自動計測の位置確認装置及び、衛星ＧＰＳの位置確認の電波送受信装置積載の看板。この他、冬期間の雪が降って視界が、悪くなった場合の為の、処置方法として、超小型自動電池積載の超小型ライト及び赤色の点滅燈を作動させるに中って、超小型の電波受信スイッチによって、点滅燈の電源の切り替えも、可能にしたスイッチに成り、この他、ソーラーパネル全自動スイッチも有る。
【図３８９】2003年5月17日考案の、表裏両面ＭＤアンテナツースチヤンバーは、5枚一度に連続して再生可能に成り、電波送受信装置積載の為、他のロボットの全自動システムのデーターボックスにも、使用可能な装置に成り、工場内の全自動ロボット機械では、一枚のＣＤＭＤで、全自動のデーター収録が、可能に成り、音楽と映画を、送受信キャッチして再生出来る電気製品利用も可能に成る。この他、山岳ヘリコプター積載内蔵の表裏ＣＤＭＤツースアンテナチヤンバーに、ロボットデーターを記録したデスクを、一枚のデスクに、一つの読み込み装置で無く、8つ以上の読み込み装置を、ＣＤＭＤデスクの両面のデーターを、一度に18以上のデーターを、読み込む事によって、一枚のデスクが、18ケ所の読み込みに対して、10枚のＣＤＭＤデスクに対して×18ケ所の読み込みの為、180項目のロボットデーターの回答を、一台の山岳ヘリコプターのロボット情報呼び出しシステムによって、可能に成る為、ロボットの複数の動作を、一度にロボットに送受信が、可能に成る為、全自動ロボットが、可能に成る説明に成り、現在、全自動ロボット以外一枚のデスクに対して、18ケ所の録画再生出来る装置の使用に対して、他の企業は、必要としない装置に成る為、公開の場で、著作権技術が、公開に成っても、全世界では、必要としない技術の一つに成る。従って、パソコンのＤＶＤの呼び出しに勝手に使用は、禁じますそして、ＣＤの超低価格製品として、製品の開発を、行いたい著作権作品技術に成り、一度に、テレビの録画を、片面8テレビ局同時、録画の両面16テレビ局同時録画を、可能にする事が出来る事によって、録画装置のコンパクト化が、出来る為、日本のビデオ業界全社を、ゴボウ抜き出来る録画システムに成る為、特に日本のビデオ機械の作成会社の技術盗作及び著作権技術盗作を、完全にこの図説文面に於いて、はっきり、類遺品つまり、技術盗作作品及び著作権の不正競争違反作品のテレビマスコミ報道完全禁止と新聞雑誌の積載の完全禁止及びラジオ報道の完全禁止及び海外での販売と雑誌インターネットとテレビ報道を、完全に禁止すると同時に、特許番号の知的所有財産権の番号公開無しのマスコミ各社の不正競争防止法違反作品は、テレビ局でも、裁判の対象に成ると言う事に成ります。理由日本の国と都道府県市町村区の全額借金返済の為の、著作権技術で有り、過去から、現在までの、日本の大学へ特許料無料の審査請求料と技術開発料金は、全て大学個人の財産にしか成らなかった事実の為、日本の大学全てに対して、著作権技術の無断使用を、一切禁止します。現在、マスコミ報道の、スーパーコンピューターに対して、一枚のデスクから、複数の読み込み装置を取り付ける著作権技術も、絶対禁止します。例えば、情報装置などに、積載使用するのを、禁止します。従って、スーパーコンピューターを、元々の複数台使用技術は、元々の技術の特許切れ技術に成ります。日本の企業全社の言い分と日本の全部の大学の言い分と経済産業省の言い分の特許番号明示義務無の、特許番号を、未公開し続ける事は、弱者が、日本の国の借金全額返済自体が、絶対無理な事に成る為、人権無視の著作権の不正競争防止法の違反に成る事を、文面を通じて完全に禁止します。そして、アンテナ送受信機能付き、液晶大型二つ折テレビ等の、テレビビデオ無線波及びテレビビデオリモコン波によって、多画面機能に、一度に録画再生が、出来るテレビアンテナタイプ及びパソコンアンテナタイプに成り、他社では、電気消費が、多く成る為、省エネルギーテレビ作品と省エネルギービデオのアンテナ使用のデーター送受信が可能に成る。
【図３９０】2003年5月18日日曜日考案のロボットのボタン液晶文字タッチ別名のタッチ液晶に対して、ロボット液晶の別のスイッチの有り方として、小型ボタンスイッチと、人の音声認識の液晶画面操作方法が有る。人の音声認識した液晶テレビは、絵文字液晶ボタンタッチで、液晶認識が行われ答えが、わかるテレビ答え合わせシステム。この場合、人型ロボット液晶カバータッチスイッチによって、液晶画面を作動させる事が出来る。その他、ニャンワンロボットの全自動掃除機は、液晶テレビ内蔵型ニャンワンサイドの胴体にカバー液晶で有り、ボタンスイッチで、絵又は、文字を判断出来るロボット機能説明。そして、人型ロボットのカバー液晶は、人型ロボットの液晶画面の別の切り替え方法の説明。
【図３９１】2003年5月19日月曜日考案の列車の商品販売人型ロボットは、列車内のスイッチを押す事によって、列車内の席にランプが付いた場所に、人型ロボットが、販売車を押して販売する仕組みに成り、販売車には、サイドセンサーが、取りついている為、販売車の走行位置を、人型ロボットに随時電波情報連絡する事によって、トラブルを防いで入る。ロボット販売車手動ブレーキとアンテナモーター車輪のモーターブレーキロックシステムに成る。この他、水発電機積載の海水温調整機は、海水に全自動の波を付けたり、海水を、モーター撹拌して海水温を下げる。海底ソナー装置リモコン別名、ソナーリモコン装置。内蔵ニクロム鉄の海水温調整装置水中モーター2連結以上モーター水中機械及び水中ロボットの緊急時の携帯波のソナー波変換の緊急の携帯電話通話システム。
【図３９２】2003年5月17日考案の木材回収ロボットの説明に成り、電気税カード導入積載のロボットは、水発電機積載の4プロペラヘリコプターの9連結電気モーターに成り、カメラは、望遠カメラ積載に成り、4連結以上モーターウインチは、リモコン作動に成り、ワイヤは、ウインチ軸の外で、ワイヤ止め装置を使用に成り子機の山岳ヘリコプターロボットの補助カメラによって、携帯波の携帯電話連絡。この他、木材回収ロボット積載のカメラ画像は、リモコン装置液晶にカメラ画像を、無線波転送が出来る装置に成り、表裏両面ＭＤツースの木材運搬車の全自動作業をインプットして有る表裏両面ＭＤツースに成り、木材運搬車の複数カメラは、テレポーテイション物体と動物と人の形状認識装置のカメラに成る為、事前に人を、避けて通ったり、人や動物の行動を、認識する事によって、事故を避ける為の、人の形状認識カメラと動物の形状認識カメラと物体の形状認識カメラに成る。風速計と風の方向計と風力計は、飛行装置には、必ず付いているのが条件の一つに成る。その他、木材運搬の為の木材回収ロボットは、ロボットの飛行した位置取りを、ロボット航空平面地図に書き込む事によって、木材回収ロボットが、全自動帰還する為の、ロボット地図書き込み装置成り、複数のレンズライト機能によって、遠くまで、照らす事によって、飛行物体を、事前確認する為の、レンズライト装置に成り、風力気象データー予知収集機能によって、木材回収ロボットの飛行の安全を図り、伐採後の、航空写真を、林野庁に、その場で、映像データー連絡を、送る事の出来る装置に成る。そして、土質及び地山と地図と雨量を、国土省に、事前確認を行う事によって、がけ崩れ災害を防ぐ。この他、伐採木材の質の検査連絡と虫食い状況の連絡を、都道府県市町村区の営業所連絡及び林野庁の連絡などによって、虫の被害地図と虫の予防対策を、計る為の処置が出来るシステムをきちんと行うシステムの構築と非常事態の場合は、携帯電話の非常事態連絡システムとＭＤツースの地山の高さと高度計の再チェックシステムの文書説明図。
【図３９３】2003年5月20日考案作品のカメラ内蔵の無線電話の衛星ＧＰＳ内蔵型装置。この他、水発電機積載の山岳ヘリコプター2連振り子型機械式発電機の他に、少し大きめの自動電池作成も視野に入れる。救助犬の登山付添ロボット犬等の著作権が有る。この他、山岳ヘリコプターの携帯電話中継は、人型ロボットと大型の人型ロボットの付添登山用のロボット説明。その他、無線で映像を送れる無線映像システムと水発電機積載の4プロペラヘリコプター以上2連結以上モーター使用の山岳ヘリコプターで、上空からの地上写真及び上空水平写真及び高度上空写真を、携帯電話及びパソコンに送る事の出来る装置に成る。コメント2011年11月20日pm20時45分寝る時間の為、ここでペンを置く千葉県の墫野和夫に成る。コメント2011年11月21日pm19時32分から、少しだけ書く事にする千葉県の墫野和夫で有る。
【図３９４】2003年5月22日木曜日考案の、ブレスレットバンドに、超小型体温計と脈拍計と小型液晶と自動電池内蔵の遠近距離連絡の携帯波連絡装置の著作権に成り、人型ロボットも、同じ機能を持つ著作権。この他、超小型の自動電池内蔵の赤外線カード及び体温計カードの著作権。その他、棒型体温計カード及び棒型赤外線カードの著作権。そして、ヘアーバンド式体温計と脈拍計の超小型自動電池内蔵の著作権装置。この他、山岳ヘリコプター電波中継型ロボットの全自動電波中継のカメラ及び望遠鏡積載の全自動ロボットの著作権。その他、ロボットテレポーテイションカメラ機能説明として、毒蛇の形状と色彩の全自動確認と全自動認識を、行って人を守る機能の著作権。そして、毒に関しての動物の形状の全自動カメラ確認と毒の有る植物の形状と色彩の全自動カメラ積載のロボットの音声と行動で人を守るシステムの著作権。
【図３９５】2003年5月22日木曜日考案の、ブレスレットバンドに、超小型体温計と脈拍計と小型液晶と自動電池内蔵の遠近距離連絡の携帯波連絡装置の著作権に成り、人型ロボットも、同じ機能を持つ著作権。この他、超小型の自動電池内蔵の赤外線カード及び体温計カードの著作権。その他、棒型体温計カード及び棒型赤外線カードの著作権。そして、ヘアーバンド式体温計と脈拍計の超小型自動電池内蔵の著作権装置。この他、山岳ヘリコプター電波中継型ロボットの全自動電波中継のカメラ及び望遠鏡積載の全自動ロボットの著作権。その他、ロボットテレポーテイションカメラ機能説明として、毒蛇の形状と色彩の全自動確認と全自動認識を、行って人を守る機能の著作権。そして、毒に関しての動物の形状の全自動カメラ確認と毒の有る植物の形状と色彩の全自動カメラ積載のロボットの音声と行動で人を守るシステムの著作権と丸円形の×型の長六角形の絵文字の著作権。
【図３９６】2003年5月23日金曜日考案の、直下型の地震予知説明の自動電池及び機械式発電機及び自動充電池内臓の地温計と地中計測用の磁場(磁波計測計)と山岳ヘリコプターの24時間連続無休憩作動の磁波計測計とマグマ地熱の移動説明の公開の有り方の著作権。
【図３９７】2003年5月23日金曜日考案の、直下型の地震予知説明の自動電池及び機械式発電機及び自動充電池内臓の地温計と地中計測用の磁場(磁波計測計)と山岳ヘリコプターの24時間連続無休憩作動の磁波計測計とマグマ地熱の移動説明の公開の有り方の著作権と丸円形のクロス台形の絵文字著作権。                                       コメント2011年11月22日pm20磁38分少しだけ、書く事にする千葉県の墫野和夫で有る。
【図３９８】2003年5月23日金曜日考案の地震計の全国のビル地下に設置と道路とビルの間に設置説明として、別の地震データーの有り方として、アンテナ自動電池内蔵地震計の送受信装置に成る。この他、地下ボーリングして、地下地震計と地下温度軽と地下湿度計と地下磁波計の4種類の地下計測計を縦ボーリング筒に連結状に自動電池内蔵型装置を、設置する事によって、地震予知情報を、寄り正確に得る方法に成る。その他、漫画ゴクウを、見ての盗作作品に成る為、他の財産に成る。つまり、著作権の工学技術に例えれば、意匠権に中る為、盗作作品は、著作権の先技術者の不利益に成る為、盗作行為は、窃盗罪に成る事に成る一例説明に成り、特許権でなくても、実用新案権でなくても、盗作は、犯罪に成る一例を、書いて見たが、気分が悪くなる思いだが、作品の作者は、なお一層気分を、害する行為に成るが、特許庁は、著作権の盗作は、関係無い話方を、するのが、提出主義の金持ち保護主義の先発明の著作権無視の世の中の様で有る。コメント2011年11月22日pm20時56分ペンを置く千葉県の墫野和夫で有る。コメント2011年12月13日pm18時13分久しぶりに残業無の為、書き始める千葉県の墫野和夫で有る。
【図３９９】2003年5月24日土曜日考案のロボット等の電気機器のカードの中に超小型自動電池内蔵のカードＭＤ及びフロッピーの読み込み部分に、スイッチ機能付きの読み込みを、電気信号ロック出来る構造のカード及びフロッピー及びカード内蔵ＭＤ装置に成り、超小型の位置確認装置内蔵のカードに成り、緊急時は、遠隔操作で読み込み不可能に出来る未来型のカードシステムに成る。
【図４００】2003年5月24日考案の、ペンインプット及びボタンインプットによって、全自動で衛星時計の年月日の何時何分何秒までが、全自動記録出来る電気機器及びロボットシステムに成る文書説明図。
【図４０１】2003年5月26日月曜日考案の山岳ヘリコプターロボット式の全自動ナビゲイションシステムに成り、二つ折重ねの液晶パネルのナビゲイションタイプに成り、タッチパネル式のカーナビゲイション及びナビゲイションシステムに成り、ハンドルバイフ゛レイション通達ブレスレットバイフ゛レイション通達とテレポーテイション被写体形状認識パネルカメラによって、物体の位置を、全自動認識して、自動車の全自動補助操作を、可能にしている技術で有り、此の頃は、人型ロボットの自動車積載の全自動運転を、視野に入れた考え方で有った文書説明図。
【図４０２】2003年5月26日月曜日考案の、全自動ナビゲイション計測装置に必要な項目に成り、活断層計測及び道路勾配地域全自動計測等の、ナビゲイション全自動ロボットシステムに成り、雷全自動計測及び積雪の全自動計測等によって、危険の事前回避システムとしている文書説明図。
【図４０３】2003年5月26日月曜日考案の、鋼鉄板プロテクターガード人型ロボットシステムに成り、鉄砲の弾の発射位置の全自動割り出し等に使用されるボディガード人型全自動ロボット説明に成る。
【図４０４】2003年5月26日月曜日考案の、地震予知情報の人型ロボットシステムとロボットのガス成分全自動解析装置とロボットのカメラテープ記録方式とロボットのインターネットによって、地図テレビ画像のデーターの全自動呼出しシステムに成る文書説明図。
【図４０５】2003年5月30日北海道庁の郵便物受理書図に成る。
【図４０６】2003年5月28日水曜日考案の普段は、ハヤブサの姿をした岩とコンクリートの強度の全自動計測ロボットシステムに成り、泥水を、瞬間に真水に変えるロボットシステムと山菜果物の全自動採取ロボットお呼び魚取ロボット及びタイムマシンロボットの著作権説明に成る。
【図４０７】2003年5月28日水曜日考案の、ロボット回路基板のセラミック回路基板は、燃焼防止処理構造に成り、アンテナセラミックスピーカー等の、ロボット用の音声スピーカー構造に成る文書説明図。
【図４０８】2003年5月30日金曜日考案の、ロボット警備及び銀行システムの文書説明著作権図。
【図４０９】2003年5月30日金曜日考案の、銀行警備ロボットと紙幣の偽造防止紙幣の著作権技術説明と2金属以上金属センサーと銀行の金庫扉の開閉の著作権文書説明図。
【図４１０】2003年5月30日金曜日考案の水中ロボットに、絶対必要な海上水中ＧＰＳソナーに成りね山岳ヘリコプターGPS使用の水中ソナーシステムの文書説明図。コメント2011年12月13日PM20時2分ペンを、置く千葉県の墫野和夫で有る。コメント2011年12月14日AM6時10分少しだけ書く事にする千葉県の墫野和夫で有る。
【図４１１】2003年5月309日金曜日考案の海上浮上ソナー装置と水中の海底ソナーの水中地図と円形型形状装置の著作権デザイン形状説明と海底に設置する海底地図の基準に成る海底ソナー波位置固定の海底地図設定装置の有り方の著作権説明の文書説明図。
【図４１２】2003年5月30日金曜日考案の、水中磁場観測ロボットの有り方と水中ヘドロ処理機械の有り方の著作権説明文書図。
【図４１３】2003年5月30日金曜日考案の、海底地図と海底GPS地図と海底ロボットの水中ロボットの有り方説明の文書図。
【図４１４】2003年5月30日金曜日考案の、海上浮上型ソナーとGPS地図及び山岳ヘリコプターGPS地図の有り方と波の観測とカメラによる波の全自動観測の有り方説明の文書説明図。
【図４１５】2003年5月30日金曜日考案の、海底地図と段数ソナーと海底建設機械の有り方の著作権説明の文書説明図。
【図４１６】2003年6月4日5日6日9日の北海道庁の郵便物受理書の著作権文書図の受理書図。コメント2011年12月14日AM6時33分仕事の為、ペンを置く千葉県の墫野和夫で有る。コメント2011年12月31日AM10時37分久しぶりに、正月休みの為書く事にする千葉県の墫野和夫で有る。
【図４１７】2003年6月1日日曜日考案の湧き水のエキノコックスを、熱処理退治して、安全に飲める飲料水にフィルター濾過する装置を、タンクローリーに積載した湧水運搬車両の電気モーター運搬型の著作権説明文書図に成り、ロボットコマーシャル税とロボット使用税の考案説明文書図。
【図４１８】2003年6月1日日曜日考案の全自動介護ロボットの為の、全家電製品の蓋を、モーター蓋にした家電製品の説明に成り、ロボット使用の為の、リモコン全自動操作にも、成って入る家電製品説明に成り、全てMDツースなどにデーター記録されるロボットシステムの説明文書図。
【図４１９】2003年6月2日月曜日考案の境界石に位置確認のGPSと自動電池ソーラーパネルを、内蔵した境界石に成り、パソコン等に、GPS位置と、カメラ写真図の、形状確認装置によって、パソコン画面に、ボタン一つで、土木図面一式が、全自動書き込み出来るシステム等に使用する為の、GPS位置確認装置入りの境界石システムに成り、地盤を、計測するレントゲンカメラ及び地盤の水位を、計測するドリル水位電極水位確認装置によって、土木建築施工図面を、パソコン等で、全自動で書き込み出来るシステムに使用する為の、境界石のGPS入りの装置に成る。
【図４２０】2003年6月3日火曜日考案の、電熱線入りレンズカメラとゴムと木材灰などの燃えない物質を、入れたゴムシートと複数穴あきの、木材灰と木材粒子を、混合合成したパネル及び竹材粒子と竹灰を、混合合成した複数穴あきパネル等の、異なったパネルと穴の位置を、ずらしたパネルとパネルの間に、グラスファイバー糸網シートを、挟む事によって、音を、吸収出来るパネルにした装置によって、船等のモーター音及び発電機音を吸収する装置を積載した船に成り、ロボットリース考案は、此の頃のアイデアで有った事の説明文書図。
【図４２１】2003年6月3日火曜日考案の、指輪式の超小型電波送信型の身分証明書に成り、人工指紋装置に成り、縄型ロボットの全体を、タイヤと超軽量モーターによって、細い穴の中でも、調査出来る自動電池内蔵のライトカメラ無線と飲料水内蔵のロボットの説明文書図。
【図４２２】2003年6月3日火曜日考案の、介護用の人型ロボットが、モーター椅子に成る人型ロボットのタイヤ付き人型ロボットに成り、山岳ヘリコプターの補助ロボット管理と携帯電話全自動記録通達システム考案も、此の頃の発案のアイデアの説明文書図。コメント2011年12月31日パアーアップハイブリットの図面補正の段取りを、終え、少しだけ書いて買い物に出かける千葉県の墫野和夫。
【図４２３】2003年6月4日木曜日考案の人型ロボットの鉄骨の高い所で作業する場合、人型ロボットの足元の足底が、電磁石切り替えに成って入るロボットに成り、高所作業用に考案したロボット構造技術に成り、インプット人型全自動ロボットに使用予定の機能に成り、ロボット衛星時計は、海外特許切れの著作権契約に成り、人の合図言葉のマイクキャッチ音と無線音声音の磁気認識などを、目的としたロボット機能の著作権原本。
【図４２４】2003年6月5日木曜日考案の介護用ロボットとして、人型ロボットにモータータイヤを取り付ける事によって、車椅子人型ロボットにチェンジ出来る介護用ロボットの著作権技術説明文書図。コメント2011年12月31日pm16時38分買い物を、してきてから続きを書く事にする千葉県の墫野和夫。コメント2012年1月1日pm16時38分寝正月のまま年が明けた用で有るが、今年こそ、2000年の木白子時代からの著作権文書図を、全て特許図面として、公開してから、著作権登録後、国会の総理大臣他、全てに、特例として、著作権の有効期間を、国と地方の全額借金返済の活動理由から、永遠の著作権登録を、国会の法律取決めで、決めて頂く仕事が有り、2012年8月までには、30件余りの知的所有財産の特許文献と実用新案文献を、文部省の著作権登録制度を、使用して登録を済ませてから、無料で海外全ての特許提出を、可能にして行きたい決意で有る。千葉県ニャンカンキチ木白子墫野和夫書
【図４２５】2003年6月5日木曜日考案の外出介護ロボットに成り、モーターバイクに変化する人型ロボットに成り、無害無給油式の全自動ロボットに成り、位置確認内蔵の刃物装置は、未来の防犯システムに成る文書説明図。
【図４２６】2003年6月5日木曜日考案の、ニャンワンロボットの4足歩行ロボットの転倒防止対策として、複数エアーフアン装置で立て直す機能を備えたロボットに成り、人型ロボット二体一組で、行動するシステムに成り、縄型モーターを、使用した人型ロボット説明の他、山岳ヘリコプターのレントゲンカメラとソナーセンサーなどによって、水中の物体を、確認するシステム説明の文書図。
【図４２７】2003年6月5日木曜日考案の、ＭＤツースボックスデーター記録装置に、人の顔のしわなどで、年齢を、見分けるシステムと、髪の色で色素体温度検知を、アルファー放射線内蔵パネルカメラで見分けるシステムの他、人のほくろ及び傷などを、カメラ形状認識装置と人の記録データー機能によって、人の表皮の電子カメラ構造を、電子カメラで、計測し画像を、録画して、人の歯の形状を、テレポーテイションカメラ技術の人の歯の形状認識装置によって、違いを、見分けるシステムの他、人の音声を、高感度マイク等によって、聞き取って、音波の音声聞き取り認識が出来る装置で有り、住民禄は、衛星ＧＰＳの他、山岳ヘリコプターＧＰＳの位置確認は、正確性を、計る為、複数台使用予定の技術に成り、人の氏名及び住所及び血液型及び電話番号までが、ビデオテレポーテイションの人の形状認識によって識別出来るロボット機能に成り、全ての、都道府県市町村区の公共施設内の地図までも、ロボットデーターとして、把握出来ている機能に成り、全てが、ロボット専用のスーパーコンピューターの山岳ヘリコプター無線及び人工衛星無線によって、データー収集出来る人型ロボットの文書説明図。
【図４２８】2003年6月5日木曜日考案の人型ロボットの音声認識の一例に成り、圧電素子音声チップの使用予定に成り、音声認識は、カーナビゲイションの音声認識の特許切れ技術に成り、この当時は、ロボットの音声認識は、他社に無い技術で有った。
【図４２９】2003年6月5日木曜日考案の人型ロボットの眠る行為と人まねの有り方の著作権説明文書図で有り、その他の人型ロボットの全自動物体と動物の形状全自動認識カメラ全自動作動のの著作権説明文書図。
【図４３０】2003年6月5日木曜日考案の人型ロボットの介護ロボットの動作の、著作権の一例を書いた文書説明図。
【図４３１】2003年6月5日木曜日考案の人型ロボットのエアー吸引モーターとスクリューエアー放出の技術によって、地上から、少し浮く技術と飛行ロボットの方位転換技術と水中での、モーター吸引水のスクリュー放射の水中移動技術に成り、2連結以上モータースクリュー走行も有り、モーターの水車羽型モーターの水取り込み型水中プロペラモーターの有り方の著作権説明文書図。
【図４３２】2003年6月6日金曜日考案のキチンのデザインガラスキチンで有り、ステンドガラス内臓の合わせガラスのバックライトガラスキチンの他、一部テレビパネルのキチンも、考えられるが、冷却システムに金がかかり過ぎる事と温度劣化が、いがめない為、キチンのテレビパネルは、技術完了次第低価格にての商品開発に成り、フッ素粒子入りセラミックパネルの他、木材灰入りガラスなどの、軽量ガラスと軽量クリスタルガラスなどの、市場導入を視野に入れた著作権ガラス説明と位置確認装置内蔵のヘットバンドとブレスレットバンドの位置確認装置とロボットのデザインライト説明の著作権説明の文書図。この他、クリスタルガラス2枚の間にグラスファイバークッションシートとステンドガラスを貼りあわせた振動に強いクリスタルガラスの合わせガラスのキッチンの電気コンロ及びキッチン台の説明の文書図。
【図４３３】2003年6月8日日曜日考案の複数の光ライトライン光の全自動切り替えによって、音声と文字と同じ働きをするモーター内蔵の複数の光ライトライン光の全自動切り替えシステム装置に成り、電波障害を防いだ多色光をモーター切り替えする事によって、音声及び文字と同じ働きを求めた装置に成り、医療機関のデーター伝達装置として使用予定の著作権技術説明文書図。
【図４３４】2003年6月8日日曜日考案の複数色ライトライン光の音声カラーラインライト光を、全自動でデジタル波変換及びノーマル波変換などの、複数の電波変換出来るシステム装置の著作権原本説明文書図。
【図４３５】2003年6月8日日曜日考案の全自動ロボットの薬投与に対して、薬成分と患者の薬カルテなどの薬成分の二重チェックなどの対策によって、薬の誤投与を、避ける為の説明文書図。
【図４３６】2003年6月9日月曜日考案の携帯電話のメッセージボックスと写真映像記録のテレビ転送技術説明と複数アンテナ人型ロボットのコンピューター複数回線を使った全自動ロボットシステムに成り、別にインターネットロボットは、山岳ヘリコプターの電波中継基地を、使ったデーター無線全自動キャッチ型の人型ロボット説明に成る著作権説明文書図。
【図４３７】2003年6月9日月曜日考案の山岳ヘリコプターを、安全に全自動無休憩飛行させる為のビルの高さ及びアンテナの高さ及び電線の高さ及び木々の高さ及び鉄塔の高さを、示した平面図の他、高さを示した立体地図の、山岳ヘリコプター平面立体高さ明示地図によって、暗がりでも、山岳ヘリコプターの複数のＧＰＳの他、衛星ＧＰＳ技術によって、全自動飛行出来る山岳ヘリコプターの地図説明の著作権文書図。
【図４３８】2003年6月10日火曜日考案の人型農業ロボットのデーター記録の有り方と自動車バンパの接触センサーのライト点滅と音声全自動連絡システムと農業ビニールハウスの骨組を、パイプ方式から、平板方式のグラスファイバーカバー付きのビニールハウスの骨組みの著作権技術説明文書図。
【図４３９】2003年6月10日火曜日考案の水中ロボットの水中銃と魚釣り用リールなどの、収納型水中ロボットの著作権説明文書図の他、未来型の人型ロボット経営農業の著作権文書に成り、観光目的イベント施設に成り、この他、携帯電話の着メロの各国語切り替えの携帯電話説明の文書図。
【図４４０】2003年6月12日の北海道知事の墫野和夫の著作権原本の受理書図。
【図４４１】2003年6月13日と6月17日の北海道知事の墫野和夫の著作権原本の受理書図。
【図４４２】2003年6月11日水曜日考案のタッチソーラーパネル充電池スイッチ型の装置に成り、液晶タッチパネルラインとソーラーパネルラインを、重ねたタッチスイッチの著作権原本図。
【図４４３】2003年6月12木曜日考案の携帯電話の衛星携帯電話の送受信装置ボックスと電気自動車の電気消費記録装置とブレーキの効き具合と道路カメラ状況を、道路環境現在時間の全自動の道路データーを、道路情報基地まで、全自動で、連絡出来るシステムのナビゲイションシステムの著作権原本説明文書図。
【図４４４】2003年6月19日の北海道知事の墫野和夫の著作権原本の受理書図。
【図４４５】2003年6月13日考案のライトにウインカーを取り付けた一体型のウインカーライトの車の装置に成り、ライトの照度を、対抗線側の光度を、全自動で下げて、ウインカーの全自動点滅に成る、著作権原本に成り、スーパーの買い物のカロリー全自動計算は、携帯電話の音声記録とカメラ記録と弱電波データー受信カメラの著作権原本に成り、未来的には、医療のカロリー管理データー表によって、太り過ぎ及び栄養不足の音声の携帯電話データー認識サービス事業等に取り込む為の著作権説明文書図。
【図４４６】2003年6月13日金曜日考案の、印鑑の複数色印鑑装置になり、複数カラー色インク細長タンクとインクを送る手動式ポンプ付きカラー印鑑装置の著作権原本に成り、電気とニュートリノ光を、同時に発射出来る電気抵抗の無い電気センサー説明の著作権文書図の他、電気の通るプラスチックと圧電素子を、組み合わせた電気の質計測と電気量計測と電気熱エネルギー計測が出来る電気の通るプラスチックを、応用した電気計測センサーの文書説明図。
【図４４７】2003年6月14日土曜日考案の見える携帯電話は、透明グラスファイバーパネルとアルミニューム骨組み内蔵の透明グラスファイバーを、使った携帯電話に成り、回路及び充電池及び、液晶パネルの裏側まで、透けて見える構造に成り、ラジオ波は、簡素映像波ラジオに成り、液晶画面によって、絵文字キャラクター放送の受信などが、楽しめる見える携帯電話ラジオの文書説明図。
【図４４８】2003年6月14日土曜日考案の携帯電話の絵文字とジェスチャー絵文字の音声変換と手話絵文字の音声全自動カメラ映像磁気認識の音声文字変換出来る携帯電話の絵文字及びジェスチャー文字と手話文字の音声全自動変換と文字全自動変換の著作権文書説明図と表裏両面の圧電素子磁気入りのＭＤツース及びボックスツースの著作権説明文書図。
【図４４９】2003年6月14日土曜日考案の、郵便局ポストの文字書き込みポストに成り、超小型カメラと音声マイク音声受信装置と自動電池内蔵のポストに成り、郵便局の配達員専用のメッセージポストに成り、郵便局の外置きポストは、アンテナ付のカードボックス読み込み型の文字文章と映像とお金の三種類を、一度にカード送金出来るポストに成り、カードにＩＣチップが、多層式の構造の為、文書と映像を一度に送る事が出来て、受信側は、カードにメッセージ画像と文書を、見る事の出来る郵便局ポストカードに成り、郵便物を、飛行型人型ロボットによって、個人宅まで、ゆうパックと郵便物を、全自動で届けるサービスに成り、似顔絵写真切手と動物写真切手は、個人好みで、郵便局が、コピー印刷切手を、作成する事に成るが、若干割高に成る事も、考えられる著作権原本文書説明図。
【図４５０】2003年6月15日日曜日考案の山岳ヘリコプターの縄型ロボット吸引装置を取り付けた空飛ぶ掃除機に成り、部屋の煤取及びホコリを、山岳ヘリコプター本体が、全自動吸引出来る床から上の掃除機に成り、家の室内地図のインプット入力する事によって、全自動で掃除とゴミ捨てが出来る装置に成り、ガラス電動スッポン時回転ブラシは、自動電池内蔵型の装置に成り、人型ロボットのミシンロボット介護ロボットの電磁石の針処理機能付き人型ミシンロボットの著作権原本説明図。コメント2012年1月1日pm22時17分眠いのでペンを置く千葉県の墫野和夫で有る。コメント2012年1月2日昼pm12時24分正月休みの為、今からロボット図面の説明文書を書く千葉県の墫野和夫。
【図４５１】2003年6月15日日曜日考案の介護インターネットロボットカメラ機能の著作権説明文書図。
【図４５２】2003年6月17日火曜日考案の高速ロボットは、ウオーター重心移動制御装置とリズムスプリングクッションロボットモーターフアンエアー重心調整の2連結以上モーターエアー送風の重心調整ロボットで有り、高速水車板型エアーモーターによって、重心調整を、するロボット。
【図４５３】2003年6月17日火曜日考案の全自動人型ロボットの役割の著作権説明文書図。
【図４５４】2003年6月17日火曜日考案の全自動人型ロボットの縄型ロボットのロボット足指のスプリングバランス調整装置によって、高速走行を可能にする技術とロボット技術の構造説明と著作権技術説明文書図。
【図４５５】2003年6月17日火曜日考案のロボットのデーター収納装置の表裏両面ＭＤ装置説明に成り、ロボット税と電池税と電気税紹介説明の文書図。
【図４５６】2003年6月17日火曜日考案の全自動人型ロボット内蔵の超小型コンプレッサー内蔵の全自動人型ロボットの行う事の出来る著作権説明文書図であり、現在は、全ての作業が出来る人型全自動ロボットを目指している著作権説明文書図。
【図４５７】2003年6月17日火曜日考案の全自動人型ロボット内蔵の超小型金属探知機内蔵の全自動人型ロボット及びカラー色識別認識ロボット及び山おうとつ認識カメラロボット及びテレポーテイション物体及び動物及び人の全自動形状認識確認判断出来る機能ロボット及びスクリュー電波センサー機能付きロボットによって、物体の距離間を、カラーライトラインカメラの被写体距離感覚の全自動計測装置と複数のカメラの被写体のカメラ焦点距離から、物体と物体の距離間を、計測出来る装置に成り、山岳ヘリコプターの三角点距離カメラ被写体計測によって、物体と物体の距離間を、高速で割り出す事を、可能にしている技術説明に成り、それぞれを行う事の出来る著作権説明文書図であり、現在は、全ての作業が出来る人型全自動ロボットを目指している著作権説明文書図。
【図４５８】2003年6月20日と21日と24日と25日の北海道知事の墫野和夫の著作権原本の受理書図。
【図４５９】2003年6月18日の物体の劣化スピードデーターの計測値データーの収集と食べ物の酸化スピードの計測値データーの収集とあらゆるウイルス依存度データーの収集と物体の太陽光吸収率データーの温度カメラセンサーの正確なデーター収集によって、全自動人型ロボットの高速作業の充実を目指す為の著作権原本文書説明図。
【図４６０】2003年6月18日の全自動人型ロボットの物体の静電気の帯電電気量の全自動確認と物体の電気誘導率の全自動計測によって、雷被害及び雷対策を、いち早く説明出来て対処出来る全自動人型ロボットの音の電動率音の電気発電量の説明によって、音衝撃度数の全自動計測を、目指した全自動人型ロボットの著作権説明文書図。
【図４６１】2003年6月18日の全自動人型ロボットの超軽量キヤタビラ構造の著作権説明文書図。
【図４６２】2003年6月18日の全自動人型ロボットの超軽量ゴムタイヤの構造の著作権説明文書図。
【図４６３】2003年6月18日の全自動人型ロボットの超軽量チタンモーターとエアーモーターフアンの浮上ロボットの構造の著作権説明文書図。
【図４６４】2003年6月18日の全自動人型ロボットの超軽量液晶画面スキャナは、カメラスキャナ及び液晶画面のバックライト構造を利用した液晶画面スキャナ構造の著作権説明文書図。
【図４６５】2003年6月19日の全自動人型ロボットの防犯ロボットの構造の著作権説明文書図とタッチワープロ及びタッチパソコンの著作権と全自動人型ロボットの人間言葉理解の説明と話す人型ロボットの知的人型ロボットの開発の為の著作権文書説明図。
【図４６６】2003年6月19日の全自動人型ロボットの重心安定装置と構造の著作権説明文書図と充電池素子内蔵の液晶テレビと液晶タッチボタン使用のロボットの著作権説明文書図。
【図４６７】2003年6月20日の全自動人型ロボットのプラスチックビニールの検知と全自動分別の為の静電気電動スピードでゴミの種類を全自動検知してゴミ分別を、行うシステムの構造の著作権説明文書図。
【図４６８】2003年6月20日の全自動人型ロボットのカメラビデオの全自動録画とインターネットの全自動送信と雑音に関しての著作権の構造の著作権説明文書図。
【図４６９】2003年6月20日の全自動人型ロボットのシリコンラジエター水ホイストの構造の著作権説明文書図。
【図４７０】2003年6月20日の全自動人型ロボットのプラスチックと圧電素子合成の超軽量電気配線と超軽量全自動人型ロボットの構造の著作権説明文書図。
【図４７１】2003年6月20日の全自動人型ロボットの全自動建設機械のライトカメラと山岳ヘリコプターカメラの構造の著作権説明文書図。
【図４７２】2003年6月23日の全自動人型ロボットの金属探知機とテレポーテイション形状認識カメラと赤外線カメラの物体形状認識カメラ構造の著作権説明と物体の立体画像の全自動取り込みシステムと土中内の湧水と水の検知機の説明文書図。
【図４７３】2003年6月23日の全自動人型ロボットの圧電素子磁石体磁気のカードを束ねたボックスツースと液体水素と超電導ニッケル粒子内臓のシリコン合成ソーラーパネルと情報カードボックスの熱検知センサーと自動電池内蔵の情報送受信のデーター貯蓄機能の著作権構造の著作権説明文書図。
【図４７４】2003年6月24日の全自動人型ロボットの電動モーター仕切り弁内蔵の銅スピーカーと銅マイクとアルミニュームコーテングマイク及びチタン金属マイク構造の著作権説明文書図。
【図４７５】2003年7月2日と3日の北海道知事の墫野和夫の著作権原本の受理書図。A4223枚の著作権文書説明図。
【図４７６】2003年6月26日の全自動人型ロボットのロボットカメラとロボットカメラ目の特殊ソーラーパネルの著作権説明文書図。
【図４７７】2003年6月26日の全自動人型ロボットの指圧バイフ゛レイション弱電気放電指圧と鳥型ロボットの開発とロボットパークの著作権説明文書図。
【図４７８】2003年6月26日の全自動人型ロボットのエアースケートとは、スケートボードに電気モーターエアーフアン内蔵のスケートボードに成り、アクセサリー作りロボットのアトラクションロボット構造の著作権説明文書図外部からのリモコンロボットのリース参列によるロボットパークの著作権説明文書図。
【図４７９】2003年6月26日の全自動人型ロボットの情報ロボットの著作権構造とアイス販売ロボットの超小型冷蔵庫内蔵の人型ロボットの著作権説明文書図。
【図４８０】2003年6月26日の全自動人型ロボットのステンレス金具入りゴム服のロボット服の著作権説明文書図と指圧ロボットの構造説明の著作権文書図。
【図４８１】2003年6月26日の全自動人型ロボットの銀行警備全自動人型ロボットの著作権説明文書図。
【図４８２】2003年6月26日の全自動人型ロボットのテレポーテイション物体及び動物及び人の形状認識確認認知作動行動カメラの著作権と遭難者積載の自動電池内蔵の海上GPS電波を全自動キャッチして、遭難者救出の全自動インプット方式の著作権の救助説明と赤外線ロボットカメラの著作権説明文書図。
【図４８３】2003年6月30日月曜日の全自動ニャンワンロボットの構造の著作権説明文書図。
【図４８４】2003年6月27日の全自動人型ロボットの全自動立体形状認識システムによって、モーター堀機によって、木材加工と焼き物粘土の表面加工の出来る全自動人型ロボットの著作権説明文書図。
【図４８５】2003年6月27日の全自動人型ロボットの室内ＧＰＳ地図によるロボットビデオの映像位置確認技術説明とテレポーテイション物体形状全自動認識認知確認全自動作動のロボットカメラの著作権技術と介護全自動人型ロボットの著作権説明文書図。
【図４８６】2003年6月27日金曜日考案の全自動新削岩機ロボットの著作権説明文書図。
【図４８７】2003年6月27日金曜日考案の全自動人型ロボットの著作権説明文書図
【図４８８】2003年6月27日金曜日考案の全自動人型ロボットと介護ロボットとパソコンキー打ち出しの著作権説明文書図
【図４８９】2003年7月1日火曜日考案の全自動人型水中ロボットの水中ソーラーパネルとと海底情報ボックスの著作権説明文書図
【図４９０】2003年7月1日火曜日考案の全自動ニャンワン水中ロボットの著作権説明文書図。
【図４９１】2003年7月1日火曜日考案の全自動ニャンワン水中ロボットの著作権説明文書図。
【図４９２】2003年7月1日火曜日考案の全自動ニャンワン水中ロボットの著作権説明文書図
【図４９３】2003年7月1日火曜日考案の全自動ニャンワン水中ロボットの著作権説明文書図
【図４９４】2003年7月1日火曜日考案の全自動ニャンワン水中ロボットの著作権説明文書図
【図４９５】2003年7月1日火曜日考案の全自動ニャンワン水中ロボットの著作権説明文書図
【図４９６】2003年7月4日金曜日考案の全自動人型ロボットの著作権説明文書図
【図４９７】2003年7月4日金曜日考案の全自動人型ロボットの著作権説明文書図
【図４９８】2003年7月8日火曜日考案の全自動人型ロボットの機械全自動運転の著作権説明文書図
【図４９９】2003年7月8日火曜日考案の全自動赤十字医療物資運搬用の全自動モーター4プロペラヘリコプターの著作権説明文書図
【図５００】2003年9月17日の北海道知事の墫野和夫の著作権原本の受理書図。177枚
【図５０１】2003年9月12日金曜日考案の全自動マネキンロボットの著作権説明文書図。
【図５０２】2003年9月14日日曜日考案の全自動ロボットの音声読み込み装置とナビゲイションカメラの著作権説明文書図。
【図５０３】2003年9月18日22日の北海道知事の墫野和夫の著作権原本の受理書図。
【図５０４】2003年9月15日月曜日考案の全自動ロボットの著作権説明と電熱線の異なった装置と掃除機の著作権文書図。
【図５０５】2003年9月15日月曜日考案の全自動虫取ロボットの著作権説明文書図。
【図５０６】2003年9月21日日曜日考案の全自動宇宙ロボットの著作権説明文書図。
【図５０７】2003年9月21日日曜日考案の全自動宇宙ロボットの著作権説明と磁力線スイッチジュウタンと掃除方法の文書説明図。
【図５０８】2003年9月21日日曜日考案の全自動宇宙ロボットの著作権説明文書図。
【図５０９】2003年9月21日日曜日考案の全自動宇宙ロボットの著作権説明文書図。
【図５１０】2003年9月24日の北海道知事の墫野和夫の著作権原本の受理書図。
【図５１１】2003年9月23日火曜日考案の全自動犯人取り押さえロボットの著作権説明と液晶炭パネルの白文字スイッチ説明文書図。
【図５１２】2003年9月25日木曜日考案の全自動ロボットタイヤと防弾装置の著作権説明文書図。
【図５１３】2003年9月25日木曜日考案の全自動建設機械の著作権説明文書図。
【図５１４】2003年9月26日金曜日考案の全自動地中掘削ロボットの著作権説明文書図。
【図５１５】2003年9月26日金曜日考案の全自動宇宙ロボットの著作権説明文書図。
【図５１６】2003年9月29日の北海道知事の墫野和夫の著作権原本の受理書図。
【図５１７】2003年9月27日土曜日考案の全自動宇宙ロケットと原子力廃棄物処理の著作権説明文書図。
【図５１８】2003年9月28日日曜日考案の全自動人型ロボットの著作権と介護説明文書図。
【図５１９】2003年9月29日月曜日考案の全自動水中ロボットの著作権と海中浮き石油タンクの著作権説明文書図。
【図５２０】2003年9月29日月曜日考案の全自動地中ロボットの著作権と海中浮き波消しロボットの著作権説明文書図。
【図５２１】2003年9月29日月曜日考案の全自動原子力廃棄物処理の南極での著作権説明文書図。
【図５２２】2003年9月29日月曜日考案の全自動大型ロボットの災害復旧用ロボットの著作権説明と携帯電話の文書図。
【図５２３】2003年10月7日10日14日16日の北海道知事の墫野和夫の著作権原本の受理書図。
【図５２４】2003年10月7日21日23日24日27日28日の北海道知事の墫野和夫の著作権原本の受理書図。
【図５２５】2003年10月4日土曜日考案の全自動人型ロボットの高速電波の送受信の著作権説明と携帯電話利用の高速電波とパソコンの高速電波の著作権説明原本文書図
【図５２６】2003年10月5日日曜日考案の全自動人型ロボットの高速電波の送受信の著作権説明と携帯電話利用の高速電波とパソコンの高速電波の著作権説明原本文書図
【図５２７】2003年10月5日日曜日考案の全自動人型ロボットの高速電波の送受信の著作権説明と携帯電話利用の高速電波とパソコンの高速電波の著作権説明原本文書図
【図５２８】2003年10月5日日曜日考案の全自動人型ロボットの高速電波の送受信の著作権説明と携帯電話利用の高速電波とパソコンの高速電波の著作権説明原本文書図
【図５２９】2003年10月7日火曜日考案の全自動人型ロボットの高速電波の送受信の著作権説明と携帯電話利用の高速電波とパソコンの高速電波の著作権説明原本文書図
【図５３０】2003年10月20日の北海道知事の墫野和夫の著作権原本の受理書図。
【図５３１】2003年10月12日日曜日の全自動人型ロボットの掘削ロボットの構造とオートライターの著作権説明文書図。
【図５３２】2003年10月12日日曜日の全自動モータープロペラ飛行機構造と山岳ヘリコプターの著作権説明文書図。
【図５３３】2003年10月12日日曜日のゲーム携帯と人形ロボットの著作権説明文書図。
【図５３４】2003年10月19日日曜日の手相鍵の著作権説明と連結電磁石反発免震の著作権文書図。
【図５３５】2003年10月19日日曜日の軽量自動電池の著作権説明と大型ロボットのコンクリート壊し機の著作権文書図。
【図５３６】2003年10月22日水曜日の官掃除ロボットの著作権説明と振動制御官止めの著作権文書図。
【図５３７】2003年11月4日の北海道知事の墫野和夫の著作権原本の受理書図。
【図５３８】2003年10月26日日曜日のレンズライトカメラの著作権説明と冷却水発電機の著作権文書図。
【図５３９】2003年10月27日月曜日の電気自動車の著作権説明と医療ツースと携帯波とナビゲイション波の著作権文書図。
【図５４０】2003年10月28日火曜日の電話ボックスのGPS利用と人型全自動ロボットの医療介護の著作権文書図。
【図５４１】2003年10月31日金曜日のアンテナ多目的ツースの買い物店の情報取集の送受信装置の著作権説明と新しい文字形態の著作権文書図。
【図５４２】2003年11月5日の北海道知事の墫野和夫の著作権原本の受理書図。
【図５４３】2003年11月2日日曜日のパチンコスロットルロボットの著作権説明と携帯電話他社と異なる著作権文書図。
【図５４４】2003年11月2日日曜日の海の潮の移動の全自動カメラ確認とおしめセンサーの著作権説明と地震予知データーの著作権文書図。
【図５４５】2003年11月2日日曜日のロボット飲み物全自動運搬ロボットの著作権説明と建築と土木床構造の著作権文書図。
【図５４６】2003年11月2日日曜日のロボット全自動チューブセメントとチューブコーテング材の著作権説明とソーラーパネルの照度スイッチと水道排水の真空処理装置説明の著作権文書図。
【図５４７】2003年11月2日日曜日の電動仕切り弁ドアの著作権説明と食器洗い全自動ロボットの著作権説明文書図。
【図５４８】2003年11月2日日曜日のおもちゃロボットの著作権説明とロボット複数多種鍵アタッチメントの鍵山の異種組み合わせの著作権と電圧ストップセンサーの著作権の文書図。
【図５４９】2003年11月10日月曜日のニャンワン全自動掃除機ロボットの著作権説明文書図。
【図５５０】2003年11月10日月曜日のニャンワン全自動掃除機ロボットの著作権説明文書図。
【図５５１】2003年11月10日月曜日のニャンワン全自動掃除機ロボットの著作権説明文書図。
【図５５２】2003年11月25日の北海道知事の墫野和夫の著作権原本の受理書図。
【図５５３】2003年11月21日金曜日の全自動人型ロボットマイクの代替え商品構造の著作権説明文書図。
【図５５４】2003年11月28日金曜日の馬券バイク券自転車券船券の音声購入の著作権説明と音声によってプログラム変更の有り方の著作権説明と地中ドリルの金属探知機の著作権文書図。
【図５５５】2003年12月1日の北海道知事の墫野和夫の著作権原本の受理書図。
【図５５６】2003年12月18日の北海道知事の墫野和夫の著作権原本の受理書図。
【図５５７】2003年12月6日土曜日の自動車のカメラの著作権説明文書図。
【図５５８】2003年12月9日火曜日の自動車のカメラの著作権説明とトラクターなどの車の衝突防止装置のカメラの著作権文書説明とカメラ電波センサー説明の著作権文書図。
【図５５９】2003年12月9日火曜日の自動車のカメラアンテナ付のバックライト他の著作権説明文書図。
【図５６０】2003年12月10日水曜日の薄幕貼り付けの電子回路の著作権説明文書図。
【図５６１】2003年12月10日水曜日の複数電波の受信とし類別電波の送信に関しての著作権説明文書図。
【図５６２】2003年12月11日木曜日の電波障害を防ぐ為の著作権説明と全自動ロボットの説明文書図。
【図５６３】2003年12月10日水曜日の薄幕貼り付けの電子回路の著作権説明文書図。
【図５６４】2003年12月10日水曜日の全自動ロボットの著作権説明文書図。
【図５６５】2003年12月11日木曜日の全自動ロボットの著作権説明文書図。
【図５６６】2003年12月11日木曜日の全自動ロボットの著作権説明文書図。
【図５６７】2003年12月11日木曜日の全自動ロボットの著作権説明文書図。
【図５６８】2003年12月11日木曜日の全自動ロボットの著作権説明文書図。
【図５６９】2003年12月13日土曜日の全自動ロボットの著作権説明文書図。
【図５７０】2003年12月13日土曜日の全自動ロボットの著作権説明文書図。
【図５７１】2003年12月13日土曜日の全自動ロボットに必要な複数色ライン電波センサーの著作権説明文書図。
【図５７２】2003年12月14日日曜日の全自動ロボットの著作権説明文書図。
【図５７３】2003年12月14日日曜日の全自動ロボットの著作権説明文書図。
【図５７４】2003年12月14日日曜日の全自動ロボットの著作権説明文書図。
【図５７５】2003年12月14日日曜日の全自動ロボットの著作権説明文書図。
【図５７６】2003年12月18日木曜日の非常電話列車の著作権説明文書図。
【図５７７】2003年12月18日木曜日の非常電話列車の著作権説明文書図。
【図５７８】2003年12月19日金曜日の非常電話列車の著作権説明文書図。
【図５７９】2003年12月19日金曜日の非常電話列車の著作権説明文書図。
【図５８０】2003年12月19日金曜日の非常電話列車の著作権説明文書図。
【図５８１】2003年12月19日金曜日の非常電話列車の著作権説明文書図。
【図５８２】2003年12月20日土曜日の非常電話列車の著作権説明文書図。
【図５８３】2003年12月22日と24日の北海道知事の墫野和夫の著作権原本の受理書図。
【図５８４】2003年12月21日日曜日の非常電話列車の著作権説明文書図。
【図５８５】2003年12月21日日曜日の非常電話列車の著作権説明文書図。
【図５８６】2003年12月21日日曜日の非常電話列車の著作権説明文書図。
【図５８７】2003年12月21日日曜日の非常電話列車の著作権説明文書図。
【図５８８】2003年12月21日日曜日の非常電話列車の著作権説明文書図。
【図５８９】2003年12月21日日曜日の非常電話列車の著作権説明文書図。
【図５９０】2003年12月21日日曜日のロボットパークの著作権説明文書図。
【図５９１】2003年12月21日日曜日のロボットパークの著作権説明文書図。
【図５９２】2003年12月21日日曜日のロボットパークの著作権説明文書図。
【図５９３】2003年12月21日日曜日のロボットパークの著作権説明文書図。
【図５９４】2003年12月21日日曜日のロボットパークの著作権説明文書図。
【図５９５】2003年12月21日日曜日のロボットパークの著作権説明文書図。
【図５９６】2003年12月21日日曜日のロボットパークの著作権説明文書図。
【図５９７】2003年1月6日の北海道知事の墫野和夫の著作権原本の受理書図。158枚
【図５９８】2003年12月27日土曜日のロボットパークの著作権説明文書図。
【図５９９】2004年1月6日火曜日のロボットパークの著作権説明文書図。
【図６００】2004年1月6日火曜日のロボットパークの著作権説明文書図。
【図６０１】2004年1月6日火曜日のロボットパークの著作権説明文書図。
【図６０２】2003年1月13日の北海道知事の墫野和夫の著作権原本の受理書図。
【図６０３】2004年1月14日水曜日のロボットパークの著作権説明文書図。
【図６０４】2004年1月14日水曜日のロボットパークの著作権説明文書図。
【図６０５】2004年1月16日金曜日のロボットパークの著作権説明文書図。
【図６０６】2004年1月29日木曜日のロボットパークの著作権説明文書図。
【図６０７】2004年1月30日金曜日のロボットパークの著作権説明文書図。
【図６０８】2004年1月30日金曜日のロボットパークの著作権説明文書図。
【図６０９】2004年1月30日金曜日のロボットパークの著作権説明文書図。
【図６１０】2004年2月3日火曜日のロボットパークの著作権説明文書図。
【図６１１】2004年2月5日木曜日の薄型のモーターダイナモの著作権説明文書図。
【図６１２】2004年2月6日金曜日のテレポーテイションカメラの著作権説明文書図。
【図６１３】2004年2月6日金曜日のテレポーテイションカメラの著作権説明文書図。
【図６１４】2004年2月8日日曜日の画像組立ゲームとテレポーテイションゲームの著作権説明文書図。
【図６１５】2004年2月10日の北海道知事の墫野和夫の著作権原本の受理書図。244枚
【図６１６】2004年2月15日日曜日のロボット装置の著作権説明文書図。
【図６１７】2004年2月15日日曜日のロボット装置の著作権説明文書図。
【図６１８】2004年2月25日の北海道知事の墫野和夫の著作権原本の受理書図。
【図６１９】2004年2月27日金曜日の立体自然画像地図ナビゲイションのロボット装置の著作権説明文書図。
【図６２０】2004年2月27日金曜日の電気量照度センサーの著作権説明文書図。
【図６２１】2004年2月28日土曜日のテレポーテイションカメラの著作権説明文書図。
【図６２２】2004年2月28日土曜日の光と電波を同時にキャッチ出来るパネル装置の著作権説明文書図。
【図６２３】2004年2月28日土曜日の制御モーターの著作権説明文書図。
【図６２４】2004年2月28日土曜日のテレポーテイションカメラの著作権説明文書図。
【図６２５】2004年2月28日土曜日の手相温度認識装置の著作権説明文書図。
【図６２６】2004年2月28日土曜日の制御モーターの著作権説明文書図。
【図６２７】2004年2月28日土曜日の手相温度認識装置と銀行カードの著作権説明文書図。
【図６２８】2004年2月29日日曜日の手相温度認識装置と銀行カードの著作権説明文書図。
【図６２９】2004年2月29日日曜日の手相温度認識装置と銀行カードの著作権説明とテレポーテイションカメラの著作権説明と電子カメラの著作権説明文書図。
【図６３０】2004年2月29日日曜日のテレポーテイションカメラの著作権説明文書図。
【図６３１】2004年2月29日日曜日のテレポーテイションカメラの著作権説明文書図。
【図６３２】2004年2月29日日曜日のテレポーテイションカメラの著作権説明文書図。
【図６３３】2004年3月1日月曜日のテレポーテイションバックミラーカメラの著作権説明文書図。
【図６３４】2004年3月1日月曜日の手相温度認識装置の著作権説明文書図。
【図６３５】2004年3月1日月曜日の水気化水素水発電の著作権説明文書図。
【図６３６】2004年3月2日火曜日の手相指紋認識装置の著作権説明文書図。
【図６３７】2004年3月2日火曜日の夜光ダイオード素子の著作権説明文書図。
【図６３８】2004年3月2日火曜日の大型ロボットの著作権説明文書図。
【図６３９】2004年3月2日火曜日の生活排水処理の著作権説明文書図。
【図６４０】2004年3月3日水曜日の超薄型ダイオード電池素子の著作権説明文書図。
【図６４１】2004年3月9日の北海道知事の墫野和夫の著作権原本の受理書図。
【図６４２】2004年3月7日日曜日の風力発電の著作権説明文書図。
【図６４３】2004年3月7日日曜日の土木の残土処理の著作権説明文書図。
【図６４４】2004年3月7日日曜日の船転覆予知の著作権説明文書図。
【図６４５】2004年3月7日日曜日の水道管ガス官生活配水管の振動防止説明の著作権説明文書図。
【図６４６】2004年3月7日日曜日の気象風速流の著作権説明文書図。
【図６４７】2004年3月13日土曜日の電子コンピューターの著作権説明文書図。
【図６４８】2004年3月13日土曜日の電子コンピューターの著作権説明文書図。
【図６４９】2004年3月13日土曜日の電子コンピューターの著作権説明文書図。
【図６５０】2004年3月14日日曜日の電子コンピューターの著作権説明文書図。
【図６５１】2004年3月14日日曜日の水配線を使用したモーター構造の著作権説明文書図。
【図６５２】2004年3月14日日曜日のテレポーテイションカメラの著作権説明文書図。
【図６５３】2004年3月14日日曜日のモーターコイルの構造の著作権説明文書図。
【図６５４】2004年3月14日日曜日のテレポーテイションカメラの著作権説明文書図。
【図６５５】2004年3月16日火曜日の真空装置を使った全自動ロボットの著作権説明文書図。
【図６５６】2004年3月20日土曜日の超小型ロケット全自動ロボットの著作権説明文書図。
【図６５７】2004年3月20日土曜日の超小型ロケット全自動ロボットの著作権説明文書図。
【図６５８】2004年3月20日土曜日の透明家電発電機全自動ロボットの著作権説明文書図。
【図６５９】2004年3月20日土曜日の海岸全自動ゴミ回収ロボットの著作権説明文書図。
【図６６０】2004年3月20日土曜日の海上湖川小川の全自動ゴミ回収ロボットの著作権説明文書図。
【図６６１】2004年3月21日日曜日のモーターダイナモブレーキの著作権説明文書図。
【図６６２】2004年3月23日火曜日のロボット電気製品の著作権説明文書図。
【図６６３】2004年3月23日火曜日のロボット電気製品の著作権説明文書図。
【図６６４】2004年3月23日火曜日のロボット電気製品の著作権説明文書図。
【図６６５】2004年3月23日火曜日のロボット電気製品の著作権説明文書図。
【図６６６】2004年3月23日火曜日のロボット電気製品の著作権説明文書図。
【図６６７】2004年3月23日火曜日のロボット電気製品の著作権説明文書図。
【図６６８】2004年3月24日水曜日の24時間監視検査管理の公的医療保証システムの著作権説明文書図。
【図６６９】2004年3月24日水曜日のロボット部品研磨の著作権説明文書図。
【図６７０】2004年3月24日水曜日の携帯テレビ電話の著作権説明文書図。
【図６７１】2004年3月25日木曜日の高速電気配線の著作権説明文書図。
【図６７２】2004年3月25日木曜日の建築土木のヘドロ土の処理方法と電熱ニクロム線内蔵の真空装置の著作権説明文書図。
【図６７３】2004年3月25日木曜日の携帯電気製品の機番の入れ方の著作権説明文書図。コメント2012年1月3日AM3時7分火曜日眠れない為、もう少し書く事にする千葉県の墫野和夫で有る。
【図６７４】2004年3月26日金曜日考案の山岳ヘリコプターを、複数台使用した水中及び海中の水中カメラ映像データーの全自動送受信処理技術と水中ロボットデーターと空中の気化物質の濃度成分の24時間体制の成分観測のデーター収集処理技術の著作権文書説明文章図。
【図６７５】2004年3月28日日曜日のロボット電気製品の著作権説明文書図。
【図６７６】2004年3月28日日曜日の山岳ヘリコプターロボットと電気製品の著作権説明文書図。
【図６７７】2004年3月28日日曜日の山岳ヘリコプターロボットと地下電極電気観察とレントゲンカメラの地下計測観察及び振動波等の地下形状観察と地下ボーリング地層観察の著作権説明文書図。
【図６７８】2004年3月28日日曜日考案の海水ウランと川水ウランの再利用と放射線の再利用の著作権説明図。
【図６７９】2004年3月28日日曜日の全自動人型ロボット部品説明の著作権説明文書図。
【図６８０】2004年3月28日日曜日の全自動人型ロボット著作権説明文書図。
【図６８１】2004年3月28日日曜日の全自動山岳ヘリコプターロボット著作権説明文書図。
【図６８２】2004年3月28日日曜日の全自動人型ロボット部品説明の著作権説明文書図。
【図６８３】2004年3月28日日曜日の全自動人型ロボット部品説明の著作権説明文書図。
【図６８４】2004年4月8日13日16日20日22日の北海道知事の墫野和夫の著作権原本の受理書図。A4218枚
【図６８５】2004年3月29日月曜日のアンテナフラッシュパネルの著作権説明文書図。
【図６８６】2004年3月29日月曜日の自動電池のワイヤ入りゼンマイの著作権説明文書図。
【図６８７】2004年3月30日火曜日の自動電池の部品の著作権説明文書図。
【図６８８】2004年3月31日水曜日の電気飛行機の著作権説明文書図。
【図６８９】2004年3月31日水曜日の電気飛行機の著作権説明文書図。
【図６９０】2004年3月31日水曜日の電気飛行機の著作権説明文書図。
【図６９１】2004年3月31日水曜日の電気飛行機の著作権説明文書図。
【図６９２】2004年3月31日水曜日の電気飛行機の著作権説明文書図。
【図６９３】2004年4月1日木曜日の電気飛行機の著作権説明文書図。
【図６９４】2004年4月1日木曜日の電気飛行機の著作権説明文書図。
【図６９５】2004年4月1日木曜日の電気飛行機の著作権説明文書図。
【図６９６】2004年4月1日木曜日の電気船の著作権説明文書図。
【図６９７】2004年4月1日木曜日の電気船の著作権説明文書図。
【図６９８】2004年4月1日木曜日の電気船の著作権説明文書図。
【図６９９】2004年4月1日木曜日の電気船の著作権説明文書図。
【図７００】2004年4月1日木曜日の電気船の著作権説明文書図。
【図７０１】2004年4月1日木曜日の電気船の著作権説明文書図。
【図７０２】2004年4月1日木曜日の電気船の著作権説明文書図。
【図７０３】2004年4月2日金曜日の警察用バイクの著作権説明文書図。
【図７０４】2004年4月2日金曜日の消防車パトロールバイクの著作権説明文書図。
【図７０５】2004年4月1日木曜日の電気製品のクーラーの著作権説明文書図。
【図７０６】2004年4月2日金曜日の紫外線カメラと電子カメラの著作権説明文書図。
【図７０７】2004年4月2日金曜日の紫外線カメラと電子カメラの著作権説明文書図。
【図７０８】2004年4月2日金曜日のロボット家電電気製品の著作権説明文書図。
【図７０９】2004年4月2日金曜日のロボット家電電気製品の著作権説明文書図。
【図７１０】2004年4月2日金曜日の自転車の補助タイヤ装置製品の著作権説明文書図。
【図７１１】2004年4月2日金曜日のカーナビゲイション等の音声認識装置の部品の著作権説明文書図。
【図７１２】2004年4月2日金曜日の自動車のバンパのスクリュー電波センサーの著作権説明文書図。
【図７１３】2004年4月3日土曜日のカーナビゲイション等の音声認識装置の部品の著作権説明文書図。
【図７１４】2004年4月3日土曜日のカーナビゲイション等の音声認識装置の部品の著作権説明文書図。
【図７１５】2004年4月3日土曜日のカーナビゲイション等の音声認識装置の部品の著作権説明文書図。
【図７１６】2004年4月4日日曜日の異なった免震装置の著作権説明文書図。
【図７１７】2004年4月4日日曜日の異なった免震装置の著作権説明文書図。
【図７１８】2004年4月4日日曜日のカーナビゲイション等の音声認識装置の部品の著作権説明文書図。
【図７１９】2004年4月4日日曜日のデジタルカメラ及びノーマルカメラ家電電気製品の著作権説明文書図。
【図７２０】2004年4月4日日曜日のパソコンコンピュータアンテナの家電電気製品の著作権説明文書図。
【図７２１】2004年4月5日月曜日のソナーチップとソナーブロックの電波送受信内蔵のソナーブロックの著作権説明文書図。
【図７２２】2004年4月5日月曜日のソナーチップとソナーブロックの電波送受信内蔵のソナーブロックの著作権説明文書図。
【図７２３】2004年4月6日火曜日の医療診断器具の部品の著作権説明文書図。
【図７２４】2004年4月7日水曜日のテレポーテイション電子カメラの著作権説明文書図。
【図７２５】2004年4月8日木曜日の圧電素子チップのロボット音声等の音声認識装置の部品の著作権説明文書図。
【図７２６】2004年4月8日木曜日のロボット部品の著作権説明文書図。
【図７２７】2004年4月15日木曜日のソーラーパネルの磁気部品アンテナの著作権説明と二金属以上の内蔵機番の盗難防止装置の説明文書図。
【図７２８】2004年4月27日火曜日の全自動人型ロボット部品の著作権説明文書図。
【図７２９】2004年4月29日木曜日の全自動人型ロボット部品の著作権説明文書図。
【図７３０】2004年4月30日金曜日の全自動人型ロボット部品の著作権説明文書図。
【図７３１】2004年5月3日月曜日のカーナビゲイションカメラ等のテレポーテイションカメラの部品の著作権説明文書図。
【図７３２】2004年5月6日木曜日のロボット電気製品の著作権説明文書図。
【図７３３】2004年5月14日の北海道知事の墫野和夫の著作権原本の受理書図。
【図７３４】2004年5月15日土曜日の全自動造船用ロボット部品の著作権説明文書図。
【図７３５】2004年5月16日日曜日の全自動災害復旧用ロボット部品の著作権説明文書図。
【図７３６】2004年5月16日日曜日の全自動災害復旧用ロボット部品の著作権説明文書図。
【図７３７】2004年5月16日日曜日の全自動災害復旧用ロボット部品の著作権説明文書図。
【図７３８】2004年5月16日日曜日の全自動水中ロボット部品の著作権説明文書図。
【図７３９】2004年5月16日日曜日の地震予知データーの著作権説明文書図。
【図７４０】2004年5月16日日曜日の全自動災害復旧用ロボット部品の著作権説明文書図。
【図７４１】2004年5月16日日曜日の全自動災害復旧用ロボット部品の著作権説明文書図。
【図７４２】2004年5月16日日曜日の全自動災害復旧用ロボット部品の著作権説明文書図。
【図７４３】2004年5月16日日曜日の全自動災害復旧用ロボット部品の著作権説明文書図。
【図７４４】2004年5月16日日曜日の全自動海底水中ソナー複合ロボット部品の著作権説明文書図。
【図７４５】2004年5月16日日曜日の宇宙工作工業電波複合ロボット部品の著作権説明文書図。
【図７４６】2004年5月16日日曜日の全自動介護用農耕作複合ロボット部品の著作権説明文書図。
【図７４７】2004年6月8日9日の北海道知事の墫野和夫の著作権原本の受理書図。
【図７４８】2004年6月2日水曜日のカートリッジチヤンバー表裏両面の家電電気製品の著作権説明文書図。
【図７４９】2004年6月2日水曜日の学校教材の位置確認番号の著作権説明文書図。
【図７５０】2004年6月2日水曜日の学校に取り付けるモーターシャッターの著作権説明文書図。
【図７５１】2004年6月3日木曜日のカートリッジチヤンバー表裏両面の家電電気製品の著作権説明文書図。
【図７５２】2004年6月5日土曜日のコンピューターチヤンバー表裏両面の家電電気製品の著作権説明文書図。
【図７５３】2004年6月7日月曜日の全自動人型宇宙ロボット部品の著作権説明文書図。
【図７５４】2004年6月7日月曜日の全自動人型宇宙ステイション部品の著作権説明文書図。
【図７５５】2004年6月21日の北海道知事の墫野和夫の著作権原本の受理書図。
【図７５６】2004年6月16日水曜日の全自動人型宇宙ロボット機械部品の著作権説明文書図。
【図７５７】2004年8月1日日曜日の全自動海底人工太陽ロボット機械部品の著作権説明文書図。
【図７５８】2004年8月7日土曜日の異なった圧電素子の著作権説明文書図。
【図７５９】2004年8月7日土曜日の異なった圧電素子の著作権説明文書図。コメント2012年1月3日AM10時44分5時間程眠ったので残りの図説を、終える為、少し頑張る事にする千葉県の墫野和夫で有る。
【図７６０】2004年8月7日土曜日のマグネシウムと水素の充電池開発の著作権説明文書図。
【図７６１】2004年8月8日日曜日の放射線と軽水素の充電池開発の著作権説明文書図。
【図７６２】2004年8月8日日曜日の軽水素とニッケルの充電池開発の著作権説明文書図。
【図７６３】2004年8月8日日曜日の軽水素とニッケルの充電池開発の著作権説明文書図。
【図７６４】2004年8月8日日曜日の仕方なく水銀を使った熱吸収炭素と熱吸収電子発生物質装置開発の著作権説明文書図。
【図７６５】2004年8月8日日曜日の放射線飛散防止パネル装置の開発の著作権説明文書図。
【図７６６】2004年8月8日日曜日の放射線飛散防止パネル装置と軽水素とニッケルの充電池開発の著作権説明文書図。
【図７６７】2004年8月9日月曜日の全自動無休憩のプロペラ人型ロボットの開発の著作権説明文書図。
【図７６８】2004年8月9日月曜日の全自動無休憩のプロペラ人型ロボットの開発の著作権説明文書図。
【図７６９】2004年8月10日火曜日のトラックのモーター荷物細引きワイヤのシステム開発の著作権説明文書図。
【図７７０】2004年8月14日土曜日の海岸の波消し機械の著作権説明文書図。
【図７７１】2004年8月14日土曜日の水中遊泳補助機械の著作権説明文書図。
【図７７２】2004年8月14日土曜日の海岸の波消し機械の著作権説明文書図。
【図７７３】2004年8月16日17日30日の北海道知事の墫野和夫の著作権原本の受理書図。
【図７７４】2004年8月16日の北海道知事に著作権文書図面を郵送した時の墫野和夫の著作権封書原本の受理書図。
【図７７５】2004年8月16日月曜日の新しい山岳ヘリコプターと新しい充電池と新しいソーラーパネルなどを積載した山岳ヘリコプターの考案の準備の著作権説明文書図。
【図７７６】2004年8月16日月曜日の重量センサーと全自動道路走行システムの著作権説明文書図。
【図７７７】2004年8月22日日曜日の急速充電池と急速発電ソーラーパネルと新たに始める高速映像素子の著作権説明文書図。
【図７７８】2004年8月22日日曜日の検査ロボットの著作権説明文書図。
【図７７９】2004年8月23日月曜日の地層の水位計測全自動ロボット機械の著作権説明文書図。
【図７８０】2004年8月23日月曜日の気象予知ロボットの著作権説明文書図。
【図７８１】2004年8月24日火曜日の気象予知ロボットの部品構造の著作権説明文書図。
【図７８２】2004年8月24日火曜日のセラミック陶器パネル作成の全自動ロボットの著作権説明文書図。
【図７８３】2004年8月24日火曜日の雨雲の人工雨降り装置の陽電子陰電子スパーク発電ロボットの著作権説明文書図。
【図７８４】2004年8月25日水曜日の気象予知ロボットの著作権説明文書図。
【図７８５】2004年8月25日水曜日の気象予知ロボットの著作権説明文書図。
【図７８６】2004年8月25日水曜日の土木現場活用の気象予知ロボットの著作権説明文書図。
【図７８７】2004年8月25日水曜日の気象予知ロボットのデーター入力新方式の著作権説明文書図。
【図７８８】2004年8月25日水曜日のテレポーテイションカメラの著作権説明文書図。
【図７８９】2004年8月26日木曜日のテレポーテイションカメラの著作権説明放射線濃度を、細かくパネル分別した物質の硬度を、金属センサー分別計測と地層計測等によって、物質の硬度計測を、全自動で行うシステムの著作権文書図。
【図７９０】2004年8月26日木曜日の固定電気体の著作権説明文書図。
【図７９１】2004年8月26日木曜日の軽量パネルの著作権説明文書図。
【図７９２】2004年8月26日木曜日の超軽量ロボットの著作権説明文書図。
【図７９３】2004年8月29日の北海道知事に著作権文書図面を郵送した時の墫野和夫の著作権封書原本の受理書
【図７９４】2004年8月26日木曜日の衛星電波と高速電波の著作権説明文書図。
【図７９５】2004年8月31日火曜日の高出力電磁誘導発電装置の著作権説明文書図。
【図７９６】2004年9月8日水曜日の自販機飲料水キャッチロボットの著作権説明文書図。
【図７９７】2004年9月21日の北海道知事の墫野和夫の著作権原本の受理書図。
【図７９８】2004年10月5日7日13日の北海道知事の墫野和夫の著作権原本の受理書図。A4 213枚
【図７９９】2004年9月22日水曜日の苗木樹木植物の複数カラーポットの育成記録データーを目的とした植物ポットと雑菌死滅調査の為のカメラ付カラーポットの著作権説明文書図。
【図８００】2004年9月25日土曜日の土木現場の全自動水たまりの水回収ロボットの著作権説明文書図。
【図８０１】2004年9月25日土曜日の全自動草刈機械ロボットの断層地表のレントゲンカメラとバキューム積載型の著作権説明文書図。
【図８０２】2004年9月26日日曜日の水陸兼用の調査と遊覧を目的とした著作権説明文書図。
【図８０３】2004年9月29日パソコン方式と異なる液晶ノートの二つ折装置タッチパネルの著作権説明文書図。
【図８０４】2004年9月30日木曜日の全自動建設機械の著作権説明文書図。
【図８０５】2004年9月30日木曜日の物体のロボット変身ゲームの著作権説明文書図。
【図８０６】2004年10月2日土曜日の組立ハウスパネルの著作権説明文書図。
【図８０７】2004年10月3日日曜日の地震予知装置の著作権説明文書図。
【図８０８】2004年10月3日日曜日の海底地図データー画像の著作権説明文書図。
【図８０９】2004年10月3日日曜日の水中魚取網ロボットの著作権説明文書図。
【図８１０】2005年1月31日の北海道知事の墫野和夫の著作権原本の受理書図 国と地方の全額借金全額返済の為の妨げに成る企業著作権公開年月日とマスコミ著作権公開年月日と海外著作権年月日の対処策の一例の説明図。
【図８１１】2004年11月5日金曜日の全自動人型警備ロボットの著作権説明他の文書図。
【図８１２】2004年11月5日金曜日のパネルの著作権説明他の文書図。
【図８１３】2005年1月1日土曜日のテレポーテイションカードとツースの著作権説明文書図。
【図８１４】2005年1月3日月曜日の電気税カードの著作権説明他の文書図。
【図８１５】2005年1月3日月曜日の電気税カードの鍵の電子DNAカードの著作権説明他の文書図。
【図８１６】2005年1月3日月曜日の電気税カードの著作権説明他の文書図。
【図８１７】2005年1月3日月曜日の電気税カードの著作権説明他の文書図。
【図８１８】2005年1月3日月曜日の電気飛行機の医療介護システムの著作権説明他の文書図。
【図８１９】2005年3月29日の北海道知事の墫野和夫の著作権原本の受理書図。
【図８２０】2005年3月25日金曜日の違うタイプの自動電池の著作権説明他の文書図。
【図８２１】2005年3月25日金曜日の機械式発電機と自動電池の著作権説明他の文書図。
【図８２２】2005年4月4日から7日の北海道知事の墫野和夫の著作権原本の受理書図。A486枚
【図８２３】2005年4月12日の北海道知事の墫野和夫の著作権原本の受理書図 A421枚
【図８２４】2005年2月12日土曜日の全自動無休憩機械とGPSの著作権説明他の文書図。
【図８２５】2005年2月12日土曜日の全自動無休憩機械とGPSの著作権説明他の文書図。
【図８２６】2005年2月13日土曜日の全自動無休憩機械とGPSと境界杭のGPS内蔵杭を使ったパソコンの全自動の土工建築図面の全自動作成の著作権説明他の文書図。
【図８２７】2005年4月20日の北海道知事の墫野和夫の著作権原本の受理書図。
【図８２８】2005年4月18日月曜日の炭素シリコン軽水素ニッケル充電方式ソーラーパネル一軒家システムの著作権説明他の文書図。
【図８２９】平成15年1月6日岩手県胡四王簡易郵便局から墫野和夫の先知的所有財産の確認の為に東京都日本消費者連合殿へ送ったゆうパック領収書
【図８３０】平成15年1月6日岩手県胡四王簡易郵便局から墫野和夫の先知的所有財産の確認の為に東京都NHKふれあいセンター殿へ送ったゆうパック領収書
【図８３１】平成15年1月6日岩手県胡四王簡易郵便局から墫野和夫の先知的所有財産の確認の為にアムネスティインターナショナル支部殿へ先知的所有財産を送ったゆうパック領収書
【図８３２】平成15年1月6日岩手県胡四王簡易郵便局から墫野和夫の先知的所有財産の確認の為に東京都日本共産党委員会志位和夫殿へ先知的所有財産を送ったゆうパック領収書
【図８３３】平成15年3月20過ぎ頃日岩手県胡四王簡易郵便局から墫野和夫の先知的所有財産の確認の為に東京都社民党本部土井高子殿へ先知的所有財産を送ったゆうパック領収書
【図８３４】平成16年1月4日旭川市中央郵便局から墫野和夫の先知的所有財産の確認の為に東京都民主党本部民主党党首殿へ先知的所有財産を送ったゆうパック領収書
【発明を実施するための形態】
【０１１２】
以下本先知的所有財産の先発明の試作実施の形態を図1から図16に基づいて説明する。
【０１１３】
図1から図2に於いて、(1)は多機能人型全自動ロボットで有り、(2)は水陸空多機能人型全自動ロボットで有り、エネルギー源は(3)の無害無給油連続作動発電機の4種類で、ダイナモ端子交換まで、無休憩連続発電出来る装置で有り、(4)は磁極切り換え型の磁極接合のインバータ制御作動のレールモーター装置で有り、(5)W制御連結レールモーターで有り軽水素入り圧電素子コイル板内蔵モーターに磁極切り換え型インバータ制御レールモーターを同軸連結したダブル制御出来る連結モーターで有り、(6)は高出力2連結以上電動仕切り弁内蔵スクリューモーターで有り、(7)は、表裏両面卵型空洞MDの軽水素入り圧電素子磁気体の一層内蔵MDのロボット全自動データー情報装置で有り、(8)は電動仕切り弁内蔵ロボットライトカメラ目装置で有り、(9)アンテナロボット高出力金属マイク耳装置で有り、(10)アンテナロボット高出力金属マイクライト耳装置で有り、(11)煙りセンサー装置で有り、(12)W電動仕切り弁ロボット高出力金属スピーカー口装置で有り、(13)ロボット固形炭素フロン使用のクーラー装置で有り、(14)ロボットニクロム線内蔵金属ヒーター装置で有り、(15)のロボット省電気消費のレールモーター使用の真空装置水瞬間濾過装置で有り、(16)のロボット補助ライト1で有り、(17)はロボット高出力電波センサーで有り、(18)ロボットカラー色ライトライン装置で有り、(19)は人型ロボットアタッチメント手で有り、(20)は人工ダイヤ手の甲で有り、(21)は衛生時計で有り、(22)は表裏両面卵型空洞MD装置で有り、(23)は軽水素入り圧電素子磁気内蔵両面MD装置で有り、(24)はカメラ装置で有り、(25)は白シリコンソーラーパネルで有り、(26)は電動仕切り弁内蔵円形リングライトで有り、(27)はロボットGPS地図衛生波キャッチタイプ携帯鉄塔携帯波送受信装置で有り、(28)はロボット衛生GPS位置地図で有り、(29)はロボット地図磁気書き込み装置で有り、(30)はロボット補助カメラ1で有り、(31)はテレポーテイション被写体データー装置で有り、(32)はロボット縄型レールモーター指装置で有り、(33)ロボットサイド電動仕切り弁アンテナライトカメラ装置で有り、(34)はロボット後部電動仕切り弁アンテナライトカメラ装置で有り、(35)はブラック軽水素入り炭素シリコンソーラーパネルの図1~図2の水陸空多機能人型ロボットの構造説明で有り、図2のプロペラ装置は、ロボット進行方向に固定して、ロボット走行する為、磁極切り換え及び磁極接合のインバータ制御作動出来るレールモーターの磁極接合スイッチレールモーター回路によって走行するが、通常困った場合は、ロボット工具で、ロボット自信の手で外して持ち運びするしか無いこれ以上は、後ろへプロペラが倒れて収納型方式にしかならないと思われるロボットプロペラ収納処理方法の説明として置く。
【０１１４】
図3から図4に於いて、(36)は超小型歯車電動コンプレッサーで有り、(37)は電動仕切り弁構造の携帯食糧庫で有り、(38)は電動仕切り弁構造の持ち運び可能な冷暖房切り換えの飲料水タンク装置で有り、(39)はレールモーター人工ダイヤモーターカバーで有り、(40)は8点走行車輪ロボットゴム足で有り、(41)は車輪ロボットライトで有り、(42)は車輪ロボットアンテナカメラで有り、(43)は衛生アンテナで有り、(44)は金属センサー装置で有り(45)は放射線液体シリコン内蔵クリスタルガラスパネル装置で有り、(46)は無線波アンテナ装置で有り、(47)ラジオアンテナ装置で有り(48)はアンテナ水中ライトカメラデーターで有り、(49)は魚眼レンズで有り、(50)はとつレンズで有り、(51)はロボット補助ライト2で有り、(52)は磁極切り換えインバータ制御作動の電動仕切り弁装置で有り、(53)はロボット十字作動レールモーター作動装置によって、人の動きに似た微調整作動可能なレールモーターで有り、(33)はロボットサイド超小型電動仕切り弁構造のアンテナライトカメラ装置で有り、(18)はロボット複数カラー色ライトライン装置で有り、(17)はロボット複数電波センサー装置積載によって全自動ロボットカメラ制御可能にした全自動インプット携帯波インターネット多機能ロボット。
更に、人型ロボットの腰から下には(33)のロボットサイド電動仕切り弁アンテナライトカメラが3個及び前後に計6個の電動仕切り弁付のアンテナライトカメラが設置され、(17)の電動仕切り弁内蔵の電波センサー受信体付のロボット電波センサーは、サイドに3個前後に計6個の電動仕切り弁内蔵の電波センサーと電波受信装置によって、全自動電波センサー制御されて入る。                             
更に、(18)のロボットカラー色ライトライン装置は、サイドに3個前後に計6個のロボットカラー色ライトライン装置のそれぞれの光りの当たった地点を(33)のロボットサイド電動仕切り弁または、前後電動仕切り弁に内蔵して有るアンテナライトカメラによって、人型ロボットと物体の距離をアンテナライトカメラの焦点距離の全自動の物体カメラ焦点距離確認及び物体カメラ焦点距離認識及び物体カメラ焦点距離認知によって、全自動でロボット判断して避けて通る人型ロボットシステム。
コメント
2008年9月13日PM23時59分59秒眠くなったので眠る美馬牛カンキチ。 
2008年9月14日AM9時53分24秒白雲の朝大雪山も靄の中朝だけの旅人の声朝食食べ再びか書き始める美馬牛カンキチ。 
【０１１５】
図5から図6に於いて、(54)は磁極切り換えインバータ制御作動の電動仕切り弁内蔵型の非常薬収納庫で有り、(55)のプロペラは、ロボット電波センサーと電波キャッチ体とカラー色ライトラインセンサーが設置されて入る為、プロペラが当たらない設計になつてる。
更に、(56)は磁極切り換えインバータ制御の後部プロペラで有り、(57)は2重構造エアーチューブで有り、(58)は山岳ヘリコプター下方アンテナライトカメラで有り、(59)は携帯波足型アンテナで有り、(60)は高出力軽水素入り圧電素子入りダイナモ積載の2連振り子型機械式発電機で有り、(61)は山岳へりコプター360度水平線アンテナカメラで有り、(62)山岳ヘリコプター360度水平線アンテナライト(63)山岳ヘリコプター上空アンテナライトカメラで有り、(64)は高出力軽水素入り圧電素子入りダイナモ積載の2連結以上モーターで有り、(65)は電波送受信W地図装置で有り、(66)はテレポーテイション被写体データー地図装置で有る。
従って、(67)は超小型Wヘリューム気球で有り、(68)は高出力の軽水素入り圧電素子内蔵ダイナモ装置積載の超小型2連振り子型自動充電池で有り、(69)はアンテナライトカメラで有り、(70)はプロペラモーター軸で有り、(71)は位置確認とつレンズで有り、(72)位置確認おおレンズのカラー色ライトライン装置のロボットカメラ焦点距離確認及び認識及び認知装置で有る。
従って人型ロボット腕には、(33)の超小型ロボットサイド電動仕切り弁アンテナライトカメラ装置がサイドに3個前後に計6個取り付けられ、(17)のロボット電波センサーは、前後とサイドに合計9個取り付けられ、(18)のロボットカラー色ライトライン装置は、前後とサイドに合計9個取り付けられて入る構造の人型ロボットの腕システムで有る。
コメント
2008年9月14日昼PM12時21分46秒ビバホームへ買い物に行く大雪山雲無くなり晴れ晴れ羊雲が浮かぶ程度の晴れ間で有る。美馬牛カンキチ   
2008年9月14日昼PM12時42分11秒ビバホームへコーラを買って来て呑むが、積乱雲などが、今日は目に付いた日になる。秋たけなわ秋の味覚共に旅の人達の声なき急ぐ何処ぞや夢のまたそのまた向こうふと夢の続きまた書き続ける美馬牛カンキチ。
【０１１６】
図7から図8に於いて、(73)は軽水素内蔵圧電素子板のコイルを巻いて電気を通す事によって高出力磁石板になり得る軽水素内蔵の圧電素子磁石板説明で有り、(74)は磁極切り換えインバータ装置で有り、(75)は被写体の光り色センサーの軽水素内蔵ダイオードパネル光色確認連絡装置で有り、(76)はロボットカメラおおレンズで有り、(77)はロボットカメラとつレンズで有り、(78)は軽水素入りダイオードパネルで有り、(79)は軽水素入り磁波計測装置で有り、(80)は段数ソナー電波送受信装置で有り、(81)は、複数衛生波位置確認の為の電波送受信装置で有り、(82)緊急水中ロボット無線送受信装置で有り(83)は自動充電池1で有り、(84)は自動充電池2で有り、(85)は段数ソナー十字モータースクリュー装置の水中ロボットの衛生GPS電波によっての海底地図水中ロボット位置の固定位置で有り固定位置が、二つ以上なければ、海底地図水中ロボット位置は、海底地図水中ロボット位置確定は、最低でも、2ケ所の段数ソナー衛生GPS位置電波が必要になり水中ロボット海底地図位置確認認識水中ロボット地図位置認知する為の装置説明になる。                                   
【０１１７】
図9から図10に於いて、(86)は世界初の軽水素入りN型シリコンで有り電気反応を早くした軽水素合成N型シリコンで有り、(87)は海底固定型水中ロボット位置連絡海底位置GPS装置で有り、(88)は海底GPS略称装置の吊り金具装置で有り、(89)は海底固定複数ソナー波発射送受信装置で有り、(90)は完全防水の水発電機装置で有り、(91)は圧電素子IC回路画像修正チップで有り、(92)は合成ネオン充電池素子体IC回路画像光度調整チップ装置で有る。
【０１１８】
図11から図12に於いて、(93)は人の声ロボット高出力軽水素入り圧電素子磁石体使用のマイク確認認識装置で有り、(94)はスピーカー音声データー情報処理装置で有り、(95)は音声処理データー情報収録送受信装置で有り、(96)圧電素子体ICチップ入力音声処理装置で有り、(97)はロボット高出力軽水素入り圧電素子磁石体内蔵スピーカー軽水素入り圧電素子音声ICチップロボット音声発声装置で有り、(98)はロボット指センサー感知装置で有り、(99)はロボットセンサーデーター処理情報装置で有り、(100)はロボットセンサーデーター文字変換装置で有り、(101)ロボットアンテナライトカメラ文字データー圧電素子ICチップデーター入力装置で有り、(102)は軽水素入り圧電素子ICチップロボット音声スイッチ変換装置で有り、(103)はロボット高出力軽水素入り圧電素子内蔵磁石スピーカーの軽水素入り圧電素子音声ICチップスイッチ回路ロボット音声発声装置で有り、人型ロボットのアンテナライトカメラのテレポーテイションカメラ物体及び人及び動物及びロボットの被写体形状認識及び確認及びロボット認知によるロボットスピーカー音声発声になり、ロボットの(9,10,)の
ロボット耳装置に入るすべての音を区分けして調べるロボット音情報区分け装置センターへ送って、ロボットアンテナライトカメラの確認及び認識のロボットチェック及びロボット再チェックシステムによって、ロボットの全自動に対してより一層人に近い考え方のロボット作りによって、庶民生活に安定した生活が出来る事を願う事する。
【０１１９】
図13から14に於いて、(104)は油圧レールモーターホイストで有り磁極切り換え及び磁極接合及びインバータ制御作動出来る油圧とモーター装置が一体になった装置で有り、(105)はレールモーターホイストで有り、磁極切り換え及び磁極接合のインバータ制御作動出来る装置説明で有り、(106)は油圧送り官で有り、(107)は油圧吸収官の油圧戻り官説明で有り、(108)は電磁石ホイスト磁極切り換え及び磁極接合及びインバータ制御装置で有り、(109)は絶縁体で有り、(110)は電磁石で有り、(111)はロボット音声発声高出力軽水素入り圧電素子磁石体使用の金属スピーカーで有り、(112)はロボット四角形型レールモーター電動仕切り弁装置で有り、(113)は円形レールモーター電動仕切り弁装置で有り、(114)は介護用ロボット処理用シーツで有り、(115)はプラスチック金属シーツ遮断プラスチック装置で有り、(116)はシーツ遮断プラスチック装置で有るが、全自動イップット方式の超軽量人型ロボットの開発が、尚一層考えてのロボット軽量化と人型ロボット微調整スイッチ回路の更なる積載による、ロボット感情とロボット介護緊急処置が、ロボットセンサーの新設と伴って考えたいロボットテーマになる。
【０１２０】
図15から図16に於いて、(117)はブラック軽水素入り炭素シリコンソーラーパネルで有り、(118)はロボットアンテナライトカメラ装置で有り、(119)はロボット気象データー収録装置で有り、(120)のロボット表裏両面卵型空洞MDチヤンバ情報装置は、MDの数だけ磁極切り換え磁極接合のインバータ制御のレールモーター装置を使用して更に両面MD読み込み装置書き込み装置が、表裏両面MD装置の数だけ有るロボット情報を調べてロボット音声まで、全自動操作出来る装置説明になる。
更に、(121)はロボット4足の軽水素入り磁波計測装置で有り、(122)は携帯アンテナで有り、(123)は風力方向計測電動仕切り弁内蔵型の収納型装置であり、(124)は磁極切り換え及び磁極接合のインバータ制御作動の電動仕切り弁雨量計は、高出力の雨及び雹の高出力スピーカーマイク装置を雨量計の雨を受ける場所に設置した装置説明で有り、(125)はロボット高出力軽水素入り圧電素子磁石体使用のコイルを巻いた電磁石使用の金属スピーカー音声装置の説明で有りこの4足ロボットと人型ロボットは、いつでも情報の交信を24時間連続で行い続ける主に上空及び陸地及び水中の気象情報を集めて、一早い情報をロボットの持ち主に連絡するロボット説明で有り、構造設置図説明で有る。
【符号の説明】
【０１２１】
1      多機能人型全自動ロボット
2      水陸空多機能人型全自動ロボット
3      無害無給油連続作動発電機
4      レールモーター        
5      Ｗ制御連結レールモーター
6      高出力2連結以上電動仕切り弁内蔵スクリューモーター
7      表裏両面卵型空洞ＭＤ
8      電動仕切り弁内蔵ロボットライトカメラ目装置     
9      アンテナロボット高出力金属マイク耳装置
10     アンテナロボット高出力金属マイクライト耳装置
11     煙センサー装置
12     Ｗ電動仕切り弁ロボット高出力金属スピーカー口装置
13     ロボット固形炭素フロン使用クーラー装置  
14     ロボットニクロム線内蔵金属ヒーター装置
コメント
2011年11月9日pm20時2008年作成途中の残りを、書く千葉県の墫野和夫で有る。
15     ロボット省電気消費のレールモーター使用の真空装置水瞬間濾過装置
16     ロボット補助ライト1
17     ロボット高出力電波センサー
18     ロボットカラー色ライトライン装置
19     人型ロボットアタッチメント手
20     人工ダイヤ手の甲
21     衛星時計
22     表裏両面卵型空洞ＭＤ
23     軽水素入り圧電素子磁気内蔵両面ＭＤ装置
24     カメラ装置
25     白シリコンソーラーパネル
26     電動仕切り弁内蔵円形リングライト
27     ロボットＧＰＳ地図衛星波キャッチタイプ携帯鉄塔携帯波送受信装置
28     ロボット衛星ＧＰＳ位置地図
29     ロボット地図磁気書き込み装置
30     ロボット補助カメラ1
31     テレポーテイション被写体データー装置
32     ロボット縄型レールモーター指装置
33     ロボットサイド電動仕切弁アンテナライトカメラ装置
34     ロボット後部電動仕切り弁アンテナライトカメラ装置
35     ブラック軽水素入り炭素シリコンソーラーパネル装置
36     超小型歯車電動コンプレッサー
37     電動仕切り弁構造の携帯食糧庫
38     電動仕切り弁構造の持ち運び可能な冷暖房切り替え可能な飲料水タンク
39     レールモーター人工ダイヤモーターカバー
40     8点走行車輪ロボットゴム足
41     車輪ロボットライト
42     車輪ロボットアンテナカメラ
43     衛星アンテナ
44     金属センサー
45     放射線液体シリコン内蔵クリスタルガラスパネル装置
46     無線波アンテナ装置
47     ラジオアンテナ装置
48     アンテナ水中ライトカメラデーター
49     魚眼レンズ
50     とつレンズ
51     ロボット補助ライト2
52     磁極切り替えインバータ制御作動の電動仕切り弁
53     ロボット十字作動レールモーター装置
54     非常薬収納庫
55     プロペラ
56     後部プロペラ
57     2重構造エアーチューブ
58     山岳ヘリコプター下方アンテナライトカメラ
59     携帯波足型アンテナ
60     高出力軽水素入り圧電素子内蔵ダイナモ積載の2連振り子型機械式発電機
61     山岳ヘリコプター360度水平線アンテナライトカメラ
62     山岳ヘリコプター360度水平線アンテナライト
63     山岳ヘリコプター上空アンテナライトカメラ  
64     高出力軽水素入り圧電素子入りダイナモ積載の2連結以上モーター
65     電波送受信W地図装置   
66     テレポーテイション被写体データー地図装置
67     超小型Wヘリューム気球
68     高出力の軽水素入り圧電素子内蔵ダイナモ装置積載の超小型2連振り子型自動充電池 
69     アンテナライトカメラ
70     プロペラモーター軸  
71     位置確認とつレンズ
72     位置確認おおレンズのカラー色ライトライン装置のロボットカメラ焦点距離確認及び認識及び認知装置    
73     高出力磁石板   
74     磁極切り換えインバータ装置
75     被写体の光り色センサーの軽水素内蔵ダイオードパネル光色確認連絡装置    
76     ロボットカメラおおレンズ
77     ロボットカメラとつレンズ
78     軽水素入りダイオードパネル
79     軽水素入り磁波計測装置
80     段数ソナー電波送受信装置
81     複数衛生波位置確認の為の電波送受信装置
82     緊急水中ロボット無線送受信装置
83     自動充電池1
84     自動充電池2
85     段数ソナー十字モータースクリュー装置の水中ロボットの衛生GPS電波によっての海底地図水中ロボット位置の固定位置
86     世界初の軽水素入りN型シリコン
87     海底固定型水中ロボット位置連絡海底位置GPS装置    
88     海底GPS略称装置の吊り金具装置
89     海底固定複数ソナー波発射送受信装置
90     完全防水の水発電機装置   
91     圧電素子IC回路画像修正チップ
92     合成ネオン充電池素子体IC回路画像光度調整チップ装置 
93     人の声ロボット高出力軽水素入り圧電素子磁石体使用のマイク確認認識装置
94     スピーカー音声データー情報処理装置  
95     音声処理データー情報収録送受信装置  
96     圧電素子体ICチップ入力音声処理装置
97     ロボット高出力軽水素入り圧電素子磁石体内蔵スピーカー軽水素入り圧電素子音声ICチップロボット音声発声装置
98     ロボット指センサー感知装置
99     ロボットセンサーデーター処理情報装置
100    ロボットセンサーデーター文字変換装置
101    ロボットアンテナライトカメラ文字データー圧電素子ICチップデーター入力装置
102    軽水素入り圧電素子ICチップロボット音声スイッチ変換装置 
103    ロボット高出力軽水素入り圧電素子内蔵磁石スピーカーの軽水素入り圧電素子音声ICチップスイッチ回路ロボット音声発声装置
104    油圧レールモーターホイスト  
105    レールモーターホイスト  
106    油圧送り官
107    油圧吸収官の油圧戻り官
108    電磁石ホイスト磁極切り換え及び磁極接合及びインバータ制御装置
109    絶縁体
110    電磁石  
111    ロボット音声発声高出力軽水素入り圧電素子磁石体使用の金属スピーカー
112    ロボット四角形型レールモーター電動仕切り弁装置
113    円形レールモーター電動仕切り弁装置
114    介護用ロボット処理用シーツ
115    プラスチック金属シーツ遮断プラスチック装置
116    シーツ遮断プラスチック装置
117    ブラック軽水素入り炭素シリコンソーラーパネル
118    ロボットアンテナライトカメラ装置
119    ロボット気象データー収録装置
120    ロボット表裏両面卵型空洞MDチヤンバ情報装置
121    ロボット4足の軽水素入り磁波計測装置
122    携帯アンテナ
123    風力方向計測電動仕切り弁内蔵型の収納型装置
124    磁極切り換え及び磁極接合のインバータ制御作動の電動仕切り弁雨量計  
125    ロボット高出力軽水素入り圧電素子磁石体使用のコイルを巻いた電磁石使用の金属スピーカー音声装置  
コメント
2011年11月9日pm21時12分眠いので寝る千葉県の墫野和夫で有る。
【図１】
2012210703.tif 000003
【図２】
2012210703.tif 000004
【図３】
2012210703.tif 000005
【図４】
2012210703.tif 000006
【図５】
2012210703.tif 000007
【図６】
2012210703.tif 000008
【図７】
2012210703.tif 000009
【図８】
2012210703.tif 000010
【図９】
2012210703.tif 000011
【図１０】
2012210703.tif 000012
【図１１】
2012210703.tif 000013
【図１２】
2012210703.tif 000014
【図１３】
2012210703.tif 000015
【図１４】
2012210703.tif 000016
【図１５】
2012210703.tif 000017
【図１６】
2012210703.tif 000018
【図１７】
2012210703.tif 000019
【図１８】
2012210703.tif 000020
【図１９】
2012210703.tif 000021
【図２０】
2012210703.tif 000022
【図２１】
2012210703.tif 000023
【図２２】
2012210703.tif 000024
【図２３】
2012210703.tif 000025
【図２４】
2012210703.tif 000026
【図２５】
2012210703.tif 000027
【図２６】
2012210703.tif 000028
【図２７】
2012210703.tif 000029
【図２８】
2012210703.tif 000030
【図２９】
2012210703.tif 000031
【図３０】
2012210703.tif 000032
【図３１】
2012210703.tif 000033
【図３２】
2012210703.tif 000034
【図３３】
2012210703.tif 000035
【図３４】
2012210703.tif 000036
【図３５】
2012210703.tif 000037
【図３６】
2012210703.tif 000038
【図３７】
2012210703.tif 000039
【図３８】
2012210703.tif 000040
【図３９】
2012210703.tif 000041
【図４０】
2012210703.tif 000042
【図４１】
2012210703.tif 000043
【図４２】
2012210703.tif 000044
【図４３】
2012210703.tif 000045
【図４４】
2012210703.tif 000046
【図４５】
2012210703.tif 000047
【図４６】
2012210703.tif 000048
【図４７】
2012210703.tif 000049
【図４８】
2012210703.tif 000050
【図４９】
2012210703.tif 000051
【図５０】
2012210703.tif 000052
【図５１】
2012210703.tif 000053
【図５２】
2012210703.tif 000054
【図５３】
2012210703.tif 000055
【図５４】
2012210703.tif 000056
【図５５】
2012210703.tif 000057
【図５６】
2012210703.tif 000058
【図５７】
2012210703.tif 000059
【図５８】
2012210703.tif 000060
【図５９】
2012210703.tif 000061
【図６０】
2012210703.tif 000062
【図６１】
2012210703.tif 000063
【図６２】
2012210703.tif 000064
【図６３】
2012210703.tif 000065
【図６４】
2012210703.tif 000066
【図６５】
2012210703.tif 000067
【図６６】
2012210703.tif 000068
【図６７】
2012210703.tif 000069
【図６８】
2012210703.tif 000070
【図６９】
2012210703.tif 000071
【図７０】
2012210703.tif 000072
【図７１】
2012210703.tif 000073
【図７２】
2012210703.tif 000074
【図７３】
2012210703.tif 000075
【図７４】
2012210703.tif 000076
【図７５】
2012210703.tif 000077
【図７６】
2012210703.tif 000078
【図７７】
2012210703.tif 000079
【図７８】
2012210703.tif 000080
【図７９】
2012210703.tif 000081
【図８０】
2012210703.tif 000082
【図８１】
2012210703.tif 000083
【図８２】
2012210703.tif 000084
【図８３】
2012210703.tif 000085
【図８４】
2012210703.tif 000086
【図８５】
2012210703.tif 000087
【図８６】
2012210703.tif 000088
【図８７】
2012210703.tif 000089
【図８８】
2012210703.tif 000090
【図８９】
2012210703.tif 000091
【図９０】
2012210703.tif 000092
【図９１】
2012210703.tif 000093
【図９２】
2012210703.tif 000094
【図９３】
2012210703.tif 000095
【図９４】
2012210703.tif 000096
【図９５】
2012210703.tif 000097
【図９６】
2012210703.tif 000098
【図９７】
2012210703.tif 000099
【図９８】
2012210703.tif 000100
【図９９】
2012210703.tif 000101
【図１００】
2012210703.tif 000102
【図１０１】
2012210703.tif 000103
【図１０２】
2012210703.tif 000104
【図１０３】
2012210703.tif 000105
【図１０４】
2012210703.tif 000106
【図１０５】
2012210703.tif 000107
【図１０６】
2012210703.tif 000108
【図１０７】
2012210703.tif 000109
【図１０８】
2012210703.tif 000110
【図１０９】
2012210703.tif 000111
【図１１０】
2012210703.tif 000112
【図１１１】
2012210703.tif 000113
【図１１２】
2012210703.tif 000114
【図１１３】
2012210703.tif 000115
【図１１４】
2012210703.tif 000116
【図１１５】
2012210703.tif 000117
【図１１６】
2012210703.tif 000118
【図１１７】
2012210703.tif 000119
【図１１８】
2012210703.tif 000120
【図１１９】
2012210703.tif 000121
【図１２０】
2012210703.tif 000122
【図１２１】
2012210703.tif 000123
【図１２２】
2012210703.tif 000124
【図１２３】
2012210703.tif 000125
【図１２４】
2012210703.tif 000126
【図１２５】
2012210703.tif 000127
【図１２６】
2012210703.tif 000128
【図１２７】
2012210703.tif 000129
【図１２８】
2012210703.tif 000130
【図１２９】
2012210703.tif 000131
【図１３０】
2012210703.tif 000132
【図１３１】
2012210703.tif 000133
【図１３２】
2012210703.tif 000134
【図１３３】
2012210703.tif 000135
【図１３４】
2012210703.tif 000136
【図１３５】
2012210703.tif 000137
【図１３６】
2012210703.tif 000138
【図１３７】
2012210703.tif 000139
【図１３８】
2012210703.tif 000140
【図１３９】
2012210703.tif 000141
【図１４０】
2012210703.tif 000142
【図１４１】
2012210703.tif 000143
【図１４２】
2012210703.tif 000144
【図１４３】
2012210703.tif 000145
【図１４４】
2012210703.tif 000146
【図１４５】
2012210703.tif 000147
【図１４６】
2012210703.tif 000148
【図１４７】
2012210703.tif 000149
【図１４８】
2012210703.tif 000150
【図１４９】
2012210703.tif 000151
【図１５０】
2012210703.tif 000152
【図１５１】
2012210703.tif 000153
【図１５２】
2012210703.tif 000154
【図１５３】
2012210703.tif 000155
【図１５４】
2012210703.tif 000156
【図１５５】
2012210703.tif 000157
【図１５６】
2012210703.tif 000158
【図１５７】
2012210703.tif 000159
【図１５８】
2012210703.tif 000160
【図１５９】
2012210703.tif 000161
【図１６０】
2012210703.tif 000162
【図１６１】
2012210703.tif 000163
【図１６２】
2012210703.tif 000164
【図１６３】
2012210703.tif 000165
【図１６４】
2012210703.tif 000166
【図１６５】
2012210703.tif 000167
【図１６６】
2012210703.tif 000168
【図１６７】
2012210703.tif 000169
【図１６８】
2012210703.tif 000170
【図１６９】
2012210703.tif 000171
【図１７０】
2012210703.tif 000172
【図１７１】
2012210703.tif 000173
【図１７２】
2012210703.tif 000174
【図１７３】
2012210703.tif 000175
【図１７４】
2012210703.tif 000176
【図１７５】
2012210703.tif 000177
【図１７６】
2012210703.tif 000178
【図１７７】
2012210703.tif 000179
【図１７８】
2012210703.tif 000180
【図１７９】
2012210703.tif 000181
【図１８０】
2012210703.tif 000182
【図１８１】
2012210703.tif 000183
【図１８２】
2012210703.tif 000184
【図１８３】
2012210703.tif 000185
【図１８４】
2012210703.tif 000186
【図１８５】
2012210703.tif 000187
【図１８６】
2012210703.tif 000188
【図１８７】
2012210703.tif 000189
【図１８８】
2012210703.tif 000190
【図１８９】
2012210703.tif 000191
【図１９０】
2012210703.tif 000192
【図１９１】
2012210703.tif 000193
【図１９２】
2012210703.tif 000194
【図１９３】
2012210703.tif 000195
【図１９４】
2012210703.tif 000196
【図１９５】
2012210703.tif 000197
【図１９６】
2012210703.tif 000198
【図１９７】
2012210703.tif 000199
【手続補正書】
【提出日】平成24年6月19日(2012.6.19)
【手続補正１】
【補正対象書類名】図面
【補正対象項目名】図１９８
【補正方法】変更
【補正の内容】
【図１９８】
2012210703.tif 000200
【手続補正２】
【補正対象書類名】図面
【補正対象項目名】図１９９
【補正方法】変更
【補正の内容】
【図１９９】
2012210703.tif 000201
【手続補正書】
【提出日】平成24年6月19日(2012.6.19)
【手続補正１】
【補正対象書類名】図面
【補正対象項目名】図２０１
【補正方法】変更
【補正の内容】
【図２０１】
2012210703.tif 000202
【手続補正２】
【補正対象書類名】図面
【補正対象項目名】図２０２
【補正方法】変更
【補正の内容】
【図２０２】
2012210703.tif 000203
【手続補正３】
【補正対象書類名】図面
【補正対象項目名】図２０３
【補正方法】変更
【補正の内容】
【図２０３】
2012210703.tif 000204
【手続補正４】
【補正対象書類名】図面
【補正対象項目名】図２０４
【補正方法】変更
【補正の内容】
【図２０４】
2012210703.tif 000205
【手続補正５】
【補正対象書類名】図面
【補正対象項目名】図２０５
【補正方法】変更
【補正の内容】
【図２０５】
2012210703.tif 000206
【手続補正６】
【補正対象書類名】図面
【補正対象項目名】図２０６
【補正方法】変更
【補正の内容】
【図２０６】
2012210703.tif 000207
【手続補正７】
【補正対象書類名】図面
【補正対象項目名】図２０７
【補正方法】変更
【補正の内容】
【図２０７】
2012210703.tif 000208
【手続補正８】
【補正対象書類名】図面
【補正対象項目名】図２０８
【補正方法】変更
【補正の内容】
【図２０８】
2012210703.tif 000209
【手続補正９】
【補正対象書類名】図面
【補正対象項目名】図２０９
【補正方法】変更
【補正の内容】
【図２０９】
2012210703.tif 000210
【手続補正１０】
【補正対象書類名】図面
【補正対象項目名】図２１０
【補正方法】変更
【補正の内容】
【図２１０】
2012210703.tif 000211
【手続補正１１】
【補正対象書類名】図面
【補正対象項目名】図２１１
【補正方法】変更
【補正の内容】
【図２１１】
2012210703.tif 000212
【手続補正１２】
【補正対象書類名】図面
【補正対象項目名】図２１２
【補正方法】変更
【補正の内容】
【図２１２】
2012210703.tif 000213
【手続補正１３】
【補正対象書類名】図面
【補正対象項目名】図２１３
【補正方法】変更
【補正の内容】
【図２１３】
2012210703.tif 000214
【手続補正１４】
【補正対象書類名】図面
【補正対象項目名】図２１４
【補正方法】変更
【補正の内容】
【図２１４】
2012210703.tif 000215
【手続補正１５】
【補正対象書類名】図面
【補正対象項目名】図２１５
【補正方法】変更
【補正の内容】
【図２１５】
2012210703.tif 000216
【手続補正１６】
【補正対象書類名】図面
【補正対象項目名】図２１６
【補正方法】変更
【補正の内容】
【図２１６】
2012210703.tif 000217
【手続補正１７】
【補正対象書類名】図面
【補正対象項目名】図２１７
【補正方法】変更
【補正の内容】
【図２１７】
2012210703.tif 000218
【手続補正１８】
【補正対象書類名】図面
【補正対象項目名】図２１８
【補正方法】変更
【補正の内容】
【図２１８】
2012210703.tif 000219
【手続補正１９】
【補正対象書類名】図面
【補正対象項目名】図２１９
【補正方法】変更
【補正の内容】
【図２１９】
2012210703.tif 000220
【手続補正２０】
【補正対象書類名】図面
【補正対象項目名】図２２０
【補正方法】変更
【補正の内容】
【図２２０】
2012210703.tif 000221
【手続補正２１】
【補正対象書類名】図面
【補正対象項目名】図２２１
【補正方法】変更
【補正の内容】
【図２２１】
2012210703.tif 000222
【手続補正２２】
【補正対象書類名】図面
【補正対象項目名】図２２２
【補正方法】変更
【補正の内容】
【図２２２】
2012210703.tif 000223
【手続補正２３】
【補正対象書類名】図面
【補正対象項目名】図２２３
【補正方法】変更
【補正の内容】
【図２２３】
2012210703.tif 000224
【手続補正２４】
【補正対象書類名】図面
【補正対象項目名】図２２４
【補正方法】変更
【補正の内容】
【図２２４】
2012210703.tif 000225
【手続補正２５】
【補正対象書類名】図面
【補正対象項目名】図２２５
【補正方法】変更
【補正の内容】
【図２２５】
2012210703.tif 000226
【手続補正２６】
【補正対象書類名】図面
【補正対象項目名】図２２６
【補正方法】変更
【補正の内容】
【図２２６】
2012210703.tif 000227
【手続補正２７】
【補正対象書類名】図面
【補正対象項目名】図２２７
【補正方法】変更
【補正の内容】
【図２２７】
2012210703.tif 000228
【手続補正２８】
【補正対象書類名】図面
【補正対象項目名】図２２８
【補正方法】変更
【補正の内容】
【図２２８】
2012210703.tif 000229
【手続補正２９】
【補正対象書類名】図面
【補正対象項目名】図２２９
【補正方法】変更
【補正の内容】
【図２２９】
2012210703.tif 000230
【手続補正３０】
【補正対象書類名】図面
【補正対象項目名】図２３０
【補正方法】変更
【補正の内容】
【図２３０】
2012210703.tif 000231
【手続補正３１】
【補正対象書類名】図面
【補正対象項目名】図２３１
【補正方法】変更
【補正の内容】
【図２３１】
2012210703.tif 000232
【手続補正３２】
【補正対象書類名】図面
【補正対象項目名】図２３２
【補正方法】変更
【補正の内容】
【図２３２】
2012210703.tif 000233
【手続補正３３】
【補正対象書類名】図面
【補正対象項目名】図２３３
【補正方法】変更
【補正の内容】
【図２３３】
2012210703.tif 000234
【手続補正３４】
【補正対象書類名】図面
【補正対象項目名】図２３４
【補正方法】変更
【補正の内容】
【図２３４】
2012210703.tif 000235
【手続補正３５】
【補正対象書類名】図面
【補正対象項目名】図２３５
【補正方法】変更
【補正の内容】
【図２３５】
2012210703.tif 000236
【手続補正３６】
【補正対象書類名】図面
【補正対象項目名】図２３６
【補正方法】変更
【補正の内容】
【図２３６】
2012210703.tif 000237
【手続補正３７】
【補正対象書類名】図面
【補正対象項目名】図２３７
【補正方法】変更
【補正の内容】
【図２３７】
2012210703.tif 000238
【手続補正３８】
【補正対象書類名】図面
【補正対象項目名】図２３８
【補正方法】変更
【補正の内容】
【図２３８】
2012210703.tif 000239
【手続補正３９】
【補正対象書類名】図面
【補正対象項目名】図２３９
【補正方法】変更
【補正の内容】
【図２３９】
2012210703.tif 000240
【手続補正４０】
【補正対象書類名】図面
【補正対象項目名】図２４０
【補正方法】変更
【補正の内容】
【図２４０】
2012210703.tif 000241
【手続補正４１】
【補正対象書類名】図面
【補正対象項目名】図２４１
【補正方法】変更
【補正の内容】
【図２４１】
2012210703.tif 000242
【手続補正４２】
【補正対象書類名】図面
【補正対象項目名】図２４２
【補正方法】変更
【補正の内容】
【図２４２】
2012210703.tif 000243
【手続補正４３】
【補正対象書類名】図面
【補正対象項目名】図２４３
【補正方法】変更
【補正の内容】
【図２４３】
2012210703.tif 000244
【手続補正４４】
【補正対象書類名】図面
【補正対象項目名】図２４４
【補正方法】変更
【補正の内容】
【図２４４】
2012210703.tif 000245
【手続補正４５】
【補正対象書類名】図面
【補正対象項目名】図２４５
【補正方法】変更
【補正の内容】
【図２４５】
2012210703.tif 000246
【手続補正４６】
【補正対象書類名】図面
【補正対象項目名】図２４６
【補正方法】変更
【補正の内容】
【図２４６】
2012210703.tif 000247
【手続補正４７】
【補正対象書類名】図面
【補正対象項目名】図２４７
【補正方法】変更
【補正の内容】
【図２４７】
2012210703.tif 000248
【手続補正４８】
【補正対象書類名】図面
【補正対象項目名】図２４８
【補正方法】変更
【補正の内容】
【図２４８】
2012210703.tif 000249
【手続補正４９】
【補正対象書類名】図面
【補正対象項目名】図２４９
【補正方法】変更
【補正の内容】
【図２４９】
2012210703.tif 000250
【手続補正５０】
【補正対象書類名】図面
【補正対象項目名】図２５０
【補正方法】変更
【補正の内容】
【図２５０】
2012210703.tif 000251
【手続補正５１】
【補正対象書類名】図面
【補正対象項目名】図２５１
【補正方法】変更
【補正の内容】
【図２５１】
2012210703.tif 000252
【手続補正５２】
【補正対象書類名】図面
【補正対象項目名】図２５２
【補正方法】変更
【補正の内容】
【図２５２】
2012210703.tif 000253
【手続補正５３】
【補正対象書類名】図面
【補正対象項目名】図２５３
【補正方法】変更
【補正の内容】
【図２５３】
2012210703.tif 000254
【手続補正５４】
【補正対象書類名】図面
【補正対象項目名】図２５４
【補正方法】変更
【補正の内容】
【図２５４】
2012210703.tif 000255
【手続補正５５】
【補正対象書類名】図面
【補正対象項目名】図２５５
【補正方法】変更
【補正の内容】
【図２５５】
2012210703.tif 000256
【手続補正５６】
【補正対象書類名】図面
【補正対象項目名】図２５６
【補正方法】変更
【補正の内容】
【図２５６】
2012210703.tif 000257
【手続補正５７】
【補正対象書類名】図面
【補正対象項目名】図２５７
【補正方法】変更
【補正の内容】
【図２５７】
2012210703.tif 000258
【手続補正５８】
【補正対象書類名】図面
【補正対象項目名】図２５８
【補正方法】変更
【補正の内容】
【図２５８】
2012210703.tif 000259
【手続補正５９】
【補正対象書類名】図面
【補正対象項目名】図２５９
【補正方法】変更
【補正の内容】
【図２５９】
2012210703.tif 000260
【手続補正６０】
【補正対象書類名】図面
【補正対象項目名】図２６０
【補正方法】変更
【補正の内容】
【図２６０】
2012210703.tif 000261
【手続補正６１】
【補正対象書類名】図面
【補正対象項目名】図２６１
【補正方法】変更
【補正の内容】
【図２６１】
2012210703.tif 000262
【手続補正６２】
【補正対象書類名】図面
【補正対象項目名】図２６２
【補正方法】変更
【補正の内容】
【図２６２】
2012210703.tif 000263
【手続補正６３】
【補正対象書類名】図面
【補正対象項目名】図２６３
【補正方法】変更
【補正の内容】
【図２６３】
2012210703.tif 000264
【手続補正６４】
【補正対象書類名】図面
【補正対象項目名】図２６４
【補正方法】変更
【補正の内容】
【図２６４】
2012210703.tif 000265
【手続補正６５】
【補正対象書類名】図面
【補正対象項目名】図２６５
【補正方法】変更
【補正の内容】
【図２６５】
2012210703.tif 000266
【手続補正６６】
【補正対象書類名】図面
【補正対象項目名】図２６６
【補正方法】変更
【補正の内容】
【図２６６】
2012210703.tif 000267
【手続補正６７】
【補正対象書類名】図面
【補正対象項目名】図２６７
【補正方法】変更
【補正の内容】
【図２６７】
2012210703.tif 000268
【手続補正６８】
【補正対象書類名】図面
【補正対象項目名】図２６８
【補正方法】変更
【補正の内容】
【図２６８】
2012210703.tif 000269
【手続補正６９】
【補正対象書類名】図面
【補正対象項目名】図２６９
【補正方法】変更
【補正の内容】
【図２６９】
2012210703.tif 000270
【手続補正７０】
【補正対象書類名】図面
【補正対象項目名】図２７０
【補正方法】変更
【補正の内容】
【図２７０】
2012210703.tif 000271
【手続補正７１】
【補正対象書類名】図面
【補正対象項目名】図２７１
【補正方法】変更
【補正の内容】
【図２７１】
2012210703.tif 000272
【手続補正７２】
【補正対象書類名】図面
【補正対象項目名】図２７２
【補正方法】変更
【補正の内容】
【図２７２】
2012210703.tif 000273
【手続補正７３】
【補正対象書類名】図面
【補正対象項目名】図２７３
【補正方法】変更
【補正の内容】
【図２７３】
2012210703.tif 000274
【手続補正７４】
【補正対象書類名】図面
【補正対象項目名】図２７４
【補正方法】変更
【補正の内容】
【図２７４】
2012210703.tif 000275
【手続補正７５】
【補正対象書類名】図面
【補正対象項目名】図２７５
【補正方法】変更
【補正の内容】
【図２７５】
2012210703.tif 000276
【手続補正７６】
【補正対象書類名】図面
【補正対象項目名】図２７６
【補正方法】変更
【補正の内容】
【図２７６】
2012210703.tif 000277
【手続補正７７】
【補正対象書類名】図面
【補正対象項目名】図２７７
【補正方法】変更
【補正の内容】
【図２７７】
2012210703.tif 000278
【手続補正７８】
【補正対象書類名】図面
【補正対象項目名】図２７８
【補正方法】変更
【補正の内容】
【図２７８】
2012210703.tif 000279
【手続補正７９】
【補正対象書類名】図面
【補正対象項目名】図２７９
【補正方法】変更
【補正の内容】
【図２７９】
2012210703.tif 000280
【手続補正８０】
【補正対象書類名】図面
【補正対象項目名】図２８０
【補正方法】変更
【補正の内容】
【図２８０】
2012210703.tif 000281
【手続補正８１】
【補正対象書類名】図面
【補正対象項目名】図２８１
【補正方法】変更
【補正の内容】
【図２８１】
2012210703.tif 000282
【手続補正８２】
【補正対象書類名】図面
【補正対象項目名】図２８２
【補正方法】変更
【補正の内容】
【図２８２】
2012210703.tif 000283
【手続補正８３】
【補正対象書類名】図面
【補正対象項目名】図２８３
【補正方法】変更
【補正の内容】
【図２８３】
2012210703.tif 000284
【手続補正８４】
【補正対象書類名】図面
【補正対象項目名】図２８４
【補正方法】変更
【補正の内容】
【図２８４】
2012210703.tif 000285
【手続補正８５】
【補正対象書類名】図面
【補正対象項目名】図２８５
【補正方法】変更
【補正の内容】
【図２８５】
2012210703.tif 000286
【手続補正８６】
【補正対象書類名】図面
【補正対象項目名】図２８６
【補正方法】変更
【補正の内容】
【図２８６】
2012210703.tif 000287
【手続補正８７】
【補正対象書類名】図面
【補正対象項目名】図２８７
【補正方法】変更
【補正の内容】
【図２８７】
2012210703.tif 000288
【手続補正８８】
【補正対象書類名】図面
【補正対象項目名】図２８８
【補正方法】変更
【補正の内容】
【図２８８】
2012210703.tif 000289
【手続補正８９】
【補正対象書類名】図面
【補正対象項目名】図２８９
【補正方法】変更
【補正の内容】
【図２８９】
2012210703.tif 000290
【手続補正９０】
【補正対象書類名】図面
【補正対象項目名】図２９０
【補正方法】変更
【補正の内容】
【図２９０】
2012210703.tif 000291
【手続補正９１】
【補正対象書類名】図面
【補正対象項目名】図２９１
【補正方法】変更
【補正の内容】
【図２９１】
2012210703.tif 000292
【手続補正９２】
【補正対象書類名】図面
【補正対象項目名】図２９２
【補正方法】変更
【補正の内容】
【図２９２】
2012210703.tif 000293
【手続補正９３】
【補正対象書類名】図面
【補正対象項目名】図２９３
【補正方法】変更
【補正の内容】
【図２９３】
2012210703.tif 000294
【手続補正９４】
【補正対象書類名】図面
【補正対象項目名】図２９４
【補正方法】変更
【補正の内容】
【図２９４】
2012210703.tif 000295
【手続補正９５】
【補正対象書類名】図面
【補正対象項目名】図２９５
【補正方法】変更
【補正の内容】
【図２９５】
2012210703.tif 000296
【手続補正９６】
【補正対象書類名】図面
【補正対象項目名】図２９６
【補正方法】変更
【補正の内容】
【図２９６】
2012210703.tif 000297
【手続補正９７】
【補正対象書類名】図面
【補正対象項目名】図２９７
【補正方法】変更
【補正の内容】
【図２９７】
2012210703.tif 000298
【手続補正９８】
【補正対象書類名】図面
【補正対象項目名】図２９８
【補正方法】変更
【補正の内容】
【図２９８】
2012210703.tif 000299
【手続補正９９】
【補正対象書類名】図面
【補正対象項目名】図２９９
【補正方法】変更
【補正の内容】
【図２９９】
2012210703.tif 000300
【手続補正１００】
【補正対象書類名】図面
【補正対象項目名】図３００
【補正方法】変更
【補正の内容】
【図３００】
2012210703.tif 000301
【手続補正１０１】
【補正対象書類名】図面
【補正対象項目名】図３０１
【補正方法】変更
【補正の内容】
【図３０１】
2012210703.tif 000302
【手続補正１０２】
【補正対象書類名】図面
【補正対象項目名】図３０２
【補正方法】変更
【補正の内容】
【図３０２】
2012210703.tif 000303
【手続補正１０３】
【補正対象書類名】図面
【補正対象項目名】図３０３
【補正方法】変更
【補正の内容】
【図３０３】
2012210703.tif 000304
【手続補正１０４】
【補正対象書類名】図面
【補正対象項目名】図３０４
【補正方法】変更
【補正の内容】
【図３０４】
2012210703.tif 000305
【手続補正１０５】
【補正対象書類名】図面
【補正対象項目名】図３０５
【補正方法】変更
【補正の内容】
【図３０５】
2012210703.tif 000306
【手続補正１０６】
【補正対象書類名】図面
【補正対象項目名】図３０６
【補正方法】変更
【補正の内容】
【図３０６】
2012210703.tif 000307
【手続補正１０７】
【補正対象書類名】図面
【補正対象項目名】図３０７
【補正方法】変更
【補正の内容】
【図３０７】
2012210703.tif 000308
【手続補正１０８】
【補正対象書類名】図面
【補正対象項目名】図３０８
【補正方法】変更
【補正の内容】
【図３０８】
2012210703.tif 000309
【手続補正１０９】
【補正対象書類名】図面
【補正対象項目名】図３０９
【補正方法】変更
【補正の内容】
【図３０９】
2012210703.tif 000310
【手続補正１１０】
【補正対象書類名】図面
【補正対象項目名】図３１０
【補正方法】変更
【補正の内容】
【図３１０】
2012210703.tif 000311
【手続補正１１１】
【補正対象書類名】図面
【補正対象項目名】図３１１
【補正方法】変更
【補正の内容】
【図３１１】
2012210703.tif 000312
【手続補正１１２】
【補正対象書類名】図面
【補正対象項目名】図３１２
【補正方法】変更
【補正の内容】
【図３１２】
2012210703.tif 000313
【手続補正１１３】
【補正対象書類名】図面
【補正対象項目名】図３１３
【補正方法】変更
【補正の内容】
【図３１３】
2012210703.tif 000314
【手続補正１１４】
【補正対象書類名】図面
【補正対象項目名】図３１４
【補正方法】変更
【補正の内容】
【図３１４】
2012210703.tif 000315
【手続補正１１５】
【補正対象書類名】図面
【補正対象項目名】図３１５
【補正方法】変更
【補正の内容】
【図３１５】
2012210703.tif 000316
【手続補正１１６】
【補正対象書類名】図面
【補正対象項目名】図３１６
【補正方法】変更
【補正の内容】
【図３１６】
2012210703.tif 000317
【手続補正１１７】
【補正対象書類名】図面
【補正対象項目名】図３１７
【補正方法】変更
【補正の内容】
【図３１７】
2012210703.tif 000318
【手続補正１１８】
【補正対象書類名】図面
【補正対象項目名】図３１８
【補正方法】変更
【補正の内容】
【図３１８】
2012210703.tif 000319
【手続補正１１９】
【補正対象書類名】図面
【補正対象項目名】図３１９
【補正方法】変更
【補正の内容】
【図３１９】
2012210703.tif 000320
【手続補正１２０】
【補正対象書類名】図面
【補正対象項目名】図３２０
【補正方法】変更
【補正の内容】
【図３２０】
2012210703.tif 000321
【手続補正１２１】
【補正対象書類名】図面
【補正対象項目名】図３２１
【補正方法】変更
【補正の内容】
【図３２１】
2012210703.tif 000322
【手続補正１２２】
【補正対象書類名】図面
【補正対象項目名】図３２２
【補正方法】変更
【補正の内容】
【図３２２】
2012210703.tif 000323
【手続補正１２３】
【補正対象書類名】図面
【補正対象項目名】図３２３
【補正方法】変更
【補正の内容】
【図３２３】
2012210703.tif 000324
【手続補正１２４】
【補正対象書類名】図面
【補正対象項目名】図３２４
【補正方法】変更
【補正の内容】
【図３２４】
2012210703.tif 000325
【手続補正１２５】
【補正対象書類名】図面
【補正対象項目名】図３２５
【補正方法】変更
【補正の内容】
【図３２５】
2012210703.tif 000326
【手続補正１２６】
【補正対象書類名】図面
【補正対象項目名】図３２６
【補正方法】変更
【補正の内容】
【図３２６】
2012210703.tif 000327
【手続補正１２７】
【補正対象書類名】図面
【補正対象項目名】図３２７
【補正方法】変更
【補正の内容】
【図３２７】
2012210703.tif 000328
【手続補正１２８】
【補正対象書類名】図面
【補正対象項目名】図３２８
【補正方法】変更
【補正の内容】
【図３２８】
2012210703.tif 000329
【手続補正１２９】
【補正対象書類名】図面
【補正対象項目名】図３２９
【補正方法】変更
【補正の内容】
【図３２９】
2012210703.tif 000330
【手続補正１３０】
【補正対象書類名】図面
【補正対象項目名】図３３０
【補正方法】変更
【補正の内容】
【図３３０】
2012210703.tif 000331
【手続補正１３１】
【補正対象書類名】図面
【補正対象項目名】図３３１
【補正方法】変更
【補正の内容】
【図３３１】
2012210703.tif 000332
【手続補正１３２】
【補正対象書類名】図面
【補正対象項目名】図３３２
【補正方法】変更
【補正の内容】
【図３３２】
2012210703.tif 000333
【手続補正１３３】
【補正対象書類名】図面
【補正対象項目名】図３３３
【補正方法】変更
【補正の内容】
【図３３３】
2012210703.tif 000334
【手続補正１３４】
【補正対象書類名】図面
【補正対象項目名】図３３４
【補正方法】変更
【補正の内容】
【図３３４】
2012210703.tif 000335
【手続補正１３５】
【補正対象書類名】図面
【補正対象項目名】図３３５
【補正方法】変更
【補正の内容】
【図３３５】
2012210703.tif 000336
【手続補正１３６】
【補正対象書類名】図面
【補正対象項目名】図３３６
【補正方法】変更
【補正の内容】
【図３３６】
2012210703.tif 000337
【手続補正１３７】
【補正対象書類名】図面
【補正対象項目名】図３３７
【補正方法】変更
【補正の内容】
【図３３７】
2012210703.tif 000338
【手続補正１３８】
【補正対象書類名】図面
【補正対象項目名】図３３８
【補正方法】変更
【補正の内容】
【図３３８】
2012210703.tif 000339
【手続補正１３９】
【補正対象書類名】図面
【補正対象項目名】図３３９
【補正方法】変更
【補正の内容】
【図３３９】
2012210703.tif 000340
【手続補正１４０】
【補正対象書類名】図面
【補正対象項目名】図３４０
【補正方法】変更
【補正の内容】
【図３４０】
2012210703.tif 000341
【手続補正１４１】
【補正対象書類名】図面
【補正対象項目名】図３４１
【補正方法】変更
【補正の内容】
【図３４１】
2012210703.tif 000342
【手続補正１４２】
【補正対象書類名】図面
【補正対象項目名】図３４２
【補正方法】変更
【補正の内容】
【図３４２】
2012210703.tif 000343
【手続補正１４３】
【補正対象書類名】図面
【補正対象項目名】図３４３
【補正方法】変更
【補正の内容】
【図３４３】
2012210703.tif 000344
【手続補正１４４】
【補正対象書類名】図面
【補正対象項目名】図３４４
【補正方法】変更
【補正の内容】
【図３４４】
2012210703.tif 000345
【手続補正１４５】
【補正対象書類名】図面
【補正対象項目名】図３４５
【補正方法】変更
【補正の内容】
【図３４５】
2012210703.tif 000346
【手続補正１４６】
【補正対象書類名】図面
【補正対象項目名】図３４６
【補正方法】変更
【補正の内容】
【図３４６】
2012210703.tif 000347
【手続補正１４７】
【補正対象書類名】図面
【補正対象項目名】図３４７
【補正方法】変更
【補正の内容】
【図３４７】
2012210703.tif 000348
【手続補正１４８】
【補正対象書類名】図面
【補正対象項目名】図３４８
【補正方法】変更
【補正の内容】
【図３４８】
2012210703.tif 000349
【手続補正１４９】
【補正対象書類名】図面
【補正対象項目名】図３４９
【補正方法】変更
【補正の内容】
【図３４９】
2012210703.tif 000350
【手続補正１５０】
【補正対象書類名】図面
【補正対象項目名】図３５０
【補正方法】変更
【補正の内容】
【図３５０】
2012210703.tif 000351
【手続補正１５１】
【補正対象書類名】図面
【補正対象項目名】図３５１
【補正方法】変更
【補正の内容】
【図３５１】
2012210703.tif 000352
【手続補正１５２】
【補正対象書類名】図面
【補正対象項目名】図３５２
【補正方法】変更
【補正の内容】
【図３５２】
2012210703.tif 000353
【手続補正１５３】
【補正対象書類名】図面
【補正対象項目名】図３５３
【補正方法】変更
【補正の内容】
【図３５３】
2012210703.tif 000354
【手続補正１５４】
【補正対象書類名】図面
【補正対象項目名】図３５４
【補正方法】変更
【補正の内容】
【図３５４】
2012210703.tif 000355
【手続補正１５５】
【補正対象書類名】図面
【補正対象項目名】図３５５
【補正方法】変更
【補正の内容】
【図３５５】
2012210703.tif 000356
【手続補正１５６】
【補正対象書類名】図面
【補正対象項目名】図３５６
【補正方法】変更
【補正の内容】
【図３５６】
2012210703.tif 000357
【手続補正１５７】
【補正対象書類名】図面
【補正対象項目名】図３５７
【補正方法】変更
【補正の内容】
【図３５７】
2012210703.tif 000358
【手続補正１５８】
【補正対象書類名】図面
【補正対象項目名】図３５８
【補正方法】変更
【補正の内容】
【図３５８】
2012210703.tif 000359
【手続補正１５９】
【補正対象書類名】図面
【補正対象項目名】図３５９
【補正方法】変更
【補正の内容】
【図３５９】
2012210703.tif 000360
【手続補正１６０】
【補正対象書類名】図面
【補正対象項目名】図３６０
【補正方法】変更
【補正の内容】
【図３６０】
2012210703.tif 000361
【手続補正１６１】
【補正対象書類名】図面
【補正対象項目名】図３６１
【補正方法】変更
【補正の内容】
【図３６１】
2012210703.tif 000362
【手続補正１６２】
【補正対象書類名】図面
【補正対象項目名】図３６２
【補正方法】変更
【補正の内容】
【図３６２】
2012210703.tif 000363
【手続補正１６３】
【補正対象書類名】図面
【補正対象項目名】図３６３
【補正方法】変更
【補正の内容】
【図３６３】
2012210703.tif 000364
【手続補正１６４】
【補正対象書類名】図面
【補正対象項目名】図３６４
【補正方法】変更
【補正の内容】
【図３６４】
2012210703.tif 000365
【手続補正１６５】
【補正対象書類名】図面
【補正対象項目名】図３６５
【補正方法】変更
【補正の内容】
【図３６５】
2012210703.tif 000366
【手続補正１６６】
【補正対象書類名】図面
【補正対象項目名】図３６６
【補正方法】変更
【補正の内容】
【図３６６】
2012210703.tif 000367
【手続補正１６７】
【補正対象書類名】図面
【補正対象項目名】図３６７
【補正方法】変更
【補正の内容】
【図３６７】
2012210703.tif 000368
【手続補正１６８】
【補正対象書類名】図面
【補正対象項目名】図３６８
【補正方法】変更
【補正の内容】
【図３６８】
2012210703.tif 000369
【手続補正１６９】
【補正対象書類名】図面
【補正対象項目名】図３６９
【補正方法】変更
【補正の内容】
【図３６９】
2012210703.tif 000370
【手続補正１７０】
【補正対象書類名】図面
【補正対象項目名】図３７０
【補正方法】変更
【補正の内容】
【図３７０】
2012210703.tif 000371
【手続補正１７１】
【補正対象書類名】図面
【補正対象項目名】図３７１
【補正方法】変更
【補正の内容】
【図３７１】
2012210703.tif 000372
【手続補正１７２】
【補正対象書類名】図面
【補正対象項目名】図３７２
【補正方法】変更
【補正の内容】
【図３７２】
2012210703.tif 000373
【手続補正１７３】
【補正対象書類名】図面
【補正対象項目名】図３７３
【補正方法】変更
【補正の内容】
【図３７３】
2012210703.tif 000374
【手続補正１７４】
【補正対象書類名】図面
【補正対象項目名】図３７４
【補正方法】変更
【補正の内容】
【図３７４】
2012210703.tif 000375
【手続補正１７５】
【補正対象書類名】図面
【補正対象項目名】図３７５
【補正方法】変更
【補正の内容】
【図３７５】
2012210703.tif 000376
【手続補正１７６】
【補正対象書類名】図面
【補正対象項目名】図３７６
【補正方法】変更
【補正の内容】
【図３７６】
2012210703.tif 000377
【手続補正１７７】
【補正対象書類名】図面
【補正対象項目名】図３７７
【補正方法】変更
【補正の内容】
【図３７７】
2012210703.tif 000378
【手続補正１７８】
【補正対象書類名】図面
【補正対象項目名】図３７８
【補正方法】変更
【補正の内容】
【図３７８】
2012210703.tif 000379
【手続補正１７９】
【補正対象書類名】図面
【補正対象項目名】図３７９
【補正方法】変更
【補正の内容】
【図３７９】
2012210703.tif 000380
【手続補正１８０】
【補正対象書類名】図面
【補正対象項目名】図３８０
【補正方法】変更
【補正の内容】
【図３８０】
2012210703.tif 000381
【手続補正１８１】
【補正対象書類名】図面
【補正対象項目名】図３８１
【補正方法】変更
【補正の内容】
【図３８１】
2012210703.tif 000382
【手続補正１８２】
【補正対象書類名】図面
【補正対象項目名】図３８２
【補正方法】変更
【補正の内容】
【図３８２】
2012210703.tif 000383
【手続補正１８３】
【補正対象書類名】図面
【補正対象項目名】図３８３
【補正方法】変更
【補正の内容】
【図３８３】
2012210703.tif 000384
【手続補正１８４】
【補正対象書類名】図面
【補正対象項目名】図３８４
【補正方法】変更
【補正の内容】
【図３８４】
2012210703.tif 000385
【手続補正１８５】
【補正対象書類名】図面
【補正対象項目名】図３８５
【補正方法】変更
【補正の内容】
【図３８５】
2012210703.tif 000386
【手続補正１８６】
【補正対象書類名】図面
【補正対象項目名】図３８６
【補正方法】変更
【補正の内容】
【図３８６】
2012210703.tif 000387
【手続補正１８７】
【補正対象書類名】図面
【補正対象項目名】図３８７
【補正方法】変更
【補正の内容】
【図３８７】
2012210703.tif 000388
【手続補正１８８】
【補正対象書類名】図面
【補正対象項目名】図３８８
【補正方法】変更
【補正の内容】
【図３８８】
2012210703.tif 000389
【手続補正１８９】
【補正対象書類名】図面
【補正対象項目名】図３８９
【補正方法】変更
【補正の内容】
【図３８９】
2012210703.tif 000390
【手続補正１９０】
【補正対象書類名】図面
【補正対象項目名】図３９０
【補正方法】変更
【補正の内容】
【図３９０】
2012210703.tif 000391
【手続補正１９１】
【補正対象書類名】図面
【補正対象項目名】図３９１
【補正方法】変更
【補正の内容】
【図３９１】
2012210703.tif 000392
【手続補正１９２】
【補正対象書類名】図面
【補正対象項目名】図３９２
【補正方法】変更
【補正の内容】
【図３９２】
2012210703.tif 000393
【手続補正１９３】
【補正対象書類名】図面
【補正対象項目名】図３９３
【補正方法】変更
【補正の内容】
【図３９３】
2012210703.tif 000394
【手続補正１９４】
【補正対象書類名】図面
【補正対象項目名】図３９４
【補正方法】変更
【補正の内容】
【図３９４】
2012210703.tif 000395
【手続補正１９５】
【補正対象書類名】図面
【補正対象項目名】図３９５
【補正方法】変更
【補正の内容】
【図３９５】
2012210703.tif 000396
【手続補正１９６】
【補正対象書類名】図面
【補正対象項目名】図３９６
【補正方法】変更
【補正の内容】
【図３９６】
2012210703.tif 000397
【手続補正１９７】
【補正対象書類名】図面
【補正対象項目名】図３９７
【補正方法】変更
【補正の内容】
【図３９７】
2012210703.tif 000398
【手続補正１９８】
【補正対象書類名】図面
【補正対象項目名】図３９８
【補正方法】変更
【補正の内容】
【図３９８】
2012210703.tif 000399
【手続補正１９９】
【補正対象書類名】図面
【補正対象項目名】図３９９
【補正方法】変更
【補正の内容】
【図３９９】
2012210703.tif 000400
【手続補正２００】
【補正対象書類名】図面
【補正対象項目名】図４００
【補正方法】変更
【補正の内容】
【図４００】
2012210703.tif 000401
【手続補正書】
【提出日】平成24年6月19日(2012.6.19)
【手続補正１】
【補正対象書類名】図面
【補正対象項目名】図８０１
【補正方法】変更
【補正の内容】
【図８０１】
2012210703.tif 000402
【手続補正２】
【補正対象書類名】図面
【補正対象項目名】図８０２
【補正方法】変更
【補正の内容】
【図８０２】
2012210703.tif 000403
【手続補正３】
【補正対象書類名】図面
【補正対象項目名】図８０３
【補正方法】変更
【補正の内容】
【図８０３】
2012210703.tif 000404
【手続補正４】
【補正対象書類名】図面
【補正対象項目名】図８０４
【補正方法】変更
【補正の内容】
【図８０４】
2012210703.tif 000405
【手続補正５】
【補正対象書類名】図面
【補正対象項目名】図８０５
【補正方法】変更
【補正の内容】
【図８０５】
2012210703.tif 000406
【手続補正６】
【補正対象書類名】図面
【補正対象項目名】図８０６
【補正方法】変更
【補正の内容】
【図８０６】
2012210703.tif 000407
【手続補正７】
【補正対象書類名】図面
【補正対象項目名】図８０７
【補正方法】変更
【補正の内容】
【図８０７】
2012210703.tif 000408
【手続補正８】
【補正対象書類名】図面
【補正対象項目名】図８０８
【補正方法】変更
【補正の内容】
【図８０８】
2012210703.tif 000409
【手続補正９】
【補正対象書類名】図面
【補正対象項目名】図８０９
【補正方法】変更
【補正の内容】
【図８０９】
2012210703.tif 000410
【手続補正１０】
【補正対象書類名】図面
【補正対象項目名】図８１０
【補正方法】変更
【補正の内容】
【図８１０】
2012210703.tif 000411
【手続補正１１】
【補正対象書類名】図面
【補正対象項目名】図８１１
【補正方法】変更
【補正の内容】
【図８１１】
2012210703.tif 000412
【手続補正１２】
【補正対象書類名】図面
【補正対象項目名】図８１２
【補正方法】変更
【補正の内容】
【図８１２】
2012210703.tif 000413
【手続補正１３】
【補正対象書類名】図面
【補正対象項目名】図８１３
【補正方法】変更
【補正の内容】
【図８１３】
2012210703.tif 000414
【手続補正１４】
【補正対象書類名】図面
【補正対象項目名】図８１４
【補正方法】変更
【補正の内容】
【図８１４】
2012210703.tif 000415
【手続補正１５】
【補正対象書類名】図面
【補正対象項目名】図８１５
【補正方法】変更
【補正の内容】
【図８１５】
2012210703.tif 000416
【手続補正１６】
【補正対象書類名】図面
【補正対象項目名】図８１６
【補正方法】変更
【補正の内容】
【図８１６】
2012210703.tif 000417
【手続補正１７】
【補正対象書類名】図面
【補正対象項目名】図８１７
【補正方法】変更
【補正の内容】
【図８１７】
2012210703.tif 000418
【手続補正１８】
【補正対象書類名】図面
【補正対象項目名】図８１８
【補正方法】変更
【補正の内容】
【図８１８】
2012210703.tif 000419
【手続補正１９】
【補正対象書類名】図面
【補正対象項目名】図８１９
【補正方法】変更
【補正の内容】
【図８１９】
2012210703.tif 000420
【手続補正２０】
【補正対象書類名】図面
【補正対象項目名】図８２０
【補正方法】変更
【補正の内容】
【図８２０】
2012210703.tif 000421
【手続補正２１】
【補正対象書類名】図面
【補正対象項目名】図８２１
【補正方法】変更
【補正の内容】
【図８２１】
2012210703.tif 000422
【手続補正２２】
【補正対象書類名】図面
【補正対象項目名】図８２２
【補正方法】変更
【補正の内容】
【図８２２】
2012210703.tif 000423
【手続補正２３】
【補正対象書類名】図面
【補正対象項目名】図８２３
【補正方法】変更
【補正の内容】
【図８２３】
2012210703.tif 000424
【手続補正２４】
【補正対象書類名】図面
【補正対象項目名】図８２４
【補正方法】変更
【補正の内容】
【図８２４】
2012210703.tif 000425
【手続補正２５】
【補正対象書類名】図面
【補正対象項目名】図８２５
【補正方法】変更
【補正の内容】
【図８２５】
2012210703.tif 000426
【手続補正２６】
【補正対象書類名】図面
【補正対象項目名】図８２６
【補正方法】変更
【補正の内容】
【図８２６】
2012210703.tif 000427
【手続補正２７】
【補正対象書類名】図面
【補正対象項目名】図８２７
【補正方法】変更
【補正の内容】
【図８２７】
2012210703.tif 000428
【手続補正２８】
【補正対象書類名】図面
【補正対象項目名】図８２８
【補正方法】変更
【補正の内容】
【図８２８】
2012210703.tif 000429
【手続補正２９】
【補正対象書類名】図面
【補正対象項目名】図８２９
【補正方法】変更
【補正の内容】
【図８２９】
2012210703.tif 000430
【手続補正３０】
【補正対象書類名】図面
【補正対象項目名】図８３０
【補正方法】変更
【補正の内容】
【図８３０】
2012210703.tif 000431
【手続補正３１】
【補正対象書類名】図面
【補正対象項目名】図８３１
【補正方法】変更
【補正の内容】
【図８３１】
2012210703.tif 000432
【手続補正３２】
【補正対象書類名】図面
【補正対象項目名】図８３２
【補正方法】変更
【補正の内容】
【図８３２】
2012210703.tif 000433
【手続補正３３】
【補正対象書類名】図面
【補正対象項目名】図８３３
【補正方法】変更
【補正の内容】
【図８３３】
2012210703.tif 000434
【手続補正３４】
【補正対象書類名】図面
【補正対象項目名】図８３４
【補正方法】変更
【補正の内容】
【図８３４】
2012210703.tif 000435
【手続補正書】
【提出日】平成24年6月19日(2012.6.19)
【手続補正１】
【補正対象書類名】図面
【補正対象項目名】図６０１
【補正方法】変更
【補正の内容】
【図６０１】
2012210703.tif 000436
【手続補正２】
【補正対象書類名】図面
【補正対象項目名】図６０２
【補正方法】変更
【補正の内容】
【図６０２】
2012210703.tif 000437
【手続補正３】
【補正対象書類名】図面
【補正対象項目名】図６０３
【補正方法】変更
【補正の内容】
【図６０３】
2012210703.tif 000438
【手続補正４】
【補正対象書類名】図面
【補正対象項目名】図６０４
【補正方法】変更
【補正の内容】
【図６０４】
2012210703.tif 000439
【手続補正５】
【補正対象書類名】図面
【補正対象項目名】図６０５
【補正方法】変更
【補正の内容】
【図６０５】
2012210703.tif 000440
【手続補正６】
【補正対象書類名】図面
【補正対象項目名】図６０６
【補正方法】変更
【補正の内容】
【図６０６】
2012210703.tif 000441
【手続補正７】
【補正対象書類名】図面
【補正対象項目名】図６０７
【補正方法】変更
【補正の内容】
【図６０７】
2012210703.tif 000442
【手続補正８】
【補正対象書類名】図面
【補正対象項目名】図６０８
【補正方法】変更
【補正の内容】
【図６０８】
2012210703.tif 000443
【手続補正９】
【補正対象書類名】図面
【補正対象項目名】図６０９
【補正方法】変更
【補正の内容】
【図６０９】
2012210703.tif 000444
【手続補正１０】
【補正対象書類名】図面
【補正対象項目名】図６１０
【補正方法】変更
【補正の内容】
【図６１０】
2012210703.tif 000445
【手続補正１１】
【補正対象書類名】図面
【補正対象項目名】図６１１
【補正方法】変更
【補正の内容】
【図６１１】
2012210703.tif 000446
【手続補正１２】
【補正対象書類名】図面
【補正対象項目名】図６１２
【補正方法】変更
【補正の内容】
【図６１２】
2012210703.tif 000447
【手続補正１３】
【補正対象書類名】図面
【補正対象項目名】図６１３
【補正方法】変更
【補正の内容】
【図６１３】
2012210703.tif 000448
【手続補正１４】
【補正対象書類名】図面
【補正対象項目名】図６１４
【補正方法】変更
【補正の内容】
【図６１４】
2012210703.tif 000449
【手続補正１５】
【補正対象書類名】図面
【補正対象項目名】図６１５
【補正方法】変更
【補正の内容】
【図６１５】
2012210703.tif 000450
【手続補正１６】
【補正対象書類名】図面
【補正対象項目名】図６１６
【補正方法】変更
【補正の内容】
【図６１６】
2012210703.tif 000451
【手続補正１７】
【補正対象書類名】図面
【補正対象項目名】図６１７
【補正方法】変更
【補正の内容】
【図６１７】
2012210703.tif 000452
【手続補正１８】
【補正対象書類名】図面
【補正対象項目名】図６１８
【補正方法】変更
【補正の内容】
【図６１８】
2012210703.tif 000453
【手続補正１９】
【補正対象書類名】図面
【補正対象項目名】図６１９
【補正方法】変更
【補正の内容】
【図６１９】
2012210703.tif 000454
【手続補正２０】
【補正対象書類名】図面
【補正対象項目名】図６２０
【補正方法】変更
【補正の内容】
【図６２０】
2012210703.tif 000455
【手続補正２１】
【補正対象書類名】図面
【補正対象項目名】図６２１
【補正方法】変更
【補正の内容】
【図６２１】
2012210703.tif 000456
【手続補正２２】
【補正対象書類名】図面
【補正対象項目名】図６２２
【補正方法】変更
【補正の内容】
【図６２２】
2012210703.tif 000457
【手続補正２３】
【補正対象書類名】図面
【補正対象項目名】図６２３
【補正方法】変更
【補正の内容】
【図６２３】
2012210703.tif 000458
【手続補正２４】
【補正対象書類名】図面
【補正対象項目名】図６２４
【補正方法】変更
【補正の内容】
【図６２４】
2012210703.tif 000459
【手続補正２５】
【補正対象書類名】図面
【補正対象項目名】図６２５
【補正方法】変更
【補正の内容】
【図６２５】
2012210703.tif 000460
【手続補正２６】
【補正対象書類名】図面
【補正対象項目名】図６２６
【補正方法】変更
【補正の内容】
【図６２６】
2012210703.tif 000461
【手続補正２７】
【補正対象書類名】図面
【補正対象項目名】図６２７
【補正方法】変更
【補正の内容】
【図６２７】
2012210703.tif 000462
【手続補正２８】
【補正対象書類名】図面
【補正対象項目名】図６２８
【補正方法】変更
【補正の内容】
【図６２８】
2012210703.tif 000463
【手続補正２９】
【補正対象書類名】図面
【補正対象項目名】図６２９
【補正方法】変更
【補正の内容】
【図６２９】
2012210703.tif 000464
【手続補正３０】
【補正対象書類名】図面
【補正対象項目名】図６３０
【補正方法】変更
【補正の内容】
【図６３０】
2012210703.tif 000465
【手続補正３１】
【補正対象書類名】図面
【補正対象項目名】図６３１
【補正方法】変更
【補正の内容】
【図６３１】
2012210703.tif 000466
【手続補正３２】
【補正対象書類名】図面
【補正対象項目名】図６３２
【補正方法】変更
【補正の内容】
【図６３２】
2012210703.tif 000467
【手続補正３３】
【補正対象書類名】図面
【補正対象項目名】図６３３
【補正方法】変更
【補正の内容】
【図６３３】
2012210703.tif 000468
【手続補正３４】
【補正対象書類名】図面
【補正対象項目名】図６３４
【補正方法】変更
【補正の内容】
【図６３４】
2012210703.tif 000469
【手続補正３５】
【補正対象書類名】図面
【補正対象項目名】図６３５
【補正方法】変更
【補正の内容】
【図６３５】
2012210703.tif 000470
【手続補正３６】
【補正対象書類名】図面
【補正対象項目名】図６３６
【補正方法】変更
【補正の内容】
【図６３６】
2012210703.tif 000471
【手続補正３７】
【補正対象書類名】図面
【補正対象項目名】図６３７
【補正方法】変更
【補正の内容】
【図６３７】
2012210703.tif 000472
【手続補正３８】
【補正対象書類名】図面
【補正対象項目名】図６３８
【補正方法】変更
【補正の内容】
【図６３８】
2012210703.tif 000473
【手続補正３９】
【補正対象書類名】図面
【補正対象項目名】図６３９
【補正方法】変更
【補正の内容】
【図６３９】
2012210703.tif 000474
【手続補正４０】
【補正対象書類名】図面
【補正対象項目名】図６４０
【補正方法】変更
【補正の内容】
【図６４０】
2012210703.tif 000475
【手続補正４１】
【補正対象書類名】図面
【補正対象項目名】図６４１
【補正方法】変更
【補正の内容】
【図６４１】
2012210703.tif 000476
【手続補正４２】
【補正対象書類名】図面
【補正対象項目名】図６４２
【補正方法】変更
【補正の内容】
【図６４２】
2012210703.tif 000477
【手続補正４３】
【補正対象書類名】図面
【補正対象項目名】図６４３
【補正方法】変更
【補正の内容】
【図６４３】
2012210703.tif 000478
【手続補正４４】
【補正対象書類名】図面
【補正対象項目名】図６４４
【補正方法】変更
【補正の内容】
【図６４４】
2012210703.tif 000479
【手続補正４５】
【補正対象書類名】図面
【補正対象項目名】図６４５
【補正方法】変更
【補正の内容】
【図６４５】
2012210703.tif 000480
【手続補正４６】
【補正対象書類名】図面
【補正対象項目名】図６４６
【補正方法】変更
【補正の内容】
【図６４６】
2012210703.tif 000481
【手続補正４７】
【補正対象書類名】図面
【補正対象項目名】図６４７
【補正方法】変更
【補正の内容】
【図６４７】
2012210703.tif 000482
【手続補正４８】
【補正対象書類名】図面
【補正対象項目名】図６４８
【補正方法】変更
【補正の内容】
【図６４８】
2012210703.tif 000483
【手続補正４９】
【補正対象書類名】図面
【補正対象項目名】図６４９
【補正方法】変更
【補正の内容】
【図６４９】
2012210703.tif 000484
【手続補正５０】
【補正対象書類名】図面
【補正対象項目名】図６５０
【補正方法】変更
【補正の内容】
【図６５０】
2012210703.tif 000485
【手続補正５１】
【補正対象書類名】図面
【補正対象項目名】図６５１
【補正方法】変更
【補正の内容】
【図６５１】
2012210703.tif 000486
【手続補正５２】
【補正対象書類名】図面
【補正対象項目名】図６５２
【補正方法】変更
【補正の内容】
【図６５２】
2012210703.tif 000487
【手続補正５３】
【補正対象書類名】図面
【補正対象項目名】図６５３
【補正方法】変更
【補正の内容】
【図６５３】
2012210703.tif 000488
【手続補正５４】
【補正対象書類名】図面
【補正対象項目名】図６５４
【補正方法】変更
【補正の内容】
【図６５４】
2012210703.tif 000489
【手続補正５５】
【補正対象書類名】図面
【補正対象項目名】図６５５
【補正方法】変更
【補正の内容】
【図６５５】
2012210703.tif 000490
【手続補正５６】
【補正対象書類名】図面
【補正対象項目名】図６５６
【補正方法】変更
【補正の内容】
【図６５６】
2012210703.tif 000491
【手続補正５７】
【補正対象書類名】図面
【補正対象項目名】図６５７
【補正方法】変更
【補正の内容】
【図６５７】
2012210703.tif 000492
【手続補正５８】
【補正対象書類名】図面
【補正対象項目名】図６５８
【補正方法】変更
【補正の内容】
【図６５８】
2012210703.tif 000493
【手続補正５９】
【補正対象書類名】図面
【補正対象項目名】図６５９
【補正方法】変更
【補正の内容】
【図６５９】
2012210703.tif 000494
【手続補正６０】
【補正対象書類名】図面
【補正対象項目名】図６６０
【補正方法】変更
【補正の内容】
【図６６０】
2012210703.tif 000495
【手続補正６１】
【補正対象書類名】図面
【補正対象項目名】図６６１
【補正方法】変更
【補正の内容】
【図６６１】
2012210703.tif 000496
【手続補正６２】
【補正対象書類名】図面
【補正対象項目名】図６６２
【補正方法】変更
【補正の内容】
【図６６２】
2012210703.tif 000497
【手続補正６３】
【補正対象書類名】図面
【補正対象項目名】図６６３
【補正方法】変更
【補正の内容】
【図６６３】
2012210703.tif 000498
【手続補正６４】
【補正対象書類名】図面
【補正対象項目名】図６６４
【補正方法】変更
【補正の内容】
【図６６４】
2012210703.tif 000499
【手続補正６５】
【補正対象書類名】図面
【補正対象項目名】図６６５
【補正方法】変更
【補正の内容】
【図６６５】
2012210703.tif 000500
【手続補正６６】
【補正対象書類名】図面
【補正対象項目名】図６６６
【補正方法】変更
【補正の内容】
【図６６６】
2012210703.tif 000501
【手続補正６７】
【補正対象書類名】図面
【補正対象項目名】図６６７
【補正方法】変更
【補正の内容】
【図６６７】
2012210703.tif 000502
【手続補正６８】
【補正対象書類名】図面
【補正対象項目名】図６６８
【補正方法】変更
【補正の内容】
【図６６８】
2012210703.tif 000503
【手続補正６９】
【補正対象書類名】図面
【補正対象項目名】図６６９
【補正方法】変更
【補正の内容】
【図６６９】
2012210703.tif 000504
【手続補正７０】
【補正対象書類名】図面
【補正対象項目名】図６７０
【補正方法】変更
【補正の内容】
【図６７０】
2012210703.tif 000505
【手続補正７１】
【補正対象書類名】図面
【補正対象項目名】図６７１
【補正方法】変更
【補正の内容】
【図６７１】
2012210703.tif 000506
【手続補正７２】
【補正対象書類名】図面
【補正対象項目名】図６７２
【補正方法】変更
【補正の内容】
【図６７２】
2012210703.tif 000507
【手続補正７３】
【補正対象書類名】図面
【補正対象項目名】図６７３
【補正方法】変更
【補正の内容】
【図６７３】
2012210703.tif 000508
【手続補正７４】
【補正対象書類名】図面
【補正対象項目名】図６７４
【補正方法】変更
【補正の内容】
【図６７４】
2012210703.tif 000509
【手続補正７５】
【補正対象書類名】図面
【補正対象項目名】図６７５
【補正方法】変更
【補正の内容】
【図６７５】
2012210703.tif 000510
【手続補正７６】
【補正対象書類名】図面
【補正対象項目名】図６７６
【補正方法】変更
【補正の内容】
【図６７６】
2012210703.tif 000511
【手続補正７７】
【補正対象書類名】図面
【補正対象項目名】図６７７
【補正方法】変更
【補正の内容】
【図６７７】
2012210703.tif 000512
【手続補正７８】
【補正対象書類名】図面
【補正対象項目名】図６７８
【補正方法】変更
【補正の内容】
【図６７８】
2012210703.tif 000513
【手続補正７９】
【補正対象書類名】図面
【補正対象項目名】図６７９
【補正方法】変更
【補正の内容】
【図６７９】
2012210703.tif 000514
【手続補正８０】
【補正対象書類名】図面
【補正対象項目名】図６８０
【補正方法】変更
【補正の内容】
【図６８０】
2012210703.tif 000515
【手続補正８１】
【補正対象書類名】図面
【補正対象項目名】図６８１
【補正方法】変更
【補正の内容】
【図６８１】
2012210703.tif 000516
【手続補正８２】
【補正対象書類名】図面
【補正対象項目名】図６８２
【補正方法】変更
【補正の内容】
【図６８２】
2012210703.tif 000517
【手続補正８３】
【補正対象書類名】図面
【補正対象項目名】図６８３
【補正方法】変更
【補正の内容】
【図６８３】
2012210703.tif 000518
【手続補正８４】
【補正対象書類名】図面
【補正対象項目名】図６８４
【補正方法】変更
【補正の内容】
【図６８４】
2012210703.tif 000519
【手続補正８５】
【補正対象書類名】図面
【補正対象項目名】図６８５
【補正方法】変更
【補正の内容】
【図６８５】
2012210703.tif 000520
【手続補正８６】
【補正対象書類名】図面
【補正対象項目名】図６８６
【補正方法】変更
【補正の内容】
【図６８６】
2012210703.tif 000521
【手続補正８７】
【補正対象書類名】図面
【補正対象項目名】図６８７
【補正方法】変更
【補正の内容】
【図６８７】
2012210703.tif 000522
【手続補正８８】
【補正対象書類名】図面
【補正対象項目名】図６８８
【補正方法】変更
【補正の内容】
【図６８８】
2012210703.tif 000523
【手続補正８９】
【補正対象書類名】図面
【補正対象項目名】図６８９
【補正方法】変更
【補正の内容】
【図６８９】
2012210703.tif 000524
【手続補正９０】
【補正対象書類名】図面
【補正対象項目名】図６９０
【補正方法】変更
【補正の内容】
【図６９０】
2012210703.tif 000525
【手続補正９１】
【補正対象書類名】図面
【補正対象項目名】図６９１
【補正方法】変更
【補正の内容】
【図６９１】
2012210703.tif 000526
【手続補正９２】
【補正対象書類名】図面
【補正対象項目名】図６９２
【補正方法】変更
【補正の内容】
【図６９２】
2012210703.tif 000527
【手続補正９３】
【補正対象書類名】図面
【補正対象項目名】図６９３
【補正方法】変更
【補正の内容】
【図６９３】
2012210703.tif 000528
【手続補正９４】
【補正対象書類名】図面
【補正対象項目名】図６９４
【補正方法】変更
【補正の内容】
【図６９４】
2012210703.tif 000529
【手続補正９５】
【補正対象書類名】図面
【補正対象項目名】図６９５
【補正方法】変更
【補正の内容】
【図６９５】
2012210703.tif 000530
【手続補正９６】
【補正対象書類名】図面
【補正対象項目名】図６９６
【補正方法】変更
【補正の内容】
【図６９６】
2012210703.tif 000531
【手続補正９７】
【補正対象書類名】図面
【補正対象項目名】図６９７
【補正方法】変更
【補正の内容】
【図６９７】
2012210703.tif 000532
【手続補正９８】
【補正対象書類名】図面
【補正対象項目名】図６９８
【補正方法】変更
【補正の内容】
【図６９８】
2012210703.tif 000533
【手続補正９９】
【補正対象書類名】図面
【補正対象項目名】図６９９
【補正方法】変更
【補正の内容】
【図６９９】
2012210703.tif 000534
【手続補正１００】
【補正対象書類名】図面
【補正対象項目名】図７００
【補正方法】変更
【補正の内容】
【図７００】
2012210703.tif 000535
【手続補正１０１】
【補正対象書類名】図面
【補正対象項目名】図７０１
【補正方法】変更
【補正の内容】
【図７０１】
2012210703.tif 000536
【手続補正１０２】
【補正対象書類名】図面
【補正対象項目名】図７０２
【補正方法】変更
【補正の内容】
【図７０２】
2012210703.tif 000537
【手続補正１０３】
【補正対象書類名】図面
【補正対象項目名】図７０３
【補正方法】変更
【補正の内容】
【図７０３】
2012210703.tif 000538
【手続補正１０４】
【補正対象書類名】図面
【補正対象項目名】図７０４
【補正方法】変更
【補正の内容】
【図７０４】
2012210703.tif 000539
【手続補正１０５】
【補正対象書類名】図面
【補正対象項目名】図７０５
【補正方法】変更
【補正の内容】
【図７０５】
2012210703.tif 000540
【手続補正１０６】
【補正対象書類名】図面
【補正対象項目名】図７０６
【補正方法】変更
【補正の内容】
【図７０６】
2012210703.tif 000541
【手続補正１０７】
【補正対象書類名】図面
【補正対象項目名】図７０７
【補正方法】変更
【補正の内容】
【図７０７】
2012210703.tif 000542
【手続補正１０８】
【補正対象書類名】図面
【補正対象項目名】図７０８
【補正方法】変更
【補正の内容】
【図７０８】
2012210703.tif 000543
【手続補正１０９】
【補正対象書類名】図面
【補正対象項目名】図７０９
【補正方法】変更
【補正の内容】
【図７０９】
2012210703.tif 000544
【手続補正１１０】
【補正対象書類名】図面
【補正対象項目名】図７１０
【補正方法】変更
【補正の内容】
【図７１０】
2012210703.tif 000545
【手続補正１１１】
【補正対象書類名】図面
【補正対象項目名】図７１１
【補正方法】変更
【補正の内容】
【図７１１】
2012210703.tif 000546
【手続補正１１２】
【補正対象書類名】図面
【補正対象項目名】図７１２
【補正方法】変更
【補正の内容】
【図７１２】
2012210703.tif 000547
【手続補正１１３】
【補正対象書類名】図面
【補正対象項目名】図７１３
【補正方法】変更
【補正の内容】
【図７１３】
2012210703.tif 000548
【手続補正１１４】
【補正対象書類名】図面
【補正対象項目名】図７１４
【補正方法】変更
【補正の内容】
【図７１４】
2012210703.tif 000549
【手続補正１１５】
【補正対象書類名】図面
【補正対象項目名】図７１５
【補正方法】変更
【補正の内容】
【図７１５】
2012210703.tif 000550
【手続補正１１６】
【補正対象書類名】図面
【補正対象項目名】図７１６
【補正方法】変更
【補正の内容】
【図７１６】
2012210703.tif 000551
【手続補正１１７】
【補正対象書類名】図面
【補正対象項目名】図７１７
【補正方法】変更
【補正の内容】
【図７１７】
2012210703.tif 000552
【手続補正１１８】
【補正対象書類名】図面
【補正対象項目名】図７１８
【補正方法】変更
【補正の内容】
【図７１８】
2012210703.tif 000553
【手続補正１１９】
【補正対象書類名】図面
【補正対象項目名】図７１９
【補正方法】変更
【補正の内容】
【図７１９】
2012210703.tif 000554
【手続補正１２０】
【補正対象書類名】図面
【補正対象項目名】図７２０
【補正方法】変更
【補正の内容】
【図７２０】
2012210703.tif 000555
【手続補正１２１】
【補正対象書類名】図面
【補正対象項目名】図７２１
【補正方法】変更
【補正の内容】
【図７２１】
2012210703.tif 000556
【手続補正１２２】
【補正対象書類名】図面
【補正対象項目名】図７２２
【補正方法】変更
【補正の内容】
【図７２２】
2012210703.tif 000557
【手続補正１２３】
【補正対象書類名】図面
【補正対象項目名】図７２３
【補正方法】変更
【補正の内容】
【図７２３】
2012210703.tif 000558
【手続補正１２４】
【補正対象書類名】図面
【補正対象項目名】図７２４
【補正方法】変更
【補正の内容】
【図７２４】
2012210703.tif 000559
【手続補正１２５】
【補正対象書類名】図面
【補正対象項目名】図７２５
【補正方法】変更
【補正の内容】
【図７２５】
2012210703.tif 000560
【手続補正１２６】
【補正対象書類名】図面
【補正対象項目名】図７２６
【補正方法】変更
【補正の内容】
【図７２６】
2012210703.tif 000561
【手続補正１２７】
【補正対象書類名】図面
【補正対象項目名】図７２７
【補正方法】変更
【補正の内容】
【図７２７】
2012210703.tif 000562
【手続補正１２８】
【補正対象書類名】図面
【補正対象項目名】図７２８
【補正方法】変更
【補正の内容】
【図７２８】
2012210703.tif 000563
【手続補正１２９】
【補正対象書類名】図面
【補正対象項目名】図７２９
【補正方法】変更
【補正の内容】
【図７２９】
2012210703.tif 000564
【手続補正１３０】
【補正対象書類名】図面
【補正対象項目名】図７３０
【補正方法】変更
【補正の内容】
【図７３０】
2012210703.tif 000565
【手続補正１３１】
【補正対象書類名】図面
【補正対象項目名】図７３１
【補正方法】変更
【補正の内容】
【図７３１】
2012210703.tif 000566
【手続補正１３２】
【補正対象書類名】図面
【補正対象項目名】図７３２
【補正方法】変更
【補正の内容】
【図７３２】
2012210703.tif 000567
【手続補正１３３】
【補正対象書類名】図面
【補正対象項目名】図７３３
【補正方法】変更
【補正の内容】
【図７３３】
2012210703.tif 000568
【手続補正１３４】
【補正対象書類名】図面
【補正対象項目名】図７３４
【補正方法】変更
【補正の内容】
【図７３４】
2012210703.tif 000569
【手続補正１３５】
【補正対象書類名】図面
【補正対象項目名】図７３５
【補正方法】変更
【補正の内容】
【図７３５】
2012210703.tif 000570
【手続補正１３６】
【補正対象書類名】図面
【補正対象項目名】図７３６
【補正方法】変更
【補正の内容】
【図７３６】
2012210703.tif 000571
【手続補正１３７】
【補正対象書類名】図面
【補正対象項目名】図７３７
【補正方法】変更
【補正の内容】
【図７３７】
2012210703.tif 000572
【手続補正１３８】
【補正対象書類名】図面
【補正対象項目名】図７３８
【補正方法】変更
【補正の内容】
【図７３８】
2012210703.tif 000573
【手続補正１３９】
【補正対象書類名】図面
【補正対象項目名】図７３９
【補正方法】変更
【補正の内容】
【図７３９】
2012210703.tif 000574
【手続補正１４０】
【補正対象書類名】図面
【補正対象項目名】図７４０
【補正方法】変更
【補正の内容】
【図７４０】
2012210703.tif 000575
【手続補正１４１】
【補正対象書類名】図面
【補正対象項目名】図７４１
【補正方法】変更
【補正の内容】
【図７４１】
2012210703.tif 000576
【手続補正１４２】
【補正対象書類名】図面
【補正対象項目名】図７４２
【補正方法】変更
【補正の内容】
【図７４２】
2012210703.tif 000577
【手続補正１４３】
【補正対象書類名】図面
【補正対象項目名】図７４３
【補正方法】変更
【補正の内容】
【図７４３】
2012210703.tif 000578
【手続補正１４４】
【補正対象書類名】図面
【補正対象項目名】図７４４
【補正方法】変更
【補正の内容】
【図７４４】
2012210703.tif 000579
【手続補正１４５】
【補正対象書類名】図面
【補正対象項目名】図７４５
【補正方法】変更
【補正の内容】
【図７４５】
2012210703.tif 000580
【手続補正１４６】
【補正対象書類名】図面
【補正対象項目名】図７４６
【補正方法】変更
【補正の内容】
【図７４６】
2012210703.tif 000581
【手続補正１４７】
【補正対象書類名】図面
【補正対象項目名】図７４７
【補正方法】変更
【補正の内容】
【図７４７】
2012210703.tif 000582
【手続補正１４８】
【補正対象書類名】図面
【補正対象項目名】図７４８
【補正方法】変更
【補正の内容】
【図７４８】
2012210703.tif 000583
【手続補正１４９】
【補正対象書類名】図面
【補正対象項目名】図７４９
【補正方法】変更
【補正の内容】
【図７４９】
2012210703.tif 000584
【手続補正１５０】
【補正対象書類名】図面
【補正対象項目名】図７５０
【補正方法】変更
【補正の内容】
【図７５０】
2012210703.tif 000585
【手続補正１５１】
【補正対象書類名】図面
【補正対象項目名】図７５１
【補正方法】変更
【補正の内容】
【図７５１】
2012210703.tif 000586
【手続補正１５２】
【補正対象書類名】図面
【補正対象項目名】図７５２
【補正方法】変更
【補正の内容】
【図７５２】
2012210703.tif 000587
【手続補正１５３】
【補正対象書類名】図面
【補正対象項目名】図７５３
【補正方法】変更
【補正の内容】
【図７５３】
2012210703.tif 000588
【手続補正１５４】
【補正対象書類名】図面
【補正対象項目名】図７５４
【補正方法】変更
【補正の内容】
【図７５４】
2012210703.tif 000589
【手続補正１５５】
【補正対象書類名】図面
【補正対象項目名】図７５５
【補正方法】変更
【補正の内容】
【図７５５】
2012210703.tif 000590
【手続補正１５６】
【補正対象書類名】図面
【補正対象項目名】図７５６
【補正方法】変更
【補正の内容】
【図７５６】
2012210703.tif 000591
【手続補正１５７】
【補正対象書類名】図面
【補正対象項目名】図７５７
【補正方法】変更
【補正の内容】
【図７５７】
2012210703.tif 000592
【手続補正１５８】
【補正対象書類名】図面
【補正対象項目名】図７５８
【補正方法】変更
【補正の内容】
【図７５８】
2012210703.tif 000593
【手続補正１５９】
【補正対象書類名】図面
【補正対象項目名】図７５９
【補正方法】変更
【補正の内容】
【図７５９】
2012210703.tif 000594
【手続補正１６０】
【補正対象書類名】図面
【補正対象項目名】図７６０
【補正方法】変更
【補正の内容】
【図７６０】
2012210703.tif 000595
【手続補正１６１】
【補正対象書類名】図面
【補正対象項目名】図７６１
【補正方法】変更
【補正の内容】
【図７６１】
2012210703.tif 000596
【手続補正１６２】
【補正対象書類名】図面
【補正対象項目名】図７６２
【補正方法】変更
【補正の内容】
【図７６２】
2012210703.tif 000597
【手続補正１６３】
【補正対象書類名】図面
【補正対象項目名】図７６３
【補正方法】変更
【補正の内容】
【図７６３】
2012210703.tif 000598
【手続補正１６４】
【補正対象書類名】図面
【補正対象項目名】図７６４
【補正方法】変更
【補正の内容】
【図７６４】
2012210703.tif 000599
【手続補正１６５】
【補正対象書類名】図面
【補正対象項目名】図７６５
【補正方法】変更
【補正の内容】
【図７６５】
2012210703.tif 000600
【手続補正１６６】
【補正対象書類名】図面
【補正対象項目名】図７６６
【補正方法】変更
【補正の内容】
【図７６６】
2012210703.tif 000601
【手続補正１６７】
【補正対象書類名】図面
【補正対象項目名】図７６７
【補正方法】変更
【補正の内容】
【図７６７】
2012210703.tif 000602
【手続補正１６８】
【補正対象書類名】図面
【補正対象項目名】図７６８
【補正方法】変更
【補正の内容】
【図７６８】
2012210703.tif 000603
【手続補正１６９】
【補正対象書類名】図面
【補正対象項目名】図７６９
【補正方法】変更
【補正の内容】
【図７６９】
2012210703.tif 000604
【手続補正１７０】
【補正対象書類名】図面
【補正対象項目名】図７７０
【補正方法】変更
【補正の内容】
【図７７０】
2012210703.tif 000605
【手続補正１７１】
【補正対象書類名】図面
【補正対象項目名】図７７１
【補正方法】変更
【補正の内容】
【図７７１】
2012210703.tif 000606
【手続補正１７２】
【補正対象書類名】図面
【補正対象項目名】図７７２
【補正方法】変更
【補正の内容】
【図７７２】
2012210703.tif 000607
【手続補正１７３】
【補正対象書類名】図面
【補正対象項目名】図７７３
【補正方法】変更
【補正の内容】
【図７７３】
2012210703.tif 000608
【手続補正１７４】
【補正対象書類名】図面
【補正対象項目名】図７７４
【補正方法】変更
【補正の内容】
【図７７４】
2012210703.tif 000609
【手続補正１７５】
【補正対象書類名】図面
【補正対象項目名】図７７５
【補正方法】変更
【補正の内容】
【図７７５】
2012210703.tif 000610
【手続補正１７６】
【補正対象書類名】図面
【補正対象項目名】図７７６
【補正方法】変更
【補正の内容】
【図７７６】
2012210703.tif 000611
【手続補正１７７】
【補正対象書類名】図面
【補正対象項目名】図７７７
【補正方法】変更
【補正の内容】
【図７７７】
2012210703.tif 000612
【手続補正１７８】
【補正対象書類名】図面
【補正対象項目名】図７７８
【補正方法】変更
【補正の内容】
【図７７８】
2012210703.tif 000613
【手続補正１７９】
【補正対象書類名】図面
【補正対象項目名】図７７９
【補正方法】変更
【補正の内容】
【図７７９】
2012210703.tif 000614
【手続補正１８０】
【補正対象書類名】図面
【補正対象項目名】図７８０
【補正方法】変更
【補正の内容】
【図７８０】
2012210703.tif 000615
【手続補正１８１】
【補正対象書類名】図面
【補正対象項目名】図７８１
【補正方法】変更
【補正の内容】
【図７８１】
2012210703.tif 000616
【手続補正１８２】
【補正対象書類名】図面
【補正対象項目名】図７８２
【補正方法】変更
【補正の内容】
【図７８２】
2012210703.tif 000617
【手続補正１８３】
【補正対象書類名】図面
【補正対象項目名】図７８３
【補正方法】変更
【補正の内容】
【図７８３】
2012210703.tif 000618
【手続補正１８４】
【補正対象書類名】図面
【補正対象項目名】図７８４
【補正方法】変更
【補正の内容】
【図７８４】
2012210703.tif 000619
【手続補正１８５】
【補正対象書類名】図面
【補正対象項目名】図７８５
【補正方法】変更
【補正の内容】
【図７８５】
2012210703.tif 000620
【手続補正１８６】
【補正対象書類名】図面
【補正対象項目名】図７８６
【補正方法】変更
【補正の内容】
【図７８６】
2012210703.tif 000621
【手続補正１８７】
【補正対象書類名】図面
【補正対象項目名】図７８７
【補正方法】変更
【補正の内容】
【図７８７】
2012210703.tif 000622
【手続補正１８８】
【補正対象書類名】図面
【補正対象項目名】図７８８
【補正方法】変更
【補正の内容】
【図７８８】
2012210703.tif 000623
【手続補正１８９】
【補正対象書類名】図面
【補正対象項目名】図７８９
【補正方法】変更
【補正の内容】
【図７８９】
2012210703.tif 000624
【手続補正１９０】
【補正対象書類名】図面
【補正対象項目名】図７９０
【補正方法】変更
【補正の内容】
【図７９０】
2012210703.tif 000625
【手続補正１９１】
【補正対象書類名】図面
【補正対象項目名】図７９１
【補正方法】変更
【補正の内容】
【図７９１】
2012210703.tif 000626
【手続補正１９２】
【補正対象書類名】図面
【補正対象項目名】図７９２
【補正方法】変更
【補正の内容】
【図７９２】
2012210703.tif 000627
【手続補正１９３】
【補正対象書類名】図面
【補正対象項目名】図７９３
【補正方法】変更
【補正の内容】
【図７９３】
2012210703.tif 000628
【手続補正１９４】
【補正対象書類名】図面
【補正対象項目名】図７９４
【補正方法】変更
【補正の内容】
【図７９４】
2012210703.tif 000629
【手続補正１９５】
【補正対象書類名】図面
【補正対象項目名】図７９５
【補正方法】変更
【補正の内容】
【図７９５】
2012210703.tif 000630
【手続補正１９６】
【補正対象書類名】図面
【補正対象項目名】図７９６
【補正方法】変更
【補正の内容】
【図７９６】
2012210703.tif 000631
【手続補正１９７】
【補正対象書類名】図面
【補正対象項目名】図７９７
【補正方法】変更
【補正の内容】
【図７９７】
2012210703.tif 000632
【手続補正１９８】
【補正対象書類名】図面
【補正対象項目名】図７９８
【補正方法】変更
【補正の内容】
【図７９８】
2012210703.tif 000633
【手続補正１９９】
【補正対象書類名】図面
【補正対象項目名】図７９９
【補正方法】変更
【補正の内容】
【図７９９】
2012210703.tif 000634
【手続補正２００】
【補正対象書類名】図面
【補正対象項目名】図８００
【補正方法】変更
【補正の内容】
【図８００】
2012210703.tif 000635
【手続補正書】
【提出日】平成24年6月19日(2012.6.19)
【手続補正１】
【補正対象書類名】図面
【補正対象項目名】図４０１
【補正方法】変更
【補正の内容】
【図４０１】
2012210703.tif 000636
【手続補正２】
【補正対象書類名】図面
【補正対象項目名】図４０２
【補正方法】変更
【補正の内容】
【図４０２】
2012210703.tif 000637
【手続補正３】
【補正対象書類名】図面
【補正対象項目名】図４０３
【補正方法】変更
【補正の内容】
【図４０３】
2012210703.tif 000638
【手続補正４】
【補正対象書類名】図面
【補正対象項目名】図４０４
【補正方法】変更
【補正の内容】
【図４０４】
2012210703.tif 000639
【手続補正５】
【補正対象書類名】図面
【補正対象項目名】図４０５
【補正方法】変更
【補正の内容】
【図４０５】
2012210703.tif 000640
【手続補正６】
【補正対象書類名】図面
【補正対象項目名】図４０６
【補正方法】変更
【補正の内容】
【図４０６】
2012210703.tif 000641
【手続補正７】
【補正対象書類名】図面
【補正対象項目名】図４０７
【補正方法】変更
【補正の内容】
【図４０７】
2012210703.tif 000642
【手続補正８】
【補正対象書類名】図面
【補正対象項目名】図４０８
【補正方法】変更
【補正の内容】
【図４０８】
2012210703.tif 000643
【手続補正９】
【補正対象書類名】図面
【補正対象項目名】図４０９
【補正方法】変更
【補正の内容】
【図４０９】
2012210703.tif 000644
【手続補正１０】
【補正対象書類名】図面
【補正対象項目名】図４１０
【補正方法】変更
【補正の内容】
【図４１０】
2012210703.tif 000645
【手続補正１１】
【補正対象書類名】図面
【補正対象項目名】図４１１
【補正方法】変更
【補正の内容】
【図４１１】
2012210703.tif 000646
【手続補正１２】
【補正対象書類名】図面
【補正対象項目名】図４１２
【補正方法】変更
【補正の内容】
【図４１２】
2012210703.tif 000647
【手続補正１３】
【補正対象書類名】図面
【補正対象項目名】図４１３
【補正方法】変更
【補正の内容】
【図４１３】
2012210703.tif 000648
【手続補正１４】
【補正対象書類名】図面
【補正対象項目名】図４１４
【補正方法】変更
【補正の内容】
【図４１４】
2012210703.tif 000649
【手続補正１５】
【補正対象書類名】図面
【補正対象項目名】図４１５
【補正方法】変更
【補正の内容】
【図４１５】
2012210703.tif 000650
【手続補正１６】
【補正対象書類名】図面
【補正対象項目名】図４１６
【補正方法】変更
【補正の内容】
【図４１６】
2012210703.tif 000651
【手続補正１７】
【補正対象書類名】図面
【補正対象項目名】図４１７
【補正方法】変更
【補正の内容】
【図４１７】
2012210703.tif 000652
【手続補正１８】
【補正対象書類名】図面
【補正対象項目名】図４１８
【補正方法】変更
【補正の内容】
【図４１８】
2012210703.tif 000653
【手続補正１９】
【補正対象書類名】図面
【補正対象項目名】図４１９
【補正方法】変更
【補正の内容】
【図４１９】
2012210703.tif 000654
【手続補正２０】
【補正対象書類名】図面
【補正対象項目名】図４２０
【補正方法】変更
【補正の内容】
【図４２０】
2012210703.tif 000655
【手続補正２１】
【補正対象書類名】図面
【補正対象項目名】図４２１
【補正方法】変更
【補正の内容】
【図４２１】
2012210703.tif 000656
【手続補正２２】
【補正対象書類名】図面
【補正対象項目名】図４２２
【補正方法】変更
【補正の内容】
【図４２２】
2012210703.tif 000657
【手続補正２３】
【補正対象書類名】図面
【補正対象項目名】図４２３
【補正方法】変更
【補正の内容】
【図４２３】
2012210703.tif 000658
【手続補正２４】
【補正対象書類名】図面
【補正対象項目名】図４２４
【補正方法】変更
【補正の内容】
【図４２４】
2012210703.tif 000659
【手続補正２５】
【補正対象書類名】図面
【補正対象項目名】図４２５
【補正方法】変更
【補正の内容】
【図４２５】
2012210703.tif 000660
【手続補正２６】
【補正対象書類名】図面
【補正対象項目名】図４２６
【補正方法】変更
【補正の内容】
【図４２６】
2012210703.tif 000661
【手続補正２７】
【補正対象書類名】図面
【補正対象項目名】図４２７
【補正方法】変更
【補正の内容】
【図４２７】
2012210703.tif 000662
【手続補正２８】
【補正対象書類名】図面
【補正対象項目名】図４２８
【補正方法】変更
【補正の内容】
【図４２８】
2012210703.tif 000663
【手続補正２９】
【補正対象書類名】図面
【補正対象項目名】図４２９
【補正方法】変更
【補正の内容】
【図４２９】
2012210703.tif 000664
【手続補正３０】
【補正対象書類名】図面
【補正対象項目名】図４３０
【補正方法】変更
【補正の内容】
【図４３０】
2012210703.tif 000665
【手続補正３１】
【補正対象書類名】図面
【補正対象項目名】図４３１
【補正方法】変更
【補正の内容】
【図４３１】
2012210703.tif 000666
【手続補正３２】
【補正対象書類名】図面
【補正対象項目名】図４３２
【補正方法】変更
【補正の内容】
【図４３２】
2012210703.tif 000667
【手続補正３３】
【補正対象書類名】図面
【補正対象項目名】図４３３
【補正方法】変更
【補正の内容】
【図４３３】
2012210703.tif 000668
【手続補正３４】
【補正対象書類名】図面
【補正対象項目名】図４３４
【補正方法】変更
【補正の内容】
【図４３４】
2012210703.tif 000669
【手続補正３５】
【補正対象書類名】図面
【補正対象項目名】図４３５
【補正方法】変更
【補正の内容】
【図４３５】
2012210703.tif 000670
【手続補正３６】
【補正対象書類名】図面
【補正対象項目名】図４３６
【補正方法】変更
【補正の内容】
【図４３６】
2012210703.tif 000671
【手続補正３７】
【補正対象書類名】図面
【補正対象項目名】図４３７
【補正方法】変更
【補正の内容】
【図４３７】
2012210703.tif 000672
【手続補正３８】
【補正対象書類名】図面
【補正対象項目名】図４３８
【補正方法】変更
【補正の内容】
【図４３８】
2012210703.tif 000673
【手続補正３９】
【補正対象書類名】図面
【補正対象項目名】図４３９
【補正方法】変更
【補正の内容】
【図４３９】
2012210703.tif 000674
【手続補正４０】
【補正対象書類名】図面
【補正対象項目名】図４４０
【補正方法】変更
【補正の内容】
【図４４０】
2012210703.tif 000675
【手続補正４１】
【補正対象書類名】図面
【補正対象項目名】図４４１
【補正方法】変更
【補正の内容】
【図４４１】
2012210703.tif 000676
【手続補正４２】
【補正対象書類名】図面
【補正対象項目名】図４４２
【補正方法】変更
【補正の内容】
【図４４２】
2012210703.tif 000677
【手続補正４３】
【補正対象書類名】図面
【補正対象項目名】図４４３
【補正方法】変更
【補正の内容】
【図４４３】
2012210703.tif 000678
【手続補正４４】
【補正対象書類名】図面
【補正対象項目名】図４４４
【補正方法】変更
【補正の内容】
【図４４４】
2012210703.tif 000679
【手続補正４５】
【補正対象書類名】図面
【補正対象項目名】図４４５
【補正方法】変更
【補正の内容】
【図４４５】
2012210703.tif 000680
【手続補正４６】
【補正対象書類名】図面
【補正対象項目名】図４４６
【補正方法】変更
【補正の内容】
【図４４６】
2012210703.tif 000681
【手続補正４７】
【補正対象書類名】図面
【補正対象項目名】図４４７
【補正方法】変更
【補正の内容】
【図４４７】
2012210703.tif 000682
【手続補正４８】
【補正対象書類名】図面
【補正対象項目名】図４４８
【補正方法】変更
【補正の内容】
【図４４８】
2012210703.tif 000683
【手続補正４９】
【補正対象書類名】図面
【補正対象項目名】図４４９
【補正方法】変更
【補正の内容】
【図４４９】
2012210703.tif 000684
【手続補正５０】
【補正対象書類名】図面
【補正対象項目名】図４５０
【補正方法】変更
【補正の内容】
【図４５０】
2012210703.tif 000685
【手続補正５１】
【補正対象書類名】図面
【補正対象項目名】図４５１
【補正方法】変更
【補正の内容】
【図４５１】
2012210703.tif 000686
【手続補正５２】
【補正対象書類名】図面
【補正対象項目名】図４５２
【補正方法】変更
【補正の内容】
【図４５２】
2012210703.tif 000687
【手続補正５３】
【補正対象書類名】図面
【補正対象項目名】図４５３
【補正方法】変更
【補正の内容】
【図４５３】
2012210703.tif 000688
【手続補正５４】
【補正対象書類名】図面
【補正対象項目名】図４５４
【補正方法】変更
【補正の内容】
【図４５４】
2012210703.tif 000689
【手続補正５５】
【補正対象書類名】図面
【補正対象項目名】図４５５
【補正方法】変更
【補正の内容】
【図４５５】
2012210703.tif 000690
【手続補正５６】
【補正対象書類名】図面
【補正対象項目名】図４５６
【補正方法】変更
【補正の内容】
【図４５６】
2012210703.tif 000691
【手続補正５７】
【補正対象書類名】図面
【補正対象項目名】図４５７
【補正方法】変更
【補正の内容】
【図４５７】
2012210703.tif 000692
【手続補正５８】
【補正対象書類名】図面
【補正対象項目名】図４５８
【補正方法】変更
【補正の内容】
【図４５８】
2012210703.tif 000693
【手続補正５９】
【補正対象書類名】図面
【補正対象項目名】図４５９
【補正方法】変更
【補正の内容】
【図４５９】
2012210703.tif 000694
【手続補正６０】
【補正対象書類名】図面
【補正対象項目名】図４６０
【補正方法】変更
【補正の内容】
【図４６０】
2012210703.tif 000695
【手続補正６１】
【補正対象書類名】図面
【補正対象項目名】図４６１
【補正方法】変更
【補正の内容】
【図４６１】
2012210703.tif 000696
【手続補正６２】
【補正対象書類名】図面
【補正対象項目名】図４６２
【補正方法】変更
【補正の内容】
【図４６２】
2012210703.tif 000697
【手続補正６３】
【補正対象書類名】図面
【補正対象項目名】図４６３
【補正方法】変更
【補正の内容】
【図４６３】
2012210703.tif 000698
【手続補正６４】
【補正対象書類名】図面
【補正対象項目名】図４６４
【補正方法】変更
【補正の内容】
【図４６４】
2012210703.tif 000699
【手続補正６５】
【補正対象書類名】図面
【補正対象項目名】図４６５
【補正方法】変更
【補正の内容】
【図４６５】
2012210703.tif 000700
【手続補正６６】
【補正対象書類名】図面
【補正対象項目名】図４６６
【補正方法】変更
【補正の内容】
【図４６６】
2012210703.tif 000701
【手続補正６７】
【補正対象書類名】図面
【補正対象項目名】図４６７
【補正方法】変更
【補正の内容】
【図４６７】
2012210703.tif 000702
【手続補正６８】
【補正対象書類名】図面
【補正対象項目名】図４６８
【補正方法】変更
【補正の内容】
【図４６８】
2012210703.tif 000703
【手続補正６９】
【補正対象書類名】図面
【補正対象項目名】図４６９
【補正方法】変更
【補正の内容】
【図４６９】
2012210703.tif 000704
【手続補正７０】
【補正対象書類名】図面
【補正対象項目名】図４７０
【補正方法】変更
【補正の内容】
【図４７０】
2012210703.tif 000705
【手続補正７１】
【補正対象書類名】図面
【補正対象項目名】図４７１
【補正方法】変更
【補正の内容】
【図４７１】
2012210703.tif 000706
【手続補正７２】
【補正対象書類名】図面
【補正対象項目名】図４７２
【補正方法】変更
【補正の内容】
【図４７２】
2012210703.tif 000707
【手続補正７３】
【補正対象書類名】図面
【補正対象項目名】図４７３
【補正方法】変更
【補正の内容】
【図４７３】
2012210703.tif 000708
【手続補正７４】
【補正対象書類名】図面
【補正対象項目名】図４７４
【補正方法】変更
【補正の内容】
【図４７４】
2012210703.tif 000709
【手続補正７５】
【補正対象書類名】図面
【補正対象項目名】図４７５
【補正方法】変更
【補正の内容】
【図４７５】
2012210703.tif 000710
【手続補正７６】
【補正対象書類名】図面
【補正対象項目名】図４７６
【補正方法】変更
【補正の内容】
【図４７６】
2012210703.tif 000711
【手続補正７７】
【補正対象書類名】図面
【補正対象項目名】図４７７
【補正方法】変更
【補正の内容】
【図４７７】
2012210703.tif 000712
【手続補正７８】
【補正対象書類名】図面
【補正対象項目名】図４７８
【補正方法】変更
【補正の内容】
【図４７８】
2012210703.tif 000713
【手続補正７９】
【補正対象書類名】図面
【補正対象項目名】図４７９
【補正方法】変更
【補正の内容】
【図４７９】
2012210703.tif 000714
【手続補正８０】
【補正対象書類名】図面
【補正対象項目名】図４８０
【補正方法】変更
【補正の内容】
【図４８０】
2012210703.tif 000715
【手続補正８１】
【補正対象書類名】図面
【補正対象項目名】図４８１
【補正方法】変更
【補正の内容】
【図４８１】
2012210703.tif 000716
【手続補正８２】
【補正対象書類名】図面
【補正対象項目名】図４８２
【補正方法】変更
【補正の内容】
【図４８２】
2012210703.tif 000717
【手続補正８３】
【補正対象書類名】図面
【補正対象項目名】図４８３
【補正方法】変更
【補正の内容】
【図４８３】
2012210703.tif 000718
【手続補正８４】
【補正対象書類名】図面
【補正対象項目名】図４８４
【補正方法】変更
【補正の内容】
【図４８４】
2012210703.tif 000719
【手続補正８５】
【補正対象書類名】図面
【補正対象項目名】図４８５
【補正方法】変更
【補正の内容】
【図４８５】
2012210703.tif 000720
【手続補正８６】
【補正対象書類名】図面
【補正対象項目名】図４８６
【補正方法】変更
【補正の内容】
【図４８６】
2012210703.tif 000721
【手続補正８７】
【補正対象書類名】図面
【補正対象項目名】図４８７
【補正方法】変更
【補正の内容】
【図４８７】
2012210703.tif 000722
【手続補正８８】
【補正対象書類名】図面
【補正対象項目名】図４８８
【補正方法】変更
【補正の内容】
【図４８８】
2012210703.tif 000723
【手続補正８９】
【補正対象書類名】図面
【補正対象項目名】図４８９
【補正方法】変更
【補正の内容】
【図４８９】
2012210703.tif 000724
【手続補正９０】
【補正対象書類名】図面
【補正対象項目名】図４９０
【補正方法】変更
【補正の内容】
【図４９０】
2012210703.tif 000725
【手続補正９１】
【補正対象書類名】図面
【補正対象項目名】図４９１
【補正方法】変更
【補正の内容】
【図４９１】
2012210703.tif 000726
【手続補正９２】
【補正対象書類名】図面
【補正対象項目名】図４９２
【補正方法】変更
【補正の内容】
【図４９２】
2012210703.tif 000727
【手続補正９３】
【補正対象書類名】図面
【補正対象項目名】図４９３
【補正方法】変更
【補正の内容】
【図４９３】
2012210703.tif 000728
【手続補正９４】
【補正対象書類名】図面
【補正対象項目名】図４９４
【補正方法】変更
【補正の内容】
【図４９４】
2012210703.tif 000729
【手続補正９５】
【補正対象書類名】図面
【補正対象項目名】図４９５
【補正方法】変更
【補正の内容】
【図４９５】
2012210703.tif 000730
【手続補正９６】
【補正対象書類名】図面
【補正対象項目名】図４９６
【補正方法】変更
【補正の内容】
【図４９６】
2012210703.tif 000731
【手続補正９７】
【補正対象書類名】図面
【補正対象項目名】図４９７
【補正方法】変更
【補正の内容】
【図４９７】
2012210703.tif 000732
【手続補正９８】
【補正対象書類名】図面
【補正対象項目名】図４９８
【補正方法】変更
【補正の内容】
【図４９８】
2012210703.tif 000733
【手続補正９９】
【補正対象書類名】図面
【補正対象項目名】図４９９
【補正方法】変更
【補正の内容】
【図４９９】
2012210703.tif 000734
【手続補正１００】
【補正対象書類名】図面
【補正対象項目名】図５００
【補正方法】変更
【補正の内容】
【図５００】
2012210703.tif 000735
【手続補正１０１】
【補正対象書類名】図面
【補正対象項目名】図５０１
【補正方法】変更
【補正の内容】
【図５０１】
2012210703.tif 000736
【手続補正１０２】
【補正対象書類名】図面
【補正対象項目名】図５０２
【補正方法】変更
【補正の内容】
【図５０２】
2012210703.tif 000737
【手続補正１０３】
【補正対象書類名】図面
【補正対象項目名】図５０３
【補正方法】変更
【補正の内容】
【図５０３】
2012210703.tif 000738
【手続補正１０４】
【補正対象書類名】図面
【補正対象項目名】図５０４
【補正方法】変更
【補正の内容】
【図５０４】
2012210703.tif 000739
【手続補正１０５】
【補正対象書類名】図面
【補正対象項目名】図５０５
【補正方法】変更
【補正の内容】
【図５０５】
2012210703.tif 000740
【手続補正１０６】
【補正対象書類名】図面
【補正対象項目名】図５０６
【補正方法】変更
【補正の内容】
【図５０６】
2012210703.tif 000741
【手続補正１０７】
【補正対象書類名】図面
【補正対象項目名】図５０７
【補正方法】変更
【補正の内容】
【図５０７】
2012210703.tif 000742
【手続補正１０８】
【補正対象書類名】図面
【補正対象項目名】図５０８
【補正方法】変更
【補正の内容】
【図５０８】
2012210703.tif 000743
【手続補正１０９】
【補正対象書類名】図面
【補正対象項目名】図５０９
【補正方法】変更
【補正の内容】
【図５０９】
2012210703.tif 000744
【手続補正１１０】
【補正対象書類名】図面
【補正対象項目名】図５１０
【補正方法】変更
【補正の内容】
【図５１０】
2012210703.tif 000745
【手続補正１１１】
【補正対象書類名】図面
【補正対象項目名】図５１１
【補正方法】変更
【補正の内容】
【図５１１】
2012210703.tif 000746
【手続補正１１２】
【補正対象書類名】図面
【補正対象項目名】図５１２
【補正方法】変更
【補正の内容】
【図５１２】
2012210703.tif 000747
【手続補正１１３】
【補正対象書類名】図面
【補正対象項目名】図５１３
【補正方法】変更
【補正の内容】
【図５１３】
2012210703.tif 000748
【手続補正１１４】
【補正対象書類名】図面
【補正対象項目名】図５１４
【補正方法】変更
【補正の内容】
【図５１４】
2012210703.tif 000749
【手続補正１１５】
【補正対象書類名】図面
【補正対象項目名】図５１５
【補正方法】変更
【補正の内容】
【図５１５】
2012210703.tif 000750
【手続補正１１６】
【補正対象書類名】図面
【補正対象項目名】図５１６
【補正方法】変更
【補正の内容】
【図５１６】
2012210703.tif 000751
【手続補正１１７】
【補正対象書類名】図面
【補正対象項目名】図５１７
【補正方法】変更
【補正の内容】
【図５１７】
2012210703.tif 000752
【手続補正１１８】
【補正対象書類名】図面
【補正対象項目名】図５１８
【補正方法】変更
【補正の内容】
【図５１８】
2012210703.tif 000753
【手続補正１１９】
【補正対象書類名】図面
【補正対象項目名】図５１９
【補正方法】変更
【補正の内容】
【図５１９】
2012210703.tif 000754
【手続補正１２０】
【補正対象書類名】図面
【補正対象項目名】図５２０
【補正方法】変更
【補正の内容】
【図５２０】
2012210703.tif 000755
【手続補正１２１】
【補正対象書類名】図面
【補正対象項目名】図５２１
【補正方法】変更
【補正の内容】
【図５２１】
2012210703.tif 000756
【手続補正１２２】
【補正対象書類名】図面
【補正対象項目名】図５２２
【補正方法】変更
【補正の内容】
【図５２２】
2012210703.tif 000757
【手続補正１２３】
【補正対象書類名】図面
【補正対象項目名】図５２３
【補正方法】変更
【補正の内容】
【図５２３】
2012210703.tif 000758
【手続補正１２４】
【補正対象書類名】図面
【補正対象項目名】図５２４
【補正方法】変更
【補正の内容】
【図５２４】
2012210703.tif 000759
【手続補正１２５】
【補正対象書類名】図面
【補正対象項目名】図５２５
【補正方法】変更
【補正の内容】
【図５２５】
2012210703.tif 000760
【手続補正１２６】
【補正対象書類名】図面
【補正対象項目名】図５２６
【補正方法】変更
【補正の内容】
【図５２６】
2012210703.tif 000761
【手続補正１２７】
【補正対象書類名】図面
【補正対象項目名】図５２７
【補正方法】変更
【補正の内容】
【図５２７】
2012210703.tif 000762
【手続補正１２８】
【補正対象書類名】図面
【補正対象項目名】図５２８
【補正方法】変更
【補正の内容】
【図５２８】
2012210703.tif 000763
【手続補正１２９】
【補正対象書類名】図面
【補正対象項目名】図５２９
【補正方法】変更
【補正の内容】
【図５２９】
2012210703.tif 000764
【手続補正１３０】
【補正対象書類名】図面
【補正対象項目名】図５３０
【補正方法】変更
【補正の内容】
【図５３０】
2012210703.tif 000765
【手続補正１３１】
【補正対象書類名】図面
【補正対象項目名】図５３１
【補正方法】変更
【補正の内容】
【図５３１】
2012210703.tif 000766
【手続補正１３２】
【補正対象書類名】図面
【補正対象項目名】図５３２
【補正方法】変更
【補正の内容】
【図５３２】
2012210703.tif 000767
【手続補正１３３】
【補正対象書類名】図面
【補正対象項目名】図５３３
【補正方法】変更
【補正の内容】
【図５３３】
2012210703.tif 000768
【手続補正１３４】
【補正対象書類名】図面
【補正対象項目名】図５３４
【補正方法】変更
【補正の内容】
【図５３４】
2012210703.tif 000769
【手続補正１３５】
【補正対象書類名】図面
【補正対象項目名】図５３５
【補正方法】変更
【補正の内容】
【図５３５】
2012210703.tif 000770
【手続補正１３６】
【補正対象書類名】図面
【補正対象項目名】図５３６
【補正方法】変更
【補正の内容】
【図５３６】
2012210703.tif 000771
【手続補正１３７】
【補正対象書類名】図面
【補正対象項目名】図５３７
【補正方法】変更
【補正の内容】
【図５３７】
2012210703.tif 000772
【手続補正１３８】
【補正対象書類名】図面
【補正対象項目名】図５３８
【補正方法】変更
【補正の内容】
【図５３８】
2012210703.tif 000773
【手続補正１３９】
【補正対象書類名】図面
【補正対象項目名】図５３９
【補正方法】変更
【補正の内容】
【図５３９】
2012210703.tif 000774
【手続補正１４０】
【補正対象書類名】図面
【補正対象項目名】図５４０
【補正方法】変更
【補正の内容】
【図５４０】
2012210703.tif 000775
【手続補正１４１】
【補正対象書類名】図面
【補正対象項目名】図５４１
【補正方法】変更
【補正の内容】
【図５４１】
2012210703.tif 000776
【手続補正１４２】
【補正対象書類名】図面
【補正対象項目名】図５４２
【補正方法】変更
【補正の内容】
【図５４２】
2012210703.tif 000777
【手続補正１４３】
【補正対象書類名】図面
【補正対象項目名】図５４３
【補正方法】変更
【補正の内容】
【図５４３】
2012210703.tif 000778
【手続補正１４４】
【補正対象書類名】図面
【補正対象項目名】図５４４
【補正方法】変更
【補正の内容】
【図５４４】
2012210703.tif 000779
【手続補正１４５】
【補正対象書類名】図面
【補正対象項目名】図５４５
【補正方法】変更
【補正の内容】
【図５４５】
2012210703.tif 000780
【手続補正１４６】
【補正対象書類名】図面
【補正対象項目名】図５４６
【補正方法】変更
【補正の内容】
【図５４６】
2012210703.tif 000781
【手続補正１４７】
【補正対象書類名】図面
【補正対象項目名】図５４７
【補正方法】変更
【補正の内容】
【図５４７】
2012210703.tif 000782
【手続補正１４８】
【補正対象書類名】図面
【補正対象項目名】図５４８
【補正方法】変更
【補正の内容】
【図５４８】
2012210703.tif 000783
【手続補正１４９】
【補正対象書類名】図面
【補正対象項目名】図５４９
【補正方法】変更
【補正の内容】
【図５４９】
2012210703.tif 000784
【手続補正１５０】
【補正対象書類名】図面
【補正対象項目名】図５５０
【補正方法】変更
【補正の内容】
【図５５０】
2012210703.tif 000785
【手続補正１５１】
【補正対象書類名】図面
【補正対象項目名】図５５１
【補正方法】変更
【補正の内容】
【図５５１】
2012210703.tif 000786
【手続補正１５２】
【補正対象書類名】図面
【補正対象項目名】図５５２
【補正方法】変更
【補正の内容】
【図５５２】
2012210703.tif 000787
【手続補正１５３】
【補正対象書類名】図面
【補正対象項目名】図５５３
【補正方法】変更
【補正の内容】
【図５５３】
2012210703.tif 000788
【手続補正１５４】
【補正対象書類名】図面
【補正対象項目名】図５５４
【補正方法】変更
【補正の内容】
【図５５４】
2012210703.tif 000789
【手続補正１５５】
【補正対象書類名】図面
【補正対象項目名】図５５５
【補正方法】変更
【補正の内容】
【図５５５】
2012210703.tif 000790
【手続補正１５６】
【補正対象書類名】図面
【補正対象項目名】図５５６
【補正方法】変更
【補正の内容】
【図５５６】
2012210703.tif 000791
【手続補正１５７】
【補正対象書類名】図面
【補正対象項目名】図５５７
【補正方法】変更
【補正の内容】
【図５５７】
2012210703.tif 000792
【手続補正１５８】
【補正対象書類名】図面
【補正対象項目名】図５５８
【補正方法】変更
【補正の内容】
【図５５８】
2012210703.tif 000793
【手続補正１５９】
【補正対象書類名】図面
【補正対象項目名】図５５９
【補正方法】変更
【補正の内容】
【図５５９】
2012210703.tif 000794
【手続補正１６０】
【補正対象書類名】図面
【補正対象項目名】図５６０
【補正方法】変更
【補正の内容】
【図５６０】
2012210703.tif 000795
【手続補正１６１】
【補正対象書類名】図面
【補正対象項目名】図５６１
【補正方法】変更
【補正の内容】
【図５６１】
2012210703.tif 000796
【手続補正１６２】
【補正対象書類名】図面
【補正対象項目名】図５６２
【補正方法】変更
【補正の内容】
【図５６２】
2012210703.tif 000797
【手続補正１６３】
【補正対象書類名】図面
【補正対象項目名】図５６３
【補正方法】変更
【補正の内容】
【図５６３】
2012210703.tif 000798
【手続補正１６４】
【補正対象書類名】図面
【補正対象項目名】図５６４
【補正方法】変更
【補正の内容】
【図５６４】
2012210703.tif 000799
【手続補正１６５】
【補正対象書類名】図面
【補正対象項目名】図５６５
【補正方法】変更
【補正の内容】
【図５６５】
2012210703.tif 000800
【手続補正１６６】
【補正対象書類名】図面
【補正対象項目名】図５６６
【補正方法】変更
【補正の内容】
【図５６６】
2012210703.tif 000801
【手続補正１６７】
【補正対象書類名】図面
【補正対象項目名】図５６７
【補正方法】変更
【補正の内容】
【図５６７】
2012210703.tif 000802
【手続補正１６８】
【補正対象書類名】図面
【補正対象項目名】図５６８
【補正方法】変更
【補正の内容】
【図５６８】
2012210703.tif 000803
【手続補正１６９】
【補正対象書類名】図面
【補正対象項目名】図５６９
【補正方法】変更
【補正の内容】
【図５６９】
2012210703.tif 000804
【手続補正１７０】
【補正対象書類名】図面
【補正対象項目名】図５７０
【補正方法】変更
【補正の内容】
【図５７０】
2012210703.tif 000805
【手続補正１７１】
【補正対象書類名】図面
【補正対象項目名】図５７１
【補正方法】変更
【補正の内容】
【図５７１】
2012210703.tif 000806
【手続補正１７２】
【補正対象書類名】図面
【補正対象項目名】図５７２
【補正方法】変更
【補正の内容】
【図５７２】
2012210703.tif 000807
【手続補正１７３】
【補正対象書類名】図面
【補正対象項目名】図５７３
【補正方法】変更
【補正の内容】
【図５７３】
2012210703.tif 000808
【手続補正１７４】
【補正対象書類名】図面
【補正対象項目名】図５７４
【補正方法】変更
【補正の内容】
【図５７４】
2012210703.tif 000809
【手続補正１７５】
【補正対象書類名】図面
【補正対象項目名】図５７５
【補正方法】変更
【補正の内容】
【図５７５】
2012210703.tif 000810
【手続補正１７６】
【補正対象書類名】図面
【補正対象項目名】図５７６
【補正方法】変更
【補正の内容】
【図５７６】
2012210703.tif 000811
【手続補正１７７】
【補正対象書類名】図面
【補正対象項目名】図５７７
【補正方法】変更
【補正の内容】
【図５７７】
2012210703.tif 000812
【手続補正１７８】
【補正対象書類名】図面
【補正対象項目名】図５７８
【補正方法】変更
【補正の内容】
【図５７８】
2012210703.tif 000813
【手続補正１７９】
【補正対象書類名】図面
【補正対象項目名】図５７９
【補正方法】変更
【補正の内容】
【図５７９】
2012210703.tif 000814
【手続補正１８０】
【補正対象書類名】図面
【補正対象項目名】図５８０
【補正方法】変更
【補正の内容】
【図５８０】
2012210703.tif 000815
【手続補正１８１】
【補正対象書類名】図面
【補正対象項目名】図５８１
【補正方法】変更
【補正の内容】
【図５８１】
2012210703.tif 000816
【手続補正１８２】
【補正対象書類名】図面
【補正対象項目名】図５８２
【補正方法】変更
【補正の内容】
【図５８２】
2012210703.tif 000817
【手続補正１８３】
【補正対象書類名】図面
【補正対象項目名】図５８３
【補正方法】変更
【補正の内容】
【図５８３】
2012210703.tif 000818
【手続補正１８４】
【補正対象書類名】図面
【補正対象項目名】図５８４
【補正方法】変更
【補正の内容】
【図５８４】
2012210703.tif 000819
【手続補正１８５】
【補正対象書類名】図面
【補正対象項目名】図５８５
【補正方法】変更
【補正の内容】
【図５８５】
2012210703.tif 000820
【手続補正１８６】
【補正対象書類名】図面
【補正対象項目名】図５８６
【補正方法】変更
【補正の内容】
【図５８６】
2012210703.tif 000821
【手続補正１８７】
【補正対象書類名】図面
【補正対象項目名】図５８７
【補正方法】変更
【補正の内容】
【図５８７】
2012210703.tif 000822
【手続補正１８８】
【補正対象書類名】図面
【補正対象項目名】図５８８
【補正方法】変更
【補正の内容】
【図５８８】
2012210703.tif 000823
【手続補正１８９】
【補正対象書類名】図面
【補正対象項目名】図５８９
【補正方法】変更
【補正の内容】
【図５８９】
2012210703.tif 000824
【手続補正１９０】
【補正対象書類名】図面
【補正対象項目名】図５９０
【補正方法】変更
【補正の内容】
【図５９０】
2012210703.tif 000825
【手続補正１９１】
【補正対象書類名】図面
【補正対象項目名】図５９１
【補正方法】変更
【補正の内容】
【図５９１】
2012210703.tif 000826
【手続補正１９２】
【補正対象書類名】図面
【補正対象項目名】図５９２
【補正方法】変更
【補正の内容】
【図５９２】
2012210703.tif 000827
【手続補正１９３】
【補正対象書類名】図面
【補正対象項目名】図５９３
【補正方法】変更
【補正の内容】
【図５９３】
2012210703.tif 000828
【手続補正１９４】
【補正対象書類名】図面
【補正対象項目名】図５９４
【補正方法】変更
【補正の内容】
【図５９４】
2012210703.tif 000829
【手続補正１９５】
【補正対象書類名】図面
【補正対象項目名】図５９５
【補正方法】変更
【補正の内容】
【図５９５】
2012210703.tif 000830
【手続補正１９６】
【補正対象書類名】図面
【補正対象項目名】図５９６
【補正方法】変更
【補正の内容】
【図５９６】
2012210703.tif 000831
【手続補正１９７】
【補正対象書類名】図面
【補正対象項目名】図５９７
【補正方法】変更
【補正の内容】
【図５９７】
2012210703.tif 000832
【手続補正１９８】
【補正対象書類名】図面
【補正対象項目名】図５９８
【補正方法】変更
【補正の内容】
【図５９８】
2012210703.tif 000833
【手続補正１９９】
【補正対象書類名】図面
【補正対象項目名】図５９９
【補正方法】変更
【補正の内容】
【図５９９】
2012210703.tif 000834
【手続補正２００】
【補正対象書類名】図面
【補正対象項目名】図６００
【補正方法】変更
【補正の内容】
【図６００】
2012210703.tif 000835
【手続補正書】
【提出日】平成24年7月9日(2012.7.9)
【手続補正１】
【補正対象書類名】図面
【補正対象項目名】図２００
【補正方法】追加
【補正の内容】
【図２００】
2012210703.tif 000836